(57)【要約】【課題】記憶容量が過大になることなく、多様な停止パターンを実現する。【解決手段】２１区分数について２ビットで特定する優先番号を予め記憶した停止ビットデータを複数とおり定義し、作動に係る条件装置に対応する停止制御番号と、停止操作順序とに応じて、停止ビットデータ群記憶手段から特定の停止ビットデータを選択し、回転中のリールの各図柄に対応させて、作動に係る条件装置に対応した図柄が有効ラインに表示可能か否かを区別する引込み検索データを作成し、停止操作を契機に、停止操作時点から許容滑りコマ数の範囲内にある検索対象の図柄について、引込み検索データと優先番号との所定の演算により停止候補得点を算出し、停止候補得点が最大値となる図柄に基づいて、停止操作時点からの滑りコマ数を決定してリールを停止させる。【選択図】図４３
2015029741.tif 000002
【特許請求の範囲】
【請求項１】
複数コマの図柄を可変表示させる複数の可変表示要素を有し、
遊技媒体の投入下におけるスタートスイッチの操作に基づいて、予め定めた図柄の組合せを前記可変表示要素において表示させるために必要な複数種類の条件装置の作動の可否を決定する内部抽選を実行すると共に前記可変表示要素の可変表示を開始させ、前記可変表示要素に対応するストップスイッチの操作に基づいて、所定の許容滑りコマ数の範囲内で対応する可変表示要素の可変表示を各停止させ、所定の有効ラインに前記内部抽選で決定した作動に係る条件装置に対応した図柄の組合せの表示を許容して一回の遊技の結果を導出させる主制御装置を備える遊技機において、
前記主制御装置に、
一つの可変表示要素に含まれる図柄のコマ数に相当する区分数について所定ビット以下で特定する優先番号を予め記憶した停止ビットデータを複数とおり定義した停止ビットデータ群記憶手段と、
前記内部抽選で決定した作動に係る条件装置に対応する停止制御番号と、前記ストップスイッチの操作順序とに応じて、前記停止ビットデータ群記憶手段から特定の停止ビットデータを選択する停止ビットデータ選択手段と、
可変表示中にある前記可変表示要素の各図柄に対応させて、前記内部抽選で決定した作動に係る条件装置に対応した図柄が前記有効ラインに表示可能か否かを区別するための引込み検索データを作成する引込み検索データ作成手段と、
前記ストップスイッチの操作を契機に、該ストップスイッチの操作時点から前記許容滑りコマ数の範囲内にある検索対象の図柄について、前記引込み検索データと前記優先番号との所定の演算により停止候補得点を算出する停止候補得点算出手段と、
前記停止候補得点が検索対象中予め定めた特定傾向の値となる図柄に基づいて、前記ストップスイッチの操作時点からの滑りコマ数を決定して前記可変表示要素の可変表示を停止させる可変表示停止手段とを設けたことを特徴とする遊技機。
【請求項２】
前記優先番号は、前記停止候補得点が前記特定傾向の値となる可能性が最も高くなる最上位番号と、前記停止候補得点が前記特定傾向の値となる可能性が最も低くなる最下位番号と、前記停止候補得点が前記特定傾向の値となる可能性が最高でも最低でもない中間となる少なくとも一つの中間番号とを含み、
前記主制御装置に、第１番目に停止操作された可変表示要素の滑りコマ数を決定することとなった停止候補得点の算出に用いた優先番号が中間番号であったとき、第２番目以後の停止についてはその中間番号を新たな最上位番号として機能させる優先順位変換手段を設けたことを特徴とする請求項１記載の遊技機。
【請求項３】
前記優先番号は、２ビットで特定する２ビット情報から成り、前記最上位番号は２進数表記で１１、前記最下位番号は２進数表記で００、前記中間番号は２進数表記で１０及び又は０１であることを特徴とする請求項２記載の遊技機。
【請求項４】
前記停止ビットデータ群記憶手段は、前記主制御装置の記憶領域中、１バイトを４分割した２ビット毎の分割領域に相互に異なる停止ビットデータの各優先番号を記憶していると共に、前記主制御装置のプログラムカウンタの進行方向に、前記可変表示要素の図柄の並びを上下反転させた反転図柄に対応させた各停止ビットデータの各優先番号を記憶していることを特徴とする請求項３記載の遊技機。
【請求項５】
前記可変表示要素は、左リール、中リール、右リールから成り、
前記停止ビットデータ選択手段は、
第１番目の停止操作が、左リール、中リール、右リールの、何れかとなる３とおり、
第２番目の停止操作が、左リール停止操作後の中リール、左リール停止操作後の右リール、中リール停止操作後の左リール、中リール停止操作後の右リール、右リール停止操作後の左リール、右リール停止操作後の中リールの、何れかとなる６とおり、
第３番目の操作停止が、左リール停止操作後の中リール停止操作後の右リール、左リール停止操作後の右リール停止操作後の中リール、中リール停止操作後の左リール停止操作後の右リール、中リール停止操作後の右リール停止操作後の左リール、右リール停止操作後の左リール停止操作後の中リール、右リール停止操作後の中リール停止操作後の左リールの、何れかとなる６とおり、
以上合計１５とおりについて、停止制御番号毎に、参照すべき停止ビットデータのテーブル番号を記憶した停止ビットデータテーブル番号参照テーブルに基づいて特定の停止ビットデータを選択する仕様を有することを特徴とする請求項１〜４何れか一項に記載の遊技機。
【請求項６】
前記引込み検索データ作成手段は、
前記内部抽選の後、第１番目のストップスイッチの操作受付前に、作動に係る条件装置に基づいて新規に作成する新規作成手段と、
第１番目の可変表示要素の可変表示の停止位置決定後に、作動に係る条件装置と停止済となる図柄とに基づいて第１の改定をする第１改定手段と、
最後から一つ前の可変表示要素の可変表示の停止位置決定後に、作動に係る条件装置と停止済となる図柄と非作動に係る条件装置とに基づいて最終の改定をする最終改定手段とを含むことを特徴とする請求項１〜５何れか一項に記載の遊技機。
【請求項７】
前記内部抽選では、次遊技を新たな遊技媒体の投入なしで行える再遊技に係る条件装置、遊技媒体を獲得できる入賞に係る条件装置、入賞を容易にするための特別の装置である役物又は該役物を連続して作動させ得る役物連続作動装置に対応する役物等に係る条件装置の各作動の可否を決定する仕様を有し、
前記引込み検索データ作成手段は、
再遊技に係る条件装置の作動時、その再遊技に対応した図柄が有効ラインに表示可能であれば所定ビットに１を立てた第１引込みデータを記憶し、
入賞に係る条件装置の作動時、その入賞に対応した図柄が有効ラインに表示可能であれば前記第１引込みデータと異なるビットに１を立てた第２引込みデータを記憶し、
役物等に係る条件装置の作動時、その役物等に対応した図柄が有効ラインに表示可能であれば前記第１引込みデータ及び前記第２引込みデータと異なるビットに１を立てた第３引込みデータを記憶する仕様を有することを特徴とする請求項１〜６何れか一項に記載の遊技機。
【発明の詳細な説明】
【技術分野】
【０００１】
本発明は、回胴式遊技機、その他のスロットマシン、アーケードゲーム機等の遊技機に関し、特に、リール等の可変表示要素の停止制御技術に係る。
【背景技術】
【０００２】
この種の遊技機のリール停止制御は、テーブル方式とコントロール方式に大別される。
テーブル方式の典型例は、スイカやベル、チェリー等の小役と呼ばれる入賞、リプレイと呼ばれる再遊技、ボーナスと呼ばれる役物又は役物連続作動装置といった内部抽選で振分ける各条件装置毎に、最大４コマの許容滑りコマ数の範囲内で条件装置毎に対応付けした図柄の組合せが極力得られるように一リール２１個の図柄番号に対応させてストップボタンの操作から停止までの図柄の滑りコマ数を０、１、２、３、４の何れかに定めた滑りコマ数テーブルを参照してリールを停止させる。
【０００３】
コントロール方式の典型例は、ストップボタンの操作から０コマ滑りの即止め、１コマ滑り、２コマ滑り、３コマ滑り、４コマ滑りとなる検索対象５コマについて、内部抽選で決定した作動に係る条件装置に対応した図柄が有効ラインに表示可能か否かを判定し、表示可能な図柄候補が一つならその図柄を有効ラインに停止させ、複数ある場合は最小滑りや最大滑り等の予め定めた引込み優先順位に従って表示可能な図柄を有効ラインに停止させる。
【０００４】
テーブル方式は、滑りコマ数テーブルに所望の滑りコマ数を予め定めておくことにより設計者が意図する停止パターンを容易に実現でき、リール表示窓中に視認させる停止パターンを上段にスイカ図柄が３つ並ぶものとしたり、右上がりラインにスイカ図柄が３つ並ぶものとしたりする等、停止パターンを多様化できると共に、取りこぼし等となる場合にも、多様なハズレ目を表現できるメリットがある。反面、制御装置のＲＯＭのデータ領域に、条件装置の種類や停止操作順序の数に応じて滑りコマ数テーブルを用意しておく必要があり、条件装置の種類等が増えるほど大きな記憶容量を要するデメリットがある。
【０００５】
一方、コントロール方式は、テーブル方式のような大容量の滑りコマ数テーブルを用意しておく必要はなく、記憶容量が過大にならないメリットがある反面、テーブル方式に比べて停止パターンがワンパターン的になるデメリットがある。
【０００６】
以上のように、テーブル方式とコントロール方式は、一方のメリットが他方のデメリットとなる関係にあると言え、リール停止制御を典型的なテーブル方式のみで構築したり、典型的なコントロール方式のみで構築したのでは、メリットよりもデメリットが強く印象づけられてしまうことから得策ではない。
【０００７】
このため、特許文献１等で提案されているように、第１番目の停止が左リールである場合等には、２１個の図柄番号に対応させて滑りコマ０〜４を記憶した滑りコマ数テーブルを用いてリールを停止させる限定条件下でのテーブル方式と、第２番目以後の停止の場合等には、２１個の図柄番号に対応させて０か１の引込優先情報を記憶した引込ビットテーブルを併用した優先順位付けコントロール方式とを組合せるといったように、テーブル方式とコントロール方式を適宜組合せてリール停止制御を実現するのが一般的である。因みに、特許文献１のものでは、全部で３３種類の滑りコマ数テーブル（図２０）と、全部で１１２種類の引込ビットテーブル（図３１）によりリール停止制御を実現している。
【先行技術文献】
【特許文献】
【０００８】
【特許文献１】特開２０１０−２７３８９８号公報
【発明の概要】
【発明が解決しようとする課題】
【０００９】
しかし、特許文献１等のように、テーブル方式とコントロール方式とを組合せた従来のものは、滑りコマ０〜４を記憶した滑りコマ数テーブルを用いる制御と該滑りコマ数テーブルを用いない制御とが混在し、停止操作順序如何によって停止パターンの多様化の効果が薄れる恐れがあるし、従前からのテーブル方式を踏襲する０〜４の滑りコマ数テーブルと、コントロール方式で併用する０，１の引込ビットテーブルとの、構造及び機能が異なる別体系のテーブルを適切に切換える管理的手段（特許文献１の図１７のオフセット指定テーブル）等を別途必要とし、制御が複雑化してプログラム自体の総ステップ数が増大する恐れもある。
【００１０】
特に、平成１６年１月３０日の国家公安委員会規則第１での改正を経た昭和６０年２月１２日の国家公安委員会規則第４「遊技機の認定及び型式の検定等に関する規則」(以下、遊技機規則という）に適合する現行５号機は、複数の図柄の組合せを重複許容する重複役や特定の停止操作順序でのみ入賞等を許す押し順役等に柔軟に対応させるため、平成１６年改正前の４号機以前のものに比べて、条件装置の数や、使い分けるべき停止操作順序の数が多いのが普通であり、従来のテーブル方式とコントロール方式の組合せ制御では、遊技機規則第６条別表第三（２）イ（ホ）の「回胴式遊技機に係るロムにあっては、制御領域の容量が４．５ＫＢを超えず、かつ、データ領域の容量が３ＫＢを超えないものであること。」の制限から、結局のところ、停止パターンの多様化は一定範囲内に止まらざるを得ず、遊技者に出目の面白味を十分に付与できていないのが実情である。
【００１１】
本発明の課題は、条件装置如何や停止操作順序如何によって制御方式が変わることのない均一且つ簡潔な独特の制御方式を用いることにより、記憶容量が過大になることなく、それでいて、条件装置の種類や停止操作順序に拘わらず多様な停止パターンを実現でき、遊技者に出目の面白味を十分に堪能させることができる遊技機を提供する点にある。
【課題を解決するための手段】
【００１２】
本発明は、図面に例示するように、
複数コマの図柄を可変表示させる複数の可変表示要素（左リール１Ｌ，中リール１Ｃ，右リール１Ｒ）を有し、
遊技媒体の投入下におけるスタートスイッチ（スタートレバー５）の操作に基づいて、予め定めた図柄の組合せを前記可変表示要素において表示させるために必要な複数種類の条件装置の作動の可否を決定する内部抽選を実行すると共に前記可変表示要素の可変表示を開始させ、前記可変表示要素に対応するストップスイッチ（左ストップボタン６Ｌ，中ストップボタン６Ｃ，右ストップボタン６Ｒ）の操作に基づいて、所定の許容滑りコマ数の範囲内で対応する可変表示要素の可変表示を各停止させ、所定の有効ラインに前記内部抽選で決定した作動に係る条件装置に対応した図柄の組合せの表示を許容して一回の遊技の結果を導出させる主制御装置（ＭＣ）を備える。
【００１３】
本発明でいう「可変表示要素」は、リール、ベルト、画像等を含む。
本発明でいう「遊技媒体」は、遊技メダル（遊技の用に供するメダル）、遊技球（遊技の用に供する玉）、「貯留装置」の電磁的記録等を含む。
ここに、「貯留装置」とは、遊技機に投入された遊技メダル及び遊技により獲得された遊技メダルを貯留することにより、遊技者が、新たに遊技機に遊技メダルを投入することなく、ボタンその他の装置の操作により、当該貯留に係る遊技メダルの中からあらかじめ定められた数の遊技メダルを順次遊技の用に供することができることとなる装置で、遊技機に投入された遊技メダルと遊技により獲得された遊技メダルの総数から当該遊技の用に供されたものの総数を減じた数を電磁的方法により記録することができるものをいう（遊技機規則第６条別表第二（１）カ）。
【００１４】
「条件装置」とは、その作動が入賞、再遊技、役物又は役物連続作動装置の作動に係る図柄の組合せが表示されるために必要な条件とされている装置で、遊技機内で行われる電子計算機によるくじ（「内部抽せん」）に当せんした場合に作動するものをいう（遊技機規則第６条別表第二（３）ホ）。本発明でいう「内部抽選」は、遊技機規則第６条別表第二（３）ホでいう「内部抽せん」と同じ意味である。
【００１５】
「入賞」とは、図柄について遊技メダル等を獲得するため必要な組合せとしてあらかじめ定められたものが表示されることをいう（遊技機規則第６条別表第二（３）ニ）。入賞に係る条件装置は、遊技の結果が一回得られたときは、その作動を終了するものであることとされている（遊技機規則第６条別表第五（１）リ（ホ））。
【００１６】
「再遊技」とは、遊技メダル等の投入（貯留装置に係るボタンその他の装置の操作により遊技メダルを遊技の用に供することを含む。）をすることによらずに行うことができる遊技をいう（遊技機規則第６条別表第二（３）イ）。再遊技に係る条件装置も、遊技の結果が一回得られたときは、その作動を終了するものであることとされている（遊技機規則第６条別表第五（１）リ（ホ））。また、設定ごと及び規定数ごとに、再遊技に係る条件装置が作動する確率は、７３分の１０以上の値のうちからあらかじめ定められたものでありと規定されており（遊技機規則第６条別表第五（１）ハ（ニ））、再遊技の作動確率すなわちリプレイ確率は、最も低い場合でも、７３分の１０すなわち１／７．３となる。
【００１７】
「役物」とは、入賞を容易にするための特別の装置をいう（風俗営業等の規制及び業務の適正化等に関する法律施行規則第７条表中、ぱちんこ遊技機の第五、回胴式遊技機の第六）。本発明で役物というときには、「普通役物」、「第一種特別役物」、「第二種特別役物」の他、第一種特別役物又は第二種特別役物を連続して作動させることができる「役物連続作動装置」を含める。また、本発明では、「入賞」と「再遊技」とに関する、役物ではない役を「非役物」といい、「入賞」に関する非役物を「入賞役」、「再遊技」に関する非役物を「再遊技役」ともいう。「入賞役」は、「小役」とも呼ぶ。なお、再遊技、役物及び役物連続作動装置の作動は、「入賞」でない（平成１６年５月２６日警察庁丁生環発１５５「技術上の規格解釈基準」の二．各論の（四）の（１）ロ（ハ））。
【００１８】
「役物」のうち、「普通役物」とは、規定数（遊技の結果を１回得るために投入をする必要がある遊技メダル等の数として遊技の種類ごとに定められたものをいう）ごとの入賞に係る図柄の組合せの数を増加させ、又は規定数ごとの入賞に係る「条件装置」が作動する確率を上昇させる役物で、特定の図柄の組合せが表示された場合に作動し一回の遊技の結果が得られた場合に作動を終了することとされているものをいう（遊技機規則第６条別表第二（３）リ）。
【００１９】
「第一種特別役物」とは、規定数ごとの入賞に係る図柄の組合せの数を増加させ、又は規定数ごとの入賞に係る条件装置が作動する確率を上昇させる役物で、あらかじめ定められた場合に作動し１２回を超えない回数の遊技の結果が得られるまで作動を継続することができるものをいう（遊技機規則第６条別表第二（３）ト）。
「第二種特別役物」とは、内部抽せんの結果にかかわらず入賞に係る条件装置を作動させることとなる役物で、あらかじめ定められた場合に作動し一回の遊技の結果が得られた場合に作動を終了するものをいう（遊技機規則第６条別表第二（３）ヌ）。
「役物連続作動装置」とは、第一種特別役物又は第二種特別役物を連続して作動させることができる装置で、特定の図柄の組合せが表示された場合に作動しあらかじめ定められた場合に作動を終了するものをいう（遊技機規則第６条別表第二（３）チ）。
【００２０】
本発明でいう「前記各可変表示要素に対応するストップスイッチの操作に基づいて、所定の許容滑りコマ数の範囲内で対応する可変表示要素の可変表示を各停止させ」は、遊技機規則第６条別表第五（１）イ（ト）で規定する「回胴の回転は、回転停止装置を作動させるためのボタン、レバーその他の装置を操作した後、１９０ｍｓ以内に停止するものであること。」、及び、同別表第五（１）ヘ（ホ）で規定する「第二種特別役物が作動している場合にあっては、１個以上の回胴は、停止ボタン等を操作した後、７５ｍｓ以内に停止するものであること。」等の規制を満たすべき観点からの限定である。「１９０ｍｓ以内に停止」というのは、多くの場合、図柄が一コマすなわち一図柄分移動するのに要する時間は約３５．７ｍｓであることから、（（１９０÷３５．７）−１）の整数解＝４コマが許容滑りコマ数（最大滑りコマ数）となる。同様に、「７５ｍｓ以内に停止」というのは、（（７５÷３５．７）−１）の整数解＝１コマが許容滑りコマ数（最大滑りコマ数）となる。
【００２１】
本発明でいう「有効ライン」とは、停止した可変表示要素の相互間において隣の図柄と同一段又は一段違いで並ぶ図柄の表示位置どうしを一本の直線又は一本の折れ線で結んだ図柄表示位置の組合せのうち、遊技の結果が一回得られたときに内部抽選の結果に応じた図柄の組合せの有無を判定し、その判定結果により内部抽選の結果に応じた遊技価値を付与することとなるものをいう。
【００２２】
本発明でいう「主制御装置」とは、遊技機の制御装置のうち、遊技の結果に影響を及ぼし、又は及ぼすおそれがある機能を有する制御をするものをいう。遊技機規則で定義する「主基板」から基板という物理的要素を取り除いた概念である。なお、「主基板」とは、遊技の結果に影響を及ぼし、又は及ぼすおそれがある機能を有する基板で、配線を相互に接続するための電子部品のみが装着されたもの以外のものをいう（遊技機規則第６条別表第二（１）イ）。
「主制御装置」と区別して用いる後述の「周辺制御装置」とは、遊技機の制御装置のうち、前記主制御装置での制御以外の制御をするものであって、遊技の結果に影響を及ぼし、又は及ぼすおそれがある機能を有しない制御をするものをいう。遊技機規則で定義する「周辺基板」から基板という物理的要素を取り除いた概念である。なお、「周辺基板」とは、主基板以外の基板で、配線を相互に接続するための電子部品のみが装着されたもの以外のものをいう（遊技機規則第６条別表第二（１）ニ）。
【００２３】
なお、主基板と周辺基板とは、すなわち、主制御装置と周辺制御装置とは、一方向性通信仕様で結ばれる。ここに、「一方向性通信仕様」とは、遊技機規則第６条別表第三（１）イ（ホ）において主基板に関する規格として規定する「周辺基板が送信する信号を受信することができるものでないこと。」を満たす通信仕様をいう。
また、遊技機規則上に「副基板」なる用語が定義されているが、これによれば、「副基板」とは、主基板のうち、マイクロプロセッサー（電子計算機の中央演算処理装置を構成する集積回路をいう。）又はリードオンリーメモリー（以下次表及び別表第九において「ロム」という。）が装着されていないものをいう（遊技機規則第６条別表第二（１）ロ）とあり、「副基板」は主基板の概念に含まれる。したがって、４号機時代から業界内で区別してきたメインとサブとの関係は、メイン側が「主基板」すなわち「主制御装置」、サブ側が「周辺基板」すなわち「周辺制御装置」ということになる。
【００２４】
前記主制御装置（ＭＣ）には、次の各手段を設けている。
Ａ）停止ビットデータ群記憶手段Ａ
該停止ビットデータ群記憶手段Ａは、一つの可変表示要素に含まれる図柄のコマ数に相当する区分数（２１個）について所定ビット以下で特定する優先番号（０，１，２，３）を予め記憶した停止ビットデータを複数とおり（例えば、停止ビットデータ群０〜１８中のテーブル番号１〜７３で区分する７３種類）定義している。各停止ビットデータは、主制御装置ＭＣのＲＯＭのデータ領域の常駐データとなる。
【００２５】
Ｂ）停止ビットデータ選択手段Ｂ
該停止ビットデータ選択手段Ｂは、前記内部抽選で決定した作動に係る条件装置に対応する停止制御番号（例えば、作動に係る条件装置無しのハズレを含む０〜３０）と、前記ストップスイッチの操作順序（第１番目が「左」「中」「右」、第２番目が「左操作後の中」「左操作後の右」「中操作後の左」「中操作後の右」「右操作後の左」「右操作後の中」、第３番目が「左操作後の中操作後の右」「左操作後の右操作後の中」「中操作後の左操作後の右」「中操作後の右操作後の左」「右操作後の左操作後の中」「右操作後の中操作後の左」）とに応じて、前記停止ビットデータ群記憶手段Ａから特定の停止ビットデータを選択する。後述する「停止制御番号毎の押し順に応じた停止ビットデータテーブル番号参照テーブル」を用いて特定のテーブル番号の停止ビットデータを選択する処理が該当し、この「参照テーブル」は、主制御装置ＭＣのＲＯＭのデータ領域の常駐データとなる。
【００２６】
Ｃ）引込み検索データ作成手段Ｃ
該引込み検索データ作成手段Ｃは、可変表示中にある前記可変表示要素の各図柄に対応させて、前記内部抽選で決定した作動に係る条件装置に対応した図柄が前記有効ラインに表示可能か否かを区別するための引込み検索データを作成する。引込み検索データは、内部抽選毎すなわち一遊技毎に、可変表示中にある可変表示要素すなわち最初は全リール、第１停止以後は未停止リールについて作成される。この引込み検索データは、主制御装置ＭＣのＲＡＭ上で書き換えられるデータとなる。その書換領域の大きさは、例えば一リール中の図柄数が２１、リールが３本なら６３バイトとなる。
【００２７】
Ｄ）停止候補得点算出手段Ｄ
該停止候補得点算出手段Ｄは、前記ストップスイッチの操作を契機に、該ストップスイッチの操作時点から前記許容滑りコマ数の範囲内にある検索対象の図柄（最大滑りコマ数が４なら滑り０〜４の５コマ、最大滑りコマ数が１なら滑り０か１の２コマ）について、前記引込み検索データと前記優先番号との所定の演算（加算）により停止候補得点を算出する。
【００２８】
Ｅ）可変表示停止手段Ｅ
該可変表示停止手段Ｅは、前記停止候補得点が検索対象中予め定めた特定傾向の値（最大値）となる図柄に基づいて、前記ストップスイッチの操作時点からの滑りコマ数を決定して前記可変表示要素の可変表示を停止させる。
【００２９】
以上により、ストップスイッチの操作時点からの検索対象の図柄について、可変表示中にある可変表示要素について作成される引込み検索データと、作動に係る条件装置に対応する停止制御番号とストップスイッチの操作順序とに応じて選択される特定の停止ビットデータに記憶された優先番号とにより所定の演算をし、この演算で算出した停止候補得点が検索対象中予め定めた特定傾向の値となる図柄に基づいて停止までの実際の滑りコマ数を決定するから、作動に係る条件装置如何に拘わらず、また、ストップスイッチの操作順序如何に拘わらず、制御方式が変わることはない。しかも、停止ビットデータに予め設計者が意図する停止パターンを実現できる優先番号を記憶しておくことにより、停止パターンの多様化も図れる。一つの可変表示要素の停止に用いる停止ビットデータは、作動に係る条件装置に対応する停止制御番号とストップスイッチの操作順序とに応じて選択するから、停止ビットデータの総数は、条件装置の数にストップスイッチの操作順序の数を乗じた数よりも少なくでき、記憶容量の増大も抑制できる。
【００３０】
以上のものにおいて、前記優先番号は、前記停止候補得点が前記特定傾向の値となる可能性が最も高くなる最上位番号（番号３）と、前記停止候補得点が前記特定傾向の値となる可能性が最も低くなる最下位番号（番号０）と、前記停止候補得点が前記特定傾向の値となる可能性が最高でも最低でもない中間となる少なくとも一つの中間番号（番号２、番号１）とを含み、
前記主制御装置（ＭＣ）に、第１番目に停止操作された可変表示要素の滑りコマ数を決定することとなった停止候補得点の算出に用いた優先番号が中間番号（番号２、番号１）であったとき、第２番目以後の停止についてはその中間番号を新たな最上位番号（番号３）として機能させる優先順位変換手段（Ｆ）をさらに設けている。
【００３１】
これにより、第１停止から最終停止までを最上位番号（番号３）で統一的に優先停止させる場合と、第１停止から最終停止までを第１停止時の中間番号（番号２又は番号１）で統一的に優先停止させる場合との少なくとも２態様の停止パターンを実現でき、複数の図柄の組合せを重複許容する重複役や特定の停止操作順序でのみ入賞等を許す押し順役等に適切に対応した停止パターンが得られる。
【００３２】
以上のものにおいて、前記優先番号は、２ビットで特定する２ビット情報から成り、前記最上位番号は２進数表記で１１、前記最下位番号は２進数表記で００、前記中間番号は２進数表記で１０及び又は０１であるものとしている。なお、２進数表記の末尾にバイナリーの頭文字Ｂを併記し、１１Ｂ，００Ｂ，１０Ｂ，０１Ｂと表示することもある。
【００３３】
これにより、一つの停止ビットデータは２ビット×図柄数（２１）で定義でき、従来の滑りコマ数テーブルのような４すなわち２進数表記で１００の３ビット情報は含まず、しかも、一つの優先番号は２ビットという最小の偶数であることから、この種の遊技機の制御装置におけるデータの通常の単位である１バイト（８ビット）中に最低４つの優先番号を記憶でき、記憶容量の削減に資することができる。
【００３４】
以上のものにおいて、前記停止ビットデータ群記憶手段（Ａ）は、前記主制御装置（ＭＣ）の記憶領域中、１バイトを４分割した２ビット毎の分割領域に相互に異なる停止ビットデータの各優先番号を記憶していると共に、前記主制御装置（ＭＣ）のプログラムカウンタの進行方向（アドレスが増加する方向）に、前記可変表示要素の図柄の並び（上から下に図柄番号２０，１９，１８・・・１，０）を上下反転させた反転図柄（上から下に図柄番号０，１，２・・・１９，２０）に対応させた各停止ビットデータの各優先番号を記憶している。
【００３５】
これにより、１バイト×図柄数（２１）の２１バイトで４種類の停止ビットデータを定義でき、記憶容量の削減に大いに資することができる。
【００３６】
以上のものにおいて、前記可変表示要素は、左リール（１Ｌ）、中リール（１Ｃ）、右リール（１Ｒ）から成り、
前記停止ビットデータ選択手段（Ｂ）は、
第１番目の停止操作が、左リール、中リール、右リールの、何れかとなる３とおり、
第２番目の停止操作が、左リール停止操作後の中リール、左リール停止操作後の右リール、中リール停止操作後の左リール、中リール停止操作後の右リール、右リール停止操作後の左リール、右リール停止操作後の中リールの、何れかとなる６とおり、
第３番目の操作停止が、左リール停止操作後の中リール停止操作後の右リール、左リール停止操作後の右リール停止操作後の中リール、中リール停止操作後の左リール停止操作後の右リール、中リール停止操作後の右リール停止操作後の左リール、右リール停止操作後の左リール停止操作後の中リール、右リール停止操作後の中リール停止操作後の左リールの、何れかとなる６とおり、
以上合計１５とおりについて、停止制御番号毎に、参照すべき停止ビットデータのテーブル番号を記憶した停止ビットデータテーブル番号参照テーブルに基づいて特定の停止ビットデータを選択する仕様を有する。
【００３７】
これにより、３本のリールについて、その取り得るストップスイッチの操作順序の全ての組合せについて、それぞれ停止させる１本ずつのリールに対して均一且つ簡潔な停止制御を実現できる。
【００３８】
以上のものにおいて、前記引込み検索データ作成手段（Ｃ）は、
前記内部抽選の後、第１番目のストップスイッチの操作受付前に、作動に係る条件装置に基づいて新規に作成する新規作成手段（Ｃ１）と、
第１番目の可変表示要素の可変表示の停止位置決定後に、作動に係る条件装置と停止済となる図柄とに基づいて第１の改定をする第１改定手段（Ｃ２）と、
最後から一つ前の可変表示要素の可変表示の停止位置決定後に、作動に係る条件装置と停止済となる図柄と非作動に係る条件装置とに基づいて最終の改定をする最終改定手段（Ｃ３）とを含む。
【００３９】
これにより、引込み検索データの新規作成、第１の改定、最終の改定と、リールが順次停止されるのに伴って、有効ラインに表示可能な図柄候補が適切に絞り込まれると共に、最終的な不当入賞等を確実かつ効果的に防止できる。
【００４０】
以上のものにおいて、前記内部抽選では、次遊技を新たな遊技媒体の投入なしで行える再遊技に係る条件装置、遊技媒体を獲得できる入賞に係る条件装置、入賞を容易にするための特別の装置である役物又は該役物を連続して作動させ得る役物連続作動装置に対応する役物等に係る条件装置の各作動の可否を決定する仕様を有し、
前記引込み検索データ作成手段（Ｃ）は、
再遊技に係る条件装置の作動時、その再遊技に対応した図柄が有効ラインに表示可能であれば所定ビットに１を立てた第１引込みデータ（２進数表記で１０００００００Ｂ、１６進数表記で８０Ｈ（末尾Ｈはヘキサの頭文字））を記憶し、
入賞に係る条件装置の作動時、その入賞に対応した図柄が有効ラインに表示可能であれば前記第１引込みデータと異なるビットに１を立てた第２引込みデータ（２進数表記で０１００００００Ｂ、１６進数表記で４０Ｈ）を記憶し、
役物等に係る条件装置の作動時、その役物等に対応した図柄が有効ラインに表示可能であれば前記第１引込みデータ及び前記第２引込みデータと異なるビットに１を立てた第３引込みデータ（２進数表記で００１０００００Ｂ、１６進数表記で２０Ｈ）を記憶する仕様を有する。
【００４１】
これにより、再遊技、入賞、役物等という条件装置の違いに応じて適切に停止候補得点を算出できると共に、再遊技に係る条件装置と入賞に係る条件装置とが同時に当選した場合や、再遊技に係る条件装置と役物に係る条件装置とが同時に当選した場合や、入賞に係る条件装置と役物等に係る条件装置とが同時に当選した場合、第１〜第３引込みデータに立てる１のビット位置の違いにより、優先引込順位を、再遊技が最優先、入賞がその次、役物等が最下位とする等の仕様に柔軟に対応させることもできる。
【発明の効果】
【００４２】
本発明によれば、条件装置如何や停止操作順序如何によって制御方式が変わることのない均一且つ簡潔な制御により、記憶容量が過大になることなく、それでいて、条件装置の種類や停止操作順序に拘わらず多様な停止パターンを実現でき、遊技者に出目の面白味を十分に堪能させることができる。
【図面の簡単な説明】
【００４３】
【図１】本発明遊技機の斜視図。
【図２】同遊技機の正面図。
【図３】可変表示要素を構成するリールの展開図。
【図４】遊技機の制御装置のブロック図。
【図５】図柄群１の図柄の組合せ。
【図６】図柄群２の図柄の組合せ。
【図７】図柄群３の図柄の組合せ。
【図８】図柄群４の図柄の組合せ。
【図９】図柄群５の図柄の組合せ。
【図１０】図柄群６の図柄の組合せ。
【図１１】図柄群７の図柄の組合せ。
【図１２】図柄群８の図柄の組合せ。
【図１３】条件装置一覧表（その１）。
【図１４】条件装置一覧表（その２）。
【図１５】条件装置一覧表（その３）。
【図１６】条件装置一覧表（その４）。
【図１７】遊技状態別の条件装置の当選範囲テーブル。
【図１８】遊技状態遷移図。
【図１９】一遊技のゼネラルフローチャート。
【図２０】リール停止制御のフローチャート。
【図２１】停止ビットデータテーブル番号参照テーブル。
【図２２】停止ビットデータ群０のデータ構造図。
【図２３】停止ビットデータ群１のデータ構造図。
【図２４】停止ビットデータ群２のデータ構造図。
【図２５】停止ビットデータ群３のデータ構造図。
【図２６】停止ビットデータ群４のデータ構造図。
【図２７】停止ビットデータ群５のデータ構造図。
【図２８】停止ビットデータ群６のデータ構造図。
【図２９】停止ビットデータ群７のデータ構造図。
【図３０】停止ビットデータ群８のデータ構造図。
【図３１】停止ビットデータ群９のデータ構造図。
【図３２】停止ビットデータ群１０のデータ構造図。
【図３３】停止ビットデータ群１１のデータ構造図。
【図３４】停止ビットデータ群１２のデータ構造図。
【図３５】停止ビットデータ群１３のデータ構造図。
【図３６】停止ビットデータ群１４のデータ構造図。
【図３７】停止ビットデータ群１５のデータ構造図。
【図３８】停止ビットデータ群１６のデータ構造図。
【図３９】停止ビットデータ群１７のデータ構造図。
【図４０】停止ビットデータ群１８のデータ構造図。
【図４１】例  １；当選なしのハズレ時の１２３（左、中、右）停止例。
【図４２】例  ２；リプレイ１に当選時の１２３（左、中、右）停止例。
【図４３】例  ３；リプレイ２に当選時の２３１（中、右、左）停止例１。
【図４４】例  ４；リプレイ２に当選時の２３１（中、右、左）停止例２。
【図４５】例  ５；リプレイ２に当選時の２３１（中、右、左）停止例３。
【図４６】例  ６；リプレイ２に当選時の２１３（中、左、右）停止例。
【図４７】例  ７；リプレイ２に当選時の３２１（右、中、左）停止例。
【図４８】例  ８；リプレイ２に当選時の３１２（右、左、中）停止例。
【図４９】例  ９；リプレイ２に当選時の１２３（左、中、右）停止例。
【図５０】例１０；リプレイ２に当選時の１３２（左、右、中）停止例。
【図５１】例１１；リプレイ３に当選時の２３１（中、右、左）停止例１。
【図５２】例１２；リプレイ３に当選時の２３１（中、右、左）停止例２。
【図５３】例１３；リプレイ３に当選時の２３１（中、右、左）停止例３。
【図５４】例１４；リプレイ３に当選時の２１３（中、左、右）停止例。
【図５５】例１５；リプレイ３に当選時の３２１（右、中、左）停止例。
【図５６】例１６；リプレイ３に当選時の３１２（右、左、中）停止例。
【図５７】例１７；リプレイ３に当選時の１２３（左、中、右）停止例。
【図５８】例１８；リプレイ３に当選時の１３２（左、右、中）停止例。
【図５９】例１９；リプレイ４に当選時の２３１（中、右、左）停止例。
【図６０】例２０；リプレイ４に当選時の２１３（中、左、右）停止例。
【図６１】例２１；リプレイ４に当選時の３２１（右、中、左）停止例。
【図６２】例２２；リプレイ４に当選時の３１２（右、左、中）停止例。
【図６３】例２３；リプレイ４に当選時の１２３（左、中、右）停止例。
【図６４】例２４；リプレイ４に当選時の１３２（左、右、中）停止例。
【図６５】例２５；リプレイ５に当選時の２３１（中、右、左）停止例。
【図６６】例２６；リプレイ５に当選時の２１３（中、左、右）停止例。
【図６７】例２７；リプレイ５に当選時の３２１（右、中、左）停止例。
【図６８】例２８；リプレイ５に当選時の３１２（右、左、中）停止例。
【図６９】例２９；リプレイ５に当選時の１２３（左、中、右）停止例。
【図７０】例３０；リプレイ５に当選時の１３２（左、右、中）停止例。
【図７１】例３１；リプレイ６に当選時の２３１（中、右、左）停止例。
【図７２】例３２；リプレイ６に当選時の２１３（中、左、右）停止例。
【図７３】例３３；リプレイ６に当選時の３２１（右、中、左）停止例。
【図７４】例３４；リプレイ６に当選時の３１２（右、左、中）停止例。
【図７５】例３５；リプレイ７に当選時の２３１（中、右、左）停止例。
【図７６】例３６；リプレイ７に当選時の３２１（右、中、左）停止例。
【図７７】例３７；リプレイ８に当選時の３２１（右、中、左）停止例。
【図７８】例３８；  レアベルに当選時の１２３（左、中、右）停止例。
【図７９】例３９；２１３ベル１当選時の１２３（左、中、右）停止例。
【図８０】例４０；２１３ベル１当選時の２１３（中、左、右）停止例。
【図８１】例４１；２３１ベル１当選時の１２３（左、中、右）停止例。
【図８２】例４２；２３１ベル１当選時の２３１（中、右、左）停止例。
【図８３】例４３；３１２ベル１当選時の１２３（左、中、右）停止例。
【図８４】例４４；３１２ベル１当選時の３１２（右、左、中）停止例。
【図８５】例４５；３２１ベル１当選時の１２３（左、中、右）停止例。
【図８６】例４６；３２１ベル１当選時の３２１（右、中、左）停止例。
【図８７】例４７；  １枚ベルに当選時の１２３（左、中、右）停止例。
【図８８】例４８；弱スイカ  に当選時の１２３（左、中、右）停止例。
【図８９】例４９；強スイカ１に当選時の１２３（左、中、右）停止例。
【図９０】例５０；強スイカ２に当選時の１２３（左、中、右）停止例。
【図９１】例５１；  弱チェ  に当選時の１２３（左、中、右）停止例。
【図９２】例５２；  強チェ１に当選時の１２３（左、中、右）停止例１。
【図９３】例５３；  強チェ１に当選時の１２３（左、中、右）停止例２。
【図９４】例５４；  強チェ１に当選時の１２３（左、中、右）停止例３。
【図９５】例５５；  強チェ２に当選時の１２３（左、中、右）停止例１。
【図９６】例５６；  強チェ２に当選時の１２３（左、中、右）停止例２。
【図９７】例５７；  強チェ２に当選時の１２３（左、中、右）停止例３。
【図９８】例５８；中段チェ  に当選時の１２３（左、中、右）停止例。
【図９９】例５９；チャンス１当選時の１２３（左、中、右）停止例。
【図１００】例６０；チャンス２当選時の１２３（左、中、右）停止例。
【図１０１】例６１；チャンス３当選時の１２３（左、中、右）停止例。
【図１０２】例６２；チャンス４当選時の１２３（左、中、右）停止例。
【図１０３】例６３；チャンス５当選時の１２３（左、中、右）停止例。
【図１０４】例６４；  確定１に当選時の１２３（左、中、右）停止例。
【図１０５】例６５；  確定２に当選時の１２３（左、中、右）停止例。
【図１０６】例６６；ボーナスに当選時の１２３（左、中、右）停止例１。
【図１０７】例６７；ボーナスに当選時の１２３（左、中、右）停止例２。
【図１０８】例６８；ボーナスの作動中の１２３（左、中、右）停止例。
【発明を実施するための形態】
【００４４】
図１に、本発明を適用した回胴式遊技機を示す。遊技機筐体８Ｂは、箱形のリアキャビネット８Ｒ及びこれに対して片開き可能なドア状のフロントキャビネット８Ｆを備える。フロントキャビネット８Ｆには、遊技状態に応じて所定の電飾をさせる上表示器８１、左サイド表示器８２、右サイド表示器８３  左上アクセント表示器８４、左下アクセント表示器８５、右上アクセント表示器８６、右下アクセント表示器８７、下表示器８８、所定の背景ステージにキャラクター等の動画や所定のナビゲーション情報等をフルカラーで映し出す演出表示装置７を構成する液晶表示装置７０、リールパネル８、スイッチ類設置部８Ｓ、腰部パネル８Ｐ、ＢＧＭや各種効果音等を出音させる左上スピーカ９１、右上スピーカ９２、左下スピーカ９３、右下スピーカ９４、メダル排出口８Ｍ、メダル受皿８Ｇ、灰皿８Ｔを備える。なお、フロントキャビネット８Ｆに備える表示器８１〜８８を、キャビネット表示器という。
【００４５】
リールパネル８の透明な表示窓８０の内方には、複数の可変表示要素となる左リール１Ｌ、中リール１Ｃ、右リール１Ｒを具備し、それぞれのリール帯１０Ｌ，１０Ｃ，１０Ｒの外周に全部で２１個配した図柄のうち連続する３つの図柄を窓越しに臨ませている。各リール１Ｌ，１Ｃ，１Ｒの定常回転数（定速回転数）は一分間に約８０回転であり、各リール１Ｌ，１Ｃ，１Ｒは約７５０ｍｓで一回転する。通常の正転時、各図柄は上から下にスクロールし、図柄が一コマすなわち一図柄分移動するのに要する時間は約３５．７ｍｓである。なお、左リール１Ｌは第１回胴、中リール１Ｃは第２回胴、右リール１Ｒは第３回胴とも呼ばれる。
【００４６】
スイッチ類設置部８Ｓには、遊技媒体たる遊技メダルを投入するメダル投入口２、後述する遊技基本ランプ類３０、貯留装置の電磁的記録（以下、クレジットという）から一回の遊技に必要な規定数（通常は３枚、後述する隠れボーナスＭＢ中は２枚）の掛けメダルを引き落とすマックスベットボタン３、クレジットから１枚の掛けメダルを引き落とす１枚ベットボタン３１、クレジットに残る数の遊技メダルをメダル排出口８Ｍからメダル受皿８Ｇに払出す精算ボタン４、各リール１Ｌ，１Ｃ，１Ｒの可変表示（回転）を開始させるスタートスイッチとなるスタートレバー５、各リール１Ｌ，１Ｃ，１Ｒに対応して設け、対応するリールの可変表示（回転）を個別に停止させるストップスイッチとなる左ストップボタン６Ｌ、中ストップボタン６Ｃ、右ストップボタン６Ｒ、メダル投入口２でのメダル詰り時に押すメダル返却ボタン２０、ドアキー穴８Ｋを備える。なお、左ストップボタン６Ｌは第１停止ボタン、中ストップボタン６Ｃは第２停止ボタン、右ストップボタン６Ｒは第３停止ボタンとも呼ばれる。
【００４７】
図２に示すように、リールパネル８の表示窓８０には、有効ラインを表示する線画や模様、ライン電飾等は意図的に付していない。表示窓８０の窓越しに表示される複数列及び複数段の図柄表示位置、すなわち、左リール１Ｌ、中リール１Ｃ、右リール１Ｒの３列と、上段ラインｕＬ、中段ラインｍＬ、下段ラインｄＬの３段との合計３×３＝９個の図柄表示位置（左上ＬＵ、左中ＬＭ、左下ＬＤ、中上ＣＵ、中中ＣＭ、中下ＣＤ、右上ＲＵ、右中ＲＭ、右下ＲＤ）において、中段ラインｍＬ（左中ＬＭ−中中ＣＭ−右中ＲＭ）のみを有効ラインとしている。所謂１ライン機である。
【００４８】
もっとも、この中段ラインｍＬ（左中ＬＭ−中中ＣＭ−右中ＲＭ）に、右下りライン（左上ＬＵ−中中ＣＭ−右下ＲＤ）及び右上りライン（左下ＬＤ−中中ＣＭ−右上ＲＵ）を加えた３本を有効ラインとする３ライン機や、さらに、これらに上段ラインｕＬ（左上ＬＵ−中上ＣＵ−右上ＲＵ）及び下段ラインｄＬ（左下ＬＤ−中下ＣＤ−右下ＲＤ）を加えた５本を有効ラインとするノーマル５ライン機など、同一段又は一段違いで隣接する図柄表示位置どうしを１本の直線又は１本の折れ線で結ぶ図柄表示位置の組合せを、予め定める本数分について有効ラインとする各種ライン構成をもつものに本発明を適用してもよい。
【００４９】
表示窓８０中に予め定めた有効ラインである中段ラインｍＬ（左中ＬＭ−中中ＣＭ−右中ＲＭ）上に表示される図柄の組み合わせにより、入賞、再遊技、役物（役物連続作動装置を含む）の作動の有無を判定することとしている。尚、上段ラインｕＬのさらに上に少し次の図柄が見えているのは、上から下へ図柄がスクロールしてくるときに、遊技者が所望の図柄を所謂目押しにより表示窓８０中に停止させ易いよう配慮したためである。
【００５０】
遊技基本ランプ類３０は、現時のクレジットの数を数字で表示する７セグメントＬＥＤを組合せたクレジット表示器ＤＬ１、一回の入賞により遊技者が獲得できる遊技メダル枚数を数字で表示する７セグメントＬＥＤを組合せたペイアウト表示器ＤＬ２、掛けメダル枚数を数字で表示する７セグメントＬＥＤから成るベット表示器ＬＤ３、遊技メダルの受付けが可能なときに点灯するインサートランプＥＬ１、スタートレバー５の操作の受付けが可能なときに点灯するスタートランプＥＬ２、再遊技に係る図柄の組合せが表示されたときに点灯するリプレイランプＥＬ３を備える。
【００５１】
インサートランプＥＬ１の点灯時、掛けメダルが０の状態でメダル投入口２から遊技メダルを１枚投入するとベット表示器ＤＬ３が「１」となり、さらに１枚投入すると「２」となり、後記隠れボーナスＭＢ作動中の規定枚数となる。この隠れボーナスＭＢ作動中を除く遊技時は、さらに１枚投入すると「３」となり、通常の規定枚数に達する。規定枚数の掛けメダルが投入されたマックスベット状態になると、スタートランプＥＬ２が点灯し、スタートレバー５の操作が可能となる。このマックスベット状態からさらに遊技メダルをメダル投入口２から入れると、クレジット表示器ＤＬ１のカウンタを進め、所定の記録上限数である５０枚まで貯留可能となる。入賞により払出される遊技メダルも５０枚まではクレジットに加算され、５０枚を超えて払出される遊技メダルは、メダル排出口８Ｍからメダル受皿８Ｇに払出される。
【００５２】
リールパネル８上、Ｗ１，Ｗ２は、いわゆるＡＲＴ等の遊技者に有利な遊技状態となる場合に所定条件下で点灯させるチャンスランプである。ここに、ＡＲＴとは、リプレイ確率を通常値の１／７．３よりも高めたリプレイタイム（以下、ＲＴという）中に、演出表示装置７上にストップボタン６Ｌ，６Ｃ，６Ｒの押し順や狙うべき図柄を表示して内部抽選に係る図柄の組合せを表示させることを意図する演出を行うことで遊技者による停止操作をアシストするアシストタイム（以下、ＡＴという）が作動する状態をいう。
【００５３】
Ｗ３，Ｗ４，Ｗ５，Ｗ６は、所定条件下で点灯させてストップボタンの押し順を知らせるナビゲーションランプであり、Ｗ３は押し順が意味をもつ場合に点灯させるアテンションランプ、Ｗ４は左ストップボタン６Ｌを操作すべき示唆を与える順押しランプ、Ｗ５は中ストップボタン６Ｃを操作すべき示唆を与える中押しランプ、Ｗ６は右ストップボタン６Ｒを操作すべき示唆を与える逆押しランプである。なお、これらランプＷ１〜Ｗ６をまとめて遊技演出ランプ類といい、液晶表示装置７０と共に演出表示装置７を構成する。
【００５４】
図３に示すように、左リール１Ｌ、中リール１Ｃ、右リール１Ｒに各々対応する各リール帯１０Ｌ，１０Ｃ，１０Ｒの外周面には、全体的に紫色を基調とした「紫セブン１」及びこの中に星を付した「紫セブン２」、全体的に赤色を基調とした「赤セブン」、全体的に黒色を基調とした「黒バー」、切り口の部分は赤色・皮の部分は緑色を基調とした「スイカ１」及びこれに影を付した「スイカ２」、全体的に黄色を基調とした「ベル」、実の部分は赤色・葉の部分は緑色・茎の部分は茶色を基調とした「チェリー」、全体的に水色を基調とした「リプレイ１」及びこの中に星印を付した「リプレイ２」、の全１０種類の図柄を、図柄番号０，１〜２０に対応させ且つ独特の縦の並びに従って印刷等により描いている。
【００５５】
リール帯１０Ｌ，１０Ｃ，１０Ｒ自体は白色又は薄い単一色を基調としており、それぞれ、帯の上端と下端とは輪状に結ばれ、エンドレスに図柄をスクロールさせる。
【００５６】
図４に、遊技機筐体８Ｂの内部に組込む遊技機の制御装置ＣＮのブロック図を示す。この制御装置ＣＮは、遊技進行手段として機能する遊技の主制御を担う遊技機規則でいう「主基板」を構成する主制御装置ＭＣと、この主制御装置ＭＣから一方向性通信仕様にしたがって送信する情報を受信して、液晶表示装置７０を含む演出表示装置７の演出表示手段並びに遊技基本ランプ類３０を除く表示器及びランプ類の点灯手段及びスピーカ９１〜９４からの効果音等の出音手段として機能する周辺制御を担う遊技機規則でいう「周辺基板」を構成する周辺制御装置ＳＣとを備える。
【００５７】
主制御装置ＭＣは、メインＣＰＵ（ｃｅｎｔｒａｌ  ｐｒｏｃｅｓｓｉｎｇ  ｕｎｉｔ）、ＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）、データ送信回路ＤＡＴ、入力ポート及び出力ポートを具備する。メインＣＰＵは、システムクロックのタイミングに基づいて、ＲＯＭに格納したメインプログラムＰｇを、原則としてプログラムカウンタの進行方向に沿って順次読出し、読出されたプログラムに基づいて各種の処理を実行する。実施例のものは、ＲＯＭ／ＲＡＭ一体型のものを用いている。もっとも、ＲＯＭ／ＲＡＭ別体型を用いてもよい。
【００５８】
主制御装置ＭＣは、内部抽選を含む各種抽選処理を実行する処理、実行した抽選の結果をデータ送信回路ＤＡＴから一方通行的に周辺制御装置ＳＣに送信する処理、入賞及び再遊技並びに役物（役物連続作動装置を含む）を作動させる処理、回胴回転装置すなわち各リール１Ｌ，１Ｃ，１Ｒの発停を制御する処理、遊技メダルの投入及び払出処理等、遊技の結果に影響を及ぼし、又は及ぼすおそれがある処理を受け持つ。ＲＯＭには、これらの処理を実行するためのアセンブラ言語等で構築されたメインプログラムＰｇの制御領域、並びに、このメインプログラムＰｇで参照する各種テーブル等に定義したデータ領域が確保されている。
【００５９】
メインプログラムＰｇは、回胴式遊技機としての基本的な処理、すなわち、遊技媒体の投入下におけるスタートレバー５の操作による遊技開始操作に基づいて、後述する複数種類の条件装置の作動の可否を決定する内部抽選を実行し、かつ、各リール１Ｌ，１Ｃ，１Ｒの回転を開始させる遊技序盤処理から、ストップボタン６Ｌ，６Ｃ，６Ｒの操作に基づいて、所定の許容滑りコマ数すなわち最大４コマ滑りの範囲内で、対応するリール１Ｌ，１Ｃ，１Ｒの回転を各停止させ、有効ライン上に内部抽選で決定した作動に係る条件装置に対応した図柄の組合せの表示を許容して一回の遊技の結果を導出させ、内部抽選の結果に応じた特典を遊技者に付与する遊技終盤処理に至る一連の遊技進行処理を実行する。
【００６０】
メインＣＰＵからは、出力ポート及びＬＥＤドライバ回路Ｄｒ１を介して、各ストップボタン６Ｌ，６Ｃ，６Ｒによる停止操作の受付けが可能なときに点灯させる停止可能ランプ６１，６２，６３を制御している。また、出力ポート及びモータドライバ回路Ｄｒ２を介して、各リール１Ｌ，１Ｃ，１Ｒを回転及び停止させるステッピングモータ１２Ｌ，１２Ｃ，１２Ｒを制御している。各モータ１２Ｌ，１２Ｃ，１２Ｒは、例えば４００ステップで一回転し、一コマの図柄間隔は、リール帯１０Ｌ，１０Ｃ，１０Ｒのつなぎ目である図柄番号０と２０との間は２０ステップ、他は各々１９ステップである。さらに、出力ポート及びＬＥＤドライバ回路Ｄｒ３を介して、遊技基本ランプ類３０を制御している。
【００６１】
また、メインＣＰＵからは、出力ポート及びソレノイドドライバ回路Ｄｒ４を介して、規定枚数のマックスベット状態でスタートレバー５を操作した後にメダル投入口２から遊技メダルが追投入された場合にこれをメダル排出口８Ｍから排出するメダルブロッカー２２を制御していると共に、出力ポート及びホッパーモータドライバ回路Ｄｒ５を介して、メダル払出ホッパーから成るメダル払出装置ＨＰを作動させるメダル払出モータ２４の発停を制御している。
【００６２】
周辺制御装置ＳＣは、サブＣＰＵ、ＲＯＭ、ＲＡＭ、データ受信回路ＤＡＲ、入力ポート及び出力ポートを具備する。サブＣＰＵは、このサブＣＰＵ側のシステムクロック信号のタイミングに基づいてＲＯＭに格納した演出プログラムＱｇを読出し、読出されたプログラムに基づいてサブ側の遊技状態設定処理等をすると共に、データ送信回路ＤＡＴから送信されデータ受信回路ＤＡＲで受信する主制御装ＭＣで決定された指令（コマンド）を含む情報に基づいて受動的な演出上の制御を受け持つ。
【００６３】
周辺制御装置ＳＣが受信する情報には、主制御装置ＭＣで実行された内部抽選を含む各種抽選処理で決定される作動に係る条件装置を識別する内部当選フラグ等が含まれる。また、遊技メダルの投入完信号及び払出完信号、各リール１Ｌ，１Ｃ，１Ｒの始動信号及び各リール（各ストップボタン６Ｌ，６Ｃ，６Ｒ）毎の停止信号、図柄の組合せの表示判定処理による入賞及び再遊技並びに役物（役物連続作動装置を含む）の作動の有無情報並びに主制御装置ＭＣで管理する遊技状態の更新情報、エラー情報等、主制御装置ＭＣで生起され又は検出され、その生起時又は検出時に遅滞なく送信される各種情報が含まれる。
【００６４】
サブＣＰＵからは、出力ポート及びＬＥＤドライバ回路Ｄｒ６を介して、キャビネット表示器８１〜８８の各点灯を制御している。また、出力ポート及びＬＥＤドライバ回路Ｄｒ７を介して、表示窓８０に表示される各リール１Ｌ，１Ｃ，１Ｒの上段ラインｕＬ、中段ラインｍＬ、下段ラインｄＬの３つの図柄、合計９つの図柄を各リール帯１０Ｌ，１０Ｃ，１０Ｒの背面から照明するリールバックランプＢＬ１，ＢＬ２，ＢＬ３，ＢＬ４，ＢＬ５，ＢＬ６，ＢＬ７，ＢＬ８，ＢＬ９の点灯を個別に制御している。さらに、出力ポート及びＬＣＤドライバ回路Ｄｒ８を介して、液晶表示装置７０の表示を制御し、出力ポート及びＬＥＤドライバ回路Ｄｒ９を介して遊技演出ランプ類Ｗ１〜Ｗ６の点灯を制御し、出力ポート及びパワーアンプ回路Ｄｒ１０を介してスピーカ９１〜９４から出音する効果音等を制御している。
【００６５】
リールバックランプＢＬ１〜９は、有効ライン上に、入賞又は再遊技若しくは役物（役物連続作動装置を含む）が作動する図柄の組合せが表示された場合、その図柄の組合せが表示された有効ライン上の各図柄の背後に位置する特定のリールバックランプを点滅させたり、種々の点灯パターンに従って全てのリールバックランプを連携して点灯させたりすることが可能になっている。
【００６６】
主制御装置ＭＣのＲＯＭに格納するメインプログラムＰｇには、次の各手段をソフトウェアにより構築している。
【００６７】
Ａ）停止ビットデータ群記憶手段Ａ
該停止ビットデータ群記憶手段Ａは、各リール１Ｌ，１Ｃ，１Ｒに含まれる図柄のコマ数に相当する２１個の区分数０，１〜２０について、所定ビット以下具体的には少なくとも３種類以上の情報を記憶するための最低容量である２ビットにより特定する優先番号０（２進数表記で００Ｂ），１（２進数表記で０１Ｂ），２（２進数表記で１０Ｂ），３（２進数表記で１１Ｂ）を予め記憶した停止ビットデータを複数とおり定義している。すなわち、後述する停止ビットデータ群０〜１８中のテーブル番号１〜７３で区分する７３種類を定義している。各停止ビットデータは、メインプログラムＰｇのデータ領域に常時占有するデータとなる。
【００６８】
優先番号３（２進数表記で１１Ｂ）は、リール１Ｌ，１Ｃ，１Ｒの滑りコマ数を決定する際の後述する停止候補得点が特定傾向の値、具体的には最大値となる可能性が最も高い最上位番号である。優先番号０（２進数表記で００Ｂ）は、同停止候補得点が最大値となる可能性が最も低い最下位番号である。優先番号２（２進数表記で１０Ｂ）は、同停止候補得点が最大値となる可能性が最高でも最低でもない中間となる番号であって優先番号３に次ぐ第２位番号である。優先番号１（２進数表記で０１Ｂ）は、同停止候補得点が最大値となる可能性が最高でも最低でもない中間となる番号であって優先番号２に次ぐ第３位番号である。
【００６９】
停止ビットデータ群記憶手段Ａは、後述のとおり、メインプログラムＰｇのデータ領域において、１バイト（８ビット）を４分割した２ビット毎の分割領域に相互に異なる停止ビットデータの各優先番号を記憶している。また、プログラムカウンタの進行方向すなわちアドレスが増加する方向に、リール１Ｌ，１Ｃ，１Ｒの上から下に向けて図柄番号２０，１９，１８・・・１，０と並ぶ関係を上下に反転させて上から下に向けて図柄番号０，１，２・・・１９，２０と並ぶ関係とした反転図柄に対応させた各停止ビットデータの各優先番号を記憶している。
【００７０】
Ｂ）停止ビットデータ選択手段Ｂ
該停止ビットデータ選択手段Ｂは、内部抽選で決定した作動に係る条件装置に対応する停止制御番号、具体的には後述するように、作動に係る条件装置無しのハズレを含む０〜３０の３１種類と、各ストップボタン６Ｌ，６Ｃ，６Ｒを押す次の１．〜１５．の１５とおりの操作順序とに応じて、停止ビットデータ群記憶手段Ａから特定の停止ビットデータを選択する。後述する「停止制御番号毎の押し順に応じた停止ビットデータテーブル番号参照テーブル」を用いて特定のテーブル番号の停止ビットデータを選択する処理が該当し、この「参照テーブル」は、メインプログラムＰｇのデータ領域に常時占有するデータとなる。
【００７１】
１．第１番目が左リール（左リール１Ｌを１で表すと、１停止）。
２．第１番目が中リール（中リール１Ｃを２で表すと、２停止）。
３．第１番目が右リール（右リール１Ｒを３で表すと、３停止）。
４．第２番目が左リール停止操作後の中リール（１２停止）。
５．第２番目が左リール停止操作後の右リール（１３停止）。
６．第２番目が中リール停止操作後の左リール（２１停止）。
７．第２番目が中リール停止操作後の右リール（２３停止）。
８．第２番目が右リール停止操作後の左リール（３１停止）。
９．第２番目が右リール停止操作後の中リール（３２停止）。
１０．第３番目が左リール停止操作後の中リール停止操作後の右リール（１２３停止）。
１１．第３番目が左リール停止操作後の右リール停止操作後の中リール（１３２停止）。
１２．第３番目が中リール停止操作後の左リール停止操作後の右リール（２１３停止）。
１３．第３番目が中リール停止操作後の右リール停止操作後の左リール（２３１停止）。
１４．第３番目が右リール停止操作後の左リール停止操作後の中リール（３１２停止）。
１５．第３番目が右リール停止操作後の中リール停止操作後の左リール（３２１停止）。
【００７２】
Ｃ）引込み検索データ作成手段Ｃ
該引込み検索データ作成手段Ｃは、回転中にある各リール１Ｌ，１Ｃ，１Ｒの各図柄に対応させて、内部抽選で決定した作動に係る条件装置に対応した図柄が有効ラインに表示可能か否かを区別するための引込み検索データを作成する。引込み検索データは、内部抽選毎すなわち一遊技毎に、回転中にあるリールすなわち最初は全リール１Ｌ〜１Ｒ、第１停止以後は未停止リールについて作成される。この引込み検索データは、主制御装置ＭＣのＲＡＭ上で書き換えられるデータとなる。その書換領域は、一リール中の図柄数が２１、リールが３本のため６３バイト確保している。
【００７３】
この引込み検索データ作成手段Ｃは、内部抽選の後、第１番目のストップボタンの操作受付前すなわち各ストップボタン６Ｌ，６Ｃ，６Ｒの停止可能ランプ６１，６２，６３を点灯させる前に、作動に係る条件装置に基づいて新規に作成する新規作成手段Ｃ１と、第１番目のリールの停止位置決定後に、作動に係る条件装置と停止済となる図柄とに基づいて第１の改定をする第１改定手段Ｃ２と、第２番目のリールの停止位置決定後に、作動に係る条件装置と停止済となる図柄と非作動に係る条件装置とに基づいて最終の改定をする最終改定手段Ｃ３とを含む。
【００７４】
なお、ストップボタン６Ｌ，６Ｃ，６Ｒの２以上をほぼ同時に押したとしても、最初に受付けたボタン以外の停止操作は受付けない。ストップボタン６Ｌ，６Ｃ，６Ｒの受付間隔時間は、リール停止までの最大時間である１９０ｍｓよりも長い所定間隔時間である例えば２０４．０７ｍｓに定めており、１本のリールが停止してから改めて次のストップボタンの受付けが可能になる。また、第１改定手段Ｃ２や最終改定手段Ｃ３の作動開始時は、停止操作されたリールについて実際の滑りコマ数が決定され、停止済となる図柄が決まった後であれば、必ずしも現実にリールが停止状態になった後である必要もない。
【００７５】
引込み検索データ作成手段Ｃでは、後述のとおり、再遊技に係る条件装置の作動時、その再遊技に対応した図柄が有効ラインに表示可能であれば所定ビットである例えば１バイト中の最上位ビットに１を立てた第１引込みデータ（２進数表記で１０００００００Ｂ、１６進数表記で８０Ｈ）を記憶し、入賞に係る条件装置の作動時、その入賞に対応した図柄が有効ラインに表示可能であれば第１引込みデータと異なる例えば最上位より一つ下位のビットに１を立てた第２引込みデータ（２進数表記で０１００００００Ｂ、１６進数表記で４０Ｈ）を記憶し、役物等に係る条件装置の作動時、その役物等に対応した図柄が有効ラインに表示可能であれば第１及び第２引込みデータと異なる例えば最上位より二つ下位のビットに１を立てた第３引込みデータ（２進数表記で００１０００００Ｂ、１６進数表記で２０Ｈ）を記憶する。また、後述のとおり、ＭＢ内部当選中に再遊技に係る条件装置が作動すると、第３引込みデータ（２０Ｈ）に第１引込みデータ（８０Ｈ）を加算したＡ０Ｈを記憶し、ＭＢ内部当選中に入賞に係る条件装置が作動すると、第３引込みデータ（２０Ｈ）に第２引込みデータ（４０Ｈ）を加算した６０Ｈを記憶する。さらに、後述のとおり、再遊技、入賞、役物等の何れかの作動に係る条件装置に対応した図柄が有効ラインに表示可能でなければ、１０Ｈを記憶する。
【００７６】
Ｄ）停止候補得点算出手段Ｄ
該停止候補得点算出手段Ｄは、ストップボタン６Ｌ，６Ｃ，６Ｒの押圧操作を契機に、該ストップボタンの操作時点から許容滑りコマ数の範囲内にある検索対象の図柄、つまり、最大滑りコマ数が４なら、
ア）１コマ滑り未満の０コマ滑りで基準位置とする例えば下段ラインｄＬに即止め予定となる図柄、
イ）２コマ滑り未満の１コマ滑りで基準位置例の下段ラインｄＬに停止予定となる図柄、
ウ）３コマ滑り未満の２コマ滑りで基準位置例の下段ラインｄＬに停止予定となる図柄、
エ）４コマ滑り未満の３コマ滑りで基準位置例の下段ラインｄＬに停止予定となる図柄、
オ）５コマ滑り未満の４コマ滑りで基準位置例の下段ラインｄＬに停止予定となる図柄、
の合計５コマについて、引込み検索データと優先番号との加算による所定の演算により停止候補得点を算出する。なお、最大滑りコマ数が２なら、検索対象図柄は、ア）イ）の２コマとなる。
【００７７】
Ｅ）可変表示停止手段Ｅ
該可変表示停止手段Ｅは、停止候補得点算出手段Ｄで算出した停止候補得点が検索対象中予め定めた特定傾向の値、具体的には最大値となる図柄に基づいて、各ストップボタン６Ｌ，６Ｃ，６Ｒの操作時点からの実際の滑りコマ数を決定して対応するリール１Ｌ，１Ｃ，１Ｒを各停止させる。
【００７８】
Ｆ）優先順位変換手段Ｆ
該優先順位変換手段Ｆは、第１番目に停止操作されたリール１Ｌ又は１Ｃ若しくは１Ｒの実際の滑りコマ数を決定することとなった停止候補得点の算出に用いた優先番号が中間番号、すなわち、優先番号２（２進数表記で１０Ｂ）又は優先番号１（２進数表記で０１Ｂ）であったとき、第２番目以後の停止についてはその中間番号を新たな最上位番号として機能させる。
【００７９】
より具体的には、第１番目の停止について第２位番号たる優先番号２（２進数表記で１０Ｂ）で滑りコマ数を決定した場合、第２番目以後の停止については、停止ビットデータに記憶された優先番号２（２進数表記で１０Ｂ）を優先番号３（２進数表記で１１Ｂ）に１ランク格上げし、停止ビットデータに記憶された優先番号３（２進数表記で１１Ｂ）を優先番号２（２進数表記で１０Ｂ）に１ランク格下げする。
【００８０】
また、第１番目の停止について第３位番号たる優先番号１（２進数表記で０１Ｂ）で滑りコマ数を決定した場合、第２番目以後の停止については、停止ビットデータに記憶された優先番号１（２進数表記で０１Ｂ）を優先番号３（２進数表記で１１Ｂ）に２ランク格上げし、停止ビットデータに記憶された優先番号３（２進数表記で１１Ｂ）を優先番号２（２進数表記で１０Ｂ）に１ランク格下げすると共に、停止ビットデータに記憶された優先番号２（２進数表記で１０Ｂ）を優先番号１（２進数表記で０１Ｂ）に１ランク格下げする。
【００８１】
周辺制御装置ＳＣのＲＯＭに格納する演出プログラムＱｇには、次の各手段をソフトウェアにより構築している。
【００８２】
Ｇ）アシスト表示手段Ｇ
該アシスト表示手段Ｇは、次記アシスト作動判定手段ＨでのアシストタイムＡＴの作動許可時に、主制御装置ＭＣからの受信情報に基づいた「内部抽選で決定した作動に係る条件装置に対応したストップボタン６Ｌ，６Ｃ，６Ｒの押し順を含む操作情報」を、所定の遊技回数、例えば４０回の最低遊技回数以上について、演出表示装置７を構成する液晶表示装置７０に表示させると共に、演出表示装置７を構成する順押しランプＷ４、中押しランプＷ５、逆押しランプＷ６を適宜点灯させ、内部抽選に係る図柄の組合せを表示させることを意図する演出を行う。
【００８３】
Ｈ）アシスト作動判定手段Ｈ
該アシスト作動判定手段Ｈは、予め定めた条件具備により、本実施例では、前回のＡＴ終了時に周辺制御装置ＳＣで定義する天井遊技数抽選用乱数による抽選により数十回〜千数百回の間で定める天井遊技数に到達できるか、又は、主制御装置ＭＣでの内部当選確率が比較的低いスイカやチェリー、チャンス目等のレア小役の当選を契機に周辺制御装置ＳＣ上で移行させる１０ゲーム程度のエスケープゾーンと称する遊技期間内に周辺制御装置ＳＣで定義する転落抽選用乱数による抽選で当たることなくエスケープゾーンを完走できるか、何れかの条件具備により、アシスト表示手段Ｇの作動を許可する。
【００８４】
Ｊ）ペナルティ手段Ｊ
該ペナルティ手段Ｊは、アシスト作動判定手段Ｈでの作動許可の判定がなく、アシスト表示手段Ｇが非作動の時、予め定める課ペナルティ順序、本実施例では、「左、中、右」の順押し以外でストップボタン６Ｌ，６Ｃ，６Ｒが押され、このことが主制御装置ＭＣからの受信情報により判明した場合、遊技者に不利となる予め定めたペナルティを課す。そのペナルティは、一定期間（例えば１０ゲームの間等）、天井遊技数に対する遊技数の減算も、エスケープゾーンへの移行抽選もしないものとしている。これに代え、又は、これと併用し、アシスト表示手段Ｇが作動しても、押し順役のナビを一定期間例えば２０ゲームの間は出さないペナルティとしてもよい。
【００８５】
図５に、各条件装置と対応づける図柄の組合せ要素となり、有効ラインである中段ラインｍＬ（以下、有効ラインｍＬという）に表示させる図柄の組合せを構成する図柄群１（Ｆ１）を示す。
【００８６】
１−１）隠れボーナスＭＢ（Ｆ１ＭＢ）
本実施例では、「役物」として「第二種特別役物に係る役物連続作動装置」を構成する隠れボーナスＭＢを定義している。有効ラインｍＬに停止表示が許容される「左リール１Ｌの図柄」−「中リール１Ｃの図柄」−「右リール１Ｒの図柄」は、「紫セブン２」−「チェリー」−「紫セブン１」、この図柄の組合せを区別する番号（以下、図柄組番号という）は０１である。本実施例では、「普通役物」、「第一種特別役物」、「第一種特別役物に係る役物連続作動装置」、単なる「第二種特別役物」を定義していないが、これら何れか又は任意の組合せを定義するものに本発明を適用してもよい。隠れボーナスＭＢは、図柄群１のデータとして、Ｆ１ＭＢ＝０００００００１Ｂと定義している。
【００８７】
有効ラインｍＬに「紫セブン２」−「チェリー」−「紫セブン１」を表示させることができると、次遊技から内部抽選の結果にかかわらず入賞に係る条件装置を作動させ、所定獲得枚数例えば２８枚を超える遊技メダルを獲得できた遊技限りで終了する隠れボーナスＭＢ作動中の遊技状態となる特典が付与される。ただし、隠れボーナスＭＢ作動中は、毎遊技の掛けメダルは２枚、最大払出枚数も２枚に限定することとしており、実質的に遊技メダルの増減はない。
【００８８】
隠れボーナスＭＢの意義は、その内部当選があった当選遊技において「紫セブン２」−「チェリー」−「紫セブン１」の表示を回避し、隠れボーナスＭＢの当選フラグを次遊技以降に持ち越したＭＢ内部当選中の遊技状態とすることにある。すなわち、ＭＢ内部当選中は、リプレイ確率を通常の１／７．３から１／２．４に上昇させたリプレイタイムＲＴとし、該リプレイタイムＲＴ中にストップボタンの押し順等をナビするアシストタイムＡＴの作動を得てアシストリプレイタイムＡＲＴに移行可能としており、ＡＲＴへの移行を期待できる遊技状態をＭＢ内部当選中の遊技状態としているのである。
【００８９】
図柄群１には、隠れボーナスＭＢの他、「非役物」に属する「再遊技役」として、次の７種類を定義している。図柄組番号、有効ラインｍＬ上に停止表示が許容される「左リール１Ｌの図柄」−「中リール１Ｃの図柄」−「右リール１Ｒの図柄」の図柄の組合せ、この図柄の組合せが表示された場合に付与される特典等を列挙する。
【００９０】
１−２）紫７ダブル揃い１（Ｆ１ＲＰ０１）
図柄組番号は４４、図柄の組合せは「紫セブン１」−「紫セブン１又は紫セブン２」−「紫セブン１」、特典は再遊技である。この図柄の組合せは、特定の押し順に正解し且つこの場合は紫セブン１又は２という狙うべき図柄について適タイミングで停止操作できる目押しに成功した場合に表示される。この図柄の組合せは、ＡＲＴの移行時及び又は継続時、液晶表示装置７０上での華やかな表示や派手な効果音を伴わせながら、恰も第１種特別役物に係る役物連続作動装置が作動したかのような遊技感覚を遊技者に与える演出上の擬似スーパービッグボーナスＳＢＢに対応させており、押し順等をナビするＡＴの継続遊技回数を５０回等の所定回数について追加算する。図柄群１のデータとして、Ｆ１ＲＰ０１＝００００００１０Ｂと定義している。
【００９１】
１−３）紫７ダブル揃い２（Ｆ１ＲＰ０２）
図柄組番号は４５、図柄の組合せは「紫セブン２」−「紫セブン１又は紫セブン２」−「紫セブン２」、特典は再遊技である。この図柄の組合せも、特定の押し順に正解し且つ目押しに成功した場合に表示される。同様に擬似スーパービッグボーナスＳＢＢに対応させており、ＡＴの継続遊技回数を所定回数（５０回）について追加算する。図柄群１のデータとして、Ｆ１ＲＰ０２＝０００００１００Ｂと定義している。
【００９２】
１−４）紫７シングル揃い１（Ｆ１ＲＰ０３）
図柄組番号は４６、図柄の組合せは「紫セブン１」−「紫セブン１又は紫セブン２」−「紫セブン２」、特典は再遊技である。この図柄の組合せも、特定の押し順に正解し且つ目押しに成功した場合に表示される。この図柄の組合せは、擬似スーパービッグボーナスＳＢＢよりも若干利益が小さい擬似ビッグボーナスＢＢに対応させており、押し順等をナビするＡＴの継続遊技回数を、所定回数例えば４０回について追加算する。図柄群１のデータとして、Ｆ１ＲＰ０３＝００００１０００Ｂと定義している。
【００９３】
１−５）紫７シングル揃い２（Ｆ１ＲＰ０４）
図柄組番号は４７、図柄の組合せは「紫セブン２」−「紫セブン１又は紫セブン２」−「紫セブン１」、特典は再遊技である。この図柄の組合せも、特定の押し順に正解し且つ目押しに成功した場合に表示される。同様に擬似ビッグボーナスＢＢに対応させており、ＡＴの継続遊技回数を所定回数（４０回）について追加算する。図柄群１のデータとして、Ｆ１ＲＰ０４＝０００１００００Ｂと定義している。
【００９４】
１−６）右下がり紫７（Ｆ１ＲＰ０５）
図柄組番号は４８、図柄の組合せは「スイカ２」−「紫セブン１又は紫セブン２」−「紫セブン２」、特典は再遊技である。この図柄の組合せも、特定の押し順に正解し且つ目押しに成功した場合に表示可能となる。同様に擬似ビッグボーナスＢＢに対応させており、ＡＴの継続遊技回数を所定回数（４０回）について追加算する。左リール１Ｌについての「スイカ２」の上の「チェリー」を「紫セブン２」の代替図柄に含め、見かけ上、有効ラインｍＬでない右下がりラインに紫セブンが揃う停止パターンとなる。図柄群１のデータとして、Ｆ１ＲＰ０５＝００１０００００Ｂと定義している。
【００９５】
１−７）挟み打ち損じ（Ｆ１ＲＰ０６）
図柄組番号は４９、図柄の組合せは「紫セブン１又は紫セブン２」−「リプレイ１又はリプレイ２」−「紫セブン１又は紫セブン２」、特典は再遊技である。この図柄の組合せは、擬似スーパービッグボーナスＳＢＢや擬似ビッグボーナスＢＢに対応する図柄の停止を試みるも、中リール１Ｃを最後に止める挟み打ちが正解の押し順でないか又は中リール１Ｃの目押しに失敗した場合に表示される。図柄群１のデータとして、Ｆ１ＲＰ０６＝０１００００００Ｂと定義している。
【００９６】
１−８）逆・中押し損じ（Ｆ１ＲＰ０７）
図柄組番号は５０、図柄の組合せは「ベル」−「紫セブン１又は紫セブン２」−「紫セブン１又は紫セブン２」、特典は再遊技である。この図柄の組合せは、擬似スーパービッグボーナスＳＢＢや擬似ビッグボーナスＢＢに対応する図柄の停止を試みるも、左リール１Ｌを最後に止める逆押し若しくは中押しが正解の押し順でないか又は左リール１Ｌの目押しに失敗した場合に表示される。図柄群１のデータとして、Ｆ１ＲＰ０７＝１０００００００Ｂと定義している。
【００９７】
図６に、再遊技に係る条件装置と対応づける図柄の組合せ要素となり、有効ラインｍＬに表示させる図柄の組合せを構成する図柄群２（Ｆ２）を示す。図柄群２は、「非役物」に属する「再遊技役」として次の７種類を定義している。
【００９８】
２−１）逆押し損じ（Ｆ２ＲＰ０８）
図柄組番号は５１、図柄の組合せは「ベル」−「ベル」−「紫セブン１又は紫セブン２」、特典は再遊技である。この図柄の組合せは、擬似スーパービッグボーナスＳＢＢや擬似ビッグボーナスＢＢに対応する図柄の停止を試みるも、右リール１Ｒを最初に止める逆押しが正解の押し順でないか又は中リール１Ｃ及び左リール１Ｌの目押しに失敗した場合に表示される。図柄群２のデータとして、Ｆ２ＲＰ０８＝０００００００１Ｂと定義している。
【００９９】
２−２）赤７一直線又はテンパイ（Ｆ２ＲＰ０９）
図柄組番号は５２、図柄の組合せは「ベル又は赤セブン」−「赤セブン」−「ベル」、特典は再遊技である。この図柄の組合せは、右リール１Ｒの「ベル」の下の「赤セブン」を下段に位置させ、中リール１Ｃの中段の「赤セブン」とで右下がりラインに「赤セブン」を二つ揃えるか、又は、これに左リール１Ｌの「ベル」の上の「赤セブン」が上段に位置する場合を加えた右下がりラインに「赤セブン」を三つ揃えるというもので、付与される特典は再遊技のみであるが、停止パターンを豊富にする役割を担う。図柄群２のデータとして、Ｆ２ＲＰ０９＝００００００１０Ｂと定義している。
【０１００】
２−３）黒バー一直線（Ｆ２ＲＰ１０）
図柄組番号は５３、図柄の組合せは「黒バー」−「黒バー」−「黒バー」、特典は再遊技である。この図柄の組合せは、特定の押し順に正解し且つ目押しに成功した場合に表示される。この図柄の組合せは、擬似ビッグボーナスＢＢよりも利益が小さい演出上の擬似レギュラーボーナスＲＢに対応させており、押し順等をナビするＡＴの継続遊技回数を、所定回数例えば２５回について追加算する。図柄群２のデータとして、Ｆ２ＲＰ１０＝０００００１００Ｂと定義している。
【０１０１】
２−４）黒バー押し損じ（Ｆ２ＲＰ１１）
図柄組番号は５４、図柄の組合せは「赤セブン又はスイカ１又はスイカ２」−「黒バー」−「黒バー」、特典は再遊技である。この図柄の組合せは、擬似レギュラーボーナスＲＢに対応する「黒バー」図柄の停止を試みるも、左リール１Ｌを最後に止める押し順が正解でないか又は左リール１Ｌの目押しに失敗した場合に表示される。図柄群２のデータとして、Ｆ２ＲＰ１１＝００００１０００Ｂと定義している。
【０１０２】
２−５）中段リプレイ（Ｆ２ＲＰ１２）
図柄組番号は５５、図柄の組合せは「リプレイ１又はリプレイ２」−「リプレイ１又はリプレイ２」−「リプレイ１又はリプレイ２」、特典は再遊技である。有効ラインｍＬにリプレイ１又はリプレイ２が３つ並ぶ。図柄群２のデータとして、Ｆ２ＲＰ１２＝０００１００００Ｂと定義している。
【０１０３】
２−６）右下がりリプレイ（Ｆ２ＲＰ１３）
図柄組番号は５６、図柄の組合せは「紫セブン１又は赤セブン又は黒バー又はスイカ１」−「リプレイ１又はリプレイ２」−「黒バー又はスイカ１又はスイカ２又はチェリー」、特典は再遊技である。見かけ上、有効ラインｍＬでない右下がりラインにリプレイ１又はリプレイ２が３つ並ぶ。図柄群２のデータとして、Ｆ２ＲＰ１３＝００１０００００Ｂと定義している。
【０１０４】
２−７）右上がりリプレイ（Ｆ２ＲＰ１４）
図柄組番号は５７、図柄の組合せは「ベル」−「リプレイ１又はリプレイ２」−「ベル」、特典は再遊技である。見かけ上、有効ラインｍＬでない右上がりラインにリプレイ１又はリプレイ２が３つ並ぶ。図柄群２のデータとして、Ｆ２ＲＰ１４＝０１００００００Ｂと定義している。
【０１０５】
図７に、入賞に係る条件装置と対応づける図柄の組合せ要素となり、有効ラインｍＬに表示させる図柄の組合せを構成する図柄群３（Ｆ３）を示す。図柄群３は、「非役物」に属する「入賞役」として次の６種類を定義している。
【０１０６】
３−１）中段ベル（Ｆ３ＦＲ０１）
図柄組番号は０２、図柄の組合せは「ベル」−「ベル」−「ベル」、特典は、隠れボーナスＭＢ作動中は２枚、隠れボーナスＭＢ作動中以外は９枚の遊技メダルを払出す。有効ラインｍＬにベルが３つ並ぶ。図柄群３のデータとして、Ｆ３ＦＲ０１＝０００００００１Ｂと定義している。
【０１０７】
３−２）下段ベル（Ｆ３ＦＲ０２）
図柄組番号は２１、図柄の組合せは「赤セブン又はスイカ１又はスイカ２」−「リプレイｌ又はリプレイ２又はチェリー」−「リプレイｌ又はリプレイ２」、特典は、隠れボーナスＭＢ作動中は２枚、隠れボーナスＭＢ作動中以外は４枚の遊技メダルを払出す。見かけ上、有効ラインｍＬでない下段ラインにベルが３つ並ぶ。図柄群３のデータとして、Ｆ３ＦＲ０２＝００００００１０Ｂと定義している。
【０１０８】
３−３）中段スイカ（Ｆ３ＦＲ０３）
図柄組番号は２２、図柄の組合せは「スイカ１又はスイカ２」−「スイカ１又はスイカ２」−「スイカ１又はスイカ２」、特典は、隠れボーナスＭＢ作動中は２枚、隠れボーナスＭＢ作動中以外は４枚の遊技メダルを払出す。有効ラインｍＬにスイカ１又はスイカ２が３つ並ぶ。図柄群３のデータとして、Ｆ３ＦＲ０３＝０００００１００Ｂと定義している。
【０１０９】
３−４）上段スイカ（Ｆ３ＦＲ０４）
図柄組番号は２３、図柄の組合せは「ベル」−「赤セブン又はリプレイ１」−「黒バー又はリプレイ１」、特典は、隠れボーナスＭＢ作動中は２枚、隠れボーナスＭＢ作動中以外は４枚の遊技メダルを払出す。見かけ上、有効ラインｍＬでない上段ラインに、左リール１Ｌの赤セブンをスイカ代替図柄に含めてスイカ１又はスイカ２が３つ並ぶ。図柄群３のデータとして、Ｆ３ＦＲ０４＝００００１０００Ｂと定義している。
【０１１０】
３−５）右下がりスイカ（Ｆ３ＦＲ０５）
図柄組番号は２４、図柄の組合せは「ベル」−「スイカ１又はスイカ２」−「紫セブン１又は赤セブン又は黒バー又はベル又はリプレイ１」、特典は、隠れボーナスＭＢ作動中は２枚、隠れボーナスＭＢ作動中以外は４枚の遊技メダルを払出す。見かけ上、有効ラインｍＬでない右下がりラインに、左リール１Ｌの赤セブンをスイカ代替図柄に含めてスイカ１又はスイカ２が３つ並ぶか、見かけ上、有効ラインｍＬでない左上段−中中段−右上段に、スイカ１又はスイカ２がＶ字形に並ぶ。図柄群３のデータとして、Ｆ３ＦＲ０５＝０００１００００Ｂと定義している。
【０１１１】
３−６）右上がりスイカ（Ｆ３ＦＲ０６）
図柄組番号は２５、図柄の組合せは「リプレイ１」−「スイカ１又はスイカ２」−「黒バー又はリプレイ１」、特典は、隠れボーナスＭＢ作動中は２枚、隠れボーナスＭＢ作動中以外は４枚の遊技メダルを払出す。見かけ上、有効ラインｍＬでない右上がりラインにスイカ１又はスイカ２が３つ並ぶ。図柄群３のデータとして、Ｆ３ＦＲ０６＝００１０００００Ｂと定義している。
【０１１２】
図８に、入賞に係る条件装置と対応づける図柄の組合せ要素となり、有効ラインｍＬに表示させる図柄の組合せを構成する図柄群４（Ｆ４）を示す。図柄群４は、「非役物」に属する「入賞役」として次の８種類を定義している。これら８種類のものは、何れも、特定の押し順に正解したときに有効ラインｍＬにベルを３つ並べて９枚（隠れボーナスＭＢ作動中以外の払出数）の遊技メダルを払出す押し順ベル役に係る条件装置の構成要素に用いられる。特定の押し順に正解できなかったとき、何れも、見かけ上、有効ラインｍＬでない上段ラインにベルが３つ並ぶ。また、特典は、何れも、隠れボーナスＭＢ作動中は２枚、隠れボーナスＭＢ作動中以外は１枚の遊技メダルを払出す。
【０１１３】
４−１）上段ベル１（Ｆ４ＦＲ０７）
図柄組番号は０３、図柄の組合せは「リプレイ１又はリプレイ２」−「紫セブンｌ又は紫セブン２」−「紫セブン２」、図柄群４のデータとして、Ｆ４ＦＲ０７＝０００００００１Ｂと定義している。
【０１１４】
４−２）上段ベル２（Ｆ４ＦＲ０８）
図柄組番号は０４、図柄の組合せは「リプレイ１又はリプレイ２」−「紫セブンｌ又は紫セブン２」−「赤セブン又はチェリー」、図柄群４のデータとして、Ｆ４ＦＲ０８＝００００００１０Ｂと定義している。
【０１１５】
４−３）上段ベル３（Ｆ４ＦＲ０９）
図柄組番号は０５、図柄の組合せは「リプレイ１又はリプレイ２」−「紫セブンｌ又は紫セブン２」−「スイカ１」、図柄群４のデータとして、Ｆ４ＦＲ０９＝０００００１００Ｂと定義している。
【０１１６】
４−４）上段ベル４（Ｆ４ＦＲ１０）
図柄組番号は０６、図柄の組合せは「リプレイ１又はリプレイ２」−「黒バー」−「紫セブン２」、図柄群４のデータとして、Ｆ４ＦＲ１０＝００００１０００Ｂと定義している。
【０１１７】
４−５）上段ベル５（Ｆ４ＦＲ１１）
図柄組番号は０７、図柄の組合せは「リプレイ１又はリプレイ２」−「黒バー」−「赤セブン又はチェリー」、図柄群４のデータとして、Ｆ４ＦＲ１１＝０００１００００Ｂと定義している。
【０１１８】
４−６）上段ベル６（Ｆ４ＦＲ１２）
図柄組番号は０８、図柄の組合せは「リプレイ１又はリプレイ２」−「黒バー」−「スイカ１」、図柄群４のデータとして、Ｆ４ＦＲ１２＝００１０００００Ｂと定義している。
【０１１９】
４−７）上段ベル７（Ｆ４ＦＲ１３）
図柄組番号は０９、図柄の組合せは「リプレイ１又はリプレイ２」−「スイカ１」−「紫セブン２」、図柄群４のデータとして、Ｆ４ＦＲ１３＝０１００００００Ｂと定義している。
【０１２０】
４−８）上段ベル８（Ｆ４ＦＲ１４）
図柄組番号は１０、図柄の組合せは「リプレイ１又はリプレイ２」−「スイカ１」−「赤セブン又はチェリー」、図柄群４のデータとして、Ｆ４ＦＲ１４＝１０００００００Ｂと定義している。
【０１２１】
図９に、入賞に係る条件装置と対応づける図柄の組合せ要素となり、有効ラインｍＬに表示させる図柄の組合せを構成する図柄群５（Ｆ５）を示す。図柄群５は、「非役物」に属する「入賞役」として次の８種類を定義している。これら８種類のものは、何れも、特定の押し順に正解したときに有効ラインｍＬにベルを３つ並べて９枚（隠れボーナスＭＢ作動中以外の払出数）の遊技メダルを払出す押し順ベル役に係る条件装置の構成要素に用いられる。また、特典は、何れも、隠れボーナスＭＢ作動中は２枚、隠れボーナスＭＢ作動中以外は１枚の遊技メダルを払出す。
【０１２２】
５−１）上段ベル９（Ｆ５ＦＲ１５）
図柄組番号は１１、図柄の組合せは「リプレイ１又はリプレイ２」−「スイカ１」−「スイカ１」、押し順ベル役の特定の押し順に正解できなかったとき、見かけ上、有効ラインｍＬでない上段ラインにベルが３つ並ぶ。図柄群５のデータとして、Ｆ５ＦＲ１５＝０００００００１Ｂと定義している。
【０１２３】
５−２）右上がりベル１（Ｆ５ＦＲ１６）
図柄組番号は１２、図柄の組合せは「紫セブン１又は黒バー」−「ベル」−「紫セブン２又はスイカ１」、押し順ベル役の特定の押し順に正解できなかったとき、見かけ上、有効ラインｍＬでない右上がりラインにベルが２つ並ぶ。図柄群５のデータとして、Ｆ５ＦＲ１６＝００００００１０Ｂと定義している。
【０１２４】
５−３）右上がりベル２（Ｆ５ＦＲ１７）
図柄組番号は１３、図柄の組合せは「紫セブン１又は黒バー」−「ベル」−「赤セブン又はチェリー」、押し順ベル役の特定の押し順に正解できなかったとき、見かけ上、有効ラインｍＬでない右上がりラインにベルが２つ並ぶ。図柄群５のデータとして、Ｆ５ＦＲ１７＝０００００１００Ｂと定義している。
【０１２５】
５−４）右上がりベル３（Ｆ５ＦＲ１８）
図柄組番号は１４、図柄の組合せは「赤セブン又はスイカ１」−「ベル」−「紫セブン２又はスイカ１」、押し順ベル役の特定の押し順に正解できなかったとき、見かけ上、有効ラインｍＬでない右上がりラインにベルが２つ又は３つ並ぶ。図柄群５のデータとして、Ｆ５ＦＲ１８＝００００１０００Ｂと定義している。
【０１２６】
５−５）右上がりベル４（Ｆ５ＦＲ１９）
図柄組番号は１５、図柄の組合せは「赤セブン又はスイカ１」−「ベル」−「赤セブン又はチェリー」、押し順ベル役の特定の押し順に正解できなかったとき、見かけ上、有効ラインｍＬでない右上がりラインにベルが２つ又は３つ並ぶ。図柄群５のデータとして、Ｆ５ＦＲ１９＝０００１００００Ｂと定義している。
【０１２７】
５−６）ベルばらけ目１（Ｆ５ＦＲ２０）
図柄組番号は１６、図柄の組合せは「紫セブン１又は黒バー」−「紫セブン１又は紫セブン２」−「ベル」、押し順ベル役の特定の押し順に正解できなかったとき、表示窓中にベルが２つ又は３つ分散するバラケ目となる。図柄群５のデータとして、Ｆ５ＦＲ２０＝００１０００００Ｂと定義している。
【０１２８】
５−７）ベルばらけ目２（Ｆ５ＦＲ２１）
図柄組番号は１７、図柄の組合せは「紫セブン１又は黒バー」−「黒バー又はスイカ１」−「ベル」、押し順ベル役の特定の押し順に正解できなかったとき、表示窓中にベルが２つ又は３つ分散するバラケ目となる。図柄群５のデータとして、Ｆ５ＦＲ２１＝０１００００００Ｂと定義している。
【０１２９】
５−８）ベルばらけ目３（Ｆ５ＦＲ２２）
図柄組番号は１８、図柄の組合せは「赤セブン又はスイカ１」−「紫セブン１又は紫セブン２」−「ベル」、押し順ベル役の特定の押し順に正解できなかったとき、表示窓中にベルが２つ又は３つ分散するバラケ目となる。図柄群５のデータとして、Ｆ５ＦＲ２２＝１０００００００Ｂと定義している。
【０１３０】
図１０に、入賞に係る条件装置と対応づける図柄の組合せ要素となり、有効ラインｍＬに表示させる図柄の組合せを構成する図柄群６（Ｆ６）を示す。図柄群６は、「非役物」に属する「入賞役」として次の８種類を定義している。特典は、何れも、隠れボーナスＭＢ作動中は２枚、隠れボーナスＭＢ作動中以外は１枚の遊技メダルを払出す。
【０１３１】
６−１）ベルばらけ目４（Ｆ６ＦＲ２３）
図柄組番号は１９、図柄の組合せは「赤セブン又はスイカ１」−「黒バー又はスイカ１」−「ベル」、特定の押し順に正解したときに有効ラインｍＬにベルを３つ並べて９枚（隠れボーナスＭＢ中以外の払出数）の遊技メダルを払出す押し順ベル役に係る条件装置の構成要素に用いられ、押し順ベル役の特定の押し順に正解できなかったとき、表示窓中にベルが２つ又は３つ分散するバラケ目となる。図柄群６のデータとして、Ｆ６ＦＲ２３＝０００００００１Ｂと定義している。
【０１３２】
６−２）右下がりベル（Ｆ６ＦＲ２４）
図柄組番号は２０、図柄の組合せは「リプレイ１又はリプレイ２」−「ベル」−「リプレイ１又はリプレイ２」、押し順ベル役の特定の押し順に正解できなかったとき、見かけ上、有効ラインｍＬでない右下がりラインにベルが３つ並ぶ。図柄群６のデータとして、Ｆ６ＦＲ２４＝００００００１０Ｂと定義している。
【０１３３】
６−３）中段チェリー（Ｆ６ＦＲ２５）
図柄組番号は２６、図柄の組合せは「チェリー」−「赤セブン」−「黒バー」、左リール１Ｌの中段にチェリーが位置する。図柄群６のデータとして、Ｆ６ＦＲ２５＝０００００１００Ｂと定義している。
【０１３４】
６−４）弱チェリー（Ｆ６ＦＲ２６）
図柄組番号は２７、図柄の組合せは「黒バー」−「スイカ２又はチェリー」−「ベル」、左リール１Ｌの下段にチェリーが位置する。図柄群６のデータとして、Ｆ６ＦＲ２６＝００００１０００Ｂと定義している。
【０１３５】
６−５）強チェリー１（Ｆ６ＦＲ２７）
図柄組番号は２８、図柄の組合せは「黒バー」−「紫セブン２又はスイカ１又はスイカ２又はチェリー」−「黒バー又はリプレイ１又はリプレイ２」、左リール１Ｌの下段にチェリーが位置する。図柄群６のデータとして、Ｆ６ＦＲ２７＝０００１００００Ｂと定義している。
【０１３６】
６−６）強チェリー２（Ｆ６ＦＲ２８）
図柄組番号は２９、図柄の組合せは「黒バー」−「紫セブン１又は紫セブン２又は赤セブン又は黒バー又はスイカ１又はスイカ２又はチェリー」−「紫セブン２又はスイカ１」、左リール１Ｌの下段にチェリーが位置する。図柄群６のデータとして、Ｆ６ＦＲ２８＝００１０００００Ｂと定義している。
【０１３７】
６−７）強チェリー３（Ｆ６ＦＲ２９）
図柄組番号は３０、図柄の組合せは「黒バー」−「紫セブン１又は紫セブン２又は赤セブン又は黒バー又はスイカ１」−「スイカ２」、左リール１Ｌの下段にチェリーが位置する。図柄群６のデータとして、Ｆ６ＦＲ２９＝０１００００００Ｂと定義している。
【０１３８】
６−８）強チェリー４（Ｆ６ＦＲ３０）
図柄組番号は３１、図柄の組合せは「黒バー」−「スイカ２」−「スイカ２」、左リール１Ｌの下段にチェリーが位置する。図柄群６のデータとして、Ｆ６ＦＲ３０＝１０００００００Ｂと定義している。
【０１３９】
図１１に、入賞に係る条件装置と対応づける図柄の組合せ要素となり、有効ラインｍＬに表示させる図柄の組合せを構成する図柄群７（Ｆ７）を示す。図柄群７は、「非役物」に属する「入賞役」として次の８種類を定義している。特典は、何れも、隠れボーナスＭＢ作動中は２枚、隠れボーナスＭＢ作動中以外は１枚の遊技メダルを払出す。
【０１４０】
７−１）強チェリー５（Ｆ７ＦＲ３１）
図柄組番号は３２、図柄の組合せは「黒バー」−「赤セブン」−「ベル」、左リール１Ｌの下段にチェリーが位置する。図柄群７のデータとして、Ｆ７ＦＲ３１＝０００００００１Ｂと定義している。
【０１４１】
７−２）下段チェリー（Ｆ７ＦＲ３２）
図柄組番号は３３、図柄の組合せは「スイカ１」−「紫セブン１又は紫セブン２又は黒バー又はスイカ１」−「リプレイ１又はリプレイ２」、左リール１Ｌの下段にチェリーが位置する。図柄群７のデータとして、Ｆ７ＦＲ３２＝００００００１０Ｂと定義している。
【０１４２】
７−３）上段チェリー（Ｆ７ＦＲ３３）
図柄組番号は３４、図柄の組合せは「スイカ２」−「紫セブン１又は紫セブン２又は黒バー又はスイカ１」−「ベル又はリプレイ１又はリプレイ２」、左リール１Ｌの紫セブン２をチェリー代替図柄に含め、上段にチェリーが位置する。図柄群７のデータとして、Ｆ７ＦＲ３３＝０００００１００Ｂと定義している。
【０１４３】
７−４）チャンス目１（Ｆ７ＦＲ３４）
図柄組番号は３５、図柄の組合せは「ベル」−「紫セブン１」−「黒バー」、エスケープゾーンの移行に期待を持たせる特殊出目の一つである。図柄群７のデータとして、Ｆ７ＦＲ３４＝００００１０００Ｂと定義している。
【０１４４】
７−５）チャンス目２（Ｆ７ＦＲ３５）
図柄組番号は３６、図柄の組合せは「紫セブン２」−「ベル」−「ベル」、エスケープゾーンの移行に期待を持たせる特殊出目の一つである。図柄群７のデータとして、Ｆ７ＦＲ３５＝０００１００００Ｂと定義している。
【０１４５】
７−６）チャンス目３（Ｆ７ＦＲ３６）
図柄組番号は３７、図柄の組合せは「ベル」−「赤セブン又はリプレイ１」−「スイカ１又はスイカ２」、エスケープゾーンの移行に期待を持たせる特殊出目の一つである。図柄群７のデータとして、Ｆ７ＦＲ３６＝００１０００００Ｂと定義している。
【０１４６】
７−７）チャンス目４（Ｆ７ＦＲ３７）
図柄組番号は３８、図柄の組合せは「リプレイ２」−「赤セブン」−「リプレイ１又はリプレイ２」、エスケープゾーンの移行に期待を持たせる特殊出目の一つである。図柄群７のデータとして、Ｆ７ＦＲ３７＝０１００００００Ｂと定義している。
【０１４７】
７−８）チャンス目５（Ｆ７ＦＲ３８）
図柄組番号は３９、図柄の組合せは「リプレイ２」−「リプレイ２」−「黒バー」、エスケープゾーンの移行に期待を持たせる特殊出目の一つである。図柄群７のデータとして、Ｆ７ＦＲ３８＝１０００００００Ｂと定義している。
【０１４８】
図１２に、入賞に係る条件装置と対応づける図柄の組合せ要素となり、有効ラインｍＬに表示させる図柄の組合せを構成する図柄群８（Ｆ８）を示す。図柄群８は、「非役物」に属する「入賞役」として次の４種類を定義している。特典は、何れも、隠れボーナスＭＢ作動中は２枚、隠れボーナスＭＢ作動中以外は１枚の遊技メダルを払出す。
【０１４９】
８−１）チェリー取りこぼし（Ｆ８ＦＲ３９）
図柄組番号は４０、図柄の組合せは「紫セブン１又は赤セブン又はスイカ１」−「チェリー」−「ベル」、左リール１Ｌにチェリーを停止できないときに表示され得る。図柄群８のデータとして、Ｆ８ＦＲ３９＝０００００００１Ｂと定義している。
【０１５０】
８−２）熱目１（Ｆ８ＦＲ４０）
図柄組番号は４１、図柄の組合せは「紫セブン１又は黒バー」−「リプレイ１又はリプレイ２」−「リプレイ１又はリプレイ２」、エスケープゾーンの移行が確定する特殊出目の一つである。図柄群８のデータとして、Ｆ８ＦＲ４０＝００００００１０Ｂと定義している。
【０１５１】
８−３）熱目２（Ｆ８ＦＲ４１）
図柄組番号は４２、図柄の組合せは「ベル」−「リプレイ１」−「リプレイ２」、エスケープゾーンの移行が確定する特殊出目の一つである。図柄群８のデータとして、Ｆ８ＦＲ４１＝０００００１００Ｂと定義している。
【０１５２】
８−４）熱目３（Ｆ８ＦＲ４２）
図柄組番号は４３、図柄の組合せは「ベル」−「リプレイ２」−「リプレイ１又はリプレイ２」、エスケープゾーンの移行が確定する特殊出目の一つである。図柄群８のデータとして、Ｆ８ＦＲ４２＝００００１０００Ｂと定義している。
【０１５３】
図１３，１４，１５，１６に、ハズレを含む全条件装置の一覧を示す。
条件装置番号０のハズレは、停止許可となる図柄組番号はなく、上記全部で５７種類の図柄組番号の何れの図柄の組合せも表示されず、専ら、これら以外のハズレ目が表示される。このハズレ目を表示させるリール１Ｌ，１Ｃ，１Ｒの停止制御は、停止ビットデータテーブル番号の選択と密接に関連する停止制御番号中、０番により行う。また、条件装置番号０のハズレは、図柄群１〜図柄群８（Ｆ１〜Ｆ８）とは別に定義する１バイトデータＦ０ＭＩＳＳ＝００００００００Ｂ（オール０の１バイトデータ）により区別している。
【０１５４】
条件装置番号１のリプレイ１は、停止許可となる図柄組番号は５５又は５６又は５７、リール１Ｌ，１Ｃ，１Ｒの停止制御は停止制御番号１番により行う。再遊技に係る条件装置は図柄群１と図柄群２の２バイトで停止許可フラグデータを定義しており、すなわち、リプレイ１では、
図柄郡１については、オール０の、００００００００Ｂ（００Ｈ）、
図柄郡２については、
図柄組番号５５のＦ２ＲＰ１２＝０００１００００Ｂと、
図柄組番号５６のＦ２ＲＰ１３＝００１０００００Ｂと、
図柄組番号５７のＦ２ＲＰ１４＝０１００００００Ｂと
を、オア（ｏｒ；論理和）した、０１１１００００Ｂ（７０Ｈ）であり、
これら００００００００Ｂ，０１１１００００Ｂ（００Ｈ，７０Ｈ）の２バイトでリプレイ１の停止許可フラグデータを定義している。
【０１５５】
条件装置番号２のリプレイ２は、停止許可となる図柄組番号は４５又は４９又は５０又は５１又は５５又は５６又は５７、リール１Ｌ，１Ｃ，１Ｒの停止制御は停止制御番号２番により行う。再遊技に係る条件装置の一つであるリプレイ２では、
図柄郡１については、
図柄組番号４５のＦ１ＲＰ０２＝０００００１００Ｂと、
図柄組番号４９のＦ１ＲＰ０６＝０１００００００Ｂと、
図柄組番号５０のＦ１ＲＰ０７＝１０００００００Ｂと
を、オア（ｏｒ；論理和）した、１１０００１００Ｂ（Ｃ４Ｈ）、
図柄郡２については、
図柄組番号５１のＦ２ＲＰ０８＝０００００００１Ｂと、
図柄組番号５５のＦ２ＲＰ１２＝０００１００００Ｂと、
図柄組番号５６のＦ２ＲＰ１３＝００１０００００Ｂと、
図柄組番号５７のＦ２ＲＰ１４＝０１００００００Ｂと
を、オア（ｏｒ；論理和）した、０１１１０００１Ｂ（７１Ｈ）であり、
これら１１０００１００Ｂ，０１１１０００１Ｂ（Ｃ４Ｈ，７１Ｈ）の２バイトでリプレイ２の停止許可フラグデータを定義している。
【０１５６】
条件装置番号３のリプレイ３は、停止許可となる図柄組番号は４４又は４９又は５０又は５１又は５５又は５６又は５７、リール１Ｌ，１Ｃ，１Ｒの停止制御は停止制御番号３番により行う。再遊技に係る条件装置の一つであるリプレイ３では、
図柄郡１については、
図柄組番号４４のＦ１ＲＰ０１＝００００００１０Ｂと、
図柄組番号４９のＦ１ＲＰ０６＝０１００００００Ｂと、
図柄組番号５０のＦ１ＲＰ０７＝１０００００００Ｂと
を、オア（ｏｒ；論理和）した、１１００００１０Ｂ（Ｃ２Ｈ）、
図柄郡２については、
図柄組番号５１のＦ２ＲＰ０８＝０００００００１Ｂと、
図柄組番号５５のＦ２ＲＰ１２＝０００１００００Ｂと、
図柄組番号５６のＦ２ＲＰ１３＝００１０００００Ｂと、
図柄組番号５７のＦ２ＲＰ１４＝０１００００００Ｂと
を、オア（ｏｒ；論理和）した、０１１１０００１Ｂ（７１Ｈ）であり、
これら１１００００１０Ｂ，０１１１０００１Ｂ（Ｃ２Ｈ，７１Ｈ）の２バイトでリプレイ３の停止許可フラグデータを定義している。
【０１５７】
条件装置番号４のリプレイ４は、停止許可となる図柄組番号は４６又は４７又は４８又は４９又は５０又は５１又は５３又は５５又は５６又は５７、リール１Ｌ，１Ｃ，１Ｒの停止制御は停止制御番号４番により行う。再遊技に係る条件装置の一つであるリプレイ４では、
図柄郡１については、
図柄組番号４６のＦ１ＲＰ０３＝００００１０００Ｂと、
図柄組番号４７のＦ１ＲＰ０４＝０００１００００Ｂと、
図柄組番号４８のＦ１ＲＰ０５＝００１０００００Ｂと、
図柄組番号４９のＦ１ＲＰ０６＝０１００００００Ｂと、
図柄組番号５０のＦ１ＲＰ０７＝１０００００００Ｂと
を、オア（ｏｒ；論理和）した、１１１１１０００Ｂ（Ｆ８Ｈ）、
図柄郡２については、
図柄組番号５１のＦ２ＲＰ０８＝０００００００１Ｂと、
図柄組番号５３のＦ２ＲＰ１０＝０００００１００Ｂと、
図柄組番号５５のＦ２ＲＰ１２＝０００１００００Ｂと、
図柄組番号５６のＦ２ＲＰ１３＝００１０００００Ｂと、
図柄組番号５７のＦ２ＲＰ１４＝０１００００００Ｂと
を、オア（ｏｒ；論理和）した、０１１１０１０１Ｂ（７５Ｈ）であり、
これら１１１１１０００Ｂ，０１１１０１０１Ｂ（Ｆ８Ｈ，７５Ｈ）の２バイトでリプレイ４の停止許可フラグデータを定義している。
【０１５８】
条件装置番号５のリプレイ５は、停止許可となる図柄組番号は４６又は４７又は４８又は４９又は５０又は５１又は５５又は５６又は５７、リール１Ｌ，１Ｃ，１Ｒの停止制御は停止制御番号５番により行う。再遊技に係る条件装置の一つであるリプレイ５では、
図柄郡１については、
図柄組番号４６のＦ１ＲＰ０３＝００００１０００Ｂと、
図柄組番号４７のＦ１ＲＰ０４＝０００１００００Ｂと、
図柄組番号４８のＦ１ＲＰ０５＝００１０００００Ｂと、
図柄組番号４９のＦ１ＲＰ０６＝０１００００００Ｂと、
図柄組番号５０のＦ１ＲＰ０７＝１０００００００Ｂと
を、オア（ｏｒ；論理和）した、１１１１１０００Ｂ（Ｆ８Ｈ）、
図柄郡２については、
図柄組番号５１のＦ２ＲＰ０８＝０００００００１Ｂと、
図柄組番号５５のＦ２ＲＰ１２＝０００１００００Ｂと、
図柄組番号５６のＦ２ＲＰ１３＝００１０００００Ｂと、
図柄組番号５７のＦ２ＲＰ１４＝０１００００００Ｂと
を、オア（ｏｒ；論理和）した、０１１１０００１Ｂ（７１Ｈ）であり、
これら１１１１１０００Ｂ，０１１１０００１Ｂ（Ｆ８Ｈ，７１Ｈ）の２バイトでリプレイ５の停止許可フラグデータを定義している。
【０１５９】
条件装置番号６のリプレイ６は、停止許可となる図柄組番号は５３又は５４又は５５又は５６又は５７、リール１Ｌ，１Ｃ，１Ｒの停止制御は停止制御番号６番により行う。再遊技に係る条件装置の一つであるリプレイ６では、
図柄郡１については、オール０の、００００００００Ｂ（００Ｈ）、
図柄郡２については、
図柄組番号５３のＦ２ＲＰ１０＝０００００１００Ｂと、
図柄組番号５４のＦ２ＲＰ１１＝００００１０００Ｂと、
図柄組番号５５のＦ２ＲＰ１２＝０００１００００Ｂと、
図柄組番号５６のＦ２ＲＰ１３＝００１０００００Ｂと、
図柄組番号５７のＦ２ＲＰ１４＝０１００００００Ｂと
を、オア（ｏｒ；論理和）した、０１１１１１００Ｂ（７ＣＨ）であり、
これら００００００００Ｂ，０１１１１１００Ｂ（００Ｈ，７ＣＨ）の２バイトでリプレイ６の停止許可フラグデータを定義している。
【０１６０】
条件装置番号７のリプレイ７は、停止許可となる図柄組番号は５２又は５３又は５５又は５６又は５７、リール１Ｌ，１Ｃ，１Ｒの停止制御は停止制御番号７番により行う。再遊技に係る条件装置の一つであるリプレイ７では、
図柄郡１については、オール０の、００００００００Ｂ（００Ｈ）、
図柄郡２については、
図柄組番号５２のＦ２ＲＰ０９＝００００００１０Ｂと、
図柄組番号５３のＦ２ＲＰ１０＝０００００１００Ｂと、
図柄組番号５５のＦ２ＲＰ１２＝０００１００００Ｂと、
図柄組番号５６のＦ２ＲＰ１３＝００１０００００Ｂと、
図柄組番号５７のＦ２ＲＰ１４＝０１００００００Ｂと
を、オア（ｏｒ；論理和）した、０１１１０１１０Ｂ（７６Ｈ）であり、
これら００００００００Ｂ，０１１１０１１０Ｂ（００Ｈ，７６Ｈ）の２バイトでリプレイ７の停止許可フラグデータを定義している。
【０１６１】
条件装置番号８のリプレイ８は、停止許可となる図柄組番号は５２又は５５又は５６又は５７、リール１Ｌ，１Ｃ，１Ｒの停止制御は停止制御番号８番により行う。再遊技に係る条件装置の一つであるリプレイ８では、
図柄郡１については、オール０の、００００００００Ｂ（００Ｈ）、
図柄郡２については、
図柄組番号５２のＦ２ＲＰ０９＝００００００１０Ｂと、
図柄組番号５５のＦ２ＲＰ１２＝０００１００００Ｂと、
図柄組番号５６のＦ２ＲＰ１３＝００１０００００Ｂと、
図柄組番号５７のＦ２ＲＰ１４＝０１００００００Ｂと
を、オア（ｏｒ；論理和）した、０１１１００１０Ｂ（７２Ｈ）であり、
これら００００００００Ｂ，０１１１００１０Ｂ（００Ｈ，７２Ｈ）の２バイトでリプレイ８の停止許可フラグデータを定義している。
【０１６２】
条件装置番号９のレアベルは、停止許可となる図柄組番号は０２、リール１Ｌ，１Ｃ，１Ｒの停止制御は停止制御番号９番により行う。ベルに関連する入賞役に係る条件装置は図柄群３〜６の４バイトで停止許可フラグデータを定義しており、レアベルでは、
図柄郡３については、
図柄組番号０２のＦ３ＦＲ０１＝０００００００１Ｂ（０１Ｈ）、
図柄郡４については、オール０の、００００００００Ｂ（００Ｈ）、
図柄郡５については、オール０の、００００００００Ｂ（００Ｈ）、
図柄郡６については、オール０の、００００００００Ｂ（００Ｈ）であり、
これら０００００００１Ｂ，００００００００Ｂ，００００００００Ｂ，００００００００Ｂ（０１Ｈ，００Ｈ，００Ｈ，００Ｈ）の４バイトでレアベルの停止許可フラグデータを定義している。
【０１６３】
条件装置番号１０の２１３ベル１は、停止許可となる図柄組番号は０２又は０４又は１４又は１５、リール１Ｌ，１Ｃ，１Ｒの停止制御は停止制御番号１０番により行う。ここに、２１３ベル１（次記以下の２１３ベル２〜８も同じ）は、押し順ベル役に係り、第１番目に中ストップボタン６Ｃを押して中リール１Ｃ（第２回胴）を止め、第２番目に左ストップボタン６Ｌを押して左リール１Ｌ（第１回胴）を止め、第３番目に右ストップボタン６Ｒを押して右リール１Ｒ（第３回胴）を止める、中（第２回胴）、左（第１回胴）、右（第３回胴）の順番が正解の押し順となり、この押し順に正解したときに有効ラインｍＬにベルを３つ並べて９枚（隠れボーナスＭＢ中以外の払出数）の遊技メダルを払出す。このベルに関連する入賞役に係る条件装置の一つである２１３ベル１では、
図柄郡３については、
図柄組番号０２のＦ３ＦＲ０１＝０００００００１Ｂ（０１Ｈ）、
図柄郡４ついては、
図柄組番号０４のＦ４ＦＲ０８＝００００００１０Ｂ（０２Ｈ）、
図柄郡５については、
図柄組番号１４のＦ５ＦＲ１８＝００００１０００Ｂと、
図柄組番号１５のＦ５ＦＲ１９＝０００１００００Ｂと
を、オア（ｏｒ；論理和）した、０００１１０００Ｂ（１８Ｈ）、
図柄郡６については、オール０の、００００００００Ｂ（００Ｈ）であり、
これら０００００００１Ｂ，００００００１０Ｂ，０００１１０００Ｂ，００００００００Ｂ（０１Ｈ，０２Ｈ，１８Ｈ，００Ｈ）の４バイトで２１３ベル１の停止許可フラグデータを定義している。
【０１６４】
条件装置番号１１の２１３ベル２は、停止許可となる図柄組番号は０２又は０３又は０５又は１４又は１５、リール１Ｌ，１Ｃ，１Ｒの停止制御は２１３ベル１と共通の停止制御番号１０番により行う。このベルに関連する入賞役に係る条件装置の一つである２１３ベル２では、
図柄郡３については、
図柄組番号０２のＦ３ＦＲ０１＝０００００００１Ｂ（０１Ｈ）、
図柄郡４ついては、
図柄組番号０３のＦ４ＦＲ０７＝０００００００１Ｂと、
図柄組番号０５のＦ４ＦＲ０９＝０００００１００Ｂと
を、オア（ｏｒ；論理和）した、０００００１０１Ｂ（０５Ｈ）、
図柄郡５については、
図柄組番号１４のＦ５ＦＲ１８＝００００１０００Ｂと、
図柄組番号１５のＦ５ＦＲ１９＝０００１００００Ｂと
を、オア（ｏｒ；論理和）した、０００１１０００Ｂ（１８Ｈ）、
図柄郡６については、オール０の、００００００００Ｂ（００Ｈ）であり、
これら０００００００１Ｂ，０００００１０１Ｂ，０００１１０００Ｂ，００００００００Ｂ（０１Ｈ，０５Ｈ，１８Ｈ，００Ｈ）の４バイトで２１３ベル２の停止許可フラグデータを定義している。
【０１６５】
条件装置番号１２の２１３ベル３は、停止許可となる図柄組番号は０２又は０７又は１０又は１４又は１５、リール１Ｌ，１Ｃ，１Ｒの停止制御は２１３ベル１と共通の停止制御番号１０番により行う。このベルに関連する入賞役に係る条件装置の一つである２１３ベル３では、
図柄郡３については、
図柄組番号０２のＦ３ＦＲ０１＝０００００００１Ｂ（０１Ｈ）、
図柄郡４ついては、
図柄組番号０７のＦ４ＦＲ１１＝０００１００００Ｂと、
図柄組番号１０のＦ４ＦＲ１４＝１０００００００Ｂと
を、オア（ｏｒ；論理和）した、１００１００００Ｂ（９０Ｈ）、
図柄郡５については、
図柄組番号１４のＦ５ＦＲ１８＝００００１０００Ｂと、
図柄組番号１５のＦ５ＦＲ１９＝０００１００００Ｂと
を、オア（ｏｒ；論理和）した、０００１１０００Ｂ（１８Ｈ）、
図柄郡６については、オール０の、００００００００Ｂ（００Ｈ）であり、
これら０００００００１Ｂ，１００１００００Ｂ，０００１１０００Ｂ，００００００００Ｂ（０１Ｈ，９０Ｈ，１８Ｈ，００Ｈ）の４バイトで２１３ベル３の停止許可フラグデータを定義している。
【０１６６】
条件装置番号１３の２１３ベル４は、停止許可となる図柄組番号は０２又は０６又は０８又は０９又は１１又は１４又は１５、リール１Ｌ，１Ｃ，１Ｒの停止制御は２１３ベル１と共通の停止制御番号１０番により行う。このベルに関連する入賞役に係る条件装置の一つである２１３ベル４では、
図柄郡３については、
図柄組番号０２のＦ３ＦＲ０１＝０００００００１Ｂ（０１Ｈ）、
図柄郡４ついては、
図柄組番号０６のＦ４ＦＲ１０＝００００１０００Ｂと、
図柄組番号０８のＦ４ＦＲ１２＝００１０００００Ｂと、
図柄組番号０９のＦ４ＦＲ１３＝０１００００００Ｂと
を、オア（ｏｒ；論理和）した、０１１０１０００Ｂ（６８Ｈ）、
図柄郡５については、
図柄組番号１１のＦ５ＦＲ１５＝０００００００１Ｂと、
図柄組番号１４のＦ５ＦＲ１８＝００００１０００Ｂと、
図柄組番号１５のＦ５ＦＲ１９＝０００１００００Ｂと
を、オア（ｏｒ；論理和）した、０００１１００１Ｂ（１９Ｈ）、
図柄郡６については、オール０の、００００００００Ｂ（００Ｈ）であり、
これら０００００００１Ｂ，０１１０１０００Ｂ，０００１１００１Ｂ，００００００００Ｂ（０１Ｈ，６８Ｈ，１９Ｈ，００Ｈ）の４バイトで２１３ベル４の停止許可フラグデータを定義している。
【０１６７】
条件装置番号１４の２１３ベル５は、停止許可となる図柄組番号は０２又は０４又は１２又は１３、リール１Ｌ，１Ｃ，１Ｒの停止制御は２１３ベル１と共通の停止制御番号１０番により行う。このベルに関連する入賞役に係る条件装置の一つである２１３ベル５では、
図柄郡３については、
図柄組番号０２のＦ３ＦＲ０１＝０００００００１Ｂ（０１Ｈ）、
図柄郡４ついては、
図柄組番号０４のＦ４ＦＲ０８＝００００００１０Ｂ（０２Ｈ）、
図柄郡５については、
図柄組番号１２のＦ５ＦＲ１６＝００００００１０Ｂと、
図柄組番号１３のＦ５ＦＲ１７＝０００００１００Ｂと
を、オア（ｏｒ；論理和）した、０００００１１０Ｂ（０６Ｈ）、
図柄郡６については、オール０の、００００００００Ｂ（００Ｈ）であり、
これら０００００００１Ｂ，００００００１０Ｂ，０００００１１０Ｂ，００００００００Ｂ（０１Ｈ，０２Ｈ，０６Ｈ，００Ｈ）の４バイトで２１３ベル５の停止許可フラグデータを定義している。
【０１６８】
条件装置番号１５の２１３ベル６は、停止許可となる図柄組番号は０２又は０３又は０５又は１２又は１３、リール１Ｌ，１Ｃ，１Ｒの停止制御は２１３ベル１と共通の停止制御番号１０番により行う。このベルに関連する入賞役に係る条件装置の一つである２１３ベル６では、
図柄郡３については、
図柄組番号０２のＦ３ＦＲ０１＝０００００００１Ｂ（０１Ｈ）、
図柄郡４ついては、
図柄組番号０３のＦ４ＦＲ０７＝０００００００１Ｂと、
図柄組番号０５のＦ４ＦＲ０９＝０００００１００Ｂと
を、オア（ｏｒ；論理和）した、０００００１０１Ｂ（０５Ｈ）、
図柄郡５については、
図柄組番号１２のＦ５ＦＲ１６＝００００００１０Ｂと、
図柄組番号１３のＦ５ＦＲ１７＝０００００１００Ｂと
を、オア（ｏｒ；論理和）した、０００００１１０Ｂ（０６Ｈ）、
図柄郡６については、オール０の、００００００００Ｂ（００Ｈ）であり、
これら０００００００１Ｂ，０００００１０１Ｂ，０００００１１０Ｂ，００００００００Ｂ（０１Ｈ，０５Ｈ，０６Ｈ，００Ｈ）の４バイトで２１３ベル６の停止許可フラグデータを定義している。
【０１６９】
条件装置番号１６の２１３ベル７は、停止許可となる図柄組番号は０２又は０７又は１０又は１２又は１３、リール１Ｌ，１Ｃ，１Ｒの停止制御は２１３ベル１と共通の停止制御番号１０番により行う。このベルに関連する入賞役に係る条件装置の一つである２１３ベル７では、
図柄郡３については、
図柄組番号０２のＦ３ＦＲ０１＝０００００００１Ｂ（０１Ｈ）、
図柄郡４ついては、
図柄組番号０７のＦ４ＦＲ１１＝０００１００００Ｂと、
図柄組番号１０のＦ４ＦＲ１４＝１０００００００Ｂと
を、オア（ｏｒ；論理和）した、１００１００００Ｂ（９０Ｈ）、
図柄郡５については、
図柄組番号１２のＦ５ＦＲ１６＝００００００１０Ｂと、
図柄組番号１３のＦ５ＦＲ１７＝０００００１００Ｂと
を、オア（ｏｒ；論理和）した、０００００１１０Ｂ（０６Ｈ）、
図柄郡６については、オール０の、００００００００Ｂ（００Ｈ）であり、
これら０００００００１Ｂ，１００１００００Ｂ，０００００１１０Ｂ，００００００００Ｂ（０１Ｈ，９０Ｈ，０６Ｈ，００Ｈ）の４バイトで２１３ベル７の停止許可フラグデータを定義している。
【０１７０】
条件装置番号１７の２１３ベル８は、停止許可となる図柄組番号は０２又は０６又は０８又は０９又は１１又は１２又は１３、リール１Ｌ，１Ｃ，１Ｒの停止制御は２１３ベル１と共通の停止制御番号１０番により行う。このベルに関連する入賞役に係る条件装置の一つである２１３ベル８では、
図柄郡３については、
図柄組番号０２のＦ３ＦＲ０１＝０００００００１Ｂ（０１Ｈ）、
図柄郡４ついては、
図柄組番号０６のＦ４ＦＲ１０＝００００１０００Ｂと、
図柄組番号０８のＦ４ＦＲ１２＝００１０００００Ｂと、
図柄組番号０９のＦ４ＦＲ１３＝０１００００００Ｂと
を、オア（ｏｒ；論理和）した、０１１０１０００Ｂ（６８Ｈ）、
図柄郡５については、
図柄組番号１１のＦ５ＦＲ１５＝０００００００１Ｂと、
図柄組番号１２のＦ５ＦＲ１６＝００００００１０Ｂと、
図柄組番号１３のＦ５ＦＲ１７＝０００００１００Ｂと
を、オア（ｏｒ；論理和）した、０００００１１１Ｂ（０７Ｈ）、
図柄郡６については、オール０の、００００００００Ｂ（００Ｈ）であり、
これら０００００００１Ｂ，０１１０１０００Ｂ，０００００１１１Ｂ，００００００００Ｂ（０１Ｈ，６８Ｈ，０７Ｈ，００Ｈ）の４バイトで２１３ベル８の停止許可フラグデータを定義している。
【０１７１】
条件装置番号１８の２３１ベル１は、停止許可となる図柄組番号は０２又は０４又は１２又は１５、リール１Ｌ，１Ｃ，１Ｒの停止制御は停止制御番号１１番により行う。ここに、２３１ベル１（次記以下の２３１ベル２〜１４も同じ）は、押し順ベル役に係り、第１番目に中ストップボタン６Ｃを押して中リール１Ｃ（第２回胴）を止め、第２番目に右ストップボタン６Ｒを押して右リール１Ｒ（第３回胴）を止め、第３番目に左ストップボタン６Ｌを押して左リール１Ｌ（第１回胴）を止める、中（第２回胴）、右（第３回胴）、左（第１回胴）の順番が正解の押し順となり、この押し順に正解したときに有効ラインｍＬにベルを３つ並べて９枚（隠れボーナスＭＢ中以外の払出数）の遊技メダルを払出す。このベルに関連する入賞役に係る条件装置の一つである２３１ベル１では、
図柄郡３については、
図柄組番号０２のＦ３ＦＲ０１＝０００００００１Ｂ（０１Ｈ）、
図柄郡４ついては、
図柄組番号０４のＦ４ＦＲ０８＝００００００１０Ｂ（０２Ｈ）、
図柄郡５については、
図柄組番号１２のＦ５ＦＲ１６＝００００００１０Ｂと、
図柄組番号１５のＦ５ＦＲ１９＝０００１００００Ｂと
を、オア（ｏｒ；論理和）した、０００１００１０Ｂ（１２Ｈ）、
図柄郡６については、オール０の、００００００００Ｂ（００Ｈ）であり、
これら０００００００１Ｂ，００００００１０Ｂ，０００１００１０Ｂ，００００００００Ｂ（０１Ｈ，０２Ｈ，１２Ｈ，００Ｈ）の４バイトで２３１ベル１の停止許可フラグデータを定義している。
【０１７２】
条件装置番号１９の２３１ベル２は、停止許可となる図柄組番号は０２又は０３又は１２又は１５、リール１Ｌ，１Ｃ，１Ｒの停止制御は２３１ベル１と共通の停止制御番号１１番により行う。このベルに関連する入賞役に係る条件装置の一つである２３１ベル２では、
図柄郡３については、
図柄組番号０２のＦ３ＦＲ０１＝０００００００１Ｂ（０１Ｈ）、
図柄郡４ついては、
図柄組番号０３のＦ４ＦＲ０７＝０００００００１Ｂ（０１Ｈ）、
図柄郡５については、
図柄組番号１２のＦ５ＦＲ１６＝００００００１０Ｂと、
図柄組番号１５のＦ５ＦＲ１９＝０００１００００Ｂと
を、オア（ｏｒ；論理和）した、０００１００１０Ｂ（１２Ｈ）、
図柄郡６については、オール０の、００００００００Ｂ（００Ｈ）であり、
これら０００００００１Ｂ，０００００００１Ｂ，０００１００１０Ｂ，００００００００Ｂ（０１Ｈ，０１Ｈ，１２Ｈ，００Ｈ）の４バイトで２３１ベル２の停止許可フラグデータを定義している。
【０１７３】
条件装置番号２０の２３１ベル３は、停止許可となる図柄組番号は０２又は０５又は１２又は１５、リール１Ｌ，１Ｃ，１Ｒの停止制御は２３１ベル１と共通の停止制御番号１１番により行う。このベルに関連する入賞役に係る条件装置の一つである２３１ベル３では、
図柄郡３については、
図柄組番号０２のＦ３ＦＲ０１＝０００００００１Ｂ（０１Ｈ）、
図柄郡４ついては、
図柄組番号０５のＦ４ＦＲ０９＝０００００１００Ｂ（０４Ｈ）、
図柄郡５については、
図柄組番号１２のＦ５ＦＲ１６＝００００００１０Ｂと、
図柄組番号１５のＦ５ＦＲ１９＝０００１００００Ｂと
を、オア（ｏｒ；論理和）した、０００１００１０Ｂ（１２Ｈ）、
図柄郡６については、オール０の、００００００００Ｂ（００Ｈ）であり、
これら０００００００１Ｂ，０００００１００Ｂ，０００１００１０Ｂ，００００００００Ｂ（０１Ｈ，０４Ｈ，１２Ｈ，００Ｈ）の４バイトで２３１ベル３の停止許可フラグデータを定義している。
【０１７４】
条件装置番号２１の２３１ベル４は、停止許可となる図柄組番号は０２又は０７又は１２又は１５、リール１Ｌ，１Ｃ，１Ｒの停止制御は２３１ベル１と共通の停止制御番号１１番により行う。このベルに関連する入賞役に係る条件装置の一つである２３１ベル４では、
図柄郡３については、
図柄組番号０２のＦ３ＦＲ０１＝０００００００１Ｂ（０１Ｈ）、
図柄郡４ついては、
図柄組番号０７のＦ４ＦＲ１１＝０００１００００Ｂ（１０Ｈ）、
図柄郡５については、
図柄組番号１２のＦ５ＦＲ１６＝００００００１０Ｂと、
図柄組番号１５のＦ５ＦＲ１９＝０００１００００Ｂと
を、オア（ｏｒ；論理和）した、０００１００１０Ｂ（１２Ｈ）、
図柄郡６については、オール０の、００００００００Ｂ（００Ｈ）であり、
これら０００００００１Ｂ，０００１００００Ｂ，０００１００１０Ｂ，００００００００Ｂ（０１Ｈ，１０Ｈ，１２Ｈ，００Ｈ）の４バイトで２３１ベル４の停止許可フラグデータを定義している。
【０１７５】
条件装置番号２２の２３１ベル５は、停止許可となる図柄組番号は０２又は０６又は０８又は１２又は１５、リール１Ｌ，１Ｃ，１Ｒの停止制御は２３１ベル１と共通の停止制御番号１１番により行う。このベルに関連する入賞役に係る条件装置の一つである２３１ベル５では、
図柄郡３については、
図柄組番号０２のＦ３ＦＲ０１＝０００００００１Ｂ（０１Ｈ）、
図柄郡４ついては、
図柄組番号０６のＦ４ＦＲ１０＝００００１０００Ｂと、
図柄組番号０８のＦ４ＦＲ１２＝００１０００００Ｂと
を、オア（ｏｒ；論理和）した、００１０１０００Ｂ（２８Ｈ）、
図柄郡５については、
図柄組番号１２のＦ５ＦＲ１６＝００００００１０Ｂと、
図柄組番号１５のＦ５ＦＲ１９＝０００１００００Ｂと
を、オア（ｏｒ；論理和）した、０００１００１０Ｂ（１２Ｈ）、
図柄郡６については、オール０の、００００００００Ｂ（００Ｈ）であり、
これら０００００００１Ｂ，００１０１０００Ｂ，０００１００１０Ｂ，００００００００Ｂ（０１Ｈ，２８Ｈ，１２Ｈ，００Ｈ）の４バイトで２３１ベル５の停止許可フラグデータを定義している。
【０１７６】
条件装置番号２３の２３１ベル６は、停止許可となる図柄組番号は０２又は１０又は１２又は１５、リール１Ｌ，１Ｃ，１Ｒの停止制御は２３１ベル１と共通の停止制御番号１１番により行う。このベルに関連する入賞役に係る条件装置の一つである２３１ベル６では、
図柄郡３については、
図柄組番号０２のＦ３ＦＲ０１＝０００００００１Ｂ（０１Ｈ）、
図柄郡４ついては、
図柄組番号１０のＦ４ＦＲ１４＝１０００００００Ｂ（８０Ｈ）、
図柄郡５については、
図柄組番号１２のＦ５ＦＲ１６＝００００００１０Ｂと、
図柄組番号１５のＦ５ＦＲ１９＝０００１００００Ｂと
を、オア（ｏｒ；論理和）した、０００１００１０Ｂ（１２Ｈ）、
図柄郡６については、オール０の、００００００００Ｂ（００Ｈ）であり、
これら０００００００１Ｂ，１０００００００Ｂ，０００１００１０Ｂ，００００００００Ｂ（０１Ｈ，８０Ｈ，１２Ｈ，００Ｈ）の４バイトで２３１ベル６の停止許可フラグデータを定義している。
【０１７７】
条件装置番号２４の２３１ベル７は、停止許可となる図柄組番号は０２又は０９又は１１又は１２又は１５、リール１Ｌ，１Ｃ，１Ｒの停止制御は２３１ベル１と共通の停止制御番号１１番により行う。このベルに関連する入賞役に係る条件装置の一つである２３１ベル７では、
図柄郡３については、
図柄組番号０２のＦ３ＦＲ０１＝０００００００１Ｂ（０１Ｈ）、
図柄郡４ついては、
図柄組番号０９のＦ４ＦＲ１３＝０１００００００Ｂ（４０Ｈ）、
図柄郡５については、
図柄組番号１１のＦ５ＦＲ１５＝０００００００１Ｂと、
図柄組番号１２のＦ５ＦＲ１６＝００００００１０Ｂと、
図柄組番号１５のＦ５ＦＲ１９＝０００１００００Ｂと
を、オア（ｏｒ；論理和）した、０００１００１１Ｂ（１３Ｈ）、
図柄郡６については、オール０の、００００００００Ｂ（００Ｈ）であり、
これら０００００００１Ｂ，０１００００００Ｂ，０００１００１１Ｂ，００００００００Ｂ（０１Ｈ，４０Ｈ，１３Ｈ，００Ｈ）の４バイトで２３１ベル７の停止許可フラグデータを定義している。
【０１７８】
条件装置番号２５の２３１ベル８は、停止許可となる図柄組番号は０２又は０４又は１３又は１４、リール１Ｌ，１Ｃ，１Ｒの停止制御は２３１ベル１と共通の停止制御番号１１番により行う。このベルに関連する入賞役に係る条件装置の一つである２３１ベル８では、
図柄郡３については、
図柄組番号０２のＦ３ＦＲ０１＝０００００００１Ｂ（０１Ｈ）、
図柄郡４ついては、
図柄組番号０４のＦ４ＦＲ０８＝００００００１０Ｂ（０２Ｈ）、
図柄郡５については、
図柄組番号１３のＦ５ＦＲ１７＝０００００１００Ｂと、
図柄組番号１４のＦ５ＦＲ１８＝００００１０００Ｂと
を、オア（ｏｒ；論理和）した、００００１１００Ｂ（０ＣＨ）、
図柄郡６については、オール０の、００００００００Ｂ（００Ｈ）であり、
これら０００００００１Ｂ，００００００１０Ｂ，００００１１００Ｂ，００００００００Ｂ（０１Ｈ，０２Ｈ，０ＣＨ，００Ｈ）の４バイトで２３１ベル８の停止許可フラグデータを定義している。
【０１７９】
条件装置番号２６の２３１ベル９は、停止許可となる図柄組番号は０２又は０３又は１３又は１４、リール１Ｌ，１Ｃ，１Ｒの停止制御は２３１ベル１と共通の停止制御番号１１番により行う。このベルに関連する入賞役に係る条件装置の一つである２３１ベル９では、
図柄郡３については、
図柄組番号０２のＦ３ＦＲ０１＝０００００００１Ｂ（０１Ｈ）、
図柄郡４ついては、
図柄組番号０３のＦ４ＦＲ０７＝０００００００１Ｂ（０１Ｈ）、
図柄郡５については、
図柄組番号１３のＦ５ＦＲ１７＝０００００１００Ｂと、
図柄組番号１４のＦ５ＦＲ１８＝００００１０００Ｂと
を、オア（ｏｒ；論理和）した、００００１１００Ｂ（０ＣＨ）、
図柄郡６については、オール０の、００００００００Ｂ（００Ｈ）であり、
これら０００００００１Ｂ，０００００００１Ｂ，００００１１００Ｂ，００００００００Ｂ（０１Ｈ，０１Ｈ，０ＣＨ，００Ｈ）の４バイトで２３１ベル９の停止許可フラグデータを定義している。
【０１８０】
条件装置番号２７の２３１ベル１０は、停止許可となる図柄組番号は０２又は０５又は１３又は１４、リール１Ｌ，１Ｃ，１Ｒの停止制御は２３１ベル１と共通の停止制御番号１１番により行う。このベルに関連する入賞役に係る条件装置の一つである２３１ベル１０では、
図柄郡３については、
図柄組番号０２のＦ３ＦＲ０１＝０００００００１Ｂ（０１Ｈ）、
図柄郡４ついては、
図柄組番号０５のＦ４ＦＲ０９＝０００００１００Ｂ（０４Ｈ）、
図柄郡５については、
図柄組番号１３のＦ５ＦＲ１７＝０００００１００Ｂと、
図柄組番号１４のＦ５ＦＲ１８＝００００１０００Ｂと
を、オア（ｏｒ；論理和）した、００００１１００Ｂ（０ＣＨ）、
図柄郡６については、オール０の、００００００００Ｂ（００Ｈ）であり、
これら０００００００１Ｂ，０００００１００Ｂ，００００１１００Ｂ，００００００００Ｂ（０１Ｈ，０４Ｈ，０ＣＨ，００Ｈ）の４バイトで２３１ベル１０の停止許可フラグデータを定義している。
【０１８１】
条件装置番号２８の２３１ベル１１は、停止許可となる図柄組番号は０２又は０７又は１３又は１４、リール１Ｌ，１Ｃ，１Ｒの停止制御は２３１ベル１と共通の停止制御番号１１番により行う。このベルに関連する入賞役に係る条件装置の一つである２３１ベル１１では、
図柄郡３については、
図柄組番号０２のＦ３ＦＲ０１＝０００００００１Ｂ（０１Ｈ）、
図柄郡４ついては、
図柄組番号０７のＦ４ＦＲ１１＝０００１００００Ｂ（１０Ｈ）、
図柄郡５については、
図柄組番号１３のＦ５ＦＲ１７＝０００００１００Ｂと、
図柄組番号１４のＦ５ＦＲ１８＝００００１０００Ｂと
を、オア（ｏｒ；論理和）した、００００１１００Ｂ（０ＣＨ）、
図柄郡６については、オール０の、００００００００Ｂ（００Ｈ）であり、
これら０００００００１Ｂ，０００１００００Ｂ，００００１１００Ｂ，００００００００Ｂ（０１Ｈ，１０Ｈ，０ＣＨ，００Ｈ）の４バイトで２３１ベル１１の停止許可フラグデータを定義している。
【０１８２】
条件装置番号２９の２３１ベル１２は、停止許可となる図柄組番号は０２又は０６又は０８又は１３又は１４、リール１Ｌ，１Ｃ，１Ｒの停止制御は２３１ベル１と共通の停止制御番号１１番により行う。このベルに関連する入賞役に係る条件装置の一つである２３１ベル１２では、
図柄郡３については、
図柄組番号０２のＦ３ＦＲ０１＝０００００００１Ｂ（０１Ｈ）、
図柄郡４ついては、
図柄組番号０６のＦ４ＦＲ１０＝００００１０００Ｂと、
図柄組番号０８のＦ４ＦＲ１２＝００１０００００Ｂと
を、オア（ｏｒ；論理和）した、００１０１０００Ｂ（２８Ｈ）、
図柄郡５については、
図柄組番号１３のＦ５ＦＲ１７＝０００００１００Ｂと、
図柄組番号１４のＦ５ＦＲ１８＝００００１０００Ｂと
を、オア（ｏｒ；論理和）した、００００１１００Ｂ（０ＣＨ）、
図柄郡６については、オール０の、００００００００Ｂ（００Ｈ）であり、
これら０００００００１Ｂ，００１０１０００Ｂ，００００１１００Ｂ，００００００００Ｂ（０１Ｈ，２８Ｈ，０ＣＨ，００Ｈ）の４バイトで２３１ベル１２の停止許可フラグデータを定義している。
【０１８３】
条件装置番号３０の２３１ベル１３は、停止許可となる図柄組番号は０２又は１０又は１３又は１４、リール１Ｌ，１Ｃ，１Ｒの停止制御は２３１ベル１と共通の停止制御番号１１番により行う。このベルに関連する入賞役に係る条件装置の一つである２３１ベル１３では、
図柄郡３については、
図柄組番号０２のＦ３ＦＲ０１＝０００００００１Ｂ（０１Ｈ）、
図柄郡４ついては、
図柄組番号１０のＦ４ＦＲ１４＝１０００００００Ｂ（８０Ｈ）、
図柄郡５については、
図柄組番号１３のＦ５ＦＲ１７＝０００００１００Ｂと、
図柄組番号１４のＦ５ＦＲ１８＝００００１０００Ｂと
を、オア（ｏｒ；論理和）した、００００１１００Ｂ（０ＣＨ）、
図柄郡６については、オール０の、００００００００Ｂ（００Ｈ）であり、
これら０００００００１Ｂ，１０００００００Ｂ，００００１１００Ｂ，００００００００Ｂ（０１Ｈ，８０Ｈ，０ＣＨ，００Ｈ）の４バイトで２３１ベル１３の停止許可フラグデータを定義している。
【０１８４】
条件装置番号３１の２３１ベル１４は、停止許可となる図柄組番号は０２又は０９又は１１又は１３又は１４、リール１Ｌ，１Ｃ，１Ｒの停止制御は２３１ベル１と共通の停止制御番号１１番により行う。このベルに関連する入賞役に係る条件装置の一つである２３１ベル１４では、
図柄郡３については、
図柄組番号０２のＦ３ＦＲ０１＝０００００００１Ｂ（０１Ｈ）、
図柄郡４ついては、
図柄組番号０９のＦ４ＦＲ１３＝０１００００００Ｂ（４０Ｈ）、
図柄郡５については、
図柄組番号１１のＦ５ＦＲ１５＝０００００００１Ｂと、
図柄組番号１３のＦ５ＦＲ１７＝０００００１００Ｂと、
図柄組番号１４のＦ５ＦＲ１８＝００００１０００Ｂと
を、オア（ｏｒ；論理和）した、００００１１０１Ｂ（０ＤＨ）、
図柄郡６については、オール０の、００００００００Ｂ（００Ｈ）であり、
これら０００００００１Ｂ，０１００００００Ｂ，００００１１０１Ｂ，００００００００Ｂ（０１Ｈ，４０Ｈ，０ＤＨ，００Ｈ）の４バイトで２３１ベル１４の停止許可フラグデータを定義している。
【０１８５】
条件装置番号３２の３１２ベル１は、停止許可となる図柄組番号は０２又は０４又は１８又は１９、リール１Ｌ，１Ｃ，１Ｒの停止制御は停止制御番号１２番により行う。ここに、３１２ベル１（次記以下の３１２ベル２〜８も同じ）は、押し順ベル役に係り、第１番目に右ストップボタン６Ｒを押して右リール１Ｒ（第３回胴）を止め、第２番目に左ストップボタン６Ｌを押して左リール１Ｌ（第１回胴）を止め、第３番目に中ストップボタン６Ｃを押して中リール１Ｃ（第２回胴）を止める、右（第３回胴）、左（第１回胴）、中（第２回胴）の順番が正解の押し順となり、この押し順に正解したときに有効ラインｍＬにベルを３つ並べて９枚（隠れボーナスＭＢ中以外の払出数）の遊技メダルを払出す。このベルに関連する入賞役に係る条件装置の一つである３１２ベル１では、
図柄郡３については、
図柄組番号０２のＦ３ＦＲ０１＝０００００００１Ｂ（０１Ｈ）、
図柄郡４ついては、
図柄組番号０４のＦ４ＦＲ０８＝００００００１０Ｂ（０２Ｈ）、
図柄郡５については、
図柄組番号１８のＦ５ＦＲ２２＝１０００００００Ｂ（８０Ｈ）、
図柄郡６については、
図柄組番号１９のＦ６ＦＲ２３＝０００００００１Ｂ（０１Ｈ）であり、
これら０００００００１Ｂ，００００００１０Ｂ，１０００００００Ｂ，０００００００１Ｂ（０１Ｈ，０２Ｈ，８０Ｈ，０１Ｈ）の４バイトで３１２ベル１の停止許可フラグデータを定義している。
【０１８６】
条件装置番号３３の３１２ベル２は、停止許可となる図柄組番号は０２又は０３又は０５又は１８又は１９、リール１Ｌ，１Ｃ，１Ｒの停止制御は３１２ベル１と共通の停止制御番号１２番により行う。このベルに関連する入賞役に係る条件装置の一つである３１２ベル２では、
図柄郡３については、
図柄組番号０２のＦ３ＦＲ０１＝０００００００１Ｂ（０１Ｈ）、
図柄郡４ついては、
図柄組番号０３のＦ４ＦＲ０７＝０００００００１Ｂと、
図柄組番号０５のＦ４ＦＲ０９＝０００００１００Ｂと
を、オア（ｏｒ；論理和）した、０００００１０１Ｂ（０５Ｈ）、
図柄郡５については、
図柄組番号１８のＦ５ＦＲ２２＝１０００００００Ｂ（８０Ｈ）、
図柄郡６については、
図柄組番号１９のＦ６ＦＲ２３＝０００００００１Ｂ（０１Ｈ）であり、
これら０００００００１Ｂ，０００００１０１Ｂ，１０００００００Ｂ，０００００００１Ｂ（０１Ｈ，０５Ｈ，８０Ｈ，０１Ｈ）の４バイトで３１２ベル２の停止許可フラグデータを定義している。
【０１８７】
条件装置番号３４の３１２ベル３は、停止許可となる図柄組番号は０２又は０７又は１０又は１８又は１９、リール１Ｌ，１Ｃ，１Ｒの停止制御は３１２ベル１と共通の停止制御番号１２番により行う。このベルに関連する入賞役に係る条件装置の一つである３１２ベル３では、
図柄郡３については、
図柄組番号０２のＦ３ＦＲ０１＝０００００００１Ｂ（０１Ｈ）、
図柄郡４ついては、
図柄組番号０７のＦ４ＦＲ１１＝０００１００００Ｂと、
図柄組番号１０のＦ４ＦＲ１４＝１０００００００Ｂと
を、オア（ｏｒ；論理和）した、１００１００００Ｂ（９０Ｈ）、
図柄郡５については、
図柄組番号１８のＦ５ＦＲ２２＝１０００００００Ｂ（８０Ｈ）、
図柄郡６については、
図柄組番号１９のＦ６ＦＲ２３＝０００００００１Ｂ（０１Ｈ）であり、
これら０００００００１Ｂ，１００１００００Ｂ，１０００００００Ｂ，０００００００１Ｂ（０１Ｈ，９０Ｈ，８０Ｈ，０１Ｈ）の４バイトで３１２ベル３の停止許可フラグデータを定義している。
【０１８８】
条件装置番号３５の３１２ベル４は、停止許可となる図柄組番号は０２又は０６又は０８又は０９又は１１又は１８又は１９、リール１Ｌ，１Ｃ，１Ｒの停止制御は３１２ベル１と共通の停止制御番号１２番により行う。このベルに関連する入賞役に係る条件装置の一つである３１２ベル４では、
図柄郡３については、
図柄組番号０２のＦ３ＦＲ０１＝０００００００１Ｂ（０１Ｈ）、
図柄郡４ついては、
図柄組番号０６のＦ４ＦＲ１０＝００００１０００Ｂと、
図柄組番号０８のＦ４ＦＲ１２＝００１０００００Ｂと、
図柄組番号０９のＦ４ＦＲ１３＝０１００００００Ｂと
を、オア（ｏｒ；論理和）した、０１１０１０００Ｂ（６８Ｈ）、
図柄郡５については、
図柄組番号１１のＦ５ＦＲ１５＝０００００００１Ｂと、
図柄組番号１８のＦ５ＦＲ２２＝１０００００００Ｂと
を、オア（ｏｒ；論理和）した、１００００００１Ｂ（８１Ｈ）、
図柄郡６については、
図柄組番号１９のＦ６ＦＲ２３＝０００００００１Ｂ（０１Ｈ）であり、
これら０００００００１Ｂ，０１１０１０００Ｂ，１００００００１Ｂ，０００００００１Ｂ（０１Ｈ，６８Ｈ，８１Ｈ，０１Ｈ）の４バイトで３１２ベル４の停止許可フラグデータを定義している。
【０１８９】
条件装置番号３６の３１２ベル５は、停止許可となる図柄組番号は０２又は０４又は１６又は１７、リール１Ｌ，１Ｃ，１Ｒの停止制御は３１２ベル１と共通の停止制御番号１２番により行う。このベルに関連する入賞役に係る条件装置の一つである３１２ベル５では、
図柄郡３については、
図柄組番号０２のＦ３ＦＲ０１＝０００００００１Ｂ（０１Ｈ）、
図柄郡４ついては、
図柄組番号０４のＦ４ＦＲ０８＝００００００１０Ｂ（０２Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、オール０の、００００００００Ｂ（００Ｈ）であり、
これら０００００００１Ｂ，００００００１０Ｂ，０１１０００００Ｂ，００００００００Ｂ（０１Ｈ，０２Ｈ，６０Ｈ，００Ｈ）の４バイトで３１２ベル５の停止許可フラグデータを定義している。
【０１９０】
条件装置番号３７の３１２ベル６は、停止許可となる図柄組番号は０２又は０３又は０５又は１６又は１７、リール１Ｌ，１Ｃ，１Ｒの停止制御は３１２ベル１と共通の停止制御番号１２番により行う。このベルに関連する入賞役に係る条件装置の一つである３１２ベル６では、
図柄郡３については、
図柄組番号０２のＦ３ＦＲ０１＝０００００００１Ｂ（０１Ｈ）、
図柄郡４ついては、
図柄組番号０３のＦ４ＦＲ０７＝０００００００１Ｂと、
図柄組番号０５のＦ４ＦＲ０９＝０００００１００Ｂと
を、オア（ｏｒ；論理和）した、０００００１０１Ｂ（０５Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、オール０の、００００００００Ｂ（００Ｈ）であり、
これら０００００００１Ｂ，０００００１０１Ｂ，０１１０００００Ｂ，００００００００Ｂ（０１Ｈ，０５Ｈ，６０Ｈ，００Ｈ）の４バイトで３１２ベル６の停止許可フラグデータを定義している。
【０１９１】
条件装置番号３８の３１２ベル７は、停止許可となる図柄組番号は０２又は０７又は１０又は１６又は１７、リール１Ｌ，１Ｃ，１Ｒの停止制御は３１２ベル１と共通の停止制御番号１２番により行う。このベルに関連する入賞役に係る条件装置の一つである３１２ベル７では、
図柄郡３については、
図柄組番号０２のＦ３ＦＲ０１＝０００００００１Ｂ（０１Ｈ）、
図柄郡４ついては、
図柄組番号０７のＦ４ＦＲ１１＝０００１００００Ｂと、
図柄組番号１０のＦ４ＦＲ１４＝１０００００００Ｂと
を、オア（ｏｒ；論理和）した、１００１００００Ｂ（９０Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、オール０の、００００００００Ｂ（００Ｈ）であり、
これら０００００００１Ｂ，１００１００００Ｂ，０１１０００００Ｂ，００００００００Ｂ（０１Ｈ，９０Ｈ，６０Ｈ，００Ｈ）の４バイトで３１２ベル７の停止許可フラグデータを定義している。
【０１９２】
条件装置番号３９の３１２ベル８は、停止許可となる図柄組番号は０２又は０６又は０８又は０９又は１１又は１６又は１７、リール１Ｌ，１Ｃ，１Ｒの停止制御は３１２ベル１と共通の停止制御番号１２番により行う。このベルに関連する入賞役に係る条件装置の一つである３１２ベル８では、
図柄郡３については、
図柄組番号０２のＦ３ＦＲ０１＝０００００００１Ｂ（０１Ｈ）、
図柄郡４ついては、
図柄組番号０６のＦ４ＦＲ１０＝００００１０００Ｂと、
図柄組番号０８のＦ４ＦＲ１２＝００１０００００Ｂと、
図柄組番号０９のＦ４ＦＲ１３＝０１００００００Ｂと
を、オア（ｏｒ；論理和）した、０１１０１０００Ｂ（６８Ｈ）、
図柄郡５については、
図柄組番号１１のＦ５ＦＲ１５＝０００００００１Ｂと、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１００００１Ｂ（６１Ｈ）、
図柄郡６については、オール０の、００００００００Ｂ（００Ｈ）であり、
これら０００００００１Ｂ，０１１０１０００Ｂ，０１１００００１Ｂ，００００００００Ｂ（０１Ｈ，６８Ｈ，６１Ｈ，００Ｈ）の４バイトで３１２ベル８の停止許可フラグデータを定義している。
【０１９３】
条件装置番号４０の３２１ベル１は、停止許可となる図柄組番号は０２又は０４又は１７又は１８、リール１Ｌ，１Ｃ，１Ｒの停止制御は停止制御番号１３番により行う。ここに、３２１ベル１（次記以下の３２１ベル２〜１４も同じ）は、押し順ベル役に係り、第１番目に右ストップボタン６Ｒを押して右リール１Ｒ（第３回胴）を止め、第２番目に中ストップボタン６Ｃを押して中リール１Ｃ（第２回胴）を止め、第３番目に左ストップボタン６Ｌを押して左リール１Ｌ（第１回胴）を止める、右（第３回胴）、中（第２回胴）、左（第１回胴）の順番が正解の押し順となり、この押し順に正解したときに有効ラインｍＬにベルを３つ並べて９枚（隠れボーナスＭＢ中以外の払出数）の遊技メダルを払出す。このベルに関連する入賞役に係る条件装置の一つである３２１ベル１では、
図柄郡３については、
図柄組番号０２のＦ３ＦＲ０１＝０００００００１Ｂ（０１Ｈ）、
図柄郡４ついては、
図柄組番号０４のＦ４ＦＲ０８＝００００００１０Ｂ（０２Ｈ）、
図柄郡５については、
図柄組番号１７のＦ５ＦＲ２１＝０１００００００Ｂと、
図柄組番号１８のＦ５ＦＲ２２＝１０００００００Ｂと
を、オア（ｏｒ；論理和）した、１１００００００Ｂ（Ｃ０Ｈ）、
図柄郡６については、オール０の、００００００００Ｂ（００Ｈ）であり、
これら０００００００１Ｂ，００００００１０Ｂ，１１００００００Ｂ，００００００００Ｂ（０１Ｈ，０２Ｈ，Ｃ０Ｈ，００Ｈ）の４バイトで３２１ベル１の停止許可フラグデータを定義している。
【０１９４】
条件装置番号４１の３２１ベル２は、停止許可となる図柄組番号は０２又は０３又は１７又は１８、リール１Ｌ，１Ｃ，１Ｒの停止制御は３２１ベル１と共通の停止制御番号１３番により行う。このベルに関連する入賞役に係る条件装置の一つである３２１ベル２では、
図柄郡３については、
図柄組番号０２のＦ３ＦＲ０１＝０００００００１Ｂ（０１Ｈ）、
図柄郡４ついては、
図柄組番号０３のＦ４ＦＲ０７＝０００００００１Ｂ（０１Ｈ）、
図柄郡５については、
図柄組番号１７のＦ５ＦＲ２１＝０１００００００Ｂと、
図柄組番号１８のＦ５ＦＲ２２＝１０００００００Ｂと
を、オア（ｏｒ；論理和）した、１１００００００Ｂ（Ｃ０Ｈ）、
図柄郡６については、オール０の、００００００００Ｂ（００Ｈ）であり、
これら０００００００１Ｂ，０００００００１Ｂ，１１００００００Ｂ，００００００００Ｂ（０１Ｈ，０１Ｈ，Ｃ０Ｈ，００Ｈ）の４バイトで３２１ベル２の停止許可フラグデータを定義している。
【０１９５】
条件装置番号４２の３２１ベル３は、停止許可となる図柄組番号は０２又は０５又は１７又は１８、リール１Ｌ，１Ｃ，１Ｒの停止制御は３２１ベル１と共通の停止制御番号１３番により行う。このベルに関連する入賞役に係る条件装置の一つである３２１ベル３では、
図柄郡３については、
図柄組番号０２のＦ３ＦＲ０１＝０００００００１Ｂ（０１Ｈ）、
図柄郡４ついては、
図柄組番号０５のＦ４ＦＲ０９＝０００００１００Ｂ（０４Ｈ）、
図柄郡５については、
図柄組番号１７のＦ５ＦＲ２１＝０１００００００Ｂと、
図柄組番号１８のＦ５ＦＲ２２＝１０００００００Ｂと
を、オア（ｏｒ；論理和）した、１１００００００Ｂ（Ｃ０Ｈ）、
図柄郡６については、オール０の、００００００００Ｂ（００Ｈ）であり、
これら０００００００１Ｂ，０００００１００Ｂ，１１００００００Ｂ，００００００００Ｂ（０１Ｈ，０４Ｈ，Ｃ０Ｈ，００Ｈ）の４バイトで３２１ベル３の停止許可フラグデータを定義している。
【０１９６】
条件装置番号４３の３２１ベル４は、停止許可となる図柄組番号は０２又は０７又は１７又は１８、リール１Ｌ，１Ｃ，１Ｒの停止制御は３２１ベル１と共通の停止制御番号１３番により行う。このベルに関連する入賞役に係る条件装置の一つである３２１ベル４では、
図柄郡３については、
図柄組番号０２のＦ３ＦＲ０１＝０００００００１Ｂ（０１Ｈ）、
図柄郡４ついては、
図柄組番号０７のＦ４ＦＲ１１＝０００１００００Ｂ（１０Ｈ）、
図柄郡５については、
図柄組番号１７のＦ５ＦＲ２１＝０１００００００Ｂと、
図柄組番号１８のＦ５ＦＲ２２＝１０００００００Ｂと
を、オア（ｏｒ；論理和）した、１１００００００Ｂ（Ｃ０Ｈ）、
図柄郡６については、オール０の、００００００００Ｂ（００Ｈ）であり、
これら０００００００１Ｂ，０００１００００Ｂ，１１００００００Ｂ，００００００００Ｂ（０１Ｈ，１０Ｈ，Ｃ０Ｈ，００Ｈ）の４バイトで３２１ベル４の停止許可フラグデータを定義している。
【０１９７】
条件装置番号４４の３２１ベル５は、停止許可となる図柄組番号は０２又は０６又は０９又は１７又は１８、リール１Ｌ，１Ｃ，１Ｒの停止制御は３２１ベル１と共通の停止制御番号１３番により行う。このベルに関連する入賞役に係る条件装置の一つである３２１ベル５では、
図柄郡３については、
図柄組番号０２のＦ３ＦＲ０１＝０００００００１Ｂ（０１Ｈ）、
図柄郡４ついては、
図柄組番号０６のＦ４ＦＲ１０＝００００１０００Ｂと、
図柄組番号０９のＦ４ＦＲ１３＝０１００００００Ｂと
を、オア（ｏｒ；論理和）した、０１００１０００Ｂ（４８Ｈ）、
図柄郡５については、
図柄組番号１７のＦ５ＦＲ２１＝０１００００００Ｂと、
図柄組番号１８のＦ５ＦＲ２２＝１０００００００Ｂと
を、オア（ｏｒ；論理和）した、１１００００００Ｂ（Ｃ０Ｈ）、
図柄郡６については、オール０の、００００００００Ｂ（００Ｈ）であり、
これら０００００００１Ｂ，０１００１０００Ｂ，１１００００００Ｂ，００００００００Ｂ（０１Ｈ，４８Ｈ，Ｃ０Ｈ，００Ｈ）の４バイトで３２１ベル５の停止許可フラグデータを定義している。
【０１９８】
条件装置番号４５の３２１ベル６は、停止許可となる図柄組番号は０２又は１０又は１７又は１８、リール１Ｌ，１Ｃ，１Ｒの停止制御は３２１ベル１と共通の停止制御番号１３番により行う。このベルに関連する入賞役に係る条件装置の一つである３２１ベル６では、
図柄郡３については、
図柄組番号０２のＦ３ＦＲ０１＝０００００００１Ｂ（０１Ｈ）、
図柄郡４ついては、
図柄組番号１０のＦ４ＦＲ１４＝１０００００００Ｂ（８０Ｈ）、
図柄郡５については、
図柄組番号１７のＦ５ＦＲ２１＝０１００００００Ｂと、
図柄組番号１８のＦ５ＦＲ２２＝１０００００００Ｂと
を、オア（ｏｒ；論理和）した、１１００００００Ｂ（Ｃ０Ｈ）、
図柄郡６については、オール０の、００００００００Ｂ（００Ｈ）であり、
これら０００００００１Ｂ，１０００００００Ｂ，１１００００００Ｂ，００００００００Ｂ（０１Ｈ，８０Ｈ，Ｃ０Ｈ，００Ｈ）の４バイトで３２１ベル６の停止許可フラグデータを定義している。
【０１９９】
条件装置番号４６の３２１ベル７は、停止許可となる図柄組番号は０２又は０８又は１１又は１７又は１８、リール１Ｌ，１Ｃ，１Ｒの停止制御は３２１ベル１と共通の停止制御番号１３番により行う。このベルに関連する入賞役に係る条件装置の一つである３２１ベル７では、
図柄郡３については、
図柄組番号０２のＦ３ＦＲ０１＝０００００００１Ｂ（０１Ｈ）、
図柄郡４ついては、
図柄組番号０８のＦ４ＦＲ１２＝００１０００００Ｂ（２０Ｈ）、
図柄郡５については、
図柄組番号１１のＦ５ＦＲ１５＝０００００００１Ｂと、
図柄組番号１７のＦ５ＦＲ２１＝０１００００００Ｂと、
図柄組番号１８のＦ５ＦＲ２２＝１０００００００Ｂと
を、オア（ｏｒ；論理和）した、１１０００００１Ｂ（Ｃ１Ｈ）、
図柄郡６については、オール０の、００００００００Ｂ（００Ｈ）であり、
これら０００００００１Ｂ，００１０００００Ｂ，１１０００００１Ｂ，００００００００Ｂ（０１Ｈ，２０Ｈ，Ｃ１Ｈ，００Ｈ）の４バイトで３２１ベル７の停止許可フラグデータを定義している。
【０２００】
条件装置番号４７の３２１ベル８は、停止許可となる図柄組番号は０２又は０４又は１６又は１９、リール１Ｌ，１Ｃ，１Ｒの停止制御は３２１ベル１と共通の停止制御番号１３番により行う。このベルに関連する入賞役に係る条件装置の一つである３２１ベル８では、
図柄郡３については、
図柄組番号０２のＦ３ＦＲ０１＝０００００００１Ｂ（０１Ｈ）、
図柄郡４ついては、
図柄組番号０４のＦ４ＦＲ０８＝００００００１０Ｂ（０２Ｈ）、
図柄郡５については、
図柄組番号１６のＦ５ＦＲ２０＝００１０００００Ｂ（２０Ｈ）、
図柄郡６については、
図柄組番号１９のＦ６ＦＲ２３＝０００００００１Ｂ（０１Ｈ）であり、
これら０００００００１Ｂ，００００００１０Ｂ，００１０００００Ｂ，０００００００１Ｂ（０１Ｈ，０２Ｈ，２０Ｈ，０１Ｈ）の４バイトで３２１ベル８の停止許可フラグデータを定義している。
【０２０１】
条件装置番号４８の３２１ベル９は、停止許可となる図柄組番号は０２又は０３又は１６又は１９、リール１Ｌ，１Ｃ，１Ｒの停止制御は３２１ベル１と共通の停止制御番号１３番により行う。このベルに関連する入賞役に係る条件装置の一つである３２１ベル９では、
図柄郡３については、
図柄組番号０２のＦ３ＦＲ０１＝０００００００１Ｂ（０１Ｈ）、
図柄郡４ついては、
図柄組番号０３のＦ４ＦＲ０７＝０００００００１Ｂ（０１Ｈ）、
図柄郡５については、
図柄組番号１６のＦ５ＦＲ２０＝００１０００００Ｂ（２０Ｈ）、
図柄郡６については、
図柄組番号１９のＦ６ＦＲ２３＝０００００００１Ｂ（０１Ｈ）であり、
これら０００００００１Ｂ，０００００００１Ｂ，００１０００００Ｂ，０００００００１Ｂ（０１Ｈ，０１Ｈ，２０Ｈ，０１Ｈ）の４バイトで３２１ベル９の停止許可フラグデータを定義している。
【０２０２】
条件装置番号４９の３２１ベル１０は、停止許可となる図柄組番号は０２又は０５又は１６又は１９、リール１Ｌ，１Ｃ，１Ｒの停止制御は３２１ベル１と共通の停止制御番号１３番により行う。このベルに関連する入賞役に係る条件装置の一つである３２１ベル１０では、
図柄郡３については、
図柄組番号０２のＦ３ＦＲ０１＝０００００００１Ｂ（０１Ｈ）、
図柄郡４ついては、
図柄組番号０５のＦ４ＦＲ０９＝０００００１００Ｂ（０４Ｈ）、
図柄郡５については、
図柄組番号１６のＦ５ＦＲ２０＝００１０００００Ｂ（２０Ｈ）、
図柄郡６については、
図柄組番号１９のＦ６ＦＲ２３＝０００００００１Ｂ（０１Ｈ）であり、
これら０００００００１Ｂ，０００００１００Ｂ，００１０００００Ｂ，０００００００１Ｂ（０１Ｈ，０４Ｈ，２０Ｈ，０１Ｈ）の４バイトで３２１ベル１０の停止許可フラグデータを定義している。
【０２０３】
条件装置番号５０の３２１ベル１１は、停止許可となる図柄組番号は０２又は０７又は１６又は１９、リール１Ｌ，１Ｃ，１Ｒの停止制御は３２１ベル１と共通の停止制御番号１３番により行う。このベルに関連する入賞役に係る条件装置の一つである３２１ベル１１では、
図柄郡３については、
図柄組番号０２のＦ３ＦＲ０１＝０００００００１Ｂ（０１Ｈ）、
図柄郡４ついては、
図柄組番号０７のＦ４ＦＲ１１＝０００１００００Ｂ（１０Ｈ）、
図柄郡５については、
図柄組番号１６のＦ５ＦＲ２０＝００１０００００Ｂ（２０Ｈ）、
図柄郡６については、
図柄組番号１９のＦ６ＦＲ２３＝０００００００１Ｂ（０１Ｈ）であり、
これら０００００００１Ｂ，０００１００００Ｂ，００１０００００Ｂ，０００００００１Ｂ（０１Ｈ，１０Ｈ，２０Ｈ，０１Ｈ）の４バイトで３２１ベル１１の停止許可フラグデータを定義している。
【０２０４】
条件装置番号５１の３２１ベル１２は、停止許可となる図柄組番号は０２又は０６又は０９又は１６又は１９、リール１Ｌ，１Ｃ，１Ｒの停止制御は３２１ベル１と共通の停止制御番号１３番により行う。このベルに関連する入賞役に係る条件装置の一つである３２１ベル１２では、
図柄郡３については、
図柄組番号０２のＦ３ＦＲ０１＝０００００００１Ｂ（０１Ｈ）、
図柄郡４ついては、
図柄組番号０６のＦ４ＦＲ１０＝００００１０００Ｂと、
図柄組番号０９のＦ４ＦＲ１３＝０１００００００Ｂと
を、オア（ｏｒ；論理和）した、０１００１０００Ｂ（４８Ｈ）、
図柄郡５については、
図柄組番号１６のＦ５ＦＲ２０＝００１０００００Ｂ（２０Ｈ）、
図柄郡６については、
図柄組番号１９のＦ６ＦＲ２３＝０００００００１Ｂ（０１Ｈ）であり、
これら０００００００１Ｂ，０１００１０００Ｂ，００１０００００Ｂ，０００００００１Ｂ（０１Ｈ，４８Ｈ，２０Ｈ，０１Ｈ）の４バイトで３２１ベル１２の停止許可フラグデータを定義している。
【０２０５】
条件装置番号５２の３２１ベル１３は、停止許可となる図柄組番号は０２又は１０又は１６又は１９、リール１Ｌ，１Ｃ，１Ｒの停止制御は３２１ベル１と共通の停止制御番号１３番により行う。このベルに関連する入賞役に係る条件装置の一つである３２１ベル１３では、
図柄郡３については、
図柄組番号０２のＦ３ＦＲ０１＝０００００００１Ｂ（０１Ｈ）、
図柄郡４ついては、
図柄組番号１０のＦ４ＦＲ１４＝１０００００００Ｂ（８０Ｈ）、
図柄郡５については、
図柄組番号１６のＦ５ＦＲ２０＝００１０００００Ｂ（２０Ｈ）、
図柄郡６については、
図柄組番号１９のＦ６ＦＲ２３＝０００００００１Ｂ（０１Ｈ）であり、
これら０００００００１Ｂ，１０００００００Ｂ，００１０００００Ｂ，０００００００１Ｂ（０１Ｈ，８０Ｈ，２０Ｈ，０１Ｈ）の４バイトで３２１ベル１３の停止許可フラグデータを定義している。
【０２０６】
条件装置番号５３の３２１ベル１４は、停止許可となる図柄組番号は０２又は０８又は１１又は１６又は１９、リール１Ｌ，１Ｃ，１Ｒの停止制御は３２１ベル１と共通の停止制御番号１３番により行う。このベルに関連する入賞役に係る条件装置の一つである３２１ベル１４では、
図柄郡３については、
図柄組番号０２のＦ３ＦＲ０１＝０００００００１Ｂ（０１Ｈ）、
図柄郡４ついては、
図柄組番号０８のＦ４ＦＲ１２＝００１０００００Ｂ（２０Ｈ）、
図柄郡５については、
図柄組番号１１のＦ５ＦＲ１５＝０００００００１Ｂと、
図柄組番号１６のＦ５ＦＲ２０＝００１０００００Ｂと
を、オア（ｏｒ；論理和）した、００１００００１Ｂ（２１Ｈ）、
図柄郡６については、
図柄組番号１９のＦ６ＦＲ２３＝０００００００１Ｂ（０１Ｈ）であり、
これら０００００００１Ｂ，００１０００００Ｂ，００１００００１Ｂ，０００００００１Ｂ（０１Ｈ，２０Ｈ，２１Ｈ，０１Ｈ）の４バイトで３２１ベル１４の停止許可フラグデータを定義している。
【０２０７】
条件装置番号５４の１枚ベルは、停止許可となる図柄組番号は０３又は０４又は０５又は０６又は０７又は０８又は０９又は１０又は１１又は２０又は２１、リール１Ｌ，１Ｃ，１Ｒの停止制御は停止制御番号１４番により行う。このベルに関連する入賞役に係る条件装置の一つである１枚ベルでは、
図柄郡３については、
図柄組番号２１のＦ３ＦＲ０２＝００００００１０Ｂ（０２Ｈ）、
図柄郡４ついては、
図柄組番号０３のＦ４ＦＲ０７＝０００００００１Ｂと、
図柄組番号０４のＦ４ＦＲ０８＝００００００１０Ｂと、
図柄組番号０５のＦ４ＦＲ０９＝０００００１００Ｂと、
図柄組番号０６のＦ４ＦＲ１０＝００００１０００Ｂと、
図柄組番号０７のＦ４ＦＲ１１＝０００１００００Ｂと、
図柄組番号０８のＦ４ＦＲ１２＝００１０００００Ｂと、
図柄組番号０９のＦ４ＦＲ１３＝０１００００００Ｂと、
図柄組番号１０のＦ４ＦＲ１４＝１０００００００Ｂと
を、オア（ｏｒ；論理和）した、１１１１１１１１Ｂ（ＦＦＨ）、
図柄郡５については、
図柄組番号１１のＦ５ＦＲ１５＝０００００００１Ｂ（０１Ｈ）、
図柄郡６については、
図柄組番号２０のＦ６ＦＲ２４＝００００００１０Ｂ（０２Ｈ）であり、
これら００００００１０Ｂ，１１１１１１１１Ｂ，０００００００１Ｂ，００００００１０Ｂ（０２Ｈ，ＦＦＨ，０１Ｈ，０２Ｈ）の４バイトで１枚ベルの停止許可フラグデータを定義している。
【０２０８】
条件装置番号５５の弱スイカは、停止許可となる図柄組番号は２１又は２３又は２５、リール１Ｌ，１Ｃ，１Ｒの停止制御は停止制御番号１５番により行う。ベル以外の入賞役に係る条件装置は図柄群３〜８の６バイトで停止許可フラグデータを定義しており、弱スイカでは、
図柄郡３については、
図柄組番号２１のＦ３ＦＲ０２＝００００００１０Ｂと、
図柄組番号２３のＦ３ＦＲ０４＝００００１０００Ｂと、
図柄組番号２５のＦ３ＦＲ０６＝００１０００００Ｂと
を、オア（ｏｒ；論理和）した、００１０１０１０Ｂ（２ＡＨ）、
図柄郡４については、オール０の、００００００００Ｂ（００Ｈ）、
図柄郡５については、オール０の、００００００００Ｂ（００Ｈ）、
図柄郡６については、オール０の、００００００００Ｂ（００Ｈ）、
図柄郡７については、オール０の、００００００００Ｂ（００Ｈ）、
図柄郡８については、オール０の、００００００００Ｂ（００Ｈ）であり、
これら００１０１０１０Ｂ，００００００００Ｂ，００００００００Ｂ，００００００００Ｂ，００００００００Ｂ，００００００００Ｂ（２ＡＨ，００Ｈ，００Ｈ，００Ｈ，００Ｈ，００Ｈ）の６バイトで弱スイカの停止許可フラグデータを定義している。
【０２０９】
条件装置番号５６の強スイカ１は、停止許可となる図柄組番号は２４又は２５又は３９、リール１Ｌ，１Ｃ，１Ｒの停止制御は停止制御番号１６番により行う。ベル以外の入賞役に係る条件装置の一つである強スイカ１では、
図柄郡３については、
図柄組番号２４のＦ３ＦＲ０５＝０００１００００Ｂと、
図柄組番号２５のＦ３ＦＲ０６＝００１０００００Ｂと
を、オア（ｏｒ；論理和）した、００１１００００Ｂ（３０Ｈ）、
図柄郡４については、オール０の、００００００００Ｂ（００Ｈ）、
図柄郡５については、オール０の、００００００００Ｂ（００Ｈ）、
図柄郡６については、オール０の、００００００００Ｂ（００Ｈ）、
図柄郡７については、
図柄組番号３９のＦ７ＦＲ３８＝１０００００００Ｂ（８０Ｈ）、
図柄郡８については、オール０の、００００００００Ｂ（００Ｈ）であり、
これら００１１００００Ｂ，００００００００Ｂ，００００００００Ｂ，００００００００Ｂ，１０００００００Ｂ，００００００００Ｂ（３０Ｈ，００Ｈ，００Ｈ，００Ｈ，８０Ｈ，００Ｈ）の６バイトで強スイカ１の停止許可フラグデータを定義している。
【０２１０】
条件装置番号５７の強スイカ２は、停止許可となる図柄組番号は２２又は２４又は２５又は３９、リール１Ｌ，１Ｃ，１Ｒの停止制御は停止制御番号１７番により行う。ベル以外の入賞役に係る条件装置の一つである強スイカ２では、
図柄郡３については、
図柄組番号２２のＦ３ＦＲ０３＝０００００１００Ｂと、
図柄組番号２４のＦ３ＦＲ０５＝０００１００００Ｂと、
図柄組番号２５のＦ３ＦＲ０６＝００１０００００Ｂと
を、オア（ｏｒ；論理和）した、００１１０１００Ｂ（３４Ｈ）、
図柄郡４については、オール０の、００００００００Ｂ（００Ｈ）、
図柄郡５については、オール０の、００００００００Ｂ（００Ｈ）、
図柄郡６については、オール０の、００００００００Ｂ（００Ｈ）、
図柄郡７については、
図柄組番号３９のＦ７ＦＲ３８＝１０００００００Ｂ（８０Ｈ）、
図柄郡８については、オール０の、００００００００Ｂ（００Ｈ）であり、
これら００１１０１００Ｂ，００００００００Ｂ，００００００００Ｂ，００００００００Ｂ，１０００００００Ｂ，００００００００Ｂ（３４Ｈ，００Ｈ，００Ｈ，００Ｈ，８０Ｈ，００Ｈ）の６バイトで強スイカ２の停止許可フラグデータを定義している。
【０２１１】
条件装置番号５８の弱チェは、停止許可となる図柄組番号は１６又は１７又は２７又は３３又は３４又は３９又は４０、リール１Ｌ，１Ｃ，１Ｒの停止制御は停止制御番号１８番により行う。ベル以外の入賞役に係る条件装置の一つである弱チェでは、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、
図柄組番号２７のＦ６ＦＲ２６＝００００１０００Ｂ（０８Ｈ）、
図柄郡７については、
図柄組番号３３のＦ７ＦＲ３２＝００００００１０Ｂと、
図柄組番号３４のＦ７ＦＲ３３＝０００００１００Ｂと、
図柄組番号３９のＦ７ＦＲ３８＝１０００００００Ｂと
を、オア（ｏｒ；論理和）した、１００００１１０Ｂ（８６Ｈ）、
図柄郡８については、
図柄組番号４０のＦ８ＦＲ３９＝０００００００１Ｂ（０１Ｈ）であり、
これら００００００００Ｂ，００００００００Ｂ，０１１０００００Ｂ，００００１０００Ｂ，１００００１１０Ｂ，０００００００１Ｂ（００Ｈ，００Ｈ，６０Ｈ，０８Ｈ，８６Ｈ，０１Ｈ）の６バイトで弱チェの停止許可フラグデータを定義している。
【０２１２】
条件装置番号５９の強チェ１は、停止許可となる図柄組番号は１６又は１７又は１８又は１９又は２７又は２８又は２９又は３０又は３１又は３２又は３３又は３４又は３７又は３９又は４０、リール１Ｌ，１Ｃ，１Ｒの停止制御は停止制御番号１９番により行う。ベル以外の入賞役に係る条件装置の一つである強チェ１では、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと、
図柄組番号１８のＦ５ＦＲ２２＝１０００００００Ｂと
を、オア（ｏｒ；論理和）した、１１１０００００Ｂ（Ｅ０Ｈ）、
図柄郡６については、
図柄組番号１９のＦ６ＦＲ２３＝０００００００１Ｂと、
図柄組番号２７のＦ６ＦＲ２６＝００００１０００Ｂと、
図柄組番号２８のＦ６ＦＲ２７＝０００１００００Ｂと、
図柄組番号２９のＦ６ＦＲ２８＝００１０００００Ｂと、
図柄組番号３０のＦ６ＦＲ２９＝０１００００００Ｂと、
図柄組番号３１のＦ６ＦＲ３０＝１０００００００Ｂと
を、オア（ｏｒ；論理和）した、１１１１１００１Ｂ（Ｆ９Ｈ）、
図柄郡７については、
図柄組番号３２のＦ７ＦＲ３１＝０００００００１Ｂと、
図柄組番号３３のＦ７ＦＲ３２＝００００００１０Ｂと、
図柄組番号３４のＦ７ＦＲ３３＝０００００１００Ｂと、
図柄組番号３７のＦ７ＦＲ３６＝００１０００００Ｂと、
図柄組番号３９のＦ７ＦＲ３８＝１０００００００Ｂと
を、オア（ｏｒ；論理和）した、１０１００１１１Ｂ（Ａ７Ｈ）、
図柄郡８については、
図柄組番号４０のＦ８ＦＲ３９＝０００００００１Ｂ（０１Ｈ）であり、
これら００００００００Ｂ，００００００００Ｂ，１１１０００００Ｂ，１１１１１００１Ｂ，１０１００１１１Ｂ，０００００００１Ｂ（００Ｈ，００Ｈ，Ｅ０Ｈ，Ｆ９Ｈ，Ａ７Ｈ，０１Ｈ）の６バイトで強チェ１の停止許可フラグデータを定義している。
【０２１３】
条件装置番号６０の強チェ２は、停止許可となる図柄組番号は１６又は１７又は２８又は２９又は３０又は３１又は３２又は３３又は３４又は３９又は４０、リール１Ｌ，１Ｃ，１Ｒの停止制御は停止制御番号２０番により行う。ベル以外の入賞役に係る条件装置の一つである強チェ２では、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、
図柄組番号２８のＦ６ＦＲ２７＝０００１００００Ｂと、
図柄組番号２９のＦ６ＦＲ２８＝００１０００００Ｂと、
図柄組番号３０のＦ６ＦＲ２９＝０１００００００Ｂと、
図柄組番号３１のＦ６ＦＲ３０＝１０００００００Ｂと
を、オア（ｏｒ；論理和）した、１１１１００００Ｂ（Ｆ０Ｈ）、
図柄郡７については、
図柄組番号３２のＦ７ＦＲ３１＝０００００００１Ｂと、
図柄組番号３３のＦ７ＦＲ３２＝００００００１０Ｂと、
図柄組番号３４のＦ７ＦＲ３３＝０００００１００Ｂと、
図柄組番号３９のＦ７ＦＲ３８＝１０００００００Ｂと
を、オア（ｏｒ；論理和）した、１００００１１１Ｂ（８７Ｈ）、
図柄郡８については、
図柄組番号４０のＦ８ＦＲ３９＝０００００００１Ｂ（０１Ｈ）であり、
これら００００００００Ｂ，００００００００Ｂ，０１１０００００Ｂ，１１１１００００Ｂ，１００００１１１Ｂ，０００００００１Ｂ（００Ｈ，００Ｈ，６０Ｈ，Ｆ０Ｈ，８７Ｈ，０１Ｈ）の６バイトで強チェ２の停止許可フラグデータを定義している。
【０２１４】
条件装置番号６１の中段チェは、停止許可となる図柄組番号は１６又は１７又は２６又は３７又は４０、リール１Ｌ，１Ｃ，１Ｒの停止制御は停止制御番号２１番により行う。ベル以外の入賞役に係る条件装置の一つである中段チェでは、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、
図柄組番号２６のＦ６ＦＲ２５＝０００００１００Ｂ（０４Ｈ）、
図柄郡７については、
図柄組番号３７のＦ７ＦＲ３６＝００１０００００Ｂ（２０Ｈ）、
図柄郡８については、
図柄組番号４０のＦ８ＦＲ３９＝０００００００１Ｂ（０１Ｈ）であり、
これら００００００００Ｂ，００００００００Ｂ，０１１０００００Ｂ，０００００１００Ｂ，００１０００００Ｂ，０００００００１Ｂ（００Ｈ，００Ｈ，６０Ｈ，０４Ｈ，２０Ｈ，０１Ｈ）の６バイトで中段チェの停止許可フラグデータを定義している。
【０２１５】
条件装置番号６２のチャンス１は、停止許可となる図柄組番号は１６又は１７又は３７又は３８又は４０、リール１Ｌ，１Ｃ，１Ｒの停止制御は停止制御番号２２番により行う。ベル以外の入賞役に係る条件装置の一つであるチャンス１では、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、オール０の、００００００００Ｂ（００Ｈ）、
図柄郡７については、
図柄組番号３７のＦ７ＦＲ３６＝００１０００００Ｂと、
図柄組番号３８のＦ７ＦＲ３７＝０１００００００Ｂと
を、オア（ｏｒ；論理和）した、０１１０００００Ｂ（６０Ｈ）、
図柄郡８については、
図柄組番号４０のＦ８ＦＲ３９＝０００００００１Ｂ（０１Ｈ）であり、
これら００００００００Ｂ，００００００００Ｂ，０１１０００００Ｂ，００００００００Ｂ，０１１０００００Ｂ，０００００００１Ｂ（００Ｈ，００Ｈ，６０Ｈ，００Ｈ，６０Ｈ，０１Ｈ）の６バイトでチャンス１の停止許可フラグデータを定義している。
【０２１６】
条件装置番号６３のチャンス２は、停止許可となる図柄組番号は１６又は１７又は３７又は３９又は４０、リール１Ｌ，１Ｃ，１Ｒの停止制御は停止制御番号２３番により行う。ベル以外の入賞役に係る条件装置の一つであるチャンス２では、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、オール０の、００００００００Ｂ（００Ｈ）、
図柄郡７については、
図柄組番号３７のＦ７ＦＲ３６＝００１０００００Ｂと、
図柄組番号３９のＦ７ＦＲ３８＝１０００００００Ｂと
を、オア（ｏｒ；論理和）した、１０１０００００Ｂ（Ａ０Ｈ）、
図柄郡８については、
図柄組番号４０のＦ８ＦＲ３９＝０００００００１Ｂ（０１Ｈ）であり、
これら００００００００Ｂ，００００００００Ｂ，０１１０００００Ｂ，００００００００Ｂ，１０１０００００Ｂ，０００００００１Ｂ（００Ｈ，００Ｈ，６０Ｈ，００Ｈ，Ａ０Ｈ，０１Ｈ）の６バイトでチャンス２の停止許可フラグデータを定義している。
【０２１７】
条件装置番号６４のチャンス３は、停止許可となる図柄組番号は１６又は１７又は３７又は４０、リール１Ｌ，１Ｃ，１Ｒの停止制御は停止制御番号２４番により行う。ベル以外の入賞役に係る条件装置の一つであるチャンス３では、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、オール０の、００００００００Ｂ（００Ｈ）、
図柄郡７については、
図柄組番号３７のＦ７ＦＲ３６＝００１０００００Ｂ（２０Ｈ）、
図柄郡８については、
図柄組番号４０のＦ８ＦＲ３９＝０００００００１Ｂ（０１Ｈ）であり、
これら００００００００Ｂ，００００００００Ｂ，０１１０００００Ｂ，００００００００Ｂ，００１０００００Ｂ，０００００００１Ｂ（００Ｈ，００Ｈ，６０Ｈ，００Ｈ，２０Ｈ，０１Ｈ）の６バイトでチャンス３の停止許可フラグデータを定義している。
【０２１８】
条件装置番号６５のチャンス４は、停止許可となる図柄組番号は１６又は１７又は３５又は４０、リール１Ｌ，１Ｃ，１Ｒの停止制御は停止制御番号２５番により行う。ベル以外の入賞役に係る条件装置の一つであるチャンス４では、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、オール０の、００００００００Ｂ（００Ｈ）、
図柄郡７については、
図柄組番号３５のＦ７ＦＲ３４＝００００１０００Ｂ（０８Ｈ）、
図柄郡８については、
図柄組番号４０のＦ８ＦＲ３９＝０００００００１Ｂ（０１Ｈ）であり、
これら００００００００Ｂ，００００００００Ｂ，０１１０００００Ｂ，００００００００Ｂ，００００１０００Ｂ，０００００００１Ｂ（００Ｈ，００Ｈ，６０Ｈ，００Ｈ，０８Ｈ，０１Ｈ）の６バイトでチャンス４の停止許可フラグデータを定義している。
【０２１９】
条件装置番号６６のチャンス５は、停止許可となる図柄組番号は１６又は１７又は３３又は３４又は３７又は４０、リール１Ｌ，１Ｃ，１Ｒの停止制御は停止制御番号２６番により行う。ベル以外の入賞役に係る条件装置の一つであるチャンス５では、
図柄郡３については、オール０の、００００００００Ｂ（００Ｈ）、
図柄郡４については、オール０の、００００００００Ｂ（００Ｈ）、
図柄郡５については、
図柄組番号１６のＦ５ＦＲ２０＝００１０００００Ｂと、
図柄組番号１７のＦ５ＦＲ２１＝０１００００００Ｂと
を、オア（ｏｒ；論理和）した、０１１０００００Ｂ（６０Ｈ）、
図柄郡６については、オール０の、００００００００Ｂ（００Ｈ）、
図柄郡７については、
図柄組番号３３のＦ７ＦＲ３２＝００００００１０Ｂと、
図柄組番号３４のＦ７ＦＲ３３＝０００００１００Ｂと、
図柄組番号３７のＦ７ＦＲ３６＝００１０００００Ｂと
を、オア（ｏｒ；論理和）した、００１００１１０Ｂ（２６Ｈ）、
図柄郡８については、
図柄組番号４０のＦ８ＦＲ３９＝０００００００１Ｂ（０１Ｈ）であり、
これら００００００００Ｂ，００００００００Ｂ，０１１０００００Ｂ，００００００００Ｂ，００１００１１０Ｂ，０００００００１Ｂ（００Ｈ，００Ｈ，６０Ｈ，００Ｈ，２６Ｈ，０１Ｈ）の６バイトでチャンス５の停止許可フラグデータを定義している。
【０２２０】
条件装置番号６７の確定１は、停止許可となる図柄組番号は３６、リール１Ｌ，１Ｃ，１Ｒの停止制御は停止制御番号２７番により行う。ベル以外の入賞役に係る条件装置の一つである確定１では、
図柄郡３については、オール０の、００００００００Ｂ（００Ｈ）、
図柄郡４については、オール０の、００００００００Ｂ（００Ｈ）、
図柄郡５については、オール０の、００００００００Ｂ（００Ｈ）、
図柄郡６については、オール０の、００００００００Ｂ（００Ｈ）、
図柄郡７については、
図柄組番号３６のＦ７ＦＲ３５＝０００１００００Ｂ（１０Ｈ）、
図柄郡８については、オール０の、００００００００Ｂ（００Ｈ）であり、
これら００００００００Ｂ，００００００００Ｂ，００００００００Ｂ，００００００００Ｂ，０００１００００Ｂ，００００００００Ｂ（００Ｈ，００Ｈ，００Ｈ，００Ｈ，１０Ｈ，００Ｈ）の６バイトで確定１の停止許可フラグデータを定義している。
【０２２１】
条件装置番号６８の確定２は、停止許可となる図柄組番号は４１又は４２又は４３、リール１Ｌ，１Ｃ，１Ｒの停止制御は停止制御番号２８番により行う。ベル以外の入賞役に係る条件装置の一つである確定２では、
図柄郡３については、オール０の、００００００００Ｂ（００Ｈ）、
図柄郡４については、オール０の、００００００００Ｂ（００Ｈ）、
図柄郡５については、オール０の、００００００００Ｂ（００Ｈ）、
図柄郡６については、オール０の、００００００００Ｂ（００Ｈ）、
図柄郡７については、オール０の、００００００００Ｂ（００Ｈ）、
図柄郡８については、
図柄組番号４１のＦ８ＦＲ４０＝００００００１０Ｂと、
図柄組番号４２のＦ８ＦＲ４１＝０００００１００Ｂと、
図柄組番号４３のＦ８ＦＲ４２＝００００１０００Ｂと
を、オア（ｏｒ；論理和）した、００００１１１０Ｂ（０ＥＨ）であり、
これら００００００００Ｂ，００００００００Ｂ，００００００００Ｂ，００００００００Ｂ，００００００００Ｂ，００００１１１０Ｂ（００Ｈ，００Ｈ，００Ｈ，００Ｈ，００Ｈ，０ＥＨ）の６バイトで確定２の停止許可フラグデータを定義している。
【０２２２】
条件装置番号６９のＭＢ作動中ＡＬＬは、隠れボーナスＭＢ作動中に全入賞役の当選とするものであって、停止許可となる図柄組番号は入賞に係る全ての図柄の組合せである０２〜４３、リール１Ｌ，１Ｃ，１Ｒの停止制御は停止制御番号２９番により行う。このＭＢ作動中ＡＬＬでは、
図柄郡３については、オール１の、００１１１１１１Ｂ（３ＦＨ）、
図柄郡４については、オール１の、１１１１１１１１Ｂ（ＦＦＨ）、
図柄郡５については、オール１の、１１１１１１１１Ｂ（ＦＦＨ）、
図柄郡６については、オール１の、１１１１１１１１Ｂ（ＦＦＨ）、
図柄郡７については、オール１の、１１１１１１１１Ｂ（ＦＦＨ）、
図柄郡８については、オール１の、００００１１１１Ｂ（０ＦＨ）であり、
これら００１１１１１１Ｂ，１１１１１１１１Ｂ，１１１１１１１１Ｂ，１１１１１１１１Ｂ，１１１１１１１１Ｂ，００００１１１１Ｂ（３ＦＨ，ＦＦＨ，ＦＦＨ，ＦＦＨ，ＦＦＨ，０ＦＨ）の６バイトでＭＢ作動中ＡＬＬの停止許可フラグデータを定義している。
【０２２３】
条件装置番号７０のＭＢ（隠れボーナス）は、停止許可となる図柄組番号は０１、リール１Ｌ，１Ｃ，１Ｒの停止制御は停止制御番号３０番により行う。役物又は役物連続作動装置に係る条件装置は、この隠れボーナスＭＢの一種類である。図柄郡１のＦ１ＭＢ＝０００００００１Ｂ（０１Ｈ）の１バイトでＭＢの停止許可フラグデータを定義している。また、Ｆ１ＭＢ＝０００００００１Ｂ（０１Ｈ）の最下位ビットの１が隠れボーナスＭＢの当選フラグであり、隠れボーナスＭＢの当選フラグを次遊技以降に持ち越したＭＢ内部当選中、Ｆ１ＭＢ＝０００００００１Ｂ（０１Ｈ）が、ＭＢ内部当選中の当該遊技での８バイトの停止許可フラグの図柄群１のデータに論理和されることになる。
【０２２４】
隠れボーナスＭＢの当選フラグを次遊技以降に持ち越したＭＢ内部当選中は、重ねて隠れボーナスＭＢに係る条件装置の当否は判定しない。また、このＭＢ内部当選中は、再遊技に係る条件装置に対応するリプレイ１〜８の何れの当選もなく、かつ、入賞に係る条件装置に対応するレアベル〜確定２の何れの当選もなく、純粋にハズレを引いたとき、条件装置番号は７０となり、停止制御番号３０番により図柄組番号０１の隠れボーナスＭＢの図柄の組合せを表示できる。
【０２２５】
また、ＭＢ内部当選中に、再遊技に係る条件装置に対応するリプレイ１〜８の何れかに当選した時、又は、入賞に係る条件装置に対応するレアベル〜確定２までの何れかに当選した時、ＭＢ内部当選中でない一般遊技中に停止許可となる図柄組番号に、隠れボーナスＭＢに係る図柄組番号０１（図柄群１の０００００００１Ｂ＝０１Ｈ）が加わり、ＭＢ内部当選中にリプレイ１に当選した場合の条件装置番号は７１、ＭＢ内部当選中にリプレイ２に当選した場合の条件装置番号は７２、・・・ＭＢ内部当選中に確定２に当選した場合の条件装置番号は１３８というように、ＭＢ内部当選中でない一般遊技中の条件装置番号に７０を加えた番号をＭＢ内部当選中の条件装置番号としている。
ただし、ＭＢ内部当選中にリプレイ１に当選した場合の条件装置番号７１のときは、一般遊技中にリプレイ１に当選した場合の条件装置番号１と同様に停止制御番号１でリール１Ｌ，１Ｃ，１Ｒの停止制御をし、ＭＢ内部当選中にリプレイ２に当選した場合の条件装置番号７２のときは、一般遊技中にリプレイ２に当選した場合の条件装置番号２と同様に停止制御番号１でリール１Ｌ，１Ｃ，１Ｒの停止制御をし、・・・ＭＢ内部当選中に確定２に当選した場合の条件装置番号１３８のときは、一般遊技中に確定２に当選した場合の条件装置番号６８と同様に停止制御番号２８でリール１Ｌ，１Ｃ，１Ｒの停止制御をするというように、ＭＢ内部当選中と一般遊技中とで停止制御番号を共通化している。
【０２２６】
なお、ＭＢ内部当選中に再遊技又は入賞に係る条件装置が作動した場合、隠れボーナスＭＢに係る図柄組番号０１ではなく、該当する再遊技又は入賞に係る図柄組番号の図柄の組合せのみが得られるように、停止制御番号に応じて選択するテーブル番号の停止ビットデータ（優先番号）を設定していると共に、再遊技又は入賞に対応して引込み検索データに１を立てるビット位置を役物に対応するものよりも上位に位置させている。
【０２２７】
結局、条件装置番号０〜１３８に対応する停止制御番号０〜３０により全てのリール停止制御を実現することとしている。また、一遊技毎の内部抽選により作動に係る条件装置が決定されると、当該遊技での図柄群１〜８に対応する８バイト（該当する図柄群がない場合は該当なしの図柄群をオール０としたもの）の停止許可フラグが確定し、この当該遊技での８バイトの停止許可フラグにより、表示が許容される作動に係る条件装置の図柄の組合せが決まることになる。
【０２２８】
そして、当該遊技での８バイトの停止許可フラグ中に、１の立つ図柄組番号の図柄の組合せの表示を許容し、当該遊技での８バイトの停止許可フラグ中に１の立たない０のビットに対応した図柄組番号の図柄の組合せの表示は禁止することとしている。
【０２２９】
なお、図柄群１〜８毎に区分する図柄組番号０１〜５７すなわちＦ１ＭＢ〜Ｆ８ＦＲ４２の図柄の組合せの定義領域は、１バイト×５７＝５７バイトとなり、この５７バイトはメインプログラムＰｇのデータ領域上すなわちＲＯＭ上に常時占有するデータとなる。
【０２３０】
また、図柄群１〜８に対応する停止許可フラグデータの定義領域は、
条件装置番号１〜８（リプレイ１〜リプレイ８）の２バイト×８＝１６バイトと、
条件装置番号９〜５４（レアベル〜１枚ベル）の４バイト×４６＝１８４バイトと、
条件装置番号５５〜６９（弱スイカ〜ＭＢ作動中ＡＬＬ）の６バイト×１５＝９０バイトを合計した２９０バイトに、条件装置番号０のハズレを定義するＦ０ＭＩＳＳ＝００００００００Ｂと、条件装置番号７０のＭＢ（隠れボーナス）を定義するＦ１ＭＢ＝０００００００１Ｂ（０１Ｈ）を加えた２９２バイトとなり、この２９２バイトは、メインプログラムＰｇのデータ領域上すなわちＲＯＭ上に常時占有するデータとなる。ただし、当該遊技での停止許可フラグの８バイトは、ＲＡＭ上で書き換えられる。
【０２３１】
さらに、メインプログラムＰｇのデータ領域上（ＲＯＭ）上に、各リール１Ｌ，１Ｃ，１Ｒ毎に、図柄の種類別、すなわち紫セブン１、紫セブン２、赤セブン、黒バー、ベル、リプレイ１、リプレイ２、スイカ１、スイカ２、チェリーの別に、以下のＬ−１；〜Ｒ−１０；において列挙する図柄群１（Ｆ１）〜図柄群８（Ｆ８）毎の論理式（ｏｒ；論理和）を設け、作動に係る条件装置に対応した図柄組番号（０１番のＦ１ＭＢ，４４番のＦ１ＲＰ０１・・・）により、基準位置とする表示窓８０の下段にその図柄が停止したなら中段の有効ラインｍＬに作動に係る条件装置に対応した図柄が表示されることを示す引込みデータ有りか、基準位置とする表示窓８０の下段にその図柄が停止しても中段の有効ラインｍＬに作動に係る条件装置に対応した図柄が表示されないことを示す引込みデータ無しかを区別する引込み検索データを容易に作成できるようにしている。
【０２３２】
Ｌ−１；左リール１Ｌの紫セブン１（ＬＰ７１；Ｌは左、Ｐ７１は紫セブン１）
図柄群１；Ｆ１ＬＰ７１＝Ｆ１ＲＰ０１ｏｒＦ１ＲＰ０３ｏｒＦ１ＲＰ０６
図柄群２；Ｆ２ＬＰ７１＝Ｆ２ＲＰ１３
図柄群３；Ｆ３ＬＰ７１＝Ｆ０ＭＩＳＳ（該当なし；オール０（＝００００００００Ｂ、以下も同様））
図柄群４；Ｆ４ＬＰ７１＝Ｆ０ＭＩＳＳ（該当なし；オール０）
図柄群５；Ｆ５ＬＰ７１＝Ｆ５ＦＲ１６ｏｒＦ５ＦＲ１７ｏｒＦ５ＦＲ２０ｏｒＦ５ＦＲ２１
図柄群６；Ｆ６ＬＰ７１＝Ｆ０ＭＩＳＳ（該当なし；オール０）
図柄群７；Ｆ７ＬＰ７１＝Ｆ０ＭＩＳＳ（該当なし；オール０）
図柄群８；Ｆ８ＬＰ７１＝Ｆ８ＦＲ３９ｏｒＦ８ＦＲ４０
【０２３３】
Ｌ−２；左リール１Ｌの紫セブン２（ＬＰ７２；Ｌは左、Ｐ７２は紫セブン２）
図柄群１；Ｆ１ＬＰ７２＝Ｆ１ＭＢｏｒＦ１ＲＰ０２ｏｒＦ１ＲＰ０４ｏｒＦ１ＲＰ０６
図柄群２；Ｆ２ＬＰ７２＝Ｆ０ＭＩＳＳ（該当なし；オール０）
図柄群３；Ｆ３ＬＰ７２＝Ｆ０ＭＩＳＳ（該当なし；オール０）
図柄群４；Ｆ４ＬＰ７２＝Ｆ０ＭＩＳＳ（該当なし；オール０）
図柄群５；Ｆ５ＬＰ７２＝Ｆ０ＭＩＳＳ（該当なし；オール０）
図柄群６；Ｆ６ＬＰ７２＝Ｆ０ＭＩＳＳ（該当なし；オール０）
図柄群７；Ｆ７ＬＰ７２＝Ｆ７ＦＲ３５
図柄群８；Ｆ８ＬＰ７２＝Ｆ０ＭＩＳＳ（該当なし；オール０）
【０２３４】
Ｌ−３；左リール１Ｌの赤セブン（ＬＲ７０；Ｌは左、Ｒ７０は赤セブン）
図柄群１；Ｆ１ＬＲ７０＝Ｆ０ＭＩＳＳ（該当なし；オール０）
図柄群２；Ｆ２ＬＲ７０＝Ｆ２ＲＰ０９ｏｒＦ２ＲＰ１１ｏｒＦ２ＲＰ１３
図柄群３；Ｆ３ＬＲ７０＝Ｆ３ＦＲ０２
図柄群４；Ｆ４ＬＲ７０＝Ｆ０ＭＩＳＳ（該当なし；オール０）
図柄群５；Ｆ５ＬＲ７０＝Ｆ５ＦＲ１８ｏｒＦ５ＦＲ１９ｏｒＦ５ＦＲ２２
図柄群６；Ｆ６ＬＲ７０＝Ｆ６ＦＲ２３
図柄群７；Ｆ７ＬＲ７０＝Ｆ０ＭＩＳＳ（該当なし；オール０）
図柄群８；Ｆ８ＬＲ７０＝Ｆ８ＦＲ３９
【０２３５】
Ｌ−４；左リール１Ｌの黒バー（ＬＢＡＲ；Ｌは左、ＢＡＲは黒バー）
図柄群１；Ｆ１ＬＢＡＲ＝Ｆ０ＭＩＳＳ（該当なし；オール０）
図柄群２；Ｆ２ＬＢＡＲ＝Ｆ２ＲＰ１０ｏｒＦ２ＲＰ１３
図柄群３；Ｆ３ＬＢＡＲ＝Ｆ０ＭＩＳＳ（該当なし；オール０）
図柄群４；Ｆ４ＬＢＡＲ＝Ｆ０ＭＩＳＳ（該当なし；オール０）
図柄群５；Ｆ５ＬＢＡＲ＝Ｆ５ＦＲ１６ｏｒＦ５ＦＲ１７ｏｒＦ５ＦＲ２０ｏｒＦ５ＦＲ２１
図柄群６；Ｆ６ＬＢＡＲ＝Ｆ６ＦＲ２６ｏｒＦ６ＦＲ２７ｏｒＦ６ＦＲ２８ｏｒＦ６ＦＲ２９ｏｒＦ６ＦＲ３０
図柄群７；Ｆ７ＬＢＡＲ＝Ｆ７ＦＲ３１
図柄群８；Ｆ８ＬＢＡＲ＝Ｆ８ＦＲ４０
【０２３６】
Ｌ−５；左リール１Ｌのベル（ＬＢＥＬ；Ｌは左、ＢＥＬはベル）
図柄群１；Ｆ１ＬＢＥＬ＝Ｆ１ＲＰ０７
図柄群２；Ｆ２ＬＢＥＬ＝Ｆ２ＲＰ０８ｏｒＦ２ＲＰ０９ｏｒＦ２ＲＰ１４
図柄群３；Ｆ３ＬＢＥＬ＝Ｆ３ＦＲ０１ｏｒＦ３ＦＲ０４ｏｒＦ３ＦＲ０５
図柄群４；Ｆ４ＬＢＥＬ＝Ｆ０ＭＩＳＳ（該当なし；オール０）
図柄群５；Ｆ５ＬＢＥＬ＝Ｆ０ＭＩＳＳ（該当なし；オール０）
図柄群６；Ｆ６ＬＢＥＬ＝Ｆ０ＭＩＳＳ（該当なし；オール０）
図柄群７；Ｆ７ＬＢＥＬ＝Ｆ７ＦＲ３４ｏｒＦ７ＦＲ３６
図柄群８；Ｆ８ＬＢＥＬ＝Ｆ８ＦＲ４１ｏｒＦ８ＦＲ４２
【０２３７】
Ｌ−６；左リール１Ｌのリプレイ１（ＬＲＰ１；Ｌは左、ＲＰ１はリプレイ１）
図柄群１；Ｆ１ＬＲＰ１＝Ｆ０ＭＩＳＳ（該当なし；オール０）
図柄群２；Ｆ２ＬＲＰ１＝Ｆ２ＲＰ１２
図柄群３；Ｆ３ＬＲＰ１＝Ｆ３ＦＲ０６
図柄群４；Ｆ４ＬＲＰ１＝Ｆ４ＡＬＬ（全て該当；オール１（＝１１１１１１１１Ｂ、以下も同様））
図柄群５；Ｆ５ＬＲＰ１＝Ｆ５ＦＲ１５
図柄群６；Ｆ６ＬＲＰ１＝Ｆ６ＦＲ２４
図柄群７；Ｆ７ＬＲＰ１＝Ｆ０ＭＩＳＳ（該当なし；オール０）
図柄群８；Ｆ８ＬＲＰ１＝Ｆ０ＭＩＳＳ（該当なし；オール０）
【０２３８】
Ｌ−７；左リール１Ｌのリプレイ２（ＬＲＰ２；Ｌは左、ＲＰ２はリプレイ２）
図柄群１；Ｆ１ＬＲＰ２＝Ｆ０ＭＩＳＳ（該当なし；オール０）
図柄群２；Ｆ２ＬＲＰ２＝Ｆ２ＲＰ１２
図柄群３；Ｆ３ＬＲＰ２＝Ｆ０ＭＩＳＳ（該当なし；オール０）
図柄群４；Ｆ４ＬＲＰ２＝Ｆ４ＡＬＬ（全て該当；オール１）
図柄群５；Ｆ５ＬＲＰ２＝Ｆ５ＦＲ１５
図柄群６；Ｆ６ＬＲＰ２＝Ｆ６ＦＲ２４
図柄群７；Ｆ７ＬＲＰ２＝Ｆ７ＦＲ３７ｏｒＦ７ＦＲ３８
図柄群８；Ｆ８ＬＲＰ２＝Ｆ０ＭＩＳＳ（該当なし；オール０）
【０２３９】
Ｌ−８；左リール１Ｌのスイカ１（ＬＳＵ１；Ｌは左、ＳＵ１はスイカ１）
図柄群１；Ｆ１ＬＳＵ１＝Ｆ０ＭＩＳＳ（該当なし；オール０）
図柄群２；Ｆ２ＬＳＵ１＝Ｆ２ＲＰ１１ｏｒＦ２ＲＰ１３
図柄群３；Ｆ３ＬＳＵ１＝Ｆ３ＦＲ０２ｏｒＦ３ＦＲ０３
図柄群４；Ｆ４ＬＳＵ１＝Ｆ０ＭＩＳＳ（該当なし；オール０）
図柄群５；Ｆ５ＬＳＵ１＝Ｆ５ＦＲ１８ｏｒＦ５ＦＲ１９ｏｒＦ５ＦＲ２２
図柄群６；Ｆ６ＬＳＵ１＝Ｆ６ＦＲ２３
図柄群７；Ｆ７ＬＳＵ１＝Ｆ７ＦＲ３２
図柄群８；Ｆ８ＬＳＵ１＝Ｆ８ＦＲ３９
【０２４０】
Ｌ−９；左リール１Ｌのスイカ２（ＬＳＵ２；Ｌは左、ＳＵ２はスイカ２）
図柄群１；Ｆ１ＬＳＵ２＝Ｆ１ＲＰ０５
図柄群２；Ｆ２ＬＳＵ２＝Ｆ２ＲＰ１１
図柄群３；Ｆ３ＬＳＵ２＝Ｆ３ＦＲ０２ｏｒＦ３ＦＲ０３
図柄群４；Ｆ４ＬＳＵ２＝Ｆ０ＭＩＳＳ（該当なし；オール０）
図柄群５；Ｆ５ＬＳＵ２＝Ｆ０ＭＩＳＳ（該当なし；オール０）
図柄群６；Ｆ６ＬＳＵ２＝Ｆ０ＭＩＳＳ（該当なし；オール０）
図柄群７；Ｆ７ＬＳＵ２＝Ｆ７ＦＲ３３
図柄群８；Ｆ８ＬＳＵ２＝Ｆ０ＭＩＳＳ（該当なし；オール０）
【０２４１】
Ｌ−１０；左リール１Ｌのチェリー（ＬＣＨＥ；Ｌは左、ＣＨＥはチェリー）
図柄群１；Ｆ１ＬＣＨＥ＝Ｆ０ＭＩＳＳ（該当なし；オール０）
図柄群２；Ｆ２ＬＣＨＥ＝Ｆ０ＭＩＳＳ（該当なし；オール０）
図柄群３；Ｆ３ＬＣＨＥ＝Ｆ０ＭＩＳＳ（該当なし；オール０）
図柄群４；Ｆ４ＬＣＨＥ＝Ｆ０ＭＩＳＳ（該当なし；オール０）
図柄群５；Ｆ５ＬＣＨＥ＝Ｆ０ＭＩＳＳ（該当なし；オール０）
図柄群６；Ｆ６ＬＣＨＥ＝Ｆ６ＦＲ２５
図柄群７；Ｆ７ＬＣＨＥ＝Ｆ０ＭＩＳＳ（該当なし；オール０）
図柄群８；Ｆ８ＬＣＨＥ＝Ｆ０ＭＩＳＳ（該当なし；オール０）
【０２４２】
Ｃ−１；中リール１Ｃの紫セブン１（ＣＰ７１；Ｃは中、Ｐ７１は紫セブン１）
図柄群１；Ｆ１ＣＰ７１＝Ｆ１ＲＰ０１ｏｒＦ１ＲＰ０２ｏｒＦ１ＲＰ０３ｏｒＦ１ＲＰ０４ｏｒＦ１ＲＰ０５ｏｒＦ１ＲＰ０７
図柄群２；Ｆ２ＣＰ７１＝Ｆ０ＭＩＳＳ（該当なし；オール０）
図柄群３；Ｆ３ＣＰ７１＝Ｆ０ＭＩＳＳ（該当なし；オール０）
図柄群４；Ｆ４ＣＰ７１＝Ｆ４ＦＲ０７ｏｒＦ４ＦＲ０８ｏｒＦ４ＦＲ０９
図柄群５；Ｆ５ＣＰ７１＝Ｆ５ＦＲ２０ｏｒＦ５ＦＲ２２
図柄群６；Ｆ６ＣＰ７１＝Ｆ６ＦＲ２８ｏｒＦ６ＦＲ２９
図柄群７；Ｆ７ＣＰ７１＝Ｆ７ＦＲ３２ｏｒＦ７ＦＲ３３ｏｒＦ７ＦＲ３４
図柄群８；Ｆ８ＣＰ７１＝Ｆ０ＭＩＳＳ（該当なし；オール０）
【０２４３】
Ｃ−２；中リール１Ｃの紫セブン２（ＣＰ７２；Ｃは中、Ｐ７２は紫セブン２）
図柄群１；Ｆ１ＣＰ７２＝Ｆ１ＲＰ０１ｏｒＦ１ＲＰ０２ｏｒＦ１ＲＰ０３ｏｒＦ１ＲＰ０４ｏｒＦ１ＲＰ０５ｏｒＦ１ＲＰ０７
図柄群２；Ｆ２ＣＰ７２＝Ｆ０ＭＩＳＳ（該当なし；オール０）
図柄群３；Ｆ３ＣＰ７２＝Ｆ０ＭＩＳＳ（該当なし；オール０）
図柄群４；Ｆ４ＣＰ７２＝Ｆ４ＦＲ０７ｏｒＦ４ＦＲ０８ｏｒＦ４ＦＲ０９
図柄群５；Ｆ５ＣＰ７２＝Ｆ５ＦＲ２０ｏｒＦ５ＦＲ２２
図柄群６；Ｆ６ＣＰ７２＝Ｆ６ＦＲ２７ｏｒＦ６ＦＲ２８ｏｒＦ６ＦＲ２９
図柄群７；Ｆ７ＣＰ７２＝Ｆ７ＦＲ３２ｏｒＦ７ＦＲ３３
図柄群８；Ｆ８ＣＰ７２＝Ｆ０ＭＩＳＳ（該当なし；オール０）
【０２４４】
Ｃ−３；中リール１Ｃの赤セブン（ＣＲ７０；Ｃは中、Ｒ７０は赤セブン）
図柄群１；Ｆ１ＣＲ７０＝Ｆ０ＭＩＳＳ（該当なし；オール０）
図柄群２；Ｆ２ＣＲ７０＝Ｆ２ＲＰ０９
図柄群３；Ｆ３ＣＲ７０＝Ｆ３ＦＲ０４
図柄群４；Ｆ４ＣＲ７０＝Ｆ０ＭＩＳＳ（該当なし；オール０）
図柄群５；Ｆ５ＣＲ７０＝Ｆ０ＭＩＳＳ（該当なし；オール０）
図柄群６；Ｆ６ＣＲ７０＝Ｆ６ＦＲ２５ｏｒＦ６ＦＲ２８ｏｒＦ６ＦＲ２９
図柄群７；Ｆ７ＣＲ７０＝Ｆ７ＦＲ３１ｏｒＦ７ＦＲ３６ｏｒＦ７ＦＲ３７
図柄群８；Ｆ８ＣＲ７０＝Ｆ０ＭＩＳＳ（該当なし；オール０）
【０２４５】
Ｃ−４；中リール１Ｃの黒バー（ＣＢＡＲ；Ｃは中、ＢＡＲは黒バー）
図柄群１；Ｆ１ＣＢＡＲ＝Ｆ０ＭＩＳＳ（該当なし；オール０）
図柄群２；Ｆ２ＣＢＡＲ＝Ｆ２ＲＰ１０ｏｒＦ２ＲＰ１１
図柄群３；Ｆ３ＣＢＡＲ＝Ｆ０ＭＩＳＳ（該当なし；オール０）
図柄群４；Ｆ４ＣＢＡＲ＝Ｆ４ＦＲ１０ｏｒＦ４ＦＲ１１ｏｒＦ４ＦＲ１２
図柄群５；Ｆ５ＣＢＡＲ＝Ｆ５ＦＲ２１
図柄群６；Ｆ６ＣＢＡＲ＝Ｆ６ＦＲ２３ｏｒＦ６ＦＲ２８ｏｒＦ６ＦＲ２９
図柄群７；Ｆ７ＣＢＡＲ＝Ｆ７ＦＲ３２ｏｒＦ７ＦＲ３３
図柄群８；Ｆ８ＣＢＡＲ＝Ｆ０ＭＩＳＳ（該当なし；オール０）
【０２４６】
Ｃ−５；中リール１Ｃのベル（ＣＢＥＬ；Ｃは中、ＢＥＬはベル）
図柄群１；Ｆ１ＣＢＥＬ＝Ｆ０ＭＩＳＳ（該当なし；オール０）
図柄群２；Ｆ２ＣＢＥＬ＝Ｆ２ＲＰ０８
図柄群３；Ｆ３ＣＢＥＬ＝Ｆ３ＦＲ０１
図柄群４；Ｆ４ＣＢＥＬ＝Ｆ０ＭＩＳＳ（該当なし；オール０）
図柄群５；Ｆ５ＣＢＥＬ＝Ｆ５ＦＲ１６ｏｒＦ５ＦＲ１７ｏｒＦ５ＦＲ１８ｏｒＦ５ＦＲ１９
図柄群６；Ｆ６ＣＢＥＬ＝Ｆ６ＦＲ２４
図柄群７；Ｆ７ＣＢＥＬ＝Ｆ７ＦＲ３５
図柄群８；Ｆ８ＣＢＥＬ＝Ｆ０ＭＩＳＳ（該当なし；オール０）
【０２４７】
Ｃ−６；中リール１Ｃのリプレイ１（ＣＲＰ１；Ｃは中、ＲＰ１はリプレイ１）
図柄群１；Ｆ１ＣＲＰ１＝Ｆ１ＲＰ０６
図柄群２；Ｆ２ＣＲＰ１＝Ｆ２ＲＰ１２ｏｒＦ２ＲＰ１３ｏｒＦ２ＲＰ１４
図柄群３；Ｆ３ＣＲＰ１＝Ｆ３ＦＲ０２ｏｒＦ３ＦＲ０４
図柄群４；Ｆ４ＣＲＰ１＝Ｆ０ＭＩＳＳ（該当なし；オール０）
図柄群５；Ｆ５ＣＲＰ１＝Ｆ０ＭＩＳＳ（該当なし；オール０）
図柄群６；Ｆ６ＣＲＰ１＝Ｆ０ＭＩＳＳ（該当なし；オール０）
図柄群７；Ｆ７ＣＲＰ１＝Ｆ７ＦＲ３６
図柄群８；Ｆ８ＣＲＰ１＝Ｆ８ＦＲ４０ｏｒＦ８ＦＲ４１
【０２４８】
Ｃ−７；中リール１Ｃのリプレイ２（ＣＲＰ２；Ｃは中、ＲＰ２はリプレイ２）
図柄群１；Ｆ１ＣＲＰ２＝Ｆ１ＲＰ０６
図柄群２；Ｆ２ＣＲＰ２＝Ｆ２ＲＰ１２ｏｒＦ２ＲＰ１３ｏｒＦ２ＲＰ１４
図柄群３；Ｆ３ＣＲＰ２＝Ｆ３ＦＲ０２
図柄群４；Ｆ４ＣＲＰ２＝Ｆ０ＭＩＳＳ（該当なし；オール０）
図柄群５；Ｆ５ＣＲＰ２＝Ｆ０ＭＩＳＳ（該当なし；オール０）
図柄群６；Ｆ６ＣＲＰ２＝Ｆ０ＭＩＳＳ（該当なし；オール０）
図柄群７；Ｆ７ＣＲＰ２＝Ｆ７ＦＲ３８
図柄群８；Ｆ８ＣＲＰ２＝Ｆ８ＦＲ４０ｏｒＦ８ＦＲ４２
【０２４９】
Ｃ−８；中リール１Ｃのスイカ１（ＣＳＵ１；Ｃは中、ＳＵ１はスイカ１）
図柄群１；Ｆ１ＣＳＵ１＝Ｆ０ＭＩＳＳ（該当なし；オール０）
図柄群２；Ｆ２ＣＳＵ１＝Ｆ０ＭＩＳＳ（該当なし；オール０）
図柄群３；Ｆ３ＣＳＵ１＝Ｆ３ＦＲ０３ｏｒＦ３ＦＲ０５ｏｒＦ３ＦＲ０６
図柄群４；Ｆ４ＣＳＵ１＝Ｆ４ＦＲ１３ｏｒＦ４ＦＲ１４
図柄群５；Ｆ５ＣＳＵ１＝Ｆ５ＦＲ１５ｏｒＦ５ＦＲ２１
図柄群６；Ｆ６ＣＳＵ１＝Ｆ６ＦＲ２３ｏｒＦ６ＦＲ２７ｏｒＦ６ＦＲ２８ｏｒＦ６ＦＲ２９
図柄群７；Ｆ７ＣＳＵ１＝Ｆ７ＦＲ３２ｏｒＦ７ＦＲ３３
図柄群８；Ｆ８ＣＳＵ１＝Ｆ０ＭＩＳＳ（該当なし；オール０）
【０２５０】
Ｃ−９；中リール１Ｃのスイカ２（ＣＳＵ２；Ｃは中、ＳＵ２はスイカ２）
図柄群１；Ｆ１ＣＳＵ２＝Ｆ０ＭＩＳＳ（該当なし；オール０）
図柄群２；Ｆ２ＣＳＵ２＝Ｆ０ＭＩＳＳ（該当なし；オール０）
図柄群３；Ｆ３ＣＳＵ２＝Ｆ３ＦＲ０３ｏｒＦ３ＦＲ０５ｏｒＦ３ＦＲ０６
図柄群４；Ｆ４ＣＳＵ２＝Ｆ０ＭＩＳＳ（該当なし；オール０）
図柄群５；Ｆ５ＣＳＵ２＝Ｆ０ＭＩＳＳ（該当なし；オール０）
図柄群６；Ｆ６ＣＳＵ２＝Ｆ６ＦＲ２６ｏｒＦ６ＦＲ２７ｏｒＦ６ＦＲ２８ｏｒＦ６ＦＲ３０
図柄群７；Ｆ７ＣＳＵ２＝Ｆ０ＭＩＳＳ（該当なし；オール０）
図柄群８；Ｆ８ＣＳＵ２＝Ｆ０ＭＩＳＳ（該当なし；オール０）
【０２５１】
Ｃ−１０；中リール１Ｃのチェリー（ＣＣＨＥ；Ｃは中、ＣＨＥはチェリー）
図柄群１；Ｆ１ＣＣＨＥ＝Ｆ１ＭＢ
図柄群２；Ｆ２ＣＣＨＥ＝Ｆ０ＭＩＳＳ（該当なし；オール０）
図柄群３；Ｆ３ＣＣＨＥ＝Ｆ３ＦＲ０２
図柄群４；Ｆ４ＣＣＨＥ＝Ｆ０ＭＩＳＳ（該当なし；オール０）
図柄群５；Ｆ５ＣＣＨＥ＝Ｆ０ＭＩＳＳ（該当なし；オール０）
図柄群６；Ｆ６ＣＣＨＥ＝Ｆ６ＦＲ２６ｏｒＦ６ＦＲ２７ｏｒＦ６ＦＲ２８
図柄群７；Ｆ７ＣＣＨＥ＝Ｆ０ＭＩＳＳ（該当なし；オール０）
図柄群８；Ｆ８ＣＣＨＥ＝Ｆ８ＦＲ３９
【０２５２】
Ｒ−１；右リール１Ｒの紫セブン１（ＲＰ７１；Ｒは右、Ｐ７１は紫セブン１）
図柄群１；Ｆ１ＲＰ７１＝Ｆ１ＭＢｏｒＦ１ＲＰ０１ｏｒＦ１ＲＰ０４ｏｒＦ１ＲＰ０６ｏｒＦ１ＲＰ０７
図柄群２；Ｆ２ＲＰ７１＝Ｆ２ＲＰ０８
図柄群３；Ｆ３ＲＰ７１＝Ｆ３ＦＲ０５
図柄群４；Ｆ４ＲＰ７１＝Ｆ０ＭＩＳＳ（該当なし；オール０）
図柄群５；Ｆ５ＲＰ７１＝Ｆ０ＭＩＳＳ（該当なし；オール０）
図柄群６；Ｆ６ＲＰ７１＝Ｆ０ＭＩＳＳ（該当なし；オール０）
図柄群７；Ｆ７ＲＰ７１＝Ｆ０ＭＩＳＳ（該当なし；オール０）
図柄群８；Ｆ８ＲＰ７１＝Ｆ０ＭＩＳＳ（該当なし；オール０）
【０２５３】
Ｒ−２；右リール１Ｒの紫セブン２（ＲＰ７２；Ｒは右、Ｐ７２は紫セブン２）
図柄群１；Ｆ１ＲＰ７２＝Ｆ１ＲＰ０２ｏｒＦ１ＲＰ０３ｏｒＦ１ＲＰ０５ｏｒＦ１ＲＰ０６ｏｒＦ１ＲＰ０７
図柄群２；Ｆ２ＲＰ７２＝Ｆ２ＦＲ０８
図柄群３；Ｆ３ＲＰ７２＝Ｆ０ＭＩＳＳ（該当なし；オール０）
図柄群４；Ｆ４ＲＰ７２＝Ｆ４ＦＲ０７ｏｒＦ４ＦＲ１０ｏｒＦ４ＦＲ１３
図柄群５；Ｆ５ＲＰ７２＝Ｆ５ＦＲ１６ｏｒＦ５ＦＲ１８
図柄群６；Ｆ６ＲＰ７２＝Ｆ６ＦＲ２８
図柄群７；Ｆ７ＲＰ７２＝Ｆ０ＭＩＳＳ（該当なし；オール０）
図柄群８；Ｆ８ＲＰ７２＝Ｆ０ＭＩＳＳ（該当なし；オール０）
【０２５４】
Ｒ−３；右リール１Ｒの赤セブン（ＲＲ７０；Ｒは右、Ｒ７０は赤セブン）
図柄群１；Ｆ１ＲＲ７０＝Ｆ０ＭＩＳＳ（該当なし；オール０）
図柄群２；Ｆ２ＲＲ７０＝Ｆ０ＭＩＳＳ（該当なし；オール０）
図柄群３；Ｆ３ＲＲ７０＝Ｆ３ＦＲ０５
図柄群４；Ｆ４ＲＲ７０＝Ｆ４ＦＲ０８ｏｒＦ４ＦＲ１１ｏｒＦ４ＦＲ１４
図柄群５；Ｆ５ＲＲ７０＝Ｆ５ＦＲ１７ｏｒＦ５ＦＲ１９
図柄群６；Ｆ６ＲＲ７０＝Ｆ０ＭＩＳＳ（該当なし；オール０）
図柄群７；Ｆ７ＲＲ７０＝Ｆ０ＭＩＳＳ（該当なし；オール０）
図柄群８；Ｆ８ＲＲ７０＝Ｆ０ＭＩＳＳ（該当なし；オール０）
【０２５５】
Ｒ−４；右リール１Ｒの黒バー（ＲＢＡＲ；Ｒは右、ＢＡＲは黒バー）
図柄群１；Ｆ１ＲＢＡＲ＝Ｆ０ＭＩＳＳ（該当なし；オール０）
図柄群２；Ｆ２ＲＢＡＲ＝Ｆ２ＲＰ１０ｏｒＦ２ＲＰ１１ｏｒＦ２ＲＰ１３
図柄群３；Ｆ３ＲＢＡＲ＝Ｆ３ＦＲ０４ｏｒＦ３ＦＲ０５ｏｒＦ３ＦＲ０６
図柄群４；Ｆ４ＲＢＡＲ＝Ｆ０ＭＩＳＳ（該当なし；オール０）
図柄群５；Ｆ５ＲＢＡＲ＝Ｆ０ＭＩＳＳ（該当なし；オール０）
図柄群６；Ｆ６ＲＢＡＲ＝Ｆ６ＦＲ２５ｏｒＦ６ＦＲ２７
図柄群７；Ｆ７ＲＢＡＲ＝Ｆ７ＦＲ３４ｏｒＦ７ＦＲ３８
図柄群８；Ｆ８ＲＢＡＲ＝Ｆ０ＭＩＳＳ（該当なし；オール０）
【０２５６】
Ｒ−５；右リール１Ｒのベル（ＲＢＥＬ；Ｒは右、ＢＥＬはベル）
図柄群１；Ｆ１ＲＢＥＬ＝Ｆ０ＭＩＳＳ（該当なし；オール０）
図柄群２；Ｆ２ＲＢＥＬ＝Ｆ２ＲＰ０９ｏｒＦ２ＲＰ１４
図柄群３；Ｆ３ＲＢＥＬ＝Ｆ３ＦＲ０１ｏｒＦ３ＦＲ０５
図柄群４；Ｆ４ＲＢＥＬ＝Ｆ０ＭＩＳＳ（該当なし；オール０）
図柄群５；Ｆ５ＲＢＥＬ＝Ｆ５ＦＲ２０ｏｒＦ５ＦＲ２１ｏｒＦ５ＦＲ２２
図柄群６；Ｆ６ＲＢＥＬ＝Ｆ６ＦＲ２３ｏｒＦ６ＦＲ２６
図柄群７；Ｆ７ＲＢＥＬ＝Ｆ７ＦＲ３１ｏｒＦ７ＦＲ３３ｏｒＦ７ＦＲ３５
図柄群８；Ｆ８ＲＢＥＬ＝Ｆ８ＦＲ３９
【０２５７】
Ｒ−６；右リール１Ｒのリプレイ１（ＲＲＰ１；Ｒは右、ＲＰ１はリプレイ１）
図柄群１；Ｆ１ＲＲＰ１＝Ｆ０ＭＩＳＳ（該当なし；オール０）
図柄群２；Ｆ２ＲＲＰ１＝Ｆ２ＲＰ１２
図柄群３；Ｆ３ＲＲＰ１＝Ｆ３ＦＲ０２ｏｒＦ３ＦＲ０４ｏｒＦ３ＦＲ０５ｏｒＦ３ＦＲ０６
図柄群４；Ｆ４ＲＲＰ１＝Ｆ０ＭＩＳＳ（該当なし；オール０）
図柄群５；Ｆ５ＲＲＰ１＝Ｆ０ＭＩＳＳ（該当なし；オール０）
図柄群６；Ｆ６ＲＲＰ１＝Ｆ６ＦＲ２４ｏｒＦ６ＦＲ２７
図柄群７；Ｆ７ＲＲＰ１＝Ｆ７ＦＲ３２ｏｒＦ７ＦＲ３３ｏｒＦ７ＦＲ３７
図柄群８；Ｆ８ＲＲＰ１＝Ｆ８ＦＲ４０ｏｒＦ８ＦＲ４２
【０２５８】
Ｒ−７；右リール１Ｒのリプレイ２（ＲＲＰ２；Ｒは右、ＲＰ２はリプレイ２）
図柄群１；Ｆ１ＲＲＰ２＝Ｆ０ＭＩＳＳ（該当なし；オール０）
図柄群２；Ｆ２ＲＲＰ２＝Ｆ２ＲＰ１２
図柄群３；Ｆ３ＲＲＰ２＝Ｆ３ＦＲ０２
図柄群４；Ｆ４ＲＲＰ２＝Ｆ０ＭＩＳＳ（該当なし；オール０）
図柄群５；Ｆ５ＲＲＰ２＝Ｆ０ＭＩＳＳ（該当なし；オール０）
図柄群６；Ｆ６ＲＲＰ２＝Ｆ６ＦＲ２４ｏｒＦ６ＦＲ２７
図柄群７；Ｆ７ＲＲＰ２＝Ｆ７ＦＲ３２ｏｒＦ７ＦＲ３３ｏｒＦ７ＦＲ３７
図柄群８；Ｆ８ＲＲＰ２＝Ｆ８ＦＲ４０ｏｒＦ８ＦＲ４１ｏｒＦ８ＦＲ４２
【０２５９】
Ｒ−８；右リール１Ｒのスイカ１（ＲＳＵ１；Ｒは右、ＳＵ１はスイカ１）
図柄群１；Ｆ１ＲＳＵ１＝Ｆ０ＭＩＳＳ（該当なし；オール０）
図柄群２；Ｆ２ＲＳＵ１＝Ｆ２ＲＰ１３
図柄群３；Ｆ３ＲＳＵ１＝Ｆ３ＦＲ０３
図柄群４；Ｆ４ＲＳＵ１＝Ｆ４ＦＲ０９ｏｒＦ４ＦＲ１２
図柄群５；Ｆ５ＲＳＵ１＝Ｆ５ＦＲ１５ｏｒＦ５ＦＲ１６ｏｒＦ５ＦＲ１８
図柄群６；Ｆ６ＲＳＵ１＝Ｆ６ＦＲ２８
図柄群７；Ｆ７ＲＳＵ１＝Ｆ７ＦＲ３６
図柄群８；Ｆ８ＲＳＵ１＝Ｆ０ＭＩＳＳ（該当なし；オール０）
【０２６０】
Ｒ−９；右リール１Ｒのスイカ２（ＲＳＵ２；Ｒは右、ＳＵ２はスイカ２）
図柄群１；Ｆ１ＲＳＵ２＝Ｆ０ＭＩＳＳ（該当なし；オール０）
図柄群２；Ｆ２ＲＳＵ２＝Ｆ２ＲＰ１３
図柄群３；Ｆ３ＲＳＵ２＝Ｆ３ＦＲ０３
図柄群４；Ｆ４ＲＳＵ２＝Ｆ０ＭＩＳＳ（該当なし；オール０）
図柄群５；Ｆ５ＲＳＵ２＝Ｆ０ＭＩＳＳ（該当なし；オール０）
図柄群６；Ｆ６ＲＳＵ２＝Ｆ６ＦＲ２９ｏｒＦ６ＦＲ３０
図柄群７；Ｆ７ＲＳＵ２＝Ｆ７ＦＲ３６
図柄群８；Ｆ８ＲＳＵ２＝Ｆ０ＭＩＳＳ（該当なし；オール０）
【０２６１】
Ｒ−１０；右リール１Ｒのチェリー（ＲＣＨＥ；Ｒは右、ＣＨＥはチェリー）
図柄群１；Ｆ１ＲＣＨＥ＝Ｆ０ＭＩＳＳ（該当なし；オール０）
図柄群２；Ｆ２ＲＣＨＥ＝Ｆ２ＲＰ１３
図柄群３；Ｆ３ＲＣＨＥ＝Ｆ０ＭＩＳＳ（該当なし；オール０）
図柄群４；Ｆ４ＲＣＨＥ＝Ｆ４ＦＲ０８ｏｒＦ４ＦＲ１１ｏｒＦ４ＦＲ１４
図柄群５；Ｆ５ＲＣＨＥ＝Ｆ５ＦＲ１７ｏｒＦ５ＦＲ１９
図柄群６；Ｆ６ＲＣＨＥ＝Ｆ０ＭＩＳＳ（該当なし；オール０）
図柄群７；Ｆ７ＲＣＨＥ＝Ｆ０ＭＩＳＳ（該当なし；オール０）
図柄群８；Ｆ８ＲＣＨＥ＝Ｆ０ＭＩＳＳ（該当なし；オール０）
【０２６２】
以上、Ｌ−１；〜Ｒ−１０；の論理式で定義されるデータ領域は全部で８×１０×３＝２４０バイトとなる。こうして、一遊技毎に作動に係る条件装置が決定され、当該遊技での８バイトの停止許可フラグが決定されると、この８バイト中に１の立つ図柄組番号（０１のＦ１ＭＢ，４４〜５７のＦ１ＲＰ０１〜Ｆ２ＲＰ１４，０２〜４３のＦ３ＦＲ０１〜Ｆ８ＦＲ４２）により、各リール１Ｌ，１Ｃ，１Ｒについて、基準位置とする表示窓８０の下段にその図柄が停止したなら中段の有効ラインｍＬに作動に係る条件装置に対応した図柄が表示されることを示す引込みデータ有りか、基準位置とする表示窓８０の下段にその図柄が停止しても中段の有効ラインｍＬに作動に係る条件装置に対応した図柄が表示されないことを示す引込みデータ無しかが直ちに区別できることになる。
【０２６３】
図１７に、全条件装置についての各作動の可否を判定する遊技状態別の当選となる分子のテーブルを示す。分母は内部抽選用乱数カウンタの数値範囲０〜６５５３５である６５５３６である。内部抽選用乱数カウンタは、主制御装置ＭＣのＲＡＭ上で定義しており、例えば１０ｎｓ毎の高速で順次インクリメントする２バイトカウンタを用いている。当選分子が「０」というのは、該当する当選は無く、当選確率は０を意味する。
【０２６４】
遊技状態は、電源オン時等のリセット処理後の初期状態でもある一般遊技中、隠れボーナスＭＢの当選フラグが持ち越されたＭＢ内部当選中、隠れボーナスＭＢに係る図柄の組合せが表示された後のＭＢ作動中、の３種類ある。各遊技状態時、規定枚数のマックスベット状態下でスタートレバー５の操作タイミングに基づいて、内部抽選用乱数カウンタから一つの内部抽選用乱数を抽出し、この抽出した乱数値から条件装置毎に遊技状態に応じて割り振った当選分子を順次差し引き、負の値になった時点での条件装置を当選とし、当該遊技での作動に係る条件装置としている。
【０２６５】
一般遊技中のリプレイ確率は、リプレイ１〜７の当選分子合計値８９７８÷６５５３６≒１／７．３の通常値である。ＭＢ内部当選中のリプレイ確率は、リプレイ１〜８の当選分子合計値２７１７２÷６５５３６≒１／２．４の高値であり、ＭＢ内部当選中の遊技状態をリプレイタイムＲＴに位置づけている。
【０２６６】
一般遊技中に条件装置番号７０の隠れボーナスＭＢに当選する確率は１８１９４÷６５５３６≒１／３．６と高めにしている。また、ＭＢ作動中に条件装置番号６９のＭＢ作動中ＡＬＬすなわち全入賞役の当選となる確率は６５５３６÷６５５３６＝１（１００％）としている。ただし、隠れボーナスＭＢに当選した遊技で「紫セブン２」−「チェリー」−「紫セブン１」を表示させて次遊技からＭＢ作動中の遊技状態に移行させても、ＭＢ作動中は２枚投入２枚払出でメダルの増減はなく、２８枚超過の払出があった遊技回以後、一般遊技中の遊技状態に戻るだけであり、遊技者を十分満足させることはできない。
【０２６７】
一般遊技中並びにＭＢ内部当選中、２１３ベル１〜３２１ベル１４のトータル確率は、（９３８×３０＋５３６×１４）÷６５５３６≒１／１．８４と高くしているが、押し順に正解しない限り９枚の払出しはない。アシストタイムＡＴ中以外に「左、中、右」の順押し以外の停止操作をするとペナルティが課されるため、事実上、ＡＴ中以外は取りこぼすことになる。逆に、ＡＴ中は、液晶表示装置７０等に表示される押し順ナビに従うことにより、９枚払出しを容易に得ることができる。特に、ＭＢ内部当選中は、リプレイ確率が高いＲＴであり、ＲＴとＡＴが結合したＡＲＴにより順調にメダルを増やすことができ、遊技者を十分満足させることができる。
【０２６８】
ＭＢ内部当選中、純粋にハズレを引く確率は１／６５５３６と極めて低く、隠れボーナスＭＢに当選した遊技で「紫セブン２」−「チェリー」−「紫セブン１」の表示を回避して一旦ＭＢ内部当選中に移行させると、「紫セブン２」−「チェリー」−「紫セブン１」を表示させてＭＢ作動中に移行することはあえて困難にしている。従って、通常、多くの遊技時間を費やす遊技状態は、リプレイタイムＲＴであるＭＢ内部当選中となる。
【０２６９】
再遊技に係る条件装置のうちリプレイ２〜リプレイ６は、特定の押し順に正解すると擬似ボーナスＳＢＢ，ＢＢ，ＲＢに対応する図柄の組合せを表示できるが、リプレイ１〜リプレイ８全てについて、如何なる押し順で停止操作しても再遊技の特典は保証する図柄の組合せが表示される。
【０２７０】
入賞に係る条件装置のうち、２１３ベル１〜３２１ベル１４は押し順に正解しない限り取りこぼしとなる押し順小役であるが、これを除く他の入賞役に押し順は求められず、「左、中、右」の最も基本的な順押しにより対応する図柄の組合せを表示できる。ただし、弱スイカ〜確定１までは、最大滑りコマ数の制限があるため、各ストップボタン６Ｌ，６Ｃ，６Ｒを押す目押しのタイミングによっては、多少の取りこぼしが生じる。
【０２７１】
取りこぼしを極力回避するには、左リール１Ｌについては、表示窓８０の下段に図柄番号４のスイカ２が停止できるタイミング（図柄番号５のチェリーが中段に、図柄番号６の黒バーが上段に停止できるタイミングでもある）で左ストップボタン６Ｌを押すとよい。実際には、比較的見やすい黒バーが表示窓８０の上段に現れるタイミングで目押しをすればよい。このタイミングがいわゆるＤＤＴポイントとなる。そして、中リール１Ｃ、右リール１Ｒについては、左リール１Ｌの停止状況に応じて、揃えるべき図柄を絞り込むとよい。なお、隠れボーナスＭＢに係る当選フラグは遊技回をまたいで持ち越されるが、再遊技、入賞に係る条件装置の当選フラグは一回の遊技の結果が得られたときにクリアされ、持ち越しはない。
【０２７２】
図１７の数値は設定１用のものであるが、実機では、設定２用、設定３用、設定４用、設定５用、設定６用の全部で６種類を記憶している。なお、「設定」とは、規定数に応じた入賞、再遊技、役物又は役物連続作動装置の作動に係るそれぞれの条件装置が作動する確率の組合せをいう（遊技機規則第６条別表第二（３）ヘ）。一般に、設定１が最も低い確率、設定２，３，４，５と番号が増えるほど確率が高くなり、設定６が最も高い確率となる。この設定は、主制御装置ＭＣ上に具備するキースイッチ等の操作により、店長クラスの遊技場係員により営業時間外等において定められ、遊技者は設定を知ることも変えることもできない。
【０２７３】
図１８に、遊技状態の遷移図を示す。電源オン時のリセット処理後は、一般遊技中の遊技状態から始まる。この一般遊技中、３枚掛け下、スタートレバー５の操作を契機とした内部抽選により隠れボーナスＭＢに係る条件装置が作動した場合に、このＭＢ当選ゲームで「紫セブン２」−「チェリー」−「紫セブン１」を表示できると、次遊技からＭＢ作動中の遊技状態に移行する。ＭＢ作動中、リプレイ確率は０％、入賞確率は１００％となるが、２枚投入２枚払出でメダルの増減はなく、２８枚超過の払出となった遊技回の次の遊技回から一般遊技中の遊技状態に復帰する。
【０２７４】
隠れボーナスＭＢに係る条件装置が作動しても、ＭＢ当選ゲームで「紫セブン２」−「チェリー」−「紫セブン１」を表示させずに隠れボーナスＭＢの作動を回避すると、次遊技からＭＢ当選フラグを持ち越したＭＢ内部当選中の遊技状態すなわちリプレイ確率を１／２．４に高めたリプレイタイムＲＴに移行する。ただし、ＭＢ内部当選中のＲＴに移行しても、基本的には押し順等のナビは無い通常遊技を行うことになる。「左、中、右」の順押し以外を適当に併用すれば、メイン小役である２１３ベル１〜３２１ベル１４の押し順役がたまたま入賞して９枚の払出しを受け得る場合もあるが、ペナルティによりアシストタイムＡＴの発動が遅れるだけで旨みは無く、順押しを続けるのが賢明となる。
【０２７５】
周辺制御装置ＳＣでアシスト作動判定手段Ｈにより天井遊技数の到達又はエスケープゾーンの完走が判定されて、アシスト表示手段Ｇが作動許可され、アシストタイムＡＴになると、主制御装置ＭＣの遊技状態は何も変わらないが、主制御装置ＭＣによるＲＴ下での周辺制御装置ＳＣによるＡＴすなわちアシストリプレイタイムＡＲＴに昇格し、押し順役であるリプレイ２〜リプレイ６、２１３ベル１〜３２１ベル１４の当選時、正解の押し順と、必要に応じて狙うべき図柄が液晶表示装置７０等に表示されるナビ有りとなり、遊技メダルを増やすことができる。
【０２７６】
例えば、リプレイ２又は３の当選時、スタートレバー５の操作後、液晶表示装置７０に、第１番目に中ストップボタン６Ｃを押し、第２番目に右ストップボタン６Ｒを押し、第３番目に左ストップボタン６Ｌを押す「中、右、左」の押し順ナビと、紫セブン１又は２を想定した「紫７を狙え」の目押しナビが表示される。ボタン操作の進展に伴い、次に押すべきボタンが液晶表示装置７０上で強調表示されると共に、スピーカー９１〜９４から「中だ」、「右だ」、「左だ」等の音声ナビが出力されると共に、遊技演出ランプ類Ｗ４〜Ｗ６が順次点灯される。押し順ナビに従い、首尾よく紫セブン１又は２の目押しに成功すると、擬似ボーナスＳＢＢに対応する「紫セブン２」−「紫セブン１／紫セブン２」−「紫セブン２」の紫７ダブル揃い２や「紫セブン１」−「紫セブン１／紫セブン２」−「紫セブン１」の紫７ダブル揃い１を有効ラインｍＬに表示できる。
【０２７７】
例えば、リプレイ４又は５の当選時、スタートレバー５の操作後、液晶表示装置７０に、第１番目に右ストップボタン６Ｒを押す「逆押し」或いは第１番目に中ストップボタン６Ｃを押す「中押し」を促す押し順ナビと、紫セブン１又は２を想定した「紫７を狙え」の目押しナビが表示される。スピーカー９１〜９４から「右だ」とか、「中だ」とかの音声ナビが出力されると共に、遊技演出ランプ類Ｗ５，Ｗ６が点灯される。押し順ナビに従い、首尾よく紫セブン１又は２の目押しに成功すると、擬似ボーナスＢＢに対応する「紫セブン１」−「紫セブン１／紫セブン２」−「紫セブン２」の紫７シングル揃い１や「紫セブン２」−「紫セブン１／紫セブン２」−「紫セブン１」の紫７シングル揃い２を有効ラインｍＬに表示できる。
【０２７８】
例えば、リプレイ６の当選時、スタートレバー５の操作後、液晶表示装置７０に、第１番目に右ストップボタン６Ｒを押す「逆押し」を促す押し順ナビと、黒バーを想定した「ＢＡＲを狙え」の目押しナビが表示される。スピーカー９１〜９４から「右だ」との音声ナビが出力されると共に、遊技演出ランプ類Ｗ６が点灯される。押し順ナビに従い、首尾よく黒バーの目押しに成功すると、擬似ボーナスＲＢに対応する「黒バー」−「黒バー」−「黒バー」の黒バー一直線を有効ラインｍＬに表示できる。
【０２７９】
例えば、３１２ベル１〜８何れかの当選時、スタートレバー５の操作後、液晶表示装置７０に、第１番目に右ストップボタン６Ｒを押し、第２番目に左ストップボタン６Ｌを押し、第３番目に中ストップボタン６Ｃを押す「右、左、中」の押し順ナビが表示されると共に、ベルの図柄を示唆させる黄色をベースとした色彩演出が付帯される。ボタン操作の進展に伴い、次に押すべきボタンが液晶表示装置７０上で強調表示されると共に、スピーカー９１〜９４から「右だ」、「左だ」、「中だ」等の音声ナビが出力されると共に、遊技演出ランプ類Ｗ４〜Ｗ６が順次点灯される。押し順ナビに従うだけで、「ベル」−「ベル」−「ベル」を有効ラインｍＬに表示でき、９枚の遊技メダルが払出される。
【０２８０】
例えば、２１３ベル１〜８何れかの当選時、スタートレバー５の操作後、液晶表示装置７０に、第１番目に中ストップボタン６Ｃを押し、第２番目に左ストップボタン６Ｌを押し、第３番目に右ストップボタン６Ｒを押す「中、左、右」の押し順ナビが表示されると共に、ベルの図柄を示唆させる黄色をベースとした色彩演出が付帯される。ボタン操作の進展に伴い、次に押すべきボタンが液晶表示装置７０上で強調表示されると共に、スピーカー９１〜９４から「中だ」、「左だ」、「右だ」等の音声ナビが出力されると共に、遊技演出ランプ類Ｗ４〜Ｗ６が順次点灯される。押し順ナビに従うだけで、「ベル」−「ベル」−「ベル」を有効ラインｍＬに表示でき、９枚の遊技メダルが払出される。
【０２８１】
例えば、２３１ベル１〜１４何れかの当選時、スタートレバー５の操作後、液晶表示装置７０に、第１番目に中ストップボタン６Ｃを押し、第２番目に右ストップボタン６Ｒを押し、第３番目に左ストップボタン６Ｌを押す「中、右、左」の押し順ナビが表示されると共に、ベルの図柄を示唆させる黄色をベースとした色彩演出が付帯される。ボタン操作の進展に伴い、次に押すべきボタンが液晶表示装置７０上で強調表示されると共に、スピーカー９１〜９４から「中だ」、「右だ」、「左だ」等の音声ナビが出力されると共に、遊技演出ランプ類Ｗ４〜Ｗ６が順次点灯される。押し順ナビに従うだけで、「ベル」−「ベル」−「ベル」を有効ラインｍＬに表示でき、９枚の遊技メダルが払出される。
【０２８２】
例えば、３２１ベル１〜１４何れかの当選時、スタートレバー５の操作後、液晶表示装置７０に、第１番目に右ストップボタン６Ｒを押し、第２番目に中ストップボタン６Ｃを押し、第３番目に左ストップボタン６Ｌを押す「右、中、左」の押し順ナビが表示されると共に、ベルの図柄を示唆させる黄色をベースとした色彩演出が付帯される。ボタン操作の進展に伴い、次に押すべきボタンが液晶表示装置７０上で強調表示されると共に、スピーカー９１〜９４から「右だ」、「中だ」、「左だ」等の音声ナビが出力されると共に、遊技演出ランプ類Ｗ４〜Ｗ６が順次点灯される。押し順ナビに従うだけで、「ベル」−「ベル」−「ベル」を有効ラインｍＬに表示でき、９枚の遊技メダルが払出される。
【０２８３】
アシストリプレイタイムＡＲＴは、ＡＴの継続ゲーム数を超過し、アシスト表示手段Ｇの作動が無くなると終了して、通常遊技に転落する。ＡＴの最低継続ゲーム数は例えば４０回に定めているが、擬似ボーナスＳＢＢ，ＢＢ，ＲＢによる継続ゲーム数の追加が見込まれると共に、当選確率が比較的低いレア小役、すなわち、弱スイカ、強スイカ１、強スイカ２、弱チェ、強チェ１、強チェ２、中段チェ、チャンス１〜５の何れかの当選を契機に、周辺制御装置ＳＣ上でする上乗せ抽選に当選することができると、当選の都度所定の上乗せゲーム数例えば４０回が更に追加される。また、確定１又は確定２は極めて当選し難い当選分子（それぞれ１）としており、確定１又は２に当選するだけで、上乗せ抽選によらず、所定の上乗せゲーム数例えば４０回が更に追加される。なお、確定１又は確定２は、その当選により、天井遊技数の到達又はエスケープゾーンの完走によるＡＲＴへの昇格と同様にＡＲＴに昇格するものとしてもよい。
【０２８４】
ＭＢ内部当選中、純粋にハズレを引く確率は１／６５５３６と極めて低く、たとえＭＢ内部当選中にハズレを引いたとしても、左リール１Ｌについて、黒バーが表示窓８０の上段に現れるタイミングで停止操作するＤＤＴポイントでの目押しを実行している限り、左リール１Ｌの図柄番号１０番の紫セブン２を中段に引込むことはなく、「紫セブン２」−「チェリー」−「紫セブン１」の表示は回避され、ＭＢ内部当選中の遊技状態が維持される。従って、ＭＢ内部当選中からＭＢ作動中に移行するのは、１／６５５３６確率でハズレを引き、このハズレを引いたゲームで、左リール１ＬについてＤＤＴポイントでの目押しが遅れる等して紫セブン２を中段に引込んでしまい、かつ、中リール１Ｃのチェリーを敢えて中段に停止させ、かつ、右リール１Ｒの紫セブン１を敢えて中段に停止させた場合に限られる。
【０２８５】
図１９に、主制御装置ＭＣのメインＣＰＵでする１回の遊技処理の流れを示す。メインＣＰＵは、規定数の遊技メダルの投入完了下（ステップＭ０１）、スタートレバー５の操作の有無を判定する（ステップＭ０２）。遊技メダルの投入には、メダル投入口２からの直接のメダル投入、マックスベットボタン３の操作、前回遊技での再遊技による自動投入を含む。規定数の遊技メダルの投入が完了していない場合、又は、スタートレバー５の操作が無い場合、いずれも待機状態となる。
【０２８６】
規定数の遊技メダルの投入完了下でスタートレバー５の操作が有ると、遊技メダルを追加投入するベットを禁止し（ステップＭ０３）、内部抽選用乱数を取得する（ステップＭ０４）。この内部抽選用乱数の取得に続き、図１７のテーブルを参照した内部抽選処理により、遊技状態の違いに応じて各条件装置毎に割り振った当選分子を順次差し引き、負の値になった時点での条件装置の作動すなわち当選を決定する（ステップＭ０５）。作動に係る条件装置が決定されると、当該遊技での停止許可フラグ及び停止制御番号が決まる。
【０２８７】
内部抽選処理の後、前回遊技の開始からメインＣＰＵで計時管理する遊技時間間隔が所定の最低遊技時間間隔である４．１秒を経過している場合は直ちに、４．１秒を経過していない場合は４．１秒の経過を待って、全リール１Ｌ，１Ｃ，１Ｒを図柄が上から下にスクロールする正転側に回転させるリール始動処理をする（ステップＭ０６）。４．１秒は、再遊技を設けるべきことと同様（「技術上の規格解釈基準」の二．各論の（四）の（１）リ（イ））、「１分間におおむね４００円の遊技料金に相当する数を超える数の遊技メダル又は遊技球を使用して遊技をさせることができる性能を有する」ことを禁じた「風俗営業等の規制及び業務の適正化等に関する法律施行規則」第７条表中、回胴式遊技機の第一の要請からくるものであり、この点は４号機時代から適用されている。
【０２８８】
各リール１Ｌ，１Ｃ，１Ｒが１分間に約８０回転の定速回転に達したことを条件に各ストップボタン６Ｌ，６Ｃ，６Ｒに内蔵した停止可能ランプ６１，６２，６３を点灯させ、ストップボタン６Ｌ，６Ｃ，６Ｒによる遊技者操作に基づいて対応するリール１Ｌ，１Ｃ，１Ｒを個別に停止させるリール停止制御を実行する（ステップＭ０７）。リール停止制御の詳細は後述する。
【０２８９】
リール停止制御により全リールが停止されると、入賞の場合は（ステップＭ０８）、所定枚数の遊技メダルを払出す遊技メダル払出処理をする（ステップＭ０９）。続いて、遊技状態がＭＢ作動中の場合は最大獲得枚数の超過による終了条件を判定する役物遊技終了判定処理を行う（ステップＭ１０）。遊技状態がＭＢ作動以外の場合は、ステップＭ１０をスルーする。引き続いて、主制御装置ＭＣのＲＡＭの所定領域のクリア処理及び更新処理をし（ステップＭ１１）、ベット禁止を解除して（ステップＭ１２）、１回の遊技処理を終える。
【０２９０】
図２０に示すように、リール停止制御（図１９のステップＭ０７）では、当該遊技の内部抽選で決定した作動にかかる条件装置（条件装置番号０〜１３８）に応じて、図１３〜１６に示した対応関係どおりに、停止制御番号０〜３０を取得する（ステップＳ０１）。なお、停止制御番号０〜３０についての詳細はさらに後述する。
【０２９１】
次に、引込み検索データ作成手段Ｃの新規作成手段Ｃ１による処理として、回転中にある各リール１Ｌ，１Ｃ，１Ｒの各図柄（図柄番号０〜２０）に対応させて、内部抽選で決定した作動に係る条件装置に対応した図柄が有効ラインｍＬに表示可能か否かを区別するための引込み検索データを新規に作成する。新規作成は、回転中にある全リール１Ｌ〜１Ｒが対象となり、内部抽選の後、第１番目のストップボタンの操作受付前すなわち各ストップボタン６Ｌ，６Ｃ，６Ｒの停止可能ランプ６１，６２，６３を点灯させる前に行う。
【０２９２】
引込み検索データの新規作成には、作動に係る条件装置に対応した当該遊技での８バイトの停止許可フラグと、上記Ｌ−１〜Ｒ−１０の図柄の種類別の論理式の対応関係とから、各リール１Ｌ，１Ｃ，１Ｒの図柄番号０〜２０の各図柄について、基準位置とする表示窓８０の下段にその図柄が停止したなら中段の有効ラインｍＬに作動に係る条件装置に対応した図柄が表示されることを示す引込みデータ有情報、或は、基準位置とする表示窓８０の下段にその図柄が停止しても中段の有効ラインｍＬに作動に係る条件装置に対応した図柄が表示されないことを示す引込みデータ無情報をＲＡＭ上に逐次記憶していく。
【０２９３】
再遊技に係る条件装置の作動時、作動に係る再遊技に対応した図柄が有効ラインに表示可能であれば、下段に停止予定の図柄番号の図柄に対して、１バイトの最上位ビット（最下位ビットが第１ビットなら第８ビット）に１を立てた第１の引込みデータ有情報として下段基準引込データ有（再遊技）＝１０００００００Ｂ（８０Ｈ）を記憶する。
【０２９４】
入賞に係る条件装置の作動時、作動に係る入賞に対応した図柄が有効ラインに表示可能であれば、下段に停止予定の図柄番号の図柄に対して、第１の引込みデータ有情報と異なる第７ビットに１を立てた第２の引込みデータ有情報として下段基準引込データ有（入賞）＝０１００００００Ｂ（４０Ｈ）を記憶する。
【０２９５】
役物等である隠れボーナスＭＢに係る条件装置の作動時、その役物等に対応した図柄が有効ラインに表示可能であれば、下段に停止予定の図柄番号の図柄に対して、第１及び第２の引込みデータ有情報と異なる第６ビットに１を立てた第３の引込みデータ有情報として下段基準引込データ有（役物）＝００１０００００Ｂ（２０Ｈ）を記憶する。
【０２９６】
ＭＢ内部当選中に再遊技に係る条件装置が作動したとき、すなわち再遊技及び役物に係る条件装置の作動時、作動に係る再遊技及び隠れボーナスＭＢに対応した図柄が有効ラインに表示可能であれば、下段に停止予定の図柄番号の図柄に対して、下段基準引込データ有（再遊技）＝１０００００００Ｂ（８０Ｈ）と、下段基準引込データ有（役物）＝００１０００００Ｂ（２０Ｈ）とを論理和した下段基準引込データ有（再遊技・役物）＝１０１０００００Ｂ（Ａ０Ｈ）を記憶する。
【０２９７】
ＭＢ内部当選中に入賞に係る条件装置が作動したとき、すなわち入賞及び役物に係る条件装置の作動時、作動に係る入賞及び隠れボーナスＭＢに対応した図柄が有効ラインに表示可能であれば、下段に停止予定の図柄番号の図柄に対して、下段基準引込データ有（入賞）＝０１００００００Ｂ（４０Ｈ）と、下段基準引込データ有（役物）＝００１０００００Ｂ（２０Ｈ）とを論理和した下段基準引込データ有（入賞・役物）＝０１１０００００Ｂ（６０Ｈ）を記憶する。
【０２９８】
再遊技、入賞、役物等の何れかの作動に係る条件装置に対応した図柄が有効ラインに表示可能でなければ、下段に停止予定の図柄番号の図柄に対して、第５ビットに１を立てた引込みデータ無情報として共通の下段基準引込データ無（停止可能）＝０００１００００Ｂ（１０Ｈ）を記憶する。なお、この下段基準引込データ無（停止可能）は、停止ビットデータの優先番号を０，１，２，３すなわち００Ｂ，０１Ｂ，１０Ｂ，１１Ｂとしている関係から、第３ビットに１を立てた０００００１００Ｂ（０４Ｈ）や、第４ビットに１を立てた００００１０００Ｂ（０８Ｈ）としてもよい。
【０２９９】
次に、ストップボタン６Ｌ，６Ｃ，６Ｒの停止操作が有効に受付けられたかを判定する（ステップＳ０３）。リール１Ｌ，１Ｃ，１Ｒの始動後、停止可能ランプ６１，６２，６３が点灯して第１番目の停止操作を有効に受付けるときには、前記ステップＳ０２による引込み検索データの新規作成は完了している。また、ストップボタン６Ｌ，６Ｃ，６Ｒの受付間隔時間の経過後、第２，第３番目の停止操作を有効に受付けるときには、後記ステップＳ１８による引込み検索データの改定作成は完了している。
【０３００】
停止操作が有効に受付けられた判定がされると、停止ビットデータ選択手段Ｂによる処理として、停止操作がされたリールに対応させて、後述する「停止制御番号毎の押し順に応じた停止ビットデータテーブル番号参照テーブル」を用いて特定の停止ビットデータテーブル番号（１〜７３）を取得する（ステップＳ０４）。
【０３０１】
続いて、停止操作がされたリールについて、その停止操作時点から基準位置とする表示窓８０の下段に１コマ滑り未満の０コマ滑りで即止め可能な図柄と、同下段に２コマ滑り未満の１コマ滑りで停止可能な図柄と、同下段に３コマ滑り未満の２コマ滑りで停止可能な図柄と、同下段に４コマ滑り未満の３コマ滑りで停止可能な図柄と、同下段に５コマ滑り未満の４コマ滑りで停止可能な図柄との合計５コマ（ＭＢ作動中の左リールのみについては即止め可能な図柄と１コマ滑りで停止可能な図柄との２コマ）の検索対象コマについて、前記ステップＳ０４で取得した特定番号の停止ビットデータテーブル中に記憶された優先番号（０，１，２，３）をＲＡＭの作業領域の参照エリアに一時記憶する（ステップＳ０５）。
【０３０２】
続いて、合計５コマ（ＭＢ作動中の左リールのみ２コマ）の検索対象コマについて、作成済の引込み検索データ（８０Ｈを１０Ｈと区別したもの等）を、ＲＡＭの作業領域の参照エリアに一時記憶する（ステップＳ０６）。
【０３０３】
停止操作が第１番目のときには（ステップＳ０７）、停止候補得点算出手段Ｄによる処理として、上記合計５コマ（ＭＢ作動中の左リールのみ２コマ）の検索対象コマについて、コマ毎に、引込み検索データ（８０Ｈ，１０Ｈ等）と優先番号（０，１，２，３）とを加算し（８０Ｈ＋３＝８３Ｈ等）、停止候補得点を算出する（ステップＳ０８）。
【０３０４】
ここで、ステップＳ０７で停止操作が第１番目でないとき、第１番目の停止操作で実際の滑りコマ数を決定することとなる後記ステップＳ１５による保存優先番号が３でも０でもなく、中間の２又は１であったとき（ステップＳ０９）、優先順位変換手段Ｆによる処理として、保存優先番号が２なら、停止ビットデータテーブル中の記憶優先番号の２は３に、同記憶優先番号の３は２に各変換し、保存優先番号が１なら、停止ビットデータテーブル中の記憶優先番号の１は３に、同記憶優先番号の３は２に、同記憶優先番号の２は１に各変換し、ステップＳ０８の得点算出をすることになる（ステップＳ１０）。
【０３０５】
ステップＳ０８で検索対象コマ分について求めた停止候補得点が最大値となるコマが一つなら（ステップＳ１１）、その得点最大のコマを基に、該得点最大のコマを表示窓８０の下段に停止させるのに必要な実際の滑りコマ数を算出する（ステップＳ１２）。得点最大のコマが複数ある場合は、より少ない滑りとなる得点最大のコマ基に、該得点最大のコマを表示窓８０の下段に停止させるのに必要な実際の滑りコマ数を算出する（ステップＳ１３）。
【０３０６】
次に、停止操作が第１番目のときには（ステップＳ１４）、実際の滑りコマ数を決定することとなった得点最大のコマに対応した優先番号を保存する（ステップＳ１５）。
【０３０７】
続いて、可変表示停止手段Ｅによる処理として、ステップＳ１２又はステップＳ１３で算出した算出滑りコマ数を基に、停止操作に係るリールを停止させる。（ステップＳ１６）。
【０３０８】
左、中、右の３本全てのリールが停止されたのでなく、回転中のリールがある場合（ステップＳ１７）、引込み検索データを改定する。（ステップＳ１８）。第１番目のリールの停止位置決定後は、引込み検索データ作成手段Ｃの第１改定手段Ｃ２による処理として、作動に係る条件装置と停止済となる図柄とに基づいて第１の改定をする。すなわち、有効ラインｍＬに停止済となる図柄によって、作動に係る条件装置に対応した図柄の組合せに元々含まれていたが対象から外れる図柄が出てくるため、当初は下段基準引込データ有の８０Ｈや４０Ｈや２０Ｈを記憶したが、対象外となったものについては、下段基準引込データ無の１０Ｈに改めたり、当初は下段基準引込データ有のＡ０Ｈや６０Ｈを記憶したが、Ａ０Ｈを８０Ｈ又は２０Ｈ若しくは１０Ｈに改めたり、６０Ｈを４０Ｈ又は２０Ｈ若しくは１０Ｈに改めたりする。
【０３０９】
また、第２番目のリールの停止位置決定後は、引込み検索データ作成手段Ｃの最終改定手段Ｃ３による処理として、有効ラインｍＬにさらに停止済となる図柄によりさらに組合せの対象外となったものについては、８０Ｈや４０Ｈや２０Ｈを下段基準引込データ無の１０Ｈに改める等すると共に、最後の停止図柄によっては非作動に係る条件装置に対応した図柄の組合せが表示されてしまうこともあり得ることから、必要に応じて、下段基準引込データ有のＡ０Ｈ，８０Ｈ，６０Ｈ，４０Ｈ，２０Ｈ及び又は下段基準引込データ無の１０Ｈを、下段基準停止不可＝００００００００Ｂ（００Ｈ）に改める。
【０３１０】
引込み検索データ作成手段Ｃの新規作成手段Ｃ１、第１改定手段Ｃ２、最終改定手段Ｃ３により、ストップボタン６Ｌ，６Ｃ，６Ｒを押してから対応するリール１Ｌ，１Ｃ，１Ｒが停止するまでのステップＳ０３〜Ｓ１６処理を、停止済み図柄を一々参照することなく簡易に行うことができる。
【０３１１】
ステップＳ１７で全リールの停止が判定されると、有効ラインｍＬに表示された図柄の組合せを判定し（Ｓ１９）、リール停止制御のサブルーチンを抜ける。
【０３１２】
図２１に、停止ビットデータ選択手段Ｂの主要構成となる「停止制御番号毎の押し順に応じた停止ビットデータテーブル番号参照テーブル」を示す。大きさは、１５×３１＝４４５バイトである。
【０３１３】
この参照テーブルは、ハズレを含む０〜３０の３１種類の停止制御番号毎に、各ストップボタン６Ｌ，６Ｃ，６Ｒを押す操作順序、すなわち、１停止（左第１停止）、２停止（中第１停止）、３停止（右第１停止）、１２停止（左後中第２停止）、１３停（左後右第２停止）、２１停止（中後左第２停止）、２３停止（中後右第２停止）、３１停止（右後左第２停止）、３２停止（右後中第２停止）、１２３停止（左後中後右第３停止）、１３２停止（左後右後中第３停止）、２１３停止（中後左後右第３停止）、２３１停止（中後右後左第３停止）、３１２停止（右後左後中第３停止）、３２１停止（右後中後左第３停止）に応じて、以下に列挙する停止ビットデータ群０〜１８中に定義する１〜７３の停止ビットデータテーブル番号を選ぶ。停止制御番号が異なっても同じテーブル番号が選ばれることもあるし、停止順序が異なっても同じテーブル番号が選ばれることもあり、停止ビットデータテーブルの総数を可能な限り少なくしている。
【０３１４】
図２２は、停止ビットデータ群記憶手段Ａ（１／１９）となる停止ビットデータ群０であり、１バイト（８ビット）を４分割した２ビット毎の分割領域にテーブル番号１，２，３，４の相互に異なる停止ビットデータの各優先番号を記憶している。それぞれ、プログラムカウンタが進行するアドレスの増加方向に、リール１Ｌ，１Ｃ，１Ｒの上から下に向けて図柄番号２０，１９，１８・・・１，０と並ぶ関係を上下に反転させて上から下に向けて図柄番号０，１，２・・・１９，２０と並ぶ関係とした反転図柄に対応させた各停止ビットデータの各優先番号０（００Ｂ），１（０１Ｂ），２（１０Ｂ），３（１１Ｂ）を記憶している。例えば、テーブル番号１において、中段の有効ラインに、図柄番号１０番の紫セブン２を優先表示させるには、表示窓８０の下段を基準にしているため、図柄番号９のスイカ２に優先番号３（１１Ｂ）を記憶している。
【０３１５】
テーブル番号１のものは、左リール１Ｌに対応し、中段に、紫セブン２又はチェリー又はリプレイ１又はリプレイ２を、優先番号３で優先表示させる。
テーブル番号２のものは、左リール１Ｌに対応し、中段に、黒バー又はスイカ２又はスイカ１又はベルを、優先番号３，２，１で優先表示させる。
テーブル番号３のものは、中リール１Ｃに対応し、中段に、チェリー又は紫セブン２又はスイカ１又はスイカ２又は紫セブン１又は黒バー又はリプレイ１又はリプレイ２を、優先番号３，２，１で優先表示させる。
テーブル番号４のものは、左リール１Ｌに対応し、中段に、チェリー又はベルを、優先番号３，２で優先表示させる。
【０３１６】
図２３は、停止ビットデータ群記憶手段Ａ（２／１９）となる停止ビットデータ群１であり、１バイト（８ビット）を４分割した２ビット毎の分割領域にテーブル番号５，６，７，８の相互に異なる停止ビットデータの各優先番号を記憶している。
【０３１７】
テーブル番号５のものは、中リール１Ｃに対応し、中段に、紫セブン１又は紫セブン２又は赤セブン又は黒バー又はリプレイ１又はリプレイ２を、優先番号３，２で優先表示させる。
テーブル番号６のものは、右リール１Ｒに対応し、中段に、チェリー又は紫セブン２又は黒バー又はスイカ１又はスイカ２を、優先番号３，２で優先表示させる。
テーブル番号７のものは、右リール１Ｒに対応し、中段に、リプレイ１又はリプレイ２又はスイカ１又はスイカ２又はチェリーを、優先番号３，１で優先表示させる。
テーブル番号８のものは、中リール１Ｃに対応し、中段に、ベルを、優先番号３で優先表示させる。
【０３１８】
図２４は、停止ビットデータ群記憶手段Ａ（３／１９）となる停止ビットデータ群２であり、１バイト（８ビット）を４分割した２ビット毎の分割領域にテーブル番号９，１０，１１，１２の相互に異なる停止ビットデータの各優先番号を記憶している。
【０３１９】
テーブル番号９のものは、右リール１Ｒに対応し、中段に、チェリー又は紫セブン２又は赤セブン又はスイカ１を、優先番号３で優先表示させる。
テーブル番号１０のものは、左リール１Ｌに対応し、中段に、紫セブン１又は赤セブン又は黒バー又はスイカ１を、優先番号３で優先表示させる。
テーブル番号１１のものは、右リール１Ｒに対応し、中段に、ベルを、優先番号３で優先表示させる。
テーブル番号１２のものは、中リール１Ｃに対応し、中段に、紫セブン１又は紫セブン２又は黒バー又はスイカ１を、優先番号３で優先表示させる。
【０３２０】
図２５は、停止ビットデータ群記憶手段Ａ（４／１９）となる停止ビットデータ群３であり、１バイト（８ビット）を４分割した２ビット毎の分割領域にテーブル番号１３，１４，１５，１６の相互に異なる停止ビットデータの各優先番号を記憶している。
【０３２１】
テーブル番号１３のものは、左リール１Ｌに対応し、中段に、ベルを、優先番号３，２で優先表示させる。
テーブル番号１４のものは、中リール１Ｃに対応し、中段に、リプレイ１又はリプレイ２又は赤セブンを、優先番号３，２で優先表示させる。
テーブル番号１５のものは、右リール１Ｒに対応し、中段に、リプレイ１又はリプレイ２を、優先番号３で優先表示させる。
テーブル番号１６のものは、左リール１Ｌに対応し、中段に、ベル又はリプレイ１を、優先番号２，１で優先表示させる。
【０３２２】
図２６は、停止ビットデータ群記憶手段Ａ（５／１９）となる停止ビットデータ群４であり、１バイト（８ビット）を４分割した２ビット毎の分割領域にテーブル番号１７，１８，１９，２０の相互に異なる停止ビットデータの各優先番号を記憶している。
【０３２３】
テーブル番号１７のものは、中リール１Ｃに対応し、中段に、紫セブン１又は紫セブン２又は黒バー又はリプレイ１又はリプレイ２又はスイカ１又はスイカ２を、優先番号３，２，１で優先表示させる。
テーブル番号１８のものは、右リール１Ｒに対応し、中段に、チェリー又はベル又は黒バー又はリプレイ１を、優先番号３，２で優先表示させる。
テーブル番号１９のものは、左リール１Ｌに対応し、中段に、ベルを、優先番号３で優先表示させる。
テーブル番号２０のものは、中リール１Ｃに対応し、中段に、紫セブン２又は黒バー又は紫セブン１又はスイカ１又はスイカ２又はリプレイ２を、優先番号３，２で優先表示させる。
【０３２４】
図２７は、停止ビットデータ群記憶手段Ａ（６／１９）となる停止ビットデータ群５であり、１バイト（８ビット）を４分割した２ビット毎の分割領域にテーブル番号２１，２２，２３，２４の相互に異なる停止ビットデータの各優先番号を記憶している。
【０３２５】
テーブル番号２１のものは、右リール１Ｒに対応し、中段に、紫セブン１又は赤セブン又はチェリー又は黒バー又はベル又はリプレイ１を、優先番号２，１で優先表示させる。
テーブル番号２２のものは、左リール１Ｌに対応し、中段に、ベル又はリプレイ２を、優先番号３，２，１で優先表示させる。
テーブル番号２３のものは、左リール１Ｌに対応し、中段に、紫セブン２又はベル又はリプレイ１又はリプレイ２を、優先番号３，２，１で優先表示させる。
テーブル番号２４のものは、左リール１Ｌに対応し、中段に、紫セブン１又はベル又はリプレイ１又はリプレイ２を、優先番号３，２，１で優先表示させる。
【０３２６】
図２８は、停止ビットデータ群記憶手段Ａ（７／１９）となる停止ビットデータ群６であり、１バイト（８ビット）を４分割した２ビット毎の分割領域にテーブル番号２５，２６，２７，２８の相互に異なる停止ビットデータの各優先番号を記憶している。
【０３２７】
テーブル番号２５のものは、中リール１Ｃに対応し、中段に、スイカ１又はスイカ２又はリプレイ２を、優先番号３，１で優先表示させる。
テーブル番号２６のものは、中リール１Ｃに対応し、中段に、紫セブン１又は紫セブン２又はリプレイ１又はリプレイ２を、優先番号３，１で優先表示させる。
テーブル番号２７のものは、右リール１Ｒに対応し、中段に、紫セブン２又は赤セブン又はチェリー又はスイカ１又はリプレイ１又はリプレイ２を、優先番号３，２，１で優先表示させる。
テーブル番号２８のものは、右リール１Ｒに対応し、中段に、紫セブン１又は赤セブン又は黒バー又はベル又はリプレイ１又はチェリーを、優先番号３，２，１で優先表示させる。
【０３２８】
図２９は、停止ビットデータ群記憶手段Ａ（８／１９）となる停止ビットデータ群７であり、１バイト（８ビット）を４分割した２ビット毎の分割領域にテーブル番号２９，３０，３１，３２の相互に異なる停止ビットデータの各優先番号を記憶している。
【０３２９】
テーブル番号２９のものは、左リール１Ｌに対応し、中段に、リプレイ１又はリプレイ２を、優先番号３で優先表示させる。
テーブル番号３０のものは、左リール１Ｌに対応し、中段に、紫セブン１又は赤セブン又は黒バー又はスイカ１又はスイカ２又はベルを、優先番号３で優先表示させる。
テーブル番号３１のものは、中リール１Ｃに対応し、中段に、リプレイ１又はリプレイ２を、優先番号２で優先表示させる。
テーブル番号３２のものは、右リール１Ｒに対応し、中段に、チェリー又は黒バー又はスイカ１又はスイカ２を、優先番号３で優先表示させる。
【０３３０】
図３０は、停止ビットデータ群記憶手段Ａ（９／１９）となる停止ビットデータ群８であり、１バイト（８ビット）を４分割した２ビット毎の分割領域にテーブル番号３３，３４，３５，３６の相互に異なる停止ビットデータの各優先番号を記憶している。
【０３３１】
テーブル番号３３のものは、左リール１Ｌに対応し、中段に、黒バー又はベル又はリプレイ１又はリプレイ２を、優先番号３，１で優先表示させる。
テーブル番号３４のものは、右リール１Ｒに対応し、中段に、ベル又はリプレイ１又リプレイ２を、優先番号３，１で優先表示させる。
テーブル番号３５のものは、右リール１Ｒに対応し、中段に、黒バー又はリプレイ１又はリプレイ２を、優先番号３，１で優先表示させる。
テーブル番号３６のものは、右リール１Ｒと左リーリ１Ｌに対応し、右リール１Ｒの中段に、紫セブン２又は黒バー又はベル又はスイカ２又はリプレイ２又はリプレイ１又はスイカ１又はチェリー又は赤セブンを、優先番号３，２，１で優先表示させ、左リール１Ｌの中段に、黒バー又はベル又はリプレイ２又はスイカ１又はスイカ２又はチェリー又はリプレイ１又は紫セブン２を、優先番号３，２，１で優先表示させる。
【０３３２】
図３１は、停止ビットデータ群記憶手段Ａ（１０／１９）となる停止ビットデータ群９であり、１バイト（８ビット）を４分割した２ビット毎の分割領域にテーブル番号３７，３８，３９，４０の相互に異なる停止ビットデータの各優先番号を記憶している。
【０３３３】
テーブル番号３７のものは、左リール１Ｌに対応し、中段に、スイカ１又はスイカ２又はベル又はリプレイ１を、優先番号３，２，１で優先表示させる。
テーブル番号３８のものは、中リール１Ｃに対応し、中段に、スイカ１又はスイカ２又は紫セブン２又は紫セブン１又は黒バーを、優先番号３，２で優先表示させる。
テーブル番号３９のものは、右リール１Ｒに対応し、中段に、スイカ１又はスイカ２又は紫セブン１又は赤セブン又は黒バー又はベル又はリプレイ１を、優先番号３，２，１で優先表示させる。
テーブル番号４０のものは、左リール１Ｌに対応し、中段に、ベル又は黒バーを、優先番号３で優先表示させる。
【０３３４】
図３２は、停止ビットデータ群記憶手段Ａ（１１／１９）となる停止ビットデータ群１０であり、１バイト（８ビット）を４分割した２ビット毎の分割領域にテーブル番号４１，４２，４３，４４の相互に異なる停止ビットデータの各優先番号を記憶している。
【０３３５】
テーブル番号４１のものは、左リール１Ｌに対応し、中段に、黒バー又はスイカ２又はスイカ１又はリプレイ２を、優先番号３，２，１で優先表示させる。
テーブル番号４２のものは、中リール１Ｃに対応し、中段に、チェリー又はスイカ１又はスイカ２又は紫セブン２又は紫セブン１又は黒バーを、優先番号３，２で優先表示させる。
テーブル番号４３のものは、右リール１Ｒに対応し、中段に、ベル又はリプレイ１又はリプレイ２を、優先番号３，２で優先表示させる。
テーブル番号４４のものは、中リール１Ｃに対応し、中段に、チェリー又は紫セブン２又は黒バー又はスイカ１を、優先番号３，２で優先表示させる。
【０３３６】
図３３は、停止ビットデータ群記憶手段Ａ（１２／１９）となる停止ビットデータ群１１であり、１バイト（８ビット）を４分割した２ビット毎の分割領域にテーブル番号４５，４６，４７，４８の相互に異なる停止ビットデータの各優先番号を記憶している。
【０３３７】
テーブル番号４５のものは、左リール１Ｌに対応し、中段に、リプレイ２又はベルを、優先番号３，２，１で優先表示させる。
テーブル番号４６のものは、中リール１Ｃに対応し、中段に、チェリー又は紫セブン２又は赤セブン又はリプレイ１を、優先番号３，１で優先表示させる。
テーブル番号４７のものは、右リール１Ｒに対応し、中段に、チェリー又は紫セブン１又は黒バー又はスイカ１又はスイカ２を、優先番号３，１で優先表示させる。
テーブル番号４８のものは、右リール１Ｒに対応し、中段に、チェリー又は紫セブン２又はスイカ１又はスイカ２又は赤セブンを、優先番号３，２で優先表示させる。
【０３３８】
図３４は、停止ビットデータ群記憶手段Ａ（１３／１９）となる停止ビットデータ群１２であり、１バイト（８ビット）を４分割した２ビット毎の分割領域にテーブル番号４９，５０，５１，５２の相互に異なる停止ビットデータの各優先番号を記憶している。
【０３３９】
テーブル番号４９のものは、中リール１Ｃに対応し、中段に、黒バー又は紫セブン１又はチェリー又はベルを、優先番号３で優先表示させる。
テーブル番号５０のものは、右リール１Ｒに対応し、中段に、黒バー又は紫セブン１又は赤セブン又はベル又はリプレイ１を、優先番号３で優先表示させる。
テーブル番号５１のものは、中リール１Ｃに対応し、中段に、赤セブン又は紫セブン１又はチェリー又はリプレイ１又はリプレイ２を、優先番号３，２で優先表示させる。
テーブル番号５２のものは、中リール１Ｃに対応し、中段に、紫セブン１又は紫セブン２又は赤セブン又は黒バー又はスイカ１又はリプレイ１又はリプレイ２を、優先番号３，２，１で優先表示させる。
【０３４０】
図３５は、停止ビットデータ群記憶手段Ａ（１４／１９）となる停止ビットデータ群１３であり、１バイト（８ビット）を４分割した２ビット毎の分割領域にテーブル番号５３，５４，５５，５６の相互に異なる停止ビットデータの各優先番号を記憶している。
【０３４１】
テーブル番号５３のものは、右リール１Ｒに対応し、中段に、紫セブン２又はスイカ１又はスイカ２又はベル又はチェリーを、優先番号３，２，１で優先表示させる。
テーブル番号５４のものは、左リール１Ｌに対応し、中段に、リプレイ１又はリプレイ２を、優先番号３，２，１で優先表示させる。
テーブル番号５５のものは、中リール１Ｃに対応し、中段に、紫セブン１又は紫セブン２又は黒バー又はスイカ１又はスイカ２又はベル又はチェリーを、優先番号３，１で優先表示させる。
テーブル番号５６のものは、右リール１Ｒに対応し、中段に、リプレイ１又はリプレイ２又は紫セブン２又は黒バー又は赤セブン又はベル又はスイカ１又はチェリーを、優先番号３，１で優先表示させる。
【０３４２】
図３６は、停止ビットデータ群記憶手段Ａ（１５／１９）となる停止ビットデータ群１４であり、１バイト（８ビット）を４分割した２ビット毎の分割領域にテーブル番号５７，５８，５９，６０の相互に異なる停止ビットデータの各優先番号を記憶している。
【０３４３】
テーブル番号５７のものは、中リール１Ｃに対応し、中段に、チェリー又はリプレイ１又はリプレイ２又は紫セブン１又は紫セブン２又は黒バー又はベル又はスイカ１又はスイカ２を、優先番号３，１で優先表示させる。
テーブル番号５８のものは、右リール１Ｒに対応し、中段に、紫セブン２又は赤セブン又はチェリー又はスイカ１又は黒バー又はベルを、優先番号３，１で優先表示させる。
テーブル番号５９のものは、左リール１Ｌに対応し、中段に、赤セブン又はスイカ１又はスイカ２を、優先番号３で優先表示させる。
テーブル番号６０のものは、中リール１Ｃに対応し、中段に、チェリー又はリプレイ１又はリプレイ２を、優先番号３，２で優先表示させる。
【０３４４】
図３７は、停止ビットデータ群記憶手段Ａ（１６／１９）となる停止ビットデータ群１５であり、１バイト（８ビット）を４分割した２ビット毎の分割領域にテーブル番号６１，６２，６３，６４の相互に異なる停止ビットデータの各優先番号を記憶している。
【０３４５】
テーブル番号６１のものは、左リール１Ｌに対応し、中段に、スイカ１又はスイカ２又はベルを、優先番号３，２で優先表示させる。
テーブル番号６２のものは、中リール１Ｃに対応し、中段に、紫セブン１又は紫セブン２又は黒バー又はスイカ１又はスイカ２又はベル又はチェリーを、優先番号３，２で優先表示させる。
テーブル番号６３のものは、右リール１Ｒに対応し、中段に、リプレイ１又はリプレイ２又は紫セブン１又は赤セブン又は黒バー又はベルを、優先番号３，２で優先表示させる。
テーブル番号６４のものは、中リール１Ｃに対応し、中段に、紫セブン１又は紫セブン２又はベル又はリプレイ１又はリプレイ２を、優先番号３，２，１で優先表示させる。
【０３４６】
図３８は、停止ビットデータ群記憶手段Ａ（１７／１９）となる停止ビットデータ群１６であり、１バイト（８ビット）を４分割した２ビット毎の分割領域にテーブル番号６５，６６，６７，６８の相互に異なる停止ビットデータの各優先番号を記憶している。
【０３４７】
テーブル番号６５のものは、右リール１Ｒに対応し、中段に、紫セブン２又はリプレイ１又はリプレイ２を、優先番号３，１で優先表示させる。
テーブル番号６６のものは、中リール１Ｃに対応し、中段に、赤セブン又は黒バー又はリプレイ１又はリプレイ２を、優先番号３，１で優先表示させる。
テーブル番号６７のものは、中リール１Ｃに対応し、中段に、スイカ１又はスイカ２又はチェリー又は紫セブン１を、優先番号３，２，１で優先表示させる。
テーブル番号６８のものは、右リール１Ｒに対応し、中段に、紫セブン１又は赤セブン又は黒バー又はベル又はリプレイ１を、優先番号３，１で優先表示させる。
【０３４８】
図３９は、停止ビットデータ群記憶手段Ａ（１８／１９）となる停止ビットデータ群１７であり、１バイト（８ビット）を４分割した２ビット毎の分割領域にテーブル番号６９，７０，７１，７２の相互に異なる停止ビットデータの各優先番号を記憶している。
【０３４９】
テーブル番号６９のものは、右リール１Ｒに対応し、中段に、紫セブン１又は紫セブン２又は赤セブン又はチェリー又はスイカ１又はリプレイ１又はリプレイ２を、優先番号３，２，１で優先表示させる。
テーブル番号７０のものは、左リール１Ｌに対応し、中段に、紫セブン１又はスイカ２又はベル又はリプレイ１又はリプレイ２を、優先番号３，２，１で優先表示させる。
テーブル番号７１のものは、右リール１Ｒに対応し、中段に、紫セブン２又はスイカ２又はスイカ１又は赤セブン又はリプレイ１又はリプレイ２を、優先番号３，２，１で優先表示させる。
テーブル番号７２のものは、左リール１Ｌに対応し、中段に、ベル又はリプレイ１又はリプレイ２を、優先番号３，１で優先表示させる。
【０３５０】
図４０は、停止ビットデータ群記憶手段Ａ（１９／１９）となる停止ビットデータ群１８であり、１バイト（８ビット）を４分割した２ビット毎の分割領域の下位ブロックの一つにテーブル番号７３の停止ビットデータの優先番号を記憶している。上位の３ブロックは予備であり、あと３種類追加して定義することもできる。
【０３５１】
テーブル番号７３のものは、左リール１Ｌに対応し、中段に、赤セブン又はリプレイ１又はリプレイ２を、優先番号３，１で優先表示させる。
【０３５２】
以上のテーブル番号１〜７３のそれぞれは、ほとんどのものは、特定の１本のリールに対応させているが、テーブル番号３６（停止ビットデータ群８の最上位ブロック）のように、２本以上のリールに対応させていてもまったく差し支えない。３本のリールに共通の対応させるものを含ませてもよい。テーブル番号１〜７３を含む停止ビットデータ群０〜１８による停止ビットデータ群記憶手段Ａの大きさは、２１×１９＝３９９バイトである。
【０３５３】
例１；ハズレ
図４１に示すように、一般遊技中、内部抽選でハズレを引いた場合、条件装置番号は０、停止制御番号は０、停止許可となる図柄の組合せはなく、引込み検索データの新規作成時、左リール１Ｌについての左データ、中リール１Ｃについての中データ、右リール１Ｒについての右データの各図柄番号０〜２０に、下段基準引込データ無（停止可能）の１０Ｈが記憶される。
【０３５４】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。図中、第１停止位置とあるのは、山囲みの１を付した図柄番号の図柄が下段に停止可能なタイミングで第１番目のストップボタンが押されたという意味である（以下、同様）。停止制御番号０の左第１停止（１停止）の停止ビットデータのテーブル番号は５４番、検索対象の５コマは、図柄番号４，５，６，７，８となる。
図柄番号４では、左データ１０Ｈ＋テーブル番号５４の優先番号０＝１０Ｈ、
図柄番号５では、左データ１０Ｈ＋テーブル番号５４の優先番号０＝１０Ｈ、
図柄番号６では、左データ１０Ｈ＋テーブル番号５４の優先番号１＝１１Ｈ、
図柄番号７では、左データ１０Ｈ＋テーブル番号５４の優先番号０＝１０Ｈ、
図柄番号８では、左データ１０Ｈ＋テーブル番号５４の優先番号０＝１０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号１が保存される。
【０３５５】
１本のリール１Ｌの停止位置が決まった後、引込み検索データについて、停止済となる左データを除き、停止済図柄との関係で中データと右データの引込データ有を必要に応じて改定するが、ハズレの場合、新規作成時に引込データ有はなく、全て引込データ無の１０Ｈであるため、書き換えはされない。
【０３５６】
第２番目の中リール１Ｃに対する停止操作は、図柄番号４のベルが下段に停止できるタイミングでされたとする。図中、第２停止位置とあるのは、山囲みの２を付した図柄番号の図柄が下段に停止可能なタイミングで第２番目のストップボタンが押されたという意味である（以下、同様）。停止制御番号０の左後中第２停止（１２停止）の停止ビットデータのテーブル番号は５５番、検索対象の５コマは、図柄番号４，５，６，７，８となる。保存優先番号が１であるため、テーブルに記憶された優先番号１は３に、同３は２に、同２は１に読み替える優先順位の変換がされる。
図柄番号４では、中データ１０Ｈ＋テーブル番号５５の優先番号０＝１０Ｈ、
図柄番号５では、中データ１０Ｈ＋テーブル番号５５の３に変る２＝１２Ｈ、
図柄番号６では、中データ１０Ｈ＋テーブル番号５５の１に変る３＝１３Ｈ、
図柄番号７では、中データ１０Ｈ＋テーブル番号５５の優先番号０＝１０Ｈ、
図柄番号８では、中データ１０Ｈ＋テーブル番号５５の１に変る３＝１３Ｈ
で、図柄番号６と８の停止候補得点が最大値となるが、より少ない滑りコマの２コマ滑りで図柄番号６のスイカ１を下段に引込んで停止させ、中段に「ベル」を表示させる。
【０３５７】
２本のリール１Ｌ，１Ｃの停止位置が決まった後、停止済となる左データ及び中データを除き、右データについて、非作動に係る条件装置との関係で表示禁止となる図柄について１０Ｈを００Ｈに書き換える。この例の場合、中段に左「リプレイ２」−中「ベル」が表示されているため、非作動の条件装置に対応する図柄組番号２０の「リプレイ１」と「リプレイ２」が表示禁止図柄となり、これら右リール１Ｒの図柄が中段に表示されないように、図柄番号０，５，８，１３，１８の１０Ｈは００Ｈに書き換えられる。
【０３５８】
第３番目の右リール１Ｒに対する停止操作は、図柄番号４の赤セブンが下段に停止できるタイミングでされたとする。図中、第３停止位置とあるのは、山囲みの３を付した図柄番号の図柄が下段に停止可能なタイミングで第３番目のストップボタンが押されたという意味である（以下、同様）。停止制御番号０の左後中後右第３停止（１２３停止）の停止ビットデータのテーブル番号は５６番、検索対象の５コマは、図柄番号４，５，６，７，８となる。保存優先番号が１であるため、テーブルに記憶された優先番号１は３に、同３は２に、同２は１に読み替える優先順位の変換がされる。
図柄番号４では、右データ１０Ｈ＋テーブル番号５６の１に変る３＝１３Ｈ、
図柄番号５では、右データ００Ｈ＋テーブル番号５６の３に変る２＝０２Ｈ、
図柄番号６では、右データ１０Ｈ＋テーブル番号５６の１に変る３＝１３Ｈ、
図柄番号７では、右データ１０Ｈ＋テーブル番号５６の１に変る３＝１３Ｈ、
図柄番号８では、右データ００Ｈ＋テーブル番号５６の３に変る２＝０２Ｈ
で、図柄番号４と６と７の停止候補得点が最大値となるが、より少ない滑りコマの０コマ滑りで図柄番号４の赤セブンを下段に即止めさせ、中段に「ベル」を表示させる。
【０３５９】
こうして、一般遊技中、ハズレを引いた場合、有効ラインｍＬに、如何なる入賞にも再遊技にも役物にも該当しない、「リプレイ２」−「ベル」−「ベル」のハズレが表示される。
【０３６０】
例２；リプレイ１
図４２に示すように、一般遊技中に内部抽選でリプレイ１に当選した場合、条件装置番号は１、停止制御番号は１、停止許可となる図柄の組合せは図柄組番号５５，５６，５７となる。引込み検索データの新規作成時、作動に係る条件装置に対応した当該遊技での８バイトの停止許可フラグ（条件装置番号１に対応する、００Ｈ，７０Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０３６１】
ＭＢ内部当選中に内部抽選でリプレイ１に当選した場合、条件装置番号は７１、停止制御番号は１、停止許可となる図柄の組合せは図柄組番号５５，５６，５７，０１となる。引込み検索データの新規作成時、作動に係る条件装置に対応した当該遊技での８バイトの停止許可フラグ（条件装置番号７１に対応する、０１Ｈ，７０Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０３６２】
左データの図柄番号９、中データの図柄番号９，１５，１７、右データの図柄番号１０に対応する新規作成時の引込み検索データは、一般遊技中の条件装置番号１のときは１０Ｈであるのに対して、ＭＢ内部当選中の条件装置番号７１のときは、役物たるＭＢに係る図柄の組合せ「紫セブン２」−「チェリー」−「紫セブン１」を引込対象とすることから２０Ｈとなる。
【０３６３】
なお、一般遊技中とＭＢ内部当選中とで図示を兼用しているため、便宜上、一般遊技中とＭＢ内部当選中とで引込み検索データが異なることとなる場合、一つの図柄番号に対応する欄において緩傾斜状の分割線を挟んで上下に分割する上欄に一般遊技中の引込み検索データを、その下欄にＭＢ内部当選中の引込み検索データを各記載することとしている。ただし、一般遊技中とＭＢ内部当選中とは同時に起こらないため、一般遊技中なら上欄データ、ＭＢ内部当選中なら下欄データが各記憶される。図示を兼用することからの便宜上の上欄／下欄の使い分けは、引込み検索データの新規作成時の他、第１改定後及び最終改定後も同様である。また、例３以下の別例についても同様である。
【０３６４】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号１の左第１停止（１停止）の停止ビットデータのテーブル番号は２９番、検索対象の５コマは、図柄番号４，５，６，７，８となる。
一般遊技中（条件装置番号１）もＭＢ内部当選中（条件装置番号７１）も、
図柄番号４では、左データ１０Ｈ＋テーブル番号２９の優先番号０＝１０Ｈ、
図柄番号５では、左データ８０Ｈ＋テーブル番号２９の優先番号０＝８０Ｈ、
図柄番号６では、左データ８０Ｈ＋テーブル番号２９の優先番号３＝８３Ｈ、
図柄番号７では、左データ８０Ｈ＋テーブル番号２９の優先番号０＝８０Ｈ、
図柄番号８では、左データ１０Ｈ＋テーブル番号２９の優先番号０＝１０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号３が保存される。
【０３６５】
１本のリール１Ｌの停止位置が決まった後、引込み検索データについて、停止済となる左データを除き、停止済図柄との関係で対象外となる図柄について、中データと右データの引込データ有８０Ｈ又は２０Ｈは引込データ無１０Ｈに改定される。左リール１Ｌの中段に「リプレイ２」が表示されたため、図柄組番号５５に対する引込データ有８０Ｈは維持されるが、これ以外の引込データ有の８０Ｈ等は改定対象となり、中データについて「リプレイ１」又は「リプレイ２」を中段に表示させる８０Ｈは変わらないが、右データについて「黒バー」、「スイカ１」、「スイカ２」、「チェリー」、「ベル」を中段に表示させる８０Ｈは１０Ｈに書き換えられる。また、ＭＢ内部当選中（条件装置７１）なら、左リール１Ｌの中段に「リプレイ２」が表示され、ＭＢに係る図柄の組合せが表示される可能性がなくなったため、２０Ｈは１０Ｈに書き換えられる。
【０３６６】
第２番目の中リール１Ｃに対する停止操作は、図柄番号４のベルが下段に停止できるタイミングでされたとする。停止制御番号１の左後中第２停止（１２停止）の停止ビットデータのテーブル番号は３１番、検索対象の５コマは、図柄番号４，５，６，７，８となる。保存優先番号が３であるため、テーブルに記憶された優先番号についての優先順位の変換はない。
一般遊技中（条件装置番号１）もＭＢ内部当選中（条件装置番号７１）も、
図柄番号４では、中データ８０Ｈ＋テーブル番号３１の優先番号２＝８２Ｈ、
図柄番号５では、中データ１０Ｈ＋テーブル番号３１の優先番号０＝１０Ｈ、
図柄番号６では、中データ１０Ｈ＋テーブル番号３１の優先番号０＝１０Ｈ、
図柄番号７では、中データ８０Ｈ＋テーブル番号３１の優先番号２＝８２Ｈ、
図柄番号８では、中データ１０Ｈ＋テーブル番号３１の優先番号０＝１０Ｈ
で、図柄番号４と７の停止候補得点が最大値となるが、より少ない滑りコマの０コマ滑りで図柄番号４のベルを下段に即止めさせ、中段に「リプレイ１」を表示させる。
【０３６７】
２本のリール１Ｌ，１Ｃの停止位置が決まった後、停止済となる左データ及び中データを除き、右データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える。この例の場合、中段に左「リプレイ２」−中「リプレイ１」が表示されているが、新たに表示の対象外となる図柄も、表示禁止となる図柄もないことから、右データは書き換わらない。
【０３６８】
第３番目の右リール１Ｒに対する停止操作は、図柄番号４の赤セブンが下段に停止できるタイミングでされたとする。停止制御番号１の左後中後右第３停止（１２３停止）の停止ビットデータのテーブル番号は１５番、検索対象の５コマは、図柄番号４，５，６，７，８となる。保存優先番号が３であるため、テーブルに記憶された優先番号についての優先順位の変換はない。
一般遊技中（条件装置番号１）もＭＢ内部当選中（条件装置番号７１）も、
図柄番号４では、右データ１０Ｈ＋テーブル番号１５の優先番号０＝１０Ｈ、
図柄番号５では、右データ８０Ｈ＋テーブル番号１５の優先番号３＝８３Ｈ、
図柄番号６では、右データ１０Ｈ＋テーブル番号１５の優先番号０＝１０Ｈ、
図柄番号７では、右データ１０Ｈ＋テーブル番号１５の優先番号０＝１０Ｈ、
図柄番号８では、右データ８０Ｈ＋テーブル番号１５の優先番号３＝８３Ｈ
で、図柄番号５と８の停止候補得点が最大値となるが、より少ない滑りコマの１コマ滑りで図柄番号５のベルを下段に引込んで停止させ、中段に「リプレイ２」を表示させる。
【０３６９】
こうして、一般遊技中又はＭＢ内部当選中に、リプレイ１に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち「リプレイ２」−「リプレイ１」−「リプレイ２」が表示される。
【０３７０】
例３；リプレイ２の１
図４３に示すように、一般遊技中に内部抽選でリプレイ２に当選した場合、条件装置番号は２、停止制御番号は２、停止許可となる図柄の組合せは図柄組番号４５，４９，５０，５１，５５，５６，５７となる。引込み検索データの新規作成時、作動に係る条件装置に対応した当該遊技での８バイトの停止許可フラグ（条件装置番号２に対応する、Ｃ４Ｈ，７１Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０３７１】
ＭＢ内部当選中に内部抽選でリプレイ２に当選した場合、条件装置番号は７２、停止制御番号は２、停止許可となる図柄の組合せは図柄組番号４５，４９，５０，５１，５５，５６，５７，０１となる。引込み検索データの新規作成時、作動に係る条件装置に対応した当該遊技での８バイトの停止許可フラグ（条件装置番号７２に対応する、Ｃ５Ｈ，７１Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技・役物）のＡ０Ｈ又は下段基準引込データ有（再遊技）の８０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０３７２】
左データの図柄番号９、右データの図柄番号１０に対応する新規作成時の引込み検索データは、一般遊技中の条件装置番号２のときは８０Ｈであるのに対して、ＭＢ内部当選中の条件装置番号７２のときは、役物たるＭＢに係る図柄の組合せのうち左リール１Ｌについての「紫セブン２」と右リール１Ｒについての「紫セブン１」を引込対象とすることから、再遊技についての８０Ｈに役物についての２０Ｈを加算したＡ０Ｈとなる。また、中データの図柄番号９，１５，１７に対応する新規作成時の引込み検索データは、一般遊技中の条件装置番号２のときは１０Ｈであるのに対して、ＭＢ内部当選中の条件装置番号７２のときは、役物たるＭＢに係る図柄の組合せのうち中リール１Ｃについての「チェリー」を引込対象とすることから２０Ｈとなる。
【０３７３】
中、右、左の順番で中押しするものとし、第１番目の中リール１Ｃに対する停止操作は、図柄番号９のスイカ２が下段に停止可能なタイミングでされたとする。停止制御番号２の中第１停止（２停止）の停止ビットデータのテーブル番号は２６番、検索対象の５コマは、図柄番号９，１０，１１，１２，１３となる。
一般遊技中の条件装置番号２のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。
【０３７４】
ＭＢ内部当選中の条件装置番号７２のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。例３の順序及びタイミングで中リール１Ｃを停止操作した場合、一般遊技中もＭＢ内部当選中も同じ停止態様となる。
【０３７５】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン１」が表示されたため、図柄組番号４５，５０に対する引込データ有８０Ｈを除いて他の図柄組番号に対する引込データ有は改定対象となり、左データについて「紫セブン２」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例３の場合、第１停止後の改定後の引込み検索データは、一般遊技中とＭＢ内部当選中とで同じ内容となる。
【０３７６】
第２番目の右リール１Ｒに対する停止操作は、図柄番号９のリプレイ１が下段に停止できるタイミングでされたとする。停止制御番号２の中後右第２停止（２３停止）の停止ビットデータのテーブル番号は２７番、検索対象の５コマは、図柄番号９，１０，１１，１２，１３となる。保存優先番号が３であるため、テーブルに記憶された優先番号についての優先順位の変換はない。
一般遊技中（条件装置番号２）もＭＢ内部当選中（条件装置番号７２）も、
図柄番号９では、右データ１０Ｈ＋テーブル番号２７の優先番号０＝１０Ｈ、
図柄番号１０では、右データ８０Ｈ＋テーブル番号２７の優先番号０＝８０Ｈ、
図柄番号１１では、右データ８０Ｈ＋テーブル番号２７の優先番号３＝８３Ｈ、
図柄番号１２では、右データ１０Ｈ＋テーブル番号２７の優先番号０＝１０Ｈ、
図柄番号１３では、右データ１０Ｈ＋テーブル番号２７の優先番号１＝１１Ｈ
で、図柄番号１１の停止候補得点が唯一の最大値となるため、２コマ滑りで図柄番号１１の紫セブン１を下段に引込んで停止させ、中段に「紫セブン２」を表示させる。
【０３７７】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈは１０Ｈに変わらないが、中段に中「紫セブン１」−右「紫セブン２」が表示されているため、非作動の条件装置に対応する図柄組番号０３の「リプレイ１」と「リプレイ２」、図柄組番号２９の「黒バー」、図柄組番号４６の「紫セブン１」、図柄組番号４８の「スイカ２」が表示禁止図柄となり、これら左リール１Ｌの図柄が中段に表示されないように、図柄番号１，３，５，６，８，１０，１１，１３，１６，１９の１０Ｈは００Ｈに書き換えられる。
【０３７８】
第３番目の左リール１Ｌに対する停止操作は、図柄番号９のスイカ２が下段に停止できるタイミングでされたとする。停止制御番号２の中後右後左第３停止（２３１停止）の停止ビットデータのテーブル番号は２３番、検索対象の５コマは、図柄番号９，１０，１１，１２，１３となる。保存優先番号が３であるため、テーブルに記憶された優先番号についての優先順位の変換はない。
一般遊技中（条件装置番号２）もＭＢ内部当選中（条件装置番号７２）も、
図柄番号９では、左データ８０Ｈ＋テーブル番号２３の優先番号３＝８３Ｈ、
図柄番号１０では、左データ００Ｈ＋テーブル番号２３の優先番号０＝００Ｈ、
図柄番号１１では、左データ００Ｈ＋テーブル番号２３の優先番号１＝０１Ｈ、
図柄番号１２では、左データ８０Ｈ＋テーブル番号２３の優先番号２＝８２Ｈ、
図柄番号１３では、左データ００Ｈ＋テーブル番号２３の優先番号１＝０１Ｈ
で、図柄番号９の停止候補得点が唯一の最大値となるため、０コマ滑りで図柄番号９のスイカ２を下段に即止めさせ、中段に「紫セブン２」を表示させる。
【０３７９】
こうして、一般遊技中又はＭＢ内部当選中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４５の紫７ダブル揃い２、すなわち、「紫セブン２」−「紫セブン１」−「紫セブン２」が表示される。
【０３８０】
例４；リプレイ２の２
図４４に示すように、一般遊技中又はＭＢ内部当選中、内部抽選でリプレイ２に当選した場合、例３と同様に、引込み検索データが新規に作成される。
【０３８１】
中、右、左の順番で中押しするものとし、第１番目の中リール１Ｃに対する停止操作は、図柄番号１２のベルが下段に停止可能なタイミングでされたとする。停止制御番号２の中第１停止（２停止）の停止ビットデータのテーブル番号は２６番、検索対象の５コマは、図柄番号１２，１３，１４，１５，１６となる。
一般遊技中の条件装置番号２のときは、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ、
図柄番号１４では、中データ８０Ｈ＋テーブル番号２６の優先番号０＝８０Ｈ、
図柄番号１５では、中データ１０Ｈ＋テーブル番号２６の優先番号０＝１０Ｈ、
図柄番号１６では、中データ８０Ｈ＋テーブル番号２６の優先番号１＝８１Ｈ
で、図柄番号１３の停止候補得点が唯一の最大値となるため、１コマ滑りで図柄番号１３のリプレイ２を下段に引込んで停止させ、中段に「紫セブン２」を表示させる。この停止位置を決定することとなった停止候補得点の算出に用いた優先番号３が保存される。
【０３８２】
ＭＢ内部当選中の条件装置番号７２のときは、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ、
図柄番号１４では、中データ８０Ｈ＋テーブル番号２６の優先番号０＝８０Ｈ、
図柄番号１５では、中データ２０Ｈ＋テーブル番号２６の優先番号０＝２０Ｈ、
図柄番号１６では、中データ８０Ｈ＋テーブル番号２６の優先番号１＝８１Ｈ
で、図柄番号１３の停止候補得点が唯一の最大値となるため、１コマ滑りで図柄番号１３のリプレイ２を下段に引込んで停止させ、中段に「紫セブン２」を表示させる。この停止位置を決定することとなった停止候補得点の算出に用いた優先番号３が保存される。例４の順序及びタイミングで中リール１Ｃを停止操作した場合、一般遊技中もＭＢ内部当選中も同じ停止態様となる。
【０３８３】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン２」が表示されたため、図柄組番号４５，５０に対する引込データ有８０Ｈを除いて他の図柄組番号に対する引込データ有は改定対象となり、左データについて「紫セブン２」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例４の場合、第１停止後の改定後の引込み検索データは、一般遊技中とＭＢ内部当選中とで同じ内容となる。
【０３８４】
第２番目の右リール１Ｒに対する停止操作は、図柄番号９のリプレイ１が下段に停止できるタイミングでされたとする。停止制御番号２の中後右第２停止（２３停止）の停止ビットデータのテーブル番号は２７番、検索対象の５コマは、図柄番号９，１０，１１，１２，１３となる。保存優先番号が３であるため、テーブルに記憶された優先番号についての優先順位の変換はない。
一般遊技中（条件装置番号２）もＭＢ内部当選中（条件装置番号７２）も、
図柄番号９では、右データ１０Ｈ＋テーブル番号２７の優先番号０＝１０Ｈ、
図柄番号１０では、右データ８０Ｈ＋テーブル番号２７の優先番号０＝８０Ｈ、
図柄番号１１では、右データ８０Ｈ＋テーブル番号２７の優先番号３＝８３Ｈ、
図柄番号１２では、右データ１０Ｈ＋テーブル番号２７の優先番号０＝１０Ｈ、
図柄番号１３では、右データ１０Ｈ＋テーブル番号２７の優先番号１＝１１Ｈ
で、図柄番号１１の停止候補得点が唯一の最大値となるため、２コマ滑りで図柄番号１１の紫セブン１を下段に引込んで停止させ、中段に「紫セブン２」を表示させる。
【０３８５】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈは１０Ｈに変わらないが、中段に中「紫セブン２」−右「紫セブン２」が表示されているため、非作動の条件装置に対応する図柄組番号０３の「リプレイ１」と「リプレイ２」、図柄組番号２９の「黒バー」、図柄組番号４６の「紫セブン１」、図柄組番号４８の「スイカ２」が表示禁止図柄となり、これら左リール１Ｌの図柄が中段に表示されないように、図柄番号１，３，５，６，８，１０，１１，１３，１６，１９の１０Ｈは００Ｈに書き換えられる。
【０３８６】
第３番目の左リール１Ｌに対する停止操作は、図柄番号９のスイカ２が下段に停止できるタイミングでされたとする。停止制御番号２の中後右後左第３停止（２３１停止）の停止ビットデータのテーブル番号は２３番、検索対象の５コマは、図柄番号９，１０，１１，１２，１３となる。保存優先番号が３であるため、テーブルに記憶された優先番号についての優先順位の変換はない。
一般遊技中（条件装置番号２）もＭＢ内部当選中（条件装置番号７２）も、
図柄番号９では、左データ８０Ｈ＋テーブル番号２３の優先番号３＝８３Ｈ、
図柄番号１０では、左データ００Ｈ＋テーブル番号２３の優先番号０＝００Ｈ、
図柄番号１１では、左データ００Ｈ＋テーブル番号２３の優先番号１＝０１Ｈ、
図柄番号１２では、左データ８０Ｈ＋テーブル番号２３の優先番号２＝８２Ｈ、
図柄番号１３では、左データ００Ｈ＋テーブル番号２３の優先番号１＝０１Ｈ
で、図柄番号９の停止候補得点が唯一の最大値となるため、０コマ滑りで図柄番号９のスイカ２を下段に即止めさせ、中段に「紫セブン２」を表示させる。
【０３８７】
こうして、一般遊技中又はＭＢ内部当選中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４５の紫７ダブル揃い２、すなわち、「紫セブン２」−「紫セブン２」−「紫セブン２」が表示される。例３と例４のとおり、中リール１Ｃについて紫セブン１又は紫セブン２をどちらを中段に止めても、紫７ダブル揃い２の擬似ボーナスＳＢＢに対応した図柄の組合せが得られる。
【０３８８】
例５；リプレイ２の３
図４５に示すように、一般遊技中又はＭＢ内部当選中、内部抽選でリプレイ２に当選した場合、例３と同様に、引込み検索データが新規に作成される。
【０３８９】
中、右、左の順番で中押しするものとし、第１番目の中リール１Ｃに対する停止操作は、図柄番号１４の紫セブン２が下段に停止可能なタイミングでされたとする。停止制御番号２の中第１停止（２停止）の停止ビットデータのテーブル番号は２６番、検索対象の５コマは、図柄番号１４，１５，１６，１７，１８となる。
一般遊技中の条件装置番号２のときは、
図柄番号１４では、中データ８０Ｈ＋テーブル番号２６の優先番号０＝８０Ｈ、
図柄番号１５では、中データ１０Ｈ＋テーブル番号２６の優先番号０＝１０Ｈ、
図柄番号１６では、中データ８０Ｈ＋テーブル番号２６の優先番号１＝８１Ｈ、
図柄番号１７では、中データ１０Ｈ＋テーブル番号２６の優先番号０＝１０Ｈ、
図柄番号１８では、中データ１０Ｈ＋テーブル番号２６の優先番号０＝１０Ｈ
で、図柄番号１６の停止候補得点が唯一の最大値となるため、２コマ滑りで図柄番号１６のチェリーを下段に引込んで停止させ、中段に「リプレイ２」を表示させる。この停止位置を決定することとなった停止候補得点の算出に用いた優先番号１が保存される。
【０３９０】
ＭＢ内部当選中の条件装置番号７２のときは、
図柄番号１４では、中データ８０Ｈ＋テーブル番号２６の優先番号０＝８０Ｈ、
図柄番号１５では、中データ２０Ｈ＋テーブル番号２６の優先番号０＝２０Ｈ、
図柄番号１６では、中データ８０Ｈ＋テーブル番号２６の優先番号１＝８１Ｈ、
図柄番号１７では、中データ２０Ｈ＋テーブル番号２６の優先番号０＝２０Ｈ、
図柄番号１８では、中データ１０Ｈ＋テーブル番号２６の優先番号０＝１０Ｈ
で、図柄番号１６の停止候補得点が唯一の最大値となるため、２コマ滑りで図柄番号１６のチェリーを下段に引込んで停止させ、中段に「リプレイ２」を表示させる。この停止位置を決定することとなった停止候補得点の算出に用いた優先番号１が保存される。例５の順序及びタイミングで中リール１Ｃを停止操作した場合、一般遊技中もＭＢ内部当選中も同じ停止態様となる。
【０３９１】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「リプレイ２」が表示されたため、図柄組番号４９，５５，５６，５７に対する引込データ有８０Ｈを除いて他の図柄組番号に対する引込データ有は改定対象となるが、ＭＢ内部当選中の左データの図柄番号９及び右データの図柄番号１０についてのＡ０Ｈは８０Ｈに書き換えられる他は、中リール１Ｃの「リプレイ２」と組合せる図柄組番号４９，５５，５６，５７の左リール図柄及び右リール図柄には、図柄組番号４５，５０，５１と同じものを含んでいるため、８０Ｈから１０Ｈへの書き換えは生じない。例５の場合、第１停止後の改定後の引込み検索データは、一般遊技中とＭＢ内部当選中とで同じ内容となる。
【０３９２】
第２番目の右リール１Ｒに対する停止操作は、図柄番号９のリプレイ１が下段に停止できるタイミングでされたとする。停止制御番号２の中後右第２停止（２３停止）の停止ビットデータのテーブル番号は２７番、検索対象の５コマは、図柄番号９，１０，１１，１２，１３となる。保存優先番号が１であるため、テーブルに記憶された優先番号１は３に、同３は２に、同２は１に読み替える優先順位の変換がされる。
一般遊技中（条件装置番号２）もＭＢ内部当選中（条件装置番号７２）も、
図柄番号９では、右データ８０Ｈ＋テーブル番号２７の優先番号０＝８０Ｈ、
図柄番号１０では、右データ８０Ｈ＋テーブル番号２７の優先番号０＝８０Ｈ、
図柄番号１１では、右データ８０Ｈ＋テーブル番号２７の３に変る２＝８２Ｈ、
図柄番号１２では、右データ８０Ｈ＋テーブル番号２７の優先番号０＝８０Ｈ、
図柄番号１３では、右データ８０Ｈ＋テーブル番号２７の１に変る３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０３９３】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について８０Ｈや１０Ｈを００Ｈに書き換える。この例の場合、中段に中「リプレイ２」−右「リプレイ１」が表示されているため、左データについて「リプレイ１」又は「リプレイ２」を中段に表示させる８０Ｈを除いて他の８０Ｈは１０Ｈ以下に書き換えられると共に、非作動の条件装置に対応する図柄組番号２１の「赤セブン」と「スイカ１」と「スイカ２」、図柄組番号４１の「紫セブン１」と「黒バー」、図柄組番号４３の「ベル」は表示禁止図柄となり、これら左リール１Ｌの図柄が中段に表示されないように、図柄番号０，２，３，５，７，８，１０，１２，１３，１５，１７，１８，２０については００Ｈに書き換えられる。
【０３９４】
第３番目の左リール１Ｌに対する停止操作は、図柄番号９のスイカ２が下段に停止できるタイミングでされたとする。停止制御番号２の中後右後左第３停止（２３１停止）の停止ビットデータのテーブル番号は２３番、検索対象の５コマは、図柄番号９，１０，１１，１２，１３となる。保存優先番号が１であるため、テーブルに記憶された優先番号１は３に、同３は２に、同２は１に読み替える優先順位の変換がされる。
一般遊技中（条件装置番号２）もＭＢ内部当選中（条件装置番号７２）も、
図柄番号９では、左データ１０Ｈ＋テーブル番号２３の３に変る２＝１２Ｈ、
図柄番号１０では、左データ００Ｈ＋テーブル番号２３の優先番号０＝００Ｈ、
図柄番号１１では、左データ８０Ｈ＋テーブル番号２３の１に変る３＝８３Ｈ、
図柄番号１２では、左データ００Ｈ＋テーブル番号２３の２に変る１＝０１Ｈ、
図柄番号１３では、左データ００Ｈ＋テーブル番号２３の優先番号０＝００Ｈ
で、図柄番号１１の停止候補得点が唯一の最大値となるため、２コマ滑りで図柄番号１１の紫セブン１を下段に引込んで停止させ、中段に「リプレイ２」を表示させる。
【０３９５】
こうして、一般遊技中又はＭＢ内部当選中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。例４と例５のとおり、中リール１Ｃについて紫セブン１又は紫セブン２の目押しに失敗しても、再遊技に係る図柄の組合せは必ず得られる。
【０３９６】
例６；リプレイ２の４
図４６に示すように、一般遊技中又はＭＢ内部当選中、内部抽選でリプレイ２に当選した場合、例３と同様に、引込み検索データが新規に作成される。
【０３９７】
中、左、右の順番で中押しするものとし、第１番目の中リール１Ｃに対する停止操作は、図柄番号９のスイカ２が下段に停止可能なタイミングでされたとする。停止制御番号２の中第１停止（２停止）の停止ビットデータのテーブル番号は２６番、検索対象の５コマは、図柄番号９，１０，１１，１２，１３となる。
一般遊技中の条件装置番号２のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。
【０３９８】
ＭＢ内部当選中の条件装置番号７２のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。例６の順序及びタイミングで中リール１Ｃを停止操作した場合、一般遊技中もＭＢ内部当選中も同じ停止態様となる。
【０３９９】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン１」が表示されたため、図柄組番号４５，５０に対する引込データ有８０Ｈを除いて他の図柄組番号に対する引込データ有は改定対象となり、左データについて「紫セブン２」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例６の場合、第１停止後の改定後の引込み検索データは、一般遊技中とＭＢ内部当選中とで同じ内容となる。
【０４００】
第２番目の左リール１Ｌに対する停止操作は、図柄番号９のスイカ２が下段に停止できるタイミングでされたとする。停止制御番号２の中後左第２停止（２１停止）の停止ビットデータのテーブル番号は２４番、検索対象の５コマは、図柄番号９，１０，１１，１２，１３となる。保存優先番号が３であるため、テーブルに記憶された優先番号についての優先順位の変換はない。
一般遊技中（条件装置番号２）もＭＢ内部当選中（条件装置番号７２）も、
図柄番号９では、左データ８０Ｈ＋テーブル番号２４の優先番号０＝８０Ｈ、
図柄番号１０では、左データ１０Ｈ＋テーブル番号２４の優先番号３＝１３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号１２の停止候補得点が唯一の最大値となるため、３コマ滑りで図柄番号１２のリプレイ２を下段に引込んで停止させ、中段に「ベル」を表示させる。
【０４０１】
２本のリール１Ｌ，１Ｃの停止位置が決まった後、停止済となる左データ及び中データを除き、右データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈは１０Ｈに変わらないが、中段に左「ベル」−中「紫セブン１」が表示されているため、非作動の条件装置に対応する図柄組番号３５の「黒バー」が表示禁止図柄となり、右リール１Ｌについて黒バーが中段に表示されないように、図柄番号１，１５の１０Ｈは００Ｈに書き換えられる。
【０４０２】
第３番目の右リール１Ｒに対する停止操作は、図柄番号９のリプレイ１が下段に停止できるタイミングでされたとする。停止制御番号２の中後左後右第３停止（２１３停止）の停止ビットデータのテーブル番号は６９番、検索対象の５コマは、図柄番号９，１０，１１，１２，１３となる。保存優先番号が３であるため、テーブルに記憶された優先番号についての優先順位の変換はない。
一般遊技中（条件装置番号２）もＭＢ内部当選中（条件装置番号７２）も、
図柄番号９では、右データ１０Ｈ＋テーブル番号６９の優先番号０＝１０Ｈ、
図柄番号１０では、右データ８０Ｈ＋テーブル番号６９の優先番号３＝８３Ｈ、
図柄番号１１では、右データ８０Ｈ＋テーブル番号６９の優先番号２＝８２Ｈ、
図柄番号１２では、右データ１０Ｈ＋テーブル番号６９の優先番号０＝１０Ｈ、
図柄番号１３では、右データ１０Ｈ＋テーブル番号６９の優先番号１＝１１Ｈ
で、図柄番号１０の停止候補得点が唯一の最大値となるため、１コマ滑りで図柄番号１０のスイカ２を下段に引込んで停止させ、中段に「紫セブン１」を表示させる。
【０４０３】
こうして、一般遊技中又はＭＢ内部当選中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５０の逆・中押し損じ、すなわち、「ベル」−「紫セブン１」−「紫セブン１」が表示される。例３と例６のとおり、中リール１Ｃを最初に止めても、第２停止の順番を間違えると、ＳＢＢに対応する図柄の組合せである紫７ダブル揃いは得られない。ただし、この場合も、再遊技に係る図柄の組合せは必ず得られる。
【０４０４】
例７；リプレイ２の５
図４７に示すように、一般遊技中又はＭＢ内部当選中、内部抽選でリプレイ２に当選した場合、例３と同様に、引込み検索データが新規に作成される。
【０４０５】
右、中、左の順番で逆押しするものとし、第１番目の右リール１Ｒに対する停止操作は、図柄番号９のリプレイ１が下段に停止可能なタイミングでされたとする。停止制御番号２の右第１停止（３停止）の停止ビットデータのテーブル番号は６５番、検索対象の５コマは、図柄番号９，１０，１１，１２，１３となる。
一般遊技中の条件装置番号２のときは、
図柄番号９では、右データ８０Ｈ＋テーブル番号６５の優先番号０＝８０Ｈ、
図柄番号１０では、右データ８０Ｈ＋テーブル番号６５の優先番号０＝８０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１１の停止候補得点が唯一の最大値となるため、２コマ滑りで図柄番号１１の紫セブン１を下段に引込んで停止させ、中段に「紫セブン２」を表示させる。この停止位置を決定することとなった停止候補得点の算出に用いた優先番号３が保存される。
【０４０６】
ＭＢ内部当選中の条件装置番号７２のときは、
図柄番号９では、右データ８０Ｈ＋テーブル番号６５の優先番号０＝８０Ｈ、
図柄番号１０では、右データＡ０Ｈ＋テーブル番号６５の優先番号０＝Ａ０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号０が保存される。例７の順序及びタイミングで右リール１Ｒを停止操作した場合、一般遊技中とＭＢ内部当選中とは異なる停止態様となる。
【０４０７】
１本のリール１Ｒの停止位置が決まった後、引込み検索データについて、停止済となる右データを除き、停止済図柄との関係で対象外となる図柄について改定がされる。一般遊技中は、右リール１Ｒの中段に「紫セブン２」が表示されたため、図柄組番号４５，４９，５０，５１に対する引込データ有８０Ｈは維持されるが、図柄組番号５５，５６，５７に対する引込データ有８０Ｈは改定対象となり、左データについて「紫セブン１」又は「紫セブン２」又は「ベル」を中段に表示させる８０Ｈを除いて他の８０Ｈは１０Ｈに書き換えられ、中データについては８０Ｈから１０Ｈへの書き換えはない。
【０４０８】
一方、ＭＢ内部当選中は、右リール１Ｒの中段に「紫セブン１」が表示されたため、図柄組番号４５，４９，５０，５１，０１に対する引込データ有８０Ｈ又はＡ０Ｈ又は２０Ｈは維持されるが、図柄組番号５５，５６，５７に対する引込データ有８０Ｈは改定対象となり、左データについて「紫セブン１」又は「ベル」を中段に表示させる８０Ｈ及び「紫セブン２」を中段に表示させるＡ０Ｈを除いて他は１０Ｈに書き換えられ、中データについては８０Ｈ又は２０Ｈから１０Ｈへの書き換えはない。例７の場合、第１停止後の改定後の引込み検索データも、一般遊技中とＭＢ内部当選中とで異なる内容となる。
【０４０９】
第２番目の中リール１Ｃに対する停止操作は、図柄番号９のスイカ２が下段に停止できるタイミングでされたとする。停止制御番号２の右後中第２停止（３２停止）の停止ビットデータのテーブル番号は６４番、検索対象の５コマは、図柄番号９，１０，１１，１２，１３となる。
一般遊技中の条件装置番号２のときは、
保存優先番号が３であるため、テーブルに記憶された優先番号についての優先順位の変換はなく、
図柄番号９では、中データ１０Ｈ＋テーブル番号６４の優先番号０＝１０Ｈ、
図柄番号１０では、中データ８０Ｈ＋テーブル番号６４の優先番号３＝８３Ｈ、
図柄番号１１では、中データ８０Ｈ＋テーブル番号６４の優先番号２＝８２Ｈ、
図柄番号１２では、中データ８０Ｈ＋テーブル番号６４の優先番号１＝８１Ｈ、
図柄番号１３では、中データ８０Ｈ＋テーブル番号６４の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。
【０４１０】
ＭＢ内部当選中の条件装置番号７２のときは、
保存優先番号が０であるため、テーブルに記憶された優先番号についての優先順位の変換はなく、
図柄番号９では、中データ２０Ｈ＋テーブル番号６４の優先番号０＝２０Ｈ、
図柄番号１０では、中データ８０Ｈ＋テーブル番号６４の優先番号３＝８３Ｈ、
図柄番号１１では、中データ８０Ｈ＋テーブル番号６４の優先番号２＝８２Ｈ、
図柄番号１２では、中データ８０Ｈ＋テーブル番号６４の優先番号１＝８１Ｈ、
図柄番号１３では、中データ８０Ｈ＋テーブル番号６４の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。例７の順序及びタイミングで中リール１Ｃを停止操作した場合、一般遊技中もＭＢ内部当選中も同じ停止態様となる。
【０４１１】
２本のリール１Ｃ，１Ｒの停止位置が決まった後、停止済となる中データ及び右データを除き、左データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に中「紫セブン１」−右「紫セブン２」が表示されているため、左リール１Ｌについて「ベル」又は「紫セブン２」を中段に表示させる８０Ｈは変わらないが、非作動の条件装置に対応する図柄組番号０３の「リプレイ１」と「リプレイ２」、図柄組番号２９の「黒バー」、図柄組番号４６の「紫セブン１」、図柄組番号４８の「スイカ２」が表示禁止図柄となり、これら左リール１Ｌの図柄が中段に表示されないように、図柄番号１，３，５，６，８，１０，１１，１３，１６，１９は００Ｈに書き換えられる。
【０４１２】
一方、ＭＢ内部当選中は、中段に中「紫セブン１」−右「紫セブン１」が表示されているため、左リール１Ｌについて「ベル」を中段に表示させる８０Ｈは変わらないが、非作動の条件装置に対応する図柄組番号４４の「紫セブン１」、図柄組番号４７の「紫セブン２」が表示禁止図柄となり、これら左リール１Ｌの図柄が中段に表示されないように、図柄番号９，１０は００Ｈに書き換えられる。例７の場合、第２停止後の最終改定後の引込み検索データも、一般遊技中とＭＢ内部当選中とで異なる内容となる。
【０４１３】
第３番目の左リール１Ｌに対する停止操作は、図柄番号９のスイカ２が下段に停止できるタイミングでされたとする。停止制御番号２の右後中後左第３停止（３２１停止）の停止ビットデータのテーブル番号は７０番、検索対象の５コマは、図柄番号９，１０，１１，１２，１３となる。
一般遊技中の条件装置番号２のときは、
保存優先番号が３であるため、テーブルに記憶された優先番号についての優先順位の変換はなく、
図柄番号９では、左データ８０Ｈ＋テーブル番号７０の優先番号０＝８０Ｈ、
図柄番号１０では、左データ００Ｈ＋テーブル番号７０の優先番号３＝０３Ｈ、
図柄番号１１では、左データ００Ｈ＋テーブル番号７０の優先番号１＝０１Ｈ、
図柄番号１２では、左データ８０Ｈ＋テーブル番号７０の優先番号２＝８２Ｈ、
図柄番号１３では、左データ００Ｈ＋テーブル番号７０の優先番号０＝００Ｈ
で、図柄番号１２の停止候補得点が唯一の最大値となるため、３コマ滑りで図柄番号１２のリプレイ２を下段に引込んで停止させ、中段に「ベル」を表示させる。
【０４１４】
ＭＢ内部当選中の条件装置番号７２のときは、
保存優先番号が０であるため、テーブルに記憶された優先番号についての優先順位の変換はなく、
図柄番号９では、左データ００Ｈ＋テーブル番号７０の優先番号０＝００Ｈ、
図柄番号１０では、左データ００Ｈ＋テーブル番号７０の優先番号３＝０３Ｈ、
図柄番号１１では、左データ１０Ｈ＋テーブル番号７０の優先番号１＝１１Ｈ、
図柄番号１２では、左データ８０Ｈ＋テーブル番号７０の優先番号２＝８２Ｈ、
図柄番号１３では、左データ１０Ｈ＋テーブル番号７０の優先番号０＝１０Ｈ
で、図柄番号１２の停止候補得点が唯一の最大値となるため、３コマ滑りで図柄番号１２のリプレイ２を下段に引込んで停止させ、中段に「ベル」を表示させる。例７の順序及びタイミングで左リール１Ｌを停止操作した場合、一般遊技中もＭＢ内部当選中も同じ停止態様となる。
【０４１５】
こうして、一般遊技中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５０の逆・中押し損じの一つ、すなわち、「ベル」−「紫セブン１」−「紫セブン２」が表示される。
【０４１６】
一方、ＭＢ内部当選中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５０の逆・中押し損じの他の一つ、すなわち、「ベル」−「紫セブン１」−「紫セブン１」が表示される。停止操作の順序及びタイミングが全く同じでも、一般遊技中とＭＢ内部当選中とは異なる停止パターンとなる。また、例３と例７のとおり、第１停止から順番を間違えると、ＳＢＢに対応する図柄の組合せである紫７ダブル揃いは得られない。ただし、この場合も、再遊技に係る図柄の組合せは必ず得られる。
【０４１７】
例８；リプレイ２の６
図４８に示すように、一般遊技中又はＭＢ内部当選中、内部抽選でリプレイ２に当選した場合、例３と同様に、引込み検索データが新規に作成される。
【０４１８】
右、左、中の順番で逆挟み押しするものとし、第１番目の右リール１Ｒに対する停止操作は、図柄番号９のリプレイ１が下段に停止可能なタイミングでされたとする。停止制御番号２の右第１停止（３停止）の停止ビットデータのテーブル番号は６５番、検索対象の５コマは、図柄番号９，１０，１１，１２，１３となる。
一般遊技中の条件装置番号２のときは、
図柄番号９では、右データ８０Ｈ＋テーブル番号６５の優先番号０＝８０Ｈ、
図柄番号１０では、右データ８０Ｈ＋テーブル番号６５の優先番号０＝８０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１１の停止候補得点が唯一の最大値となるため、２コマ滑りで図柄番号１１の紫セブン１を下段に引込んで停止させ、中段に「紫セブン２」を表示させる。この停止位置を決定することとなった停止候補得点の算出に用いた優先番号３が保存される。
【０４１９】
ＭＢ内部当選中の条件装置番号７２のときは、
図柄番号９では、右データ８０Ｈ＋テーブル番号６５の優先番号０＝８０Ｈ、
図柄番号１０では、右データＡ０Ｈ＋テーブル番号６５の優先番号０＝Ａ０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号０が保存される。例８の順序及びタイミングで右リール１Ｒを停止操作した場合、一般遊技中とＭＢ内部当選中とは異なる停止態様となる。
【０４２０】
１本のリール１Ｒの停止位置が決まった後、引込み検索データについて、停止済となる右データを除き、停止済図柄との関係で対象外となる図柄について改定がされる。一般遊技中は、右リール１Ｒの中段に「紫セブン２」が表示されたため、図柄組番号４５，４９，５０，５１に対する引込データ有８０Ｈは維持されるが、図柄組番号５５，５６，５７に対する引込データ有８０Ｈは改定対象となり、左データについて「紫セブン１」又は「紫セブン２」又は「ベル」を中段に表示させる８０Ｈを除いて他の８０Ｈは１０Ｈに書き換えられ、中データについては８０Ｈから１０Ｈへの書き換えはない。
【０４２１】
一方、ＭＢ内部当選中は、右リール１Ｒの中段に「紫セブン１」が表示されたため、図柄組番号４５，４９，５０，５１，０１に対する引込データ有８０Ｈ又はＡ０Ｈ又は２０Ｈは維持されるが、図柄組番号５５，５６，５７に対する引込データ有８０Ｈは改定対象となり、左データについて「紫セブン１」又は「ベル」を中段に表示させる８０Ｈ及び「紫セブン２」を中段に表示させるＡ０Ｈを除いて他は１０Ｈに書き換えられ、中データについては８０Ｈ又は２０Ｈから１０Ｈへの書き換えはない。例８の場合、第１停止後の改定後の引込み検索データも、一般遊技中とＭＢ内部当選中とで異なる内容となる。
【０４２２】
第２番目の左リール１Ｒに対する停止操作は、図柄番号９のスイカ２が下段に停止できるタイミングでされたとする。停止制御番号２の右後左第２停止（３１停止）の停止ビットデータのテーブル番号は２４番、検索対象の５コマは、図柄番号９，１０，１１，１２，１３となる。
一般遊技中の条件装置番号２のときは、
保存優先番号が３であるため、テーブルに記憶された優先番号についての優先順位の変換はなく、
図柄番号９では、左データ８０Ｈ＋テーブル番号２４の優先番号０＝８０Ｈ、
図柄番号１０では、左データ８０Ｈ＋テーブル番号２４の優先番号３＝８３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０４２３】
ＭＢ内部当選中の条件装置番号７２のときは、
保存優先番号が０であるため、テーブルに記憶された優先番号についての優先順位の変換はなく、
図柄番号９では、左データＡ０Ｈ＋テーブル番号２４の優先番号０＝Ａ０Ｈ、
図柄番号１０では、左データ８０Ｈ＋テーブル番号２４の優先番号３＝８３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。例８の順序及びタイミングで左リール１Ｌを停止操作した場合、一般遊技中とＭＢ内部当選中とは異なる停止態様となる。
【０４２４】
２本のリール１Ｌ，１Ｒの停止位置が決まった後、停止済となる左データ及び右データを除き、中データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「紫セブン１」−右「紫セブン２」が表示されているため、中リール１Ｃについて「リプレイ１」又は「リプレイ２」を中段に表示させる８０Ｈは変わらないが、非作動の条件装置に対応する図柄組番号１２の「ベル」、図柄組番号４６の「紫セブン１」と「紫セブン２」が表示禁止図柄となり、これら中リール１Ｃの図柄が中段に表示されないように、図柄番号３，６，１０，１１，１３，１４，１９は００Ｈに書き換えられる。
【０４２５】
一方、ＭＢ内部当選中は、中段に左「紫セブン２」−右「紫セブン１」が表示されているため、中リール１Ｃについて「リプレイ１」又は「リプレイ２」を中段に表示させる８０Ｈ及び「チェリー」を中段に表示させる２０Ｈは変わらないが、非作動の条件装置に対応する図柄組番号４７の「紫セブン１」と「紫セブン２」が表示禁止図柄となり、これら中リール１Ｃの図柄が中段に表示されないように、図柄番号１０，１３は００Ｈに書き換えられる。例８の場合、第２停止後の最終改定後の引込み検索データも、一般遊技中とＭＢ内部当選中とで異なる内容となる。
【０４２６】
第３番目の中リール１Ｃに対する停止操作は、図柄番号９のスイカ２が下段に停止できるタイミングでされたとする。停止制御番号２の右後左後中第３停止（３１２停止）の停止ビットデータのテーブル番号は６４番、検索対象の５コマは、図柄番号９，１０，１１，１２，１３となる。
一般遊技中の条件装置番号２のときは、
保存優先番号が３であるため、テーブルに記憶された優先番号についての優先順位の変換はなく、
図柄番号９では、中データ１０Ｈ＋テーブル番号６４の優先番号０＝１０Ｈ、
図柄番号１０では、中データ００Ｈ＋テーブル番号６４の優先番号３＝０３Ｈ、
図柄番号１１では、中データ００Ｈ＋テーブル番号６４の優先番号２＝０２Ｈ、
図柄番号１２では、中データ８０Ｈ＋テーブル番号６４の優先番号１＝８１Ｈ、
図柄番号１３では、中データ００Ｈ＋テーブル番号６４の優先番号３＝０３Ｈ
で、図柄番号１２の停止候補得点が唯一の最大値となるため、３コマ滑りで図柄番号１２のベルを下段に引込んで停止させ、中段に「リプレイ２」を表示させる。
【０４２７】
ＭＢ内部当選中の条件装置番号７２のときは、
保存優先番号が０であるため、テーブルに記憶された優先番号についての優先順位の変換はなく、
図柄番号９では、中データ２０Ｈ＋テーブル番号６４の優先番号０＝２０Ｈ、
図柄番号１０では、中データ００Ｈ＋テーブル番号６４の優先番号３＝０３Ｈ、
図柄番号１１では、中データ１０Ｈ＋テーブル番号６４の優先番号２＝１２Ｈ、
図柄番号１２では、中データ８０Ｈ＋テーブル番号６４の優先番号１＝８１Ｈ、
図柄番号１３では、中データ００Ｈ＋テーブル番号６４の優先番号３＝０３Ｈ
で、図柄番号１２の停止候補得点が唯一の最大値となるため、３コマ滑りで図柄番号１２のベルを下段に引込んで停止させ、中段に「リプレイ２」を表示させる。例８の順序及びタイミングで中リール１Ｃを停止操作した場合、一般遊技中もＭＢ内部当選中も同じ停止態様となる。
【０４２８】
こうして、一般遊技中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じの一つ、すなわち、「紫セブン１」−「リプレイ２」−「紫セブン２」が表示される。
【０４２９】
一方、ＭＢ内部当選中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じの他の一つ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例３と例８のとおり、第１停止から順番を間違えると、ＳＢＢに対応する図柄の組合せである紫７ダブル揃いは得られない。ただし、この場合も、再遊技に係る図柄の組合せは必ず得られる。
【０４３０】
例９；リプレイ２の７
図４９に示すように、一般遊技中又はＭＢ内部当選中、内部抽選でリプレイ２に当選した場合、例３と同様に、引込み検索データが新規に作成される。
【０４３１】
左、中、右の順番で順押しするものとし、第１番目の左リール１Ｌに対する停止操作は、図柄番号９のスイカ２が下段に停止可能なタイミングでされたとする。停止制御番号２の左第１停止（１停止）の停止ビットデータのテーブル番号は２９番、検索対象の５コマは、図柄番号９，１０，１１，１２，１３となる。
一般遊技中の条件装置番号２のときは、
図柄番号９では、左データ８０Ｈ＋テーブル番号２９の優先番号０＝８０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ１０Ｈ＋テーブル番号２９の優先番号０＝１０Ｈ
で、図柄番号１１の停止候補得点が唯一の最大値となるため、２コマ滑りで図柄番号１１の紫セブン１を下段に引込んで停止させ、中段に「リプレイ２」を表示させる。この停止位置を決定することとなった停止候補得点の算出に用いた優先番号３が保存される。
【０４３２】
ＭＢ内部当選中の条件装置番号７２のときは、
図柄番号９では、左データＡ０Ｈ＋テーブル番号２９の優先番号０＝Ａ０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ１０Ｈ＋テーブル番号２９の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。この停止位置を決定することとなった停止候補得点の算出に用いた優先番号０が保存される。例９の順序及びタイミングで左リール１Ｌを停止操作した場合、一般遊技中とＭＢ内部当選中とは異なる停止態様となる。
【０４３３】
１本のリール１Ｌの停止位置が決まった後、引込み検索データについて、停止済となる左データを除き、停止済図柄との関係で対象外となる図柄について改定がされる。一般遊技中は、左リール１Ｌの中段に「リプレイ２」が表示されたため、図柄組番号５５に対する引込データ有８０Ｈのみが維持され、中データと右データについて、「リプレイ１」又は「リプレイ２」を中段に表示させる８０Ｈを除いて他の８０Ｈは１０Ｈに書き換えられる。
【０４３４】
一方、ＭＢ内部当選中は、左リール１Ｌの中段に「紫セブン２」が表示されたため、図柄組番号４５，４９，０１に対する引込データ有８０Ｈ又はＡ０Ｈ又は２０Ｈは維持されるが、図柄組番号５０，５１，５５，５６，５７に対する引込データ有８０Ｈは改定対象となり、中データについて「リプレイ１」又は「リプレイ２」又は「紫セブン１」又は「紫セブン２」を中段に表示させる８０Ｈ及び「チェリー」を中段に表示させる２０Ｈを除いて他は１０Ｈに書き換えられ、右データについて「紫セブン１」を中段に表示させるＡ０Ｈ及び「紫セブン２」を中段に表示させる８０Ｈを除いて他は１０Ｈに書き換えられる。例９の場合、第１停止後の改定後の引込み検索データも、一般遊技中とＭＢ内部当選中とで異なる内容となる。
【０４３５】
第２番目の中リール１Ｃに対する停止操作は、図柄番号９のスイカ２が下段に停止できるタイミングでされたとする。停止制御番号２の左後中第２停止（１２停止）の停止ビットデータのテーブル番号は３１番、検索対象の５コマは、図柄番号９，１０，１１，１２，１３となる。
一般遊技中の条件装置番号２のときは、
保存優先番号が３であるため、テーブルに記憶された優先番号についての優先順位の変換はなく、
図柄番号９では、中データ１０Ｈ＋テーブル番号３１の優先番号０＝１０Ｈ、
図柄番号１０では、中データ１０Ｈ＋テーブル番号３１の優先番号０＝１０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。
【０４３６】
ＭＢ内部当選中の条件装置番号７２のときは、
保存優先番号が０であるため、テーブルに記憶された優先番号についての優先順位の変換はなく、
図柄番号９では、中データ２０Ｈ＋テーブル番号３１の優先番号０＝２０Ｈ、
図柄番号１０では、中データ８０Ｈ＋テーブル番号３１の優先番号０＝８０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ８０Ｈ＋テーブル番号３１の優先番号０＝８０Ｈ
で、図柄番号１２の停止候補得点が唯一の最大値となるため、３コマ滑りで図柄番号１２のベルを下段に引込んで停止させ、中段に「リプレイ２」を表示させる。例９の順序及びタイミングで中リール１Ｃを停止操作した場合、一般遊技中もＭＢ内部当選中も同じ停止態様となる。
【０４３７】
２本のリール１Ｌ，１Ｃの停止位置が決まった後、停止済となる左データ及び中データを除き、右データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「リプレイ２」−中「リプレイ２」が表示されているため、右リール１Ｒについて「リプレイ１」又は「リプレイ２」を中段に表示させる８０Ｈは変わらないが、非作動の条件装置に対応する図柄組番号３９の「黒バー」が表示禁止図柄となり、「黒バー」が中段に表示されないように、図柄番号１，１５は００Ｈに書き換えられる。
【０４３８】
一方、ＭＢ内部当選中は、中段に左「紫セブン２」−中「リプレイ２」が表示されているため、右リール１Ｒについて、「紫セブン２」を中段に表示させる８０Ｈは変わらないが、「紫セブン１」を中段に表示させるＡ０Ｈは８０Ｈに書き換えられ、表示禁止図柄はないことから、他は１０Ｈのまま変わらない。例９の場合、第２停止後の最終改定後の引込み検索データも、一般遊技中とＭＢ内部当選中とで異なる内容となる。
【０４３９】
第３番目の右リール１Ｒに対する停止操作は、図柄番号９のリプレイ１が下段に停止できるタイミングでされたとする。停止制御番号２の左後中後右第３停止（１２３停止）の停止ビットデータのテーブル番号は１５番、検索対象の５コマは、図柄番号９，１０，１１，１２，１３となる。
一般遊技中の条件装置番号２のときは、
保存優先番号が３であるため、テーブルに記憶された優先番号についての優先順位の変換はなく、
図柄番号９では、右データ１０Ｈ＋テーブル番号１５の優先番号０＝１０Ｈ、
図柄番号１０では、右データ１０Ｈ＋テーブル番号１５の優先番号０＝１０Ｈ、
図柄番号１１では、右データ１０Ｈ＋テーブル番号１５の優先番号０＝１０Ｈ、
図柄番号１２では、右データ１０Ｈ＋テーブル番号１５の優先番号０＝１０Ｈ、
図柄番号１３では、右データ８０Ｈ＋テーブル番号１５の優先番号３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０４４０】
ＭＢ内部当選中の条件装置番号７２のときは、
保存優先番号が０であるため、テーブルに記憶された優先番号についての優先順位の変換はなく、
図柄番号９では、右データ１０Ｈ＋テーブル番号１５の優先番号０＝１０Ｈ、
図柄番号１０では、右データ８０Ｈ＋テーブル番号１５の優先番号０＝８０Ｈ、
図柄番号１１では、右データ８０Ｈ＋テーブル番号１５の優先番号０＝８０Ｈ、
図柄番号１２では、右データ１０Ｈ＋テーブル番号１５の優先番号０＝１０Ｈ、
図柄番号１３では、右データ１０Ｈ＋テーブル番号１５の優先番号３＝１３Ｈ
で、図柄番号１０と１１の停止候補得点が最大値となるが、より少ない滑りコマの１コマ滑りで図柄番号１０のスイカ２を下段に引込んで停止させ、中段に「紫セブン１」を表示させる。例９の順序及びタイミングで右リール１Ｒを停止操作した場合、一般遊技中とＭＢ内部当選中とは異なる停止態様となる。
【０４４１】
こうして、一般遊技中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。
【０４４２】
一方、ＭＢ内部当選中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例３と例９のとおり、第１停止から順番を間違えると、ＳＢＢに対応する図柄の組合せである紫７ダブル揃いは得られない。ただし、この場合も、再遊技に係る図柄の組合せは必ず得られる。
【０４４３】
例１０；リプレイ２の８
図５０に示すように、一般遊技中又はＭＢ内部当選中、内部抽選でリプレイ２に当選した場合、例３と同様に、引込み検索データが新規に作成される。
【０４４４】
左、右、中の順番で挟み打ちするものとし、第１番目の左リール１Ｌに対する停止操作は、図柄番号９のスイカ２が下段に停止可能なタイミングでされたとする。停止制御番号２の左第１停止（１停止）の停止ビットデータのテーブル番号は２９番、検索対象の５コマは、図柄番号９，１０，１１，１２，１３となる。
一般遊技中の条件装置番号２のときは、
図柄番号９では、左データ８０Ｈ＋テーブル番号２９の優先番号０＝８０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ１０Ｈ＋テーブル番号２９の優先番号０＝１０Ｈ
で、図柄番号１１の停止候補得点が唯一の最大値となるため、２コマ滑りで図柄番号１１の紫セブン１を下段に引込んで停止させ、中段に「リプレイ２」を表示させる。この停止位置を決定することとなった停止候補得点の算出に用いた優先番号３が保存される。
【０４４５】
ＭＢ内部当選中の条件装置番号７２のときは、
図柄番号９では、左データＡ０Ｈ＋テーブル番号２９の優先番号０＝Ａ０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ１０Ｈ＋テーブル番号２９の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。この停止位置を決定することとなった停止候補得点の算出に用いた優先番号０が保存される。例１０の順序及びタイミングで左リール１Ｌを停止操作した場合、一般遊技中とＭＢ内部当選中とは異なる停止態様となる。
【０４４６】
１本のリール１Ｌの停止位置が決まった後、引込み検索データについて、停止済となる左データを除き、停止済図柄との関係で対象外となる図柄について改定がされる。一般遊技中は、左リール１Ｌの中段に「リプレイ２」が表示されたため、図柄組番号５５に対する引込データ有８０Ｈのみが維持され、中データと右データについて、「リプレイ１」又は「リプレイ２」を中段に表示させる８０Ｈを除いて他の８０Ｈは１０Ｈに書き換えられる。
【０４４７】
一方、ＭＢ内部当選中は、左リール１Ｌの中段に「紫セブン２」が表示されたため、図柄組番号４５，４９，０１に対する引込データ有８０Ｈ又はＡ０Ｈ又は２０Ｈは維持されるが、図柄組番号５０，５１，５５，５６，５７に対する引込データ有８０Ｈは改定対象となり、中データについて「リプレイ１」又は「リプレイ２」又は「紫セブン１」又は「紫セブン２」を中段に表示させる８０Ｈ及び「チェリー」を中段に表示させる２０Ｈを除いて他は１０Ｈに書き換えられ、右データについて「紫セブン１」を中段に表示させるＡ０Ｈ及び「紫セブン２」を中段に表示させる８０Ｈを除いて他は１０Ｈに書き換えられる。例１０の場合、第１停止後の改定後の引込み検索データも、一般遊技中とＭＢ内部当選中とで異なる内容となる。
【０４４８】
第２番目の右リール１Ｒに対する停止操作は、図柄番号９のリプレイ１が下段に停止できるタイミングでされたとする。停止制御番号２の左後右第２停止（１３停止）の停止ビットデータのテーブル番号は１５番、検索対象の５コマは、図柄番号９，１０，１１，１２，１３となる。
一般遊技中の条件装置番号２のときは、
保存優先番号が３であるため、テーブルに記憶された優先番号についての優先順位の変換はなく、
図柄番号９では、右データ１０Ｈ＋テーブル番号１５の優先番号０＝１０Ｈ、
図柄番号１０では、右データ１０Ｈ＋テーブル番号１５の優先番号０＝１０Ｈ、
図柄番号１１では、右データ１０Ｈ＋テーブル番号１５の優先番号０＝１０Ｈ、
図柄番号１２では、右データ１０Ｈ＋テーブル番号１５の優先番号０＝１０Ｈ、
図柄番号１３では、右データ８０Ｈ＋テーブル番号１５の優先番号３＝８３Ｈ
で、図柄番号１３の停止候補得点が唯一の最大値となるため、４コマ滑りで図柄番号１３のベルを下段に停止させ、中段に「リプレイ１」を表示させる。
【０４４９】
ＭＢ内部当選中の条件装置番号７２のときは、
保存優先番号が０であるため、テーブルに記憶された優先番号についての優先順位の変換はなく、
図柄番号９では、右データ１０Ｈ＋テーブル番号１５の優先番号０＝１０Ｈ、
図柄番号１０では、右データＡ０Ｈ＋テーブル番号１５の優先番号０＝Ａ０Ｈ、
図柄番号１１では、右データ８０Ｈ＋テーブル番号１５の優先番号０＝８０Ｈ、
図柄番号１２では、右データ１０Ｈ＋テーブル番号１５の優先番号０＝１０Ｈ、
図柄番号１３では、右データ１０Ｈ＋テーブル番号１５の優先番号３＝１３Ｈ
で、図柄番号１０の停止候補得点が唯一の最大値となるため、１コマ滑りで図柄番号１０のスイカ２を下段に引込んで停止させ、中段に「紫セブン１」を表示させる。例１０の順序及びタイミングで右リール１Ｒを停止操作した場合、一般遊技中とＭＢ内部当選中とは異なる停止態様となる。
【０４５０】
２本のリール１Ｌ，１Ｒの停止位置が決まった後、停止済となる左データ及び右データを除き、中データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「リプレイ２」−右「リプレイ１」が表示されているため、中リール１Ｃについて「リプレイ１」又は「リプレイ２」を中段に表示させる８０Ｈは変わらないが、非作動の条件装置に対応する図柄組番号２０の「ベル」と、図柄組番号３８の「赤セブン」が表示禁止図柄となり、これらが中段に表示されないように、図柄番号１，３，６，１１，１４，１９は００Ｈに書き換えられる。
【０４５１】
一方、ＭＢ内部当選中は、中段に左「紫セブン２」−右「紫セブン１」が表示されているため、中リール１Ｃについて「リプレイ１」又は「リプレイ２」を中段に表示させる８０Ｈ及び「チェリー」を中段に表示させる２０Ｈは変わらないが、非作動の条件装置に対応する図柄組番号４７の「紫セブン１」と「紫セブン２」が表示禁止図柄となり、これらが中段に表示されないように、図柄番号１０，１３は００Ｈに書き換えられる。例１０の場合、第２停止後の最終改定後の引込み検索データも、一般遊技中とＭＢ内部当選中とで異なる内容となる。
【０４５２】
第３番目の中リール１Ｃに対する停止操作は、図柄番号９のスイカ２が下段に停止できるタイミングでされたとする。停止制御番号２の左後右後中第３停止（１３２停止）の停止ビットデータのテーブル番号は３１番、検索対象の５コマは、図柄番号９，１０，１１，１２，１３となる。
一般遊技中の条件装置番号２のときは、
保存優先番号が３であるため、テーブルに記憶された優先番号についての優先順位の変換はなく、
図柄番号９では、中データ１０Ｈ＋テーブル番号３１の優先番号０＝１０Ｈ、
図柄番号１０では、中データ１０Ｈ＋テーブル番号３１の優先番号０＝１０Ｈ、
図柄番号１１では、中データ００Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。
【０４５３】
ＭＢ内部当選中の条件装置番号７２のときは、
保存優先番号が０であるため、テーブルに記憶された優先番号についての優先順位の変換はなく、
図柄番号９では、中データ２０Ｈ＋テーブル番号３１の優先番号０＝２０Ｈ、
図柄番号１０では、中データ００Ｈ＋テーブル番号３１の優先番号０＝００Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ００Ｈ＋テーブル番号３１の優先番号０＝００Ｈ
で、図柄番号１２の停止候補得点が唯一の最大値となるため、３コマ滑りで図柄番号１２のベルを下段に引込んで停止させ、中段に「リプレイ２」を表示させる。例１０の順序及びタイミングで中リール１Ｃを停止操作した場合、一般遊技中もＭＢ内部当選中も同じ停止態様となる。
【０４５４】
こうして、一般遊技中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。
【０４５５】
一方、ＭＢ内部当選中に、リプレイ２に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例３と例１０のとおり、第１停止から順番を間違えると、ＳＢＢに対応する図柄の組合せである紫７ダブル揃いは得られない。ただし、この場合も、再遊技に係る図柄の組合せは必ず得られる。
【０４５６】
例１１；リプレイ３の１
図５１に示すように、一般遊技中に内部抽選でリプレイ３に当選した場合、条件装置番号は３、停止制御番号は３、停止許可となる図柄の組合せは図柄組番号４４，４９，５０，５１，５５，５６，５７となる。引込み検索データの新規作成時、作動に係る条件装置に対応した当該遊技での８バイトの停止許可フラグ（条件装置番号３に対応する、Ｃ２Ｈ，７１Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０４５７】
ＭＢ内部当選中に内部抽選でリプレイ３に当選した場合、条件装置番号は７３、停止制御番号は３、停止許可となる図柄の組合せは図柄組番号４４，４９，５０，５１，５５，５６，５７，０１となる。引込み検索データの新規作成時、作動に係る条件装置に対応した当該遊技での８バイトの停止許可フラグ（条件装置番号７３に対応する、Ｃ３Ｈ，７１Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技・役物）のＡ０Ｈ又は下段基準引込データ有（再遊技）の８０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０４５８】
左データの図柄番号９、右データの図柄番号１０に対応する新規作成時の引込み検索データは、一般遊技中の条件装置番号３のときは８０Ｈであるのに対して、ＭＢ内部当選中の条件装置番号７３のときは、役物たるＭＢに係る図柄の組合せのうち左リール１Ｌについての「紫セブン２」と右リール１Ｒについての「紫セブン１」を引込対象とすることから、再遊技についての８０Ｈに役物についての２０Ｈを加算したＡ０Ｈとなる。また、中データの図柄番号９，１５，１７に対応する新規作成時の引込み検索データは、一般遊技中の条件装置番号３のときは１０Ｈであるのに対して、ＭＢ内部当選中の条件装置番号７３のときは、役物たるＭＢに係る図柄の組合せのうち中リール１Ｃについての「チェリー」を引込対象とすることから２０Ｈとなる。
【０４５９】
中、右、左の順番で中押しするものとし、第１番目の中リール１Ｃに対する停止操作は、図柄番号９のスイカ２が下段に停止可能なタイミングでされたとする。停止制御番号３の中第１停止（２停止）の停止ビットデータのテーブル番号は２６番、検索対象の５コマは、図柄番号９，１０，１１，１２，１３となる。
一般遊技中の条件装置番号３のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。
【０４６０】
ＭＢ内部当選中の条件装置番号７３のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。例１１の順序及びタイミングで中リール１Ｃを停止操作した場合、一般遊技中もＭＢ内部当選中も同じ停止態様となる。
【０４６１】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン１」が表示されたため、図柄組番号４４，５０に対する引込データ有８０Ｈを除いて他の図柄組番号に対する引込データ有は改定対象となり、左データについて「紫セブン１」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例１１の場合、第１停止後の改定後の引込み検索データは、一般遊技中とＭＢ内部当選中とで同じ内容となる。
【０４６２】
第２番目の右リール１Ｒに対する停止操作は、図柄番号９のリプレイ１が下段に停止できるタイミングでされたとする。停止制御番号３の中後右第２停止（２３停止）の停止ビットデータのテーブル番号は６９番、検索対象の５コマは、図柄番号９，１０，１１，１２，１３となる。保存優先番号が３であるため、テーブルに記憶された優先番号についての優先順位の変換はない。
一般遊技中（条件装置番号３）もＭＢ内部当選中（条件装置番号７３）も、
図柄番号９では、右データ１０Ｈ＋テーブル番号６９の優先番号０＝１０Ｈ、
図柄番号１０では、右データ８０Ｈ＋テーブル番号６９の優先番号３＝８３Ｈ、
図柄番号１１では、右データ８０Ｈ＋テーブル番号６９の優先番号２＝８２Ｈ、
図柄番号１２では、右データ１０Ｈ＋テーブル番号６９の優先番号０＝１０Ｈ、
図柄番号１３では、右データ１０Ｈ＋テーブル番号６９の優先番号１＝１１Ｈ
で、図柄番号１０の停止候補得点が唯一の最大値となるため、１コマ滑りで図柄番号１０のスイカ２を下段に引込んで停止させ、中段に「紫セブン１」を表示させる。
【０４６３】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈは１０Ｈに変わらないが、中段に中「紫セブン１」−右「紫セブン１」が表示されているため、非作動の条件装置に対応する図柄組番号４７の「紫セブン２」が表示禁止図柄となり、紫セブン２が中段に表示されないように、図柄番号９の１０Ｈは００Ｈに書き換えられる。
【０４６４】
第３番目の左リール１Ｌに対する停止操作は、図柄番号９のスイカ２が下段に停止できるタイミングでされたとする。停止制御番号３の中後右後左第３停止（２３１停止）の停止ビットデータのテーブル番号は２４番、検索対象の５コマは、図柄番号９，１０，１１，１２，１３となる。保存優先番号が３であるため、テーブルに記憶された優先番号についての優先順位の変換はない。
一般遊技中（条件装置番号３）もＭＢ内部当選中（条件装置番号７３）も、
図柄番号９では、左データ００Ｈ＋テーブル番号２４の優先番号０＝００Ｈ、
図柄番号１０では、左データ８０Ｈ＋テーブル番号２４の優先番号３＝８３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０４６５】
こうして、一般遊技中又はＭＢ内部当選中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４４の紫７ダブル揃い１、すなわち、「紫セブン１」−「紫セブン１」−「紫セブン１」が表示される。
【０４６６】
例１２；リプレイ３の２
図５２に示すように、一般遊技中又はＭＢ内部当選中、内部抽選でリプレイ３に当選した場合、例１１と同様に、引込み検索データが新規に作成される。
【０４６７】
中、右、左の順番で中押しするものとし、第１番目の中リール１Ｃに対する停止操作は、図柄番号１２のベルが下段に停止可能なタイミングでされたとする。停止制御番号３の中第１停止（２停止）の停止ビットデータのテーブル番号は２６番、検索対象の５コマは、図柄番号１２，１３，１４，１５，１６となる。
一般遊技中の条件装置番号３のときは、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ、
図柄番号１４では、中データ８０Ｈ＋テーブル番号２６の優先番号０＝８０Ｈ、
図柄番号１５では、中データ１０Ｈ＋テーブル番号２６の優先番号０＝１０Ｈ、
図柄番号１６では、中データ８０Ｈ＋テーブル番号２６の優先番号１＝８１Ｈ
で、図柄番号１３の停止候補得点が唯一の最大値となるため、１コマ滑りで図柄番号１３のリプレイ２を下段に引込んで停止させ、中段に「紫セブン２」を表示させる。この停止位置を決定することとなった停止候補得点の算出に用いた優先番号３が保存される。
【０４６８】
ＭＢ内部当選中の条件装置番号７２のときは、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ、
図柄番号１４では、中データ８０Ｈ＋テーブル番号２６の優先番号０＝８０Ｈ、
図柄番号１５では、中データ２０Ｈ＋テーブル番号２６の優先番号０＝２０Ｈ、
図柄番号１６では、中データ８０Ｈ＋テーブル番号２６の優先番号１＝８１Ｈ
で、図柄番号１３の停止候補得点が唯一の最大値となるため、１コマ滑りで図柄番号１３のリプレイ２を下段に引込んで停止させ、中段に「紫セブン２」を表示させる。この停止位置を決定することとなった停止候補得点の算出に用いた優先番号３が保存される。例１２の順序及びタイミングで中リール１Ｃを停止操作した場合、一般遊技中もＭＢ内部当選中も同じ停止態様となる。
【０４６９】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン２」が表示されたため、図柄組番号４４，５０に対する引込データ有８０Ｈを除いて他の図柄組番号に対する引込データ有は改定対象となり、左データについて「紫セブン１」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例１２の場合、第１停止後の改定後の引込み検索データは、一般遊技中とＭＢ内部当選中とで同じ内容となる。
【０４７０】
第２番目の右リール１Ｒに対する停止操作は、図柄番号９のリプレイ１が下段に停止できるタイミングでされたとする。停止制御番号３の中後右第２停止（２３停止）の停止ビットデータのテーブル番号は６９番、検索対象の５コマは、図柄番号９，１０，１１，１２，１３となる。保存優先番号が３であるため、テーブルに記憶された優先番号についての優先順位の変換はない。
一般遊技中（条件装置番号３）もＭＢ内部当選中（条件装置番号７３）も、
図柄番号９では、右データ１０Ｈ＋テーブル番号６９の優先番号０＝１０Ｈ、
図柄番号１０では、右データ８０Ｈ＋テーブル番号６９の優先番号３＝８３Ｈ、
図柄番号１１では、右データ８０Ｈ＋テーブル番号６９の優先番号２＝８２Ｈ、
図柄番号１２では、右データ１０Ｈ＋テーブル番号６９の優先番号０＝１０Ｈ、
図柄番号１３では、右データ１０Ｈ＋テーブル番号６９の優先番号１＝１１Ｈ
で、図柄番号１０の停止候補得点が唯一の最大値となるため、１コマ滑りで図柄番号１０のスイカ２を下段に引込んで停止させ、中段に「紫セブン１」を表示させる。
【０４７１】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈは１０Ｈに変わらないが、中段に中「紫セブン２」−右「紫セブン１」が表示されているため、非作動の条件装置に対応する図柄組番号４７の「紫セブン２」が表示禁止図柄となり、紫セブン２が中段に表示されないように、図柄番号９の１０Ｈは００Ｈに書き換えられる。
【０４７２】
第３番目の左リール１Ｌに対する停止操作は、図柄番号９のスイカ２が下段に停止できるタイミングでされたとする。停止制御番号３の中後右後左第３停止（２３１停止）の停止ビットデータのテーブル番号は２４番、検索対象の５コマは、図柄番号９，１０，１１，１２，１３となる。保存優先番号が３であるため、テーブルに記憶された優先番号についての優先順位の変換はない。
一般遊技中（条件装置番号３）もＭＢ内部当選中（条件装置番号７３）も、
図柄番号９では、左データ００Ｈ＋テーブル番号２４の優先番号０＝００Ｈ、
図柄番号１０では、左データ８０Ｈ＋テーブル番号２４の優先番号３＝８３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０４７３】
こうして、一般遊技中又はＭＢ内部当選中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４４の紫７ダブル揃い１、すなわち、「紫セブン１」−「紫セブン２」−「紫セブン１」が表示される。例１１と例１２のとおり、中リール１Ｃについて紫セブン１又は紫セブン２をどちらを中段に止めても、紫７ダブル揃い１の擬似ボーナスＳＢＢに対応した図柄の組合せが得られる。
【０４７４】
例１３；リプレイ３の３
図５３に示すように、一般遊技中又はＭＢ内部当選中、内部抽選でリプレイ３に当選した場合、例１１と同様に、引込み検索データが新規に作成される。
【０４７５】
中、右、左の順番で中押しするものとし、第１番目の中リール１Ｃに対する停止操作は、図柄番号１４の紫セブン２が下段に停止可能なタイミングでされたとする。停止制御番号３の中第１停止（２停止）の停止ビットデータのテーブル番号は２６番、検索対象の５コマは、図柄番号１４，１５，１６，１７，１８となる。
一般遊技中の条件装置番号３のときは、
図柄番号１４では、中データ８０Ｈ＋テーブル番号２６の優先番号０＝８０Ｈ、
図柄番号１５では、中データ１０Ｈ＋テーブル番号２６の優先番号０＝１０Ｈ、
図柄番号１６では、中データ８０Ｈ＋テーブル番号２６の優先番号１＝８１Ｈ、
図柄番号１７では、中データ１０Ｈ＋テーブル番号２６の優先番号０＝１０Ｈ、
図柄番号１８では、中データ１０Ｈ＋テーブル番号２６の優先番号０＝１０Ｈ
で、図柄番号１６の停止候補得点が唯一の最大値となるため、２コマ滑りで図柄番号１６のチェリーを下段に引込んで停止させ、中段に「リプレイ２」を表示させる。この停止位置を決定することとなった停止候補得点の算出に用いた優先番号１が保存される。
【０４７６】
ＭＢ内部当選中の条件装置番号７３のときは、
図柄番号１４では、中データ８０Ｈ＋テーブル番号２６の優先番号０＝８０Ｈ、
図柄番号１５では、中データ２０Ｈ＋テーブル番号２６の優先番号０＝２０Ｈ、
図柄番号１６では、中データ８０Ｈ＋テーブル番号２６の優先番号１＝８１Ｈ、
図柄番号１７では、中データ２０Ｈ＋テーブル番号２６の優先番号０＝２０Ｈ、
図柄番号１８では、中データ１０Ｈ＋テーブル番号２６の優先番号０＝１０Ｈ
で、図柄番号１６の停止候補得点が唯一の最大値となるため、２コマ滑りで図柄番号１６のチェリーを下段に引込んで停止させ、中段に「リプレイ２」を表示させる。この停止位置を決定することとなった停止候補得点の算出に用いた優先番号１が保存される。例１３の順序及びタイミングで中リール１Ｃを停止操作した場合、一般遊技中もＭＢ内部当選中も同じ停止態様となる。
【０４７７】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「リプレイ２」が表示されたため、図柄組番号４９，５５，５６，５７に対する引込データ有８０Ｈを除いて他の図柄組番号に対する引込データ有は改定対象となるが、ＭＢ内部当選中の左データの図柄番号９及び右データの図柄番号１０についてのＡ０Ｈは８０Ｈに書き換えられる他は、中リール１Ｃの「リプレイ２」と組合せる図柄組番号４９，５５，５６，５７の左リール図柄及び右リール図柄には、図柄組番号４４，５０，５１と同じものを含んでいるため、８０Ｈから１０Ｈへの書き換えは生じない。例１３の場合、第１停止後の改定後の引込み検索データは、一般遊技中とＭＢ内部当選中とで同じ内容となる。
【０４７８】
第２番目の右リール１Ｒに対する停止操作は、図柄番号９のリプレイ１が下段に停止できるタイミングでされたとする。停止制御番号３の中後右第２停止（２３停止）の停止ビットデータのテーブル番号は６９番、検索対象の５コマは、図柄番号９，１０，１１，１２，１３となる。保存優先番号が１であるため、テーブルに記憶された優先番号１は３に、同３は２に、同２は１に読み替える優先順位の変換がされる。
一般遊技中（条件装置番号３）もＭＢ内部当選中（条件装置番号７３）も、
図柄番号９では、右データ８０Ｈ＋テーブル番号６９の優先番号０＝８０Ｈ、
図柄番号１０では、右データ８０Ｈ＋テーブル番号６９の３に変る２＝８２Ｈ、
図柄番号１１では、右データ８０Ｈ＋テーブル番号６９の２に変る１＝８１Ｈ、
図柄番号１２では、右データ８０Ｈ＋テーブル番号６９の優先番号０＝８０Ｈ、
図柄番号１３では、右データ８０Ｈ＋テーブル番号６９の１に変る３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０４７９】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について８０Ｈや１０Ｈを００Ｈに書き換える。この例の場合、中段に中「リプレイ２」−右「リプレイ１」が表示されているため、左データについて「リプレイ１」又は「リプレイ２」を中段に表示させる８０Ｈを除いて他の８０Ｈは１０Ｈ以下に書き換えられると共に、非作動の条件装置に対応する図柄組番号２１の「赤セブン」と「スイカ１」と「スイカ２」、図柄組番号４１の「紫セブン１」と「黒バー」、図柄組番号４３の「ベル」は表示禁止図柄となり、これら左リール１Ｌの図柄が中段に表示されないように、図柄番号０，２，３，５，７，８，１０，１２，１３，１５，１７，１８，２０については００Ｈに書き換えられる。
【０４８０】
第３番目の左リール１Ｌに対する停止操作は、図柄番号９のスイカ２が下段に停止できるタイミングでされたとする。停止制御番号３の中後右後左第３停止（２３１停止）の停止ビットデータのテーブル番号は２４番、検索対象の５コマは、図柄番号９，１０，１１，１２，１３となる。保存優先番号が１であるため、テーブルに記憶された優先番号１は３に、同３は２に、同２は１に読み替える優先順位の変換がされる。
一般遊技中（条件装置番号３）もＭＢ内部当選中（条件装置番号７３）も、
図柄番号９では、左データ１０Ｈ＋テーブル番号２４の優先番号０＝１０Ｈ、
図柄番号１０では、左データ００Ｈ＋テーブル番号２４の３に変る２＝０２Ｈ、
図柄番号１１では、左データ８０Ｈ＋テーブル番号２４の１に変る３＝８３Ｈ、
図柄番号１２では、左データ００Ｈ＋テーブル番号２４の２に変る１＝０１Ｈ、
図柄番号１３では、左データ００Ｈ＋テーブル番号２４の優先番号０＝００Ｈ
で、図柄番号１１の停止候補得点が唯一の最大値となるため、２コマ滑りで図柄番号１１の紫セブン１を下段に引込んで停止させ、中段に「リプレイ２」を表示させる。
【０４８１】
こうして、一般遊技中又はＭＢ内部当選中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。例１２と例１３のとおり、中リール１Ｃについて紫セブン１又は紫セブン２の目押しに失敗しても、再遊技に係る図柄の組合せは必ず得られる。
【０４８２】
例１４；リプレイ３の４
図５４に示すように、一般遊技中又はＭＢ内部当選中、内部抽選でリプレイ３に当選した場合、例１１と同様に、引込み検索データが新規に作成される。
【０４８３】
中、左、右の順番で中押しするものとし、第１番目の中リール１Ｃに対する停止操作は、図柄番号９のスイカ２が下段に停止可能なタイミングでされたとする。停止制御番号３の中第１停止（２停止）の停止ビットデータのテーブル番号は２６番、検索対象の５コマは、図柄番号９，１０，１１，１２，１３となる。
一般遊技中の条件装置番号３のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。
【０４８４】
ＭＢ内部当選中の条件装置番号７３のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。例１４の順序及びタイミングで中リール１Ｃを停止操作した場合、一般遊技中もＭＢ内部当選中も同じ停止態様となる。
【０４８５】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン１」が表示されたため、図柄組番号４４，５０に対する引込データ有８０Ｈを除いて他の図柄組番号に対する引込データ有は改定対象となり、左データについて「紫セブン１」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例１４の場合、第１停止後の改定後の引込み検索データは、一般遊技中とＭＢ内部当選中とで同じ内容となる。
【０４８６】
第２番目の左リール１Ｌに対する停止操作は、図柄番号９のスイカ２が下段に停止できるタイミングでされたとする。停止制御番号３の中後左第２停止（２１停止）の停止ビットデータのテーブル番号は２３番、検索対象の５コマは、図柄番号９，１０，１１，１２，１３となる。保存優先番号が３であるため、テーブルに記憶された優先番号についての優先順位の変換はない。
一般遊技中（条件装置番号３）もＭＢ内部当選中（条件装置番号７３）も、
図柄番号９では、左データ１０Ｈ＋テーブル番号２４の優先番号３＝１３Ｈ、
図柄番号１０では、左データ８０Ｈ＋テーブル番号２４の優先番号０＝８０Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号１２の停止候補得点が唯一の最大値となるため、３コマ滑りで図柄番号１２のリプレイ２を下段に引込んで停止させ、中段に「ベル」を表示させる。
【０４８７】
２本のリール１Ｌ，１Ｃの停止位置が決まった後、停止済となる左データ及び中データを除き、右データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈは１０Ｈに変わらないが、中段に左「ベル」−中「紫セブン１」が表示されているため、非作動の条件装置に対応する図柄組番号３５の「黒バー」が表示禁止図柄となり、右リール１Ｌについて黒バーが中段に表示されないように、図柄番号１，１５の１０Ｈは００Ｈに書き換えられる。
【０４８８】
第３番目の右リール１Ｒに対する停止操作は、図柄番号９のリプレイ１が下段に停止できるタイミングでされたとする。停止制御番号３の中後左後右第３停止（２１３停止）の停止ビットデータのテーブル番号は２７番、検索対象の５コマは、図柄番号９，１０，１１，１２，１３となる。保存優先番号が３であるため、テーブルに記憶された優先番号についての優先順位の変換はない。
一般遊技中（条件装置番号３）もＭＢ内部当選中（条件装置番号７３）も、
図柄番号９では、右データ１０Ｈ＋テーブル番号６９の優先番号０＝１０Ｈ、
図柄番号１０では、右データ８０Ｈ＋テーブル番号６９の優先番号０＝８０Ｈ、
図柄番号１１では、右データ８０Ｈ＋テーブル番号６９の優先番号３＝８３Ｈ、
図柄番号１２では、右データ１０Ｈ＋テーブル番号６９の優先番号０＝１０Ｈ、
図柄番号１３では、右データ１０Ｈ＋テーブル番号６９の優先番号１＝１１Ｈ
で、図柄番号１１の停止候補得点が唯一の最大値となるため、２コマ滑りで図柄番号１１の紫セブン１を下段に引込んで停止させ、中段に「紫セブン２」を表示させる。
【０４８９】
こうして、一般遊技中又はＭＢ内部当選中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５０の逆・中押し損じ、すなわち、「ベル」−「紫セブン１」−「紫セブン２」が表示される。例１３と例１４のとおり、中リール１Ｃを最初に止めても、第２停止の順番を間違えると、ＳＢＢに対応する図柄の組合せである紫７ダブル揃いは得られない。ただし、この場合も、再遊技に係る図柄の組合せは必ず得られる。
【０４９０】
例１５；リプレイ３の５
図５５に示すように、一般遊技中又はＭＢ内部当選中、内部抽選でリプレイ３に当選した場合、例１１と同様に、引込み検索データが新規に作成される。
【０４９１】
右、中、左の順番で逆押しするものとし、第１番目の右リール１Ｒに対する停止操作は、図柄番号９のリプレイ１が下段に停止可能なタイミングでされたとする。停止制御番号３の右第１停止（３停止）の停止ビットデータのテーブル番号は６５番、検索対象の５コマは、図柄番号９，１０，１１，１２，１３となる。
一般遊技中の条件装置番号３のときは、
図柄番号９では、右データ８０Ｈ＋テーブル番号６５の優先番号０＝８０Ｈ、
図柄番号１０では、右データ８０Ｈ＋テーブル番号６５の優先番号０＝８０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１１の停止候補得点が唯一の最大値となるため、２コマ滑りで図柄番号１１の紫セブン１を下段に引込んで停止させ、中段に「紫セブン２」を表示させる。この停止位置を決定することとなった停止候補得点の算出に用いた優先番号３が保存される。
【０４９２】
ＭＢ内部当選中の条件装置番号７３のときは、
図柄番号９では、右データ８０Ｈ＋テーブル番号６５の優先番号０＝８０Ｈ、
図柄番号１０では、右データＡ０Ｈ＋テーブル番号６５の優先番号０＝Ａ０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号０が保存される。例１５の順序及びタイミングで右リール１Ｒを停止操作した場合、一般遊技中とＭＢ内部当選中とは異なる停止態様となる。
【０４９３】
１本のリール１Ｒの停止位置が決まった後、引込み検索データについて、停止済となる右データを除き、停止済図柄との関係で対象外となる図柄について改定がされる。一般遊技中は、右リール１Ｒの中段に「紫セブン２」が表示されたため、図柄組番号４９，５０，５１に対する引込データ有８０Ｈは維持されるが、図柄組番号４４，５５，５６，５７に対する引込データ有８０Ｈは改定対象となり、左データについて「紫セブン１」又は「紫セブン２」又は「ベル」を中段に表示させる８０Ｈを除いて他の８０Ｈは１０Ｈに書き換えられ、中データについては８０Ｈから１０Ｈへの書き換えはない。
【０４９４】
一方、ＭＢ内部当選中は、右リール１Ｒの中段に「紫セブン１」が表示されたため、図柄組番号４４，４９，５０，５１，０１に対する引込データ有８０Ｈ又はＡ０Ｈ又は２０Ｈは維持されるが、図柄組番号５５，５６，５７に対する引込データ有８０Ｈは改定対象となり、左データについて「紫セブン１」又は「ベル」を中段に表示させる８０Ｈ及び「紫セブン２」を中段に表示させるＡ０Ｈを除いて他は１０Ｈに書き換えられ、中データについては８０Ｈ又は２０Ｈから１０Ｈへの書き換えはない。例１５の場合、第１停止後の改定後の引込み検索データも、一般遊技中とＭＢ内部当選中とで異なる内容となる。
【０４９５】
第２番目の中リール１Ｃに対する停止操作は、図柄番号９のスイカ２が下段に停止できるタイミングでされたとする。停止制御番号３の右後中第２停止（３２停止）の停止ビットデータのテーブル番号は６４番、検索対象の５コマは、図柄番号９，１０，１１，１２，１３となる。
一般遊技中の条件装置番号３のときは、
保存優先番号が３であるため、テーブルに記憶された優先番号についての優先順位の変換はなく、
図柄番号９では、中データ１０Ｈ＋テーブル番号６４の優先番号０＝１０Ｈ、
図柄番号１０では、中データ８０Ｈ＋テーブル番号６４の優先番号３＝８３Ｈ、
図柄番号１１では、中データ８０Ｈ＋テーブル番号６４の優先番号２＝８２Ｈ、
図柄番号１２では、中データ８０Ｈ＋テーブル番号６４の優先番号１＝８１Ｈ、
図柄番号１３では、中データ８０Ｈ＋テーブル番号６４の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。
【０４９６】
ＭＢ内部当選中の条件装置番号７３のときは、
保存優先番号が０であるため、テーブルに記憶された優先番号についての優先順位の変換はなく、
図柄番号９では、中データ２０Ｈ＋テーブル番号６４の優先番号０＝２０Ｈ、
図柄番号１０では、中データ８０Ｈ＋テーブル番号６４の優先番号３＝８３Ｈ、
図柄番号１１では、中データ８０Ｈ＋テーブル番号６４の優先番号２＝８２Ｈ、
図柄番号１２では、中データ８０Ｈ＋テーブル番号６４の優先番号１＝８１Ｈ、
図柄番号１３では、中データ８０Ｈ＋テーブル番号６４の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。例１５の順序及びタイミングで中リール１Ｃを停止操作した場合、一般遊技中もＭＢ内部当選中も同じ停止態様となる。
【０４９７】
２本のリール１Ｃ，１Ｒの停止位置が決まった後、停止済となる中データ及び右データを除き、左データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に中「紫セブン１」−右「紫セブン２」が表示されているため、左リール１Ｌについて「ベル」を中段に表示させる８０Ｈは変わらないが、非作動の条件装置に対応する図柄組番号０３の「リプレイ１」と「リプレイ２」、図柄組番号２９の「黒バー」、図柄組番号４５の「紫セブン２」、図柄組番号４６の「紫セブン１」、図柄組番号４８の「スイカ２」が表示禁止図柄となり、これら左リール１Ｌの図柄が中段に表示されないように、図柄番号１，３，５，６，８，９，１０，１１，１３，１６，１９は００Ｈに書き換えられる。
【０４９８】
一方、ＭＢ内部当選中は、中段に中「紫セブン１」−右「紫セブン１」が表示されているため、左リール１Ｌについて「ベル」を中段に表示させる８０Ｈは変わらないが、非作動の条件装置に対応する図柄組番号４７の「紫セブン２」が表示禁止図柄となり、紫セブン２が中段に表示されないように、図柄番号９は００Ｈに書き換えられる。例１５の場合、第２停止後の最終改定後の引込み検索データも、一般遊技中とＭＢ内部当選中とで異なる内容となる。
【０４９９】
第３番目の左リール１Ｌに対する停止操作は、図柄番号９のスイカ２が下段に停止できるタイミングでされたとする。停止制御番号３の右後中後左第３停止（３２１停止）の停止ビットデータのテーブル番号は７０番、検索対象の５コマは、図柄番号９，１０，１１，１２，１３となる。
一般遊技中の条件装置番号３のときは、
保存優先番号が３であるため、テーブルに記憶された優先番号についての優先順位の変換はなく、
図柄番号９では、左データ００Ｈ＋テーブル番号７０の優先番号０＝００Ｈ、
図柄番号１０では、左データ００Ｈ＋テーブル番号７０の優先番号３＝０３Ｈ、
図柄番号１１では、左データ００Ｈ＋テーブル番号７０の優先番号１＝０１Ｈ、
図柄番号１２では、左データ８０Ｈ＋テーブル番号７０の優先番号２＝８２Ｈ、
図柄番号１３では、左データ００Ｈ＋テーブル番号７０の優先番号０＝００Ｈ
で、図柄番号１２の停止候補得点が唯一の最大値となるため、３コマ滑りで図柄番号１２のリプレイ２を下段に引込んで停止させ、中段に「ベル」を表示させる。
【０５００】
ＭＢ内部当選中の条件装置番号７３のときは、
保存優先番号が０であるため、テーブルに記憶された優先番号についての優先順位の変換はなく、
図柄番号９では、左データ００Ｈ＋テーブル番号７０の優先番号０＝００Ｈ、
図柄番号１０では、左データ１０Ｈ＋テーブル番号７０の優先番号３＝１３Ｈ、
図柄番号１１では、左データ１０Ｈ＋テーブル番号７０の優先番号１＝１１Ｈ、
図柄番号１２では、左データ８０Ｈ＋テーブル番号７０の優先番号２＝８２Ｈ、
図柄番号１３では、左データ１０Ｈ＋テーブル番号７０の優先番号０＝１０Ｈ
で、図柄番号１２の停止候補得点が唯一の最大値となるため、３コマ滑りで図柄番号１２のリプレイ２を下段に引込んで停止させ、中段に「ベル」を表示させる。例１５の順序及びタイミングで左リール１Ｌを停止操作した場合、一般遊技中もＭＢ内部当選中も同じ停止態様となる。
【０５０１】
こうして、一般遊技中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５０の逆・中押し損じの一つ、すなわち、「ベル」−「紫セブン１」−「紫セブン２」が表示される。
【０５０２】
一方、ＭＢ内部当選中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５０の逆・中押し損じの他の一つ、すなわち、「ベル」−「紫セブン１」−「紫セブン１」が表示される。停止操作の順序及びタイミングが全く同じでも、一般遊技中とＭＢ内部当選中とは異なる停止パターンとなる。また、例１１と例１５のとおり、第１停止から順番を間違えると、ＳＢＢに対応する図柄の組合せである紫７ダブル揃いは得られない。ただし、この場合も、再遊技に係る図柄の組合せは必ず得られる。
【０５０３】
例１６；リプレイ３の６
図５６に示すように、一般遊技中又はＭＢ内部当選中、内部抽選でリプレイ３に当選した場合、例１１と同様に、引込み検索データが新規に作成される。
【０５０４】
右、左、中の順番で逆挟み押しするものとし、第１番目の右リール１Ｒに対する停止操作は、図柄番号９のリプレイ１が下段に停止可能なタイミングでされたとする。停止制御番号３の右第１停止（３停止）の停止ビットデータのテーブル番号は６５番、検索対象の５コマは、図柄番号９，１０，１１，１２，１３となる。
一般遊技中の条件装置番号３のときは、
図柄番号９では、右データ８０Ｈ＋テーブル番号６５の優先番号０＝８０Ｈ、
図柄番号１０では、右データ８０Ｈ＋テーブル番号６５の優先番号０＝８０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１１の停止候補得点が唯一の最大値となるため、２コマ滑りで図柄番号１１の紫セブン１を下段に引込んで停止させ、中段に「紫セブン２」を表示させる。この停止位置を決定することとなった停止候補得点の算出に用いた優先番号３が保存される。
【０５０５】
ＭＢ内部当選中の条件装置番号７３のときは、
図柄番号９では、右データ８０Ｈ＋テーブル番号６５の優先番号０＝８０Ｈ、
図柄番号１０では、右データＡ０Ｈ＋テーブル番号６５の優先番号０＝Ａ０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号０が保存される。例１６の順序及びタイミングで右リール１Ｒを停止操作した場合、一般遊技中とＭＢ内部当選中とは異なる停止態様となる。
【０５０６】
１本のリール１Ｒの停止位置が決まった後、引込み検索データについて、停止済となる右データを除き、停止済図柄との関係で対象外となる図柄について改定がされる。一般遊技中は、右リール１Ｒの中段に「紫セブン２」が表示されたため、図柄組番号４９，５０，５１に対する引込データ有８０Ｈは維持されるが、図柄組番号４４，５５，５６，５７に対する引込データ有８０Ｈは改定対象となり、左データについて「紫セブン１」又は「紫セブン２」又は「ベル」を中段に表示させる８０Ｈを除いて他の８０Ｈは１０Ｈに書き換えられ、中データについては８０Ｈから１０Ｈへの書き換えはない。
【０５０７】
一方、ＭＢ内部当選中は、右リール１Ｒの中段に「紫セブン１」が表示されたため、図柄組番号４４，４９，５０，５１，０１に対する引込データ有８０Ｈ又はＡ０Ｈ又は２０Ｈは維持されるが、図柄組番号５５，５６，５７に対する引込データ有８０Ｈは改定対象となり、左データについて「紫セブン１」又は「ベル」を中段に表示させる８０Ｈ及び「紫セブン２」を中段に表示させるＡ０Ｈを除いて他は１０Ｈに書き換えられ、中データについては８０Ｈ又は２０Ｈから１０Ｈへの書き換えはない。例１６の場合、第１停止後の改定後の引込み検索データも、一般遊技中とＭＢ内部当選中とで異なる内容となる。
【０５０８】
第２番目の左リール１Ｒに対する停止操作は、図柄番号９のスイカ２が下段に停止できるタイミングでされたとする。停止制御番号３の右後左第２停止（３１停止）の停止ビットデータのテーブル番号は２４番、検索対象の５コマは、図柄番号９，１０，１１，１２，１３となる。
一般遊技中の条件装置番号３のときは、
保存優先番号が３であるため、テーブルに記憶された優先番号についての優先順位の変換はなく、
図柄番号９では、左データ８０Ｈ＋テーブル番号２４の優先番号０＝８０Ｈ、
図柄番号１０では、左データ８０Ｈ＋テーブル番号２４の優先番号３＝８３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０５０９】
ＭＢ内部当選中の条件装置番号７３のときは、
保存優先番号が０であるため、テーブルに記憶された優先番号についての優先順位の変換はなく、
図柄番号９では、左データＡ０Ｈ＋テーブル番号２４の優先番号０＝Ａ０Ｈ、
図柄番号１０では、左データ８０Ｈ＋テーブル番号２４の優先番号３＝８３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。例１６の順序及びタイミングで左リール１Ｌを停止操作した場合、一般遊技中とＭＢ内部当選中とは異なる停止態様となる。
【０５１０】
２本のリール１Ｌ，１Ｒの停止位置が決まった後、停止済となる左データ及び右データを除き、中データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「紫セブン１」−右「紫セブン２」が表示されているため、中リール１Ｃについて「リプレイ１」又は「リプレイ２」を中段に表示させる８０Ｈは変わらないが、非作動の条件装置に対応する図柄組番号１２の「ベル」、図柄組番号４６の「紫セブン１」と「紫セブン２」が表示禁止図柄となり、これら中リール１Ｃの図柄が中段に表示されないように、図柄番号３，６，１０，１１，１３，１４，１９は００Ｈに書き換えられる。
【０５１１】
一方、ＭＢ内部当選中は、中段に左「紫セブン２」−右「紫セブン１」が表示されているため、中リール１Ｃについて「リプレイ１」又は「リプレイ２」を中段に表示させる８０Ｈ及び「チェリー」を中段に表示させる２０Ｈは変わらないが、非作動の条件装置に対応する図柄組番号４７の「紫セブン１」と「紫セブン２」が表示禁止図柄となり、これら中リール１Ｃの図柄が中段に表示されないように、図柄番号１０，１３は００Ｈに書き換えられる。例１６の場合、第２停止後の最終改定後の引込み検索データも、一般遊技中とＭＢ内部当選中とで異なる内容となる。
【０５１２】
第３番目の中リール１Ｃに対する停止操作は、図柄番号９のスイカ２が下段に停止できるタイミングでされたとする。停止制御番号３の右後左後中第３停止（３１２停止）の停止ビットデータのテーブル番号は６４番、検索対象の５コマは、図柄番号９，１０，１１，１２，１３となる。
一般遊技中の条件装置番号３のときは、
保存優先番号が３であるため、テーブルに記憶された優先番号についての優先順位の変換はなく、
図柄番号９では、中データ１０Ｈ＋テーブル番号６４の優先番号０＝１０Ｈ、
図柄番号１０では、中データ００Ｈ＋テーブル番号６４の優先番号３＝０３Ｈ、
図柄番号１１では、中データ００Ｈ＋テーブル番号６４の優先番号２＝０２Ｈ、
図柄番号１２では、中データ８０Ｈ＋テーブル番号６４の優先番号１＝８１Ｈ、
図柄番号１３では、中データ００Ｈ＋テーブル番号６４の優先番号３＝０３Ｈ
で、図柄番号１２の停止候補得点が唯一の最大値となるため、３コマ滑りで図柄番号１２のベルを下段に引込んで停止させ、中段に「リプレイ２」を表示させる。
【０５１３】
ＭＢ内部当選中の条件装置番号７３のときは、
保存優先番号が０であるため、テーブルに記憶された優先番号についての優先順位の変換はなく、
図柄番号９では、中データ２０Ｈ＋テーブル番号６４の優先番号０＝２０Ｈ、
図柄番号１０では、中データ００Ｈ＋テーブル番号６４の優先番号３＝０３Ｈ、
図柄番号１１では、中データ１０Ｈ＋テーブル番号６４の優先番号２＝１２Ｈ、
図柄番号１２では、中データ８０Ｈ＋テーブル番号６４の優先番号１＝８１Ｈ、
図柄番号１３では、中データ００Ｈ＋テーブル番号６４の優先番号３＝０３Ｈ
で、図柄番号１２の停止候補得点が唯一の最大値となるため、３コマ滑りで図柄番号１２のベルを下段に引込んで停止させ、中段に「リプレイ２」を表示させる。例１６の順序及びタイミングで中リール１Ｃを停止操作した場合、一般遊技中もＭＢ内部当選中も同じ停止態様となる。
【０５１４】
こうして、一般遊技中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じの一つ、すなわち、「紫セブン１」−「リプレイ２」−「紫セブン２」が表示される。
【０５１５】
一方、ＭＢ内部当選中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じの他の一つ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例１１と例１６のとおり、第１停止から順番を間違えると、ＳＢＢに対応する図柄の組合せである紫７ダブル揃いは得られない。ただし、この場合も、再遊技に係る図柄の組合せは必ず得られる。
【０５１６】
例１７；リプレイ３の７
図５７に示すように、一般遊技中又はＭＢ内部当選中、内部抽選でリプレイ３に当選した場合、例１１と同様に、引込み検索データが新規に作成される。
【０５１７】
左、中、右の順番で順押しするものとし、第１番目の左リール１Ｌに対する停止操作は、図柄番号９のスイカ２が下段に停止可能なタイミングでされたとする。停止制御番号３の左第１停止（１停止）の停止ビットデータのテーブル番号は２９番、検索対象の５コマは、図柄番号９，１０，１１，１２，１３となる。
一般遊技中の条件装置番号３のときは、
図柄番号９では、左データ８０Ｈ＋テーブル番号２９の優先番号０＝８０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ１０Ｈ＋テーブル番号２９の優先番号０＝１０Ｈ
で、図柄番号１１の停止候補得点が唯一の最大値となるため、２コマ滑りで図柄番号１１の紫セブン１を下段に引込んで停止させ、中段に「リプレイ２」を表示させる。この停止位置を決定することとなった停止候補得点の算出に用いた優先番号３が保存される。
【０５１８】
ＭＢ内部当選中の条件装置番号７３のときは、
図柄番号９では、左データＡ０Ｈ＋テーブル番号２９の優先番号０＝Ａ０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ１０Ｈ＋テーブル番号２９の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。この停止位置を決定することとなった停止候補得点の算出に用いた優先番号０が保存される。例１７の順序及びタイミングで左リール１Ｌを停止操作した場合、一般遊技中とＭＢ内部当選中とは異なる停止態様となる。
【０５１９】
１本のリール１Ｌの停止位置が決まった後、引込み検索データについて、停止済となる左データを除き、停止済図柄との関係で対象外となる図柄について改定がされる。一般遊技中は、左リール１Ｌの中段に「リプレイ２」が表示されたため、図柄組番号５５に対する引込データ有８０Ｈのみが維持され、中データと右データについて、「リプレイ１」又は「リプレイ２」を中段に表示させる８０Ｈを除いて他の８０Ｈは１０Ｈに書き換えられる。
【０５２０】
一方、ＭＢ内部当選中は、左リール１Ｌの中段に「紫セブン２」が表示されたため、図柄組番号４９，０１に対する引込データ有８０Ｈ又はＡ０Ｈ又は２０Ｈは維持されるが、図柄組番号４４，５０，５１，５５，５６，５７に対する引込データ有８０Ｈは改定対象となり、中データについて「リプレイ１」又は「リプレイ２」を中段に表示させる８０Ｈ及び「チェリー」を中段に表示させる２０Ｈを除いて他は１０Ｈに書き換えられ、右データについて「紫セブン１」を中段に表示させるＡ０Ｈ及び「紫セブン２」を中段に表示させる８０Ｈを除いて他は１０Ｈに書き換えられる。例１７の場合、第１停止後の改定後の引込み検索データも、一般遊技中とＭＢ内部当選中とで異なる内容となる。
【０５２１】
第２番目の中リール１Ｃに対する停止操作は、図柄番号９のスイカ２が下段に停止できるタイミングでされたとする。停止制御番号３の左後中第２停止（１２停止）の停止ビットデータのテーブル番号は３１番、検索対象の５コマは、図柄番号９，１０，１１，１２，１３となる。
一般遊技中の条件装置番号３のときは、
保存優先番号が３であるため、テーブルに記憶された優先番号についての優先順位の変換はなく、
図柄番号９では、中データ１０Ｈ＋テーブル番号３１の優先番号０＝１０Ｈ、
図柄番号１０では、中データ１０Ｈ＋テーブル番号３１の優先番号０＝１０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。
【０５２２】
ＭＢ内部当選中の条件装置番号７３のときは、
保存優先番号が０であるため、テーブルに記憶された優先番号についての優先順位の変換はなく、
図柄番号９では、中データ２０Ｈ＋テーブル番号３１の優先番号０＝２０Ｈ、
図柄番号１０では、中データ１０Ｈ＋テーブル番号３１の優先番号０＝１０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。例１７の順序及びタイミングで中リール１Ｃを停止操作した場合、一般遊技中もＭＢ内部当選中も同じ停止態様となる。
【０５２３】
２本のリール１Ｌ，１Ｃの停止位置が決まった後、停止済となる左データ及び中データを除き、右データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「リプレイ２」−中「リプレイ２」が表示されているため、右リール１Ｒについて「リプレイ１」又は「リプレイ２」を中段に表示させる８０Ｈは変わらないが、非作動の条件装置に対応する図柄組番号３９の「黒バー」が表示禁止図柄となり、「黒バー」が中段に表示されないように、図柄番号１，１５は００Ｈに書き換えられる。
【０５２４】
一方、ＭＢ内部当選中は、中段に左「紫セブン２」−中「リプレイ２」が表示されているため、右リール１Ｒについて、「紫セブン２」を中段に表示させる８０Ｈは変わらないが、「紫セブン１」を中段に表示させるＡ０Ｈは８０Ｈに書き換えられ、表示禁止図柄はないことから、他は１０Ｈのまま変わらない。例１７の場合、第２停止後の最終改定後の引込み検索データも、一般遊技中とＭＢ内部当選中とで異なる内容となる。
【０５２５】
第３番目の右リール１Ｒに対する停止操作は、図柄番号９のリプレイ１が下段に停止できるタイミングでされたとする。停止制御番号３の左後中後右第３停止（１２３停止）の停止ビットデータのテーブル番号は１５番、検索対象の５コマは、図柄番号９，１０，１１，１２，１３となる。
一般遊技中の条件装置番号３のときは、
保存優先番号が３であるため、テーブルに記憶された優先番号についての優先順位の変換はなく、
図柄番号９では、右データ１０Ｈ＋テーブル番号１５の優先番号０＝１０Ｈ、
図柄番号１０では、右データ１０Ｈ＋テーブル番号１５の優先番号０＝１０Ｈ、
図柄番号１１では、右データ１０Ｈ＋テーブル番号１５の優先番号０＝１０Ｈ、
図柄番号１２では、右データ１０Ｈ＋テーブル番号１５の優先番号０＝１０Ｈ、
図柄番号１３では、右データ８０Ｈ＋テーブル番号１５の優先番号３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０５２６】
ＭＢ内部当選中の条件装置番号７３のときは、
保存優先番号が０であるため、テーブルに記憶された優先番号についての優先順位の変換はなく、
図柄番号９では、右データ１０Ｈ＋テーブル番号１５の優先番号０＝１０Ｈ、
図柄番号１０では、右データ８０Ｈ＋テーブル番号１５の優先番号０＝８０Ｈ、
図柄番号１１では、右データ８０Ｈ＋テーブル番号１５の優先番号０＝８０Ｈ、
図柄番号１２では、右データ１０Ｈ＋テーブル番号１５の優先番号０＝１０Ｈ、
図柄番号１３では、右データ１０Ｈ＋テーブル番号１５の優先番号３＝１３Ｈ
で、図柄番号１０と１１の停止候補得点が最大値となるが、より少ない滑りコマの１コマ滑りで図柄番号１０のスイカ２を下段に引込んで停止させ、中段に「紫セブン１」を表示させる。例１７の順序及びタイミングで右リール１Ｒを停止操作した場合、一般遊技中とＭＢ内部当選中とは異なる停止態様となる。
【０５２７】
こうして、一般遊技中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。
【０５２８】
一方、ＭＢ内部当選中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例１１と例１７のとおり、第１停止から順番を間違えると、ＳＢＢに対応する図柄の組合せである紫７ダブル揃いは得られない。ただし、この場合も、再遊技に係る図柄の組合せは必ず得られる。
【０５２９】
例１８；リプレイ３の８
図５８に示すように、一般遊技中又はＭＢ内部当選中、内部抽選でリプレイ３に当選した場合、例１１と同様に、引込み検索データが新規に作成される。
【０５３０】
左、右、中の順番で挟み打ちするものとし、第１番目の左リール１Ｌに対する停止操作は、図柄番号９のスイカ２が下段に停止可能なタイミングでされたとする。停止制御番号３の左第１停止（１停止）の停止ビットデータのテーブル番号は２９番、検索対象の５コマは、図柄番号９，１０，１１，１２，１３となる。
一般遊技中の条件装置番号３のときは、
図柄番号９では、左データ８０Ｈ＋テーブル番号２９の優先番号０＝８０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ１０Ｈ＋テーブル番号２９の優先番号０＝１０Ｈ
で、図柄番号１１の停止候補得点が唯一の最大値となるため、２コマ滑りで図柄番号１１の紫セブン１を下段に引込んで停止させ、中段に「リプレイ２」を表示させる。この停止位置を決定することとなった停止候補得点の算出に用いた優先番号３が保存される。
【０５３１】
ＭＢ内部当選中の条件装置番号７３のときは、
図柄番号９では、左データＡ０Ｈ＋テーブル番号２９の優先番号０＝Ａ０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ１０Ｈ＋テーブル番号２９の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。この停止位置を決定することとなった停止候補得点の算出に用いた優先番号０が保存される。例１８の順序及びタイミングで左リール１Ｌを停止操作した場合、一般遊技中とＭＢ内部当選中とは異なる停止態様となる。
【０５３２】
１本のリール１Ｌの停止位置が決まった後、引込み検索データについて、停止済となる左データを除き、停止済図柄との関係で対象外となる図柄について改定がされる。一般遊技中は、左リール１Ｌの中段に「リプレイ２」が表示されたため、図柄組番号５５に対する引込データ有８０Ｈのみが維持され、中データと右データについて、「リプレイ１」又は「リプレイ２」を中段に表示させる８０Ｈを除いて他の８０Ｈは１０Ｈに書き換えられる。
【０５３３】
一方、ＭＢ内部当選中は、左リール１Ｌの中段に「紫セブン２」が表示されたため、図柄組番号４９，０１に対する引込データ有８０Ｈ又はＡ０Ｈ又は２０Ｈは維持されるが、図柄組番号４４，５０，５１，５５，５６，５７に対する引込データ有８０Ｈは改定対象となり、中データについて「リプレイ１」又は「リプレイ２」を中段に表示させる８０Ｈ及び「チェリー」を中段に表示させる２０Ｈを除いて他は１０Ｈに書き換えられ、右データについて「紫セブン１」を中段に表示させるＡ０Ｈ及び「紫セブン２」を中段に表示させる８０Ｈを除いて他は１０Ｈに書き換えられる。例１８の場合、第１停止後の改定後の引込み検索データも、一般遊技中とＭＢ内部当選中とで異なる内容となる。
【０５３４】
第２番目の右リール１Ｒに対する停止操作は、図柄番号９のリプレイ１が下段に停止できるタイミングでされたとする。停止制御番号３の左後右第２停止（１３停止）の停止ビットデータのテーブル番号は１５番、検索対象の５コマは、図柄番号９，１０，１１，１２，１３となる。
一般遊技中の条件装置番号３のときは、
保存優先番号が３であるため、テーブルに記憶された優先番号についての優先順位の変換はなく、
図柄番号９では、右データ１０Ｈ＋テーブル番号１５の優先番号０＝１０Ｈ、
図柄番号１０では、右データ１０Ｈ＋テーブル番号１５の優先番号０＝１０Ｈ、
図柄番号１１では、右データ１０Ｈ＋テーブル番号１５の優先番号０＝１０Ｈ、
図柄番号１２では、右データ１０Ｈ＋テーブル番号１５の優先番号０＝１０Ｈ、
図柄番号１３では、右データ８０Ｈ＋テーブル番号１５の優先番号３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０５３５】
ＭＢ内部当選中の条件装置番号７３のときは、
保存優先番号が０であるため、テーブルに記憶された優先番号についての優先順位の変換はなく、
図柄番号９では、右データ１０Ｈ＋テーブル番号１５の優先番号０＝１０Ｈ、
図柄番号１０では、右データＡ０Ｈ＋テーブル番号１５の優先番号０＝Ａ０Ｈ、
図柄番号１１では、右データ８０Ｈ＋テーブル番号１５の優先番号０＝８０Ｈ、
図柄番号１２では、右データ１０Ｈ＋テーブル番号１５の優先番号０＝１０Ｈ、
図柄番号１３では、右データ１０Ｈ＋テーブル番号１５の優先番号３＝１３Ｈ
で、図柄番号１０の停止候補得点が唯一の最大値となるため、１コマ滑りで図柄番号１０のスイカ２を下段に引込んで停止させ、中段に「紫セブン１」を表示させる。例１８の順序及びタイミングで右リール１Ｒを停止操作した場合、一般遊技中とＭＢ内部当選中とは異なる停止態様となる。
【０５３６】
２本のリール１Ｌ，１Ｒの停止位置が決まった後、停止済となる左データ及び右データを除き、中データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「リプレイ２」−右「リプレイ１」が表示されているため、中リール１Ｃについて「リプレイ１」又は「リプレイ２」を中段に表示させる８０Ｈは変わらないが、非作動の条件装置に対応する図柄組番号２０の「ベル」と、図柄組番号３８の「赤セブン」が表示禁止図柄となり、これらが中段に表示されないように、図柄番号１，３，６，１１，１４，１９は００Ｈに書き換えられる。
【０５３７】
一方、ＭＢ内部当選中は、中段に左「紫セブン２」−右「紫セブン１」が表示されているため、中リール１Ｃについて「リプレイ１」又は「リプレイ２」を中段に表示させる８０Ｈ及び「チェリー」を中段に表示させる２０Ｈは変わらないが、非作動の条件装置に対応する図柄組番号４７の「紫セブン１」と「紫セブン２」が表示禁止図柄となり、これらが中段に表示されないように、図柄番号１０，１３は００Ｈに書き換えられる。例１８の場合、第２停止後の最終改定後の引込み検索データも、一般遊技中とＭＢ内部当選中とで異なる内容となる。
【０５３８】
第３番目の中リール１Ｃに対する停止操作は、図柄番号９のスイカ２が下段に停止できるタイミングでされたとする。停止制御番号３の左後右後中第３停止（１３２停止）の停止ビットデータのテーブル番号は３１番、検索対象の５コマは、図柄番号９，１０，１１，１２，１３となる。
一般遊技中の条件装置番号３のときは、
保存優先番号が３であるため、テーブルに記憶された優先番号についての優先順位の変換はなく、
図柄番号９では、中データ１０Ｈ＋テーブル番号３１の優先番号０＝１０Ｈ、
図柄番号１０では、中データ１０Ｈ＋テーブル番号３１の優先番号０＝１０Ｈ、
図柄番号１１では、中データ００Ｈ＋テーブル番号３１の優先番号０＝００Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。
【０５３９】
ＭＢ内部当選中の条件装置番号７３のときは、
保存優先番号が０であるため、テーブルに記憶された優先番号についての優先順位の変換はなく、
図柄番号９では、中データ２０Ｈ＋テーブル番号３１の優先番号０＝２０Ｈ、
図柄番号１０では、中データ００Ｈ＋テーブル番号３１の優先番号０＝００Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ００Ｈ＋テーブル番号３１の優先番号０＝００Ｈ
で、図柄番号１２の停止候補得点が唯一の最大値となるため、３コマ滑りで図柄番号１２のベルを下段に引込んで停止させ、中段に「リプレイ２」を表示させる。例１８の順序及びタイミングで中リール１Ｃを停止操作した場合、一般遊技中もＭＢ内部当選中も同じ停止態様となる。
【０５４０】
こうして、一般遊技中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。
【０５４１】
一方、ＭＢ内部当選中に、リプレイ３に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例１１と例１８のとおり、第１停止から順番を間違えると、ＳＢＢに対応する図柄の組合せである紫７ダブル揃いは得られない。ただし、この場合も、再遊技に係る図柄の組合せは必ず得られる。
【０５４２】
例１９；リプレイ４の１
図５９に示すように、一般遊技中に内部抽選でリプレイ４に当選した場合、条件装置番号は４、停止制御番号は４、停止許可となる図柄の組合せは図柄組番号４６，４７，４８，４９，５０，５１，５３，５５，５６，５７となる。引込み検索データの新規作成時、作動に係る条件装置に対応した当該遊技での８バイトの停止許可フラグ（条件装置番号４に対応する、Ｆ８Ｈ，７５Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０５４３】
ＭＢ内部当選中に内部抽選でリプレイ４に当選した場合、条件装置番号は７４、停止制御番号は４、停止許可となる図柄の組合せは図柄組番号４６，４７，４８，４９，５０，５１，５３，５５，５６，５７，０１となる。引込み検索データの新規作成時、作動に係る条件装置に対応した当該遊技での８バイトの停止許可フラグ（条件装置番号７４に対応する、Ｆ９Ｈ，７５Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技・役物）のＡ０Ｈ又は下段基準引込データ有（再遊技）の８０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０５４４】
左データの図柄番号９、右データの図柄番号１０に対応する新規作成時の引込み検索データは、一般遊技中の条件装置番号４のときは８０Ｈであるのに対して、ＭＢ内部当選中の条件装置番号７４のときは、役物たるＭＢに係る図柄の組合せのうち左リール１Ｌについての「紫セブン２」と右リール１Ｒについての「紫セブン１」を引込対象とすることから、再遊技についての８０Ｈに役物についての２０Ｈを加算したＡ０Ｈとなる。また、中データの図柄番号９，１５，１７に対応する新規作成時の引込み検索データは、一般遊技中の条件装置番号４のときは１０Ｈであるのに対して、ＭＢ内部当選中の条件装置番号７４のときは、役物たるＭＢに係る図柄の組合せのうち中リール１Ｃについての「チェリー」を引込対象とすることから２０Ｈとなる。
【０５４５】
中、右、左の順番で中押しするものとし、第１番目の中リール１Ｃに対する停止操作は、図柄番号９のスイカ２が下段に停止可能なタイミングでされたとする。停止制御番号４の中第１停止（２停止）の停止ビットデータのテーブル番号は２６番、検索対象の５コマは、図柄番号９，１０，１１，１２，１３となる。
一般遊技中の条件装置番号４のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。
【０５４６】
ＭＢ内部当選中の条件装置番号７４のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。例１９の順序及びタイミングで中リール１Ｃを停止操作した場合、一般遊技中もＭＢ内部当選中も同じ停止態様となる。
【０５４７】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン１」が表示されたため、図柄組番号４６，４７，４８，５０に対する引込データ有８０Ｈを除いて他の図柄組番号に対する引込データ有は改定対象となり、左データについて「紫セブン１」又は「紫セブン２」又は「スイカ２」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例１９の場合、第１停止後の改定後の引込み検索データは、一般遊技中とＭＢ内部当選中とで同じ内容となる。
【０５４８】
第２番目の右リール１Ｒに対する停止操作は、図柄番号９のリプレイ１が下段に停止できるタイミングでされたとする。停止制御番号４の中後右第２停止（２３停止）の停止ビットデータのテーブル番号は２７番、検索対象の５コマは、図柄番号９，１０，１１，１２，１３となる。保存優先番号が３であるため、テーブルに記憶された優先番号についての優先順位の変換はない。
一般遊技中（条件装置番号４）もＭＢ内部当選中（条件装置番号７４）も、
図柄番号９では、右データ１０Ｈ＋テーブル番号２７の優先番号０＝１０Ｈ、
図柄番号１０では、右データ８０Ｈ＋テーブル番号２７の優先番号０＝８０Ｈ、
図柄番号１１では、右データ８０Ｈ＋テーブル番号２７の優先番号３＝８３Ｈ、
図柄番号１２では、右データ１０Ｈ＋テーブル番号２７の優先番号０＝１０Ｈ、
図柄番号１３では、右データ１０Ｈ＋テーブル番号２７の優先番号１＝１１Ｈ
で、図柄番号１１の停止候補得点が唯一の最大値となるため、２コマ滑りで図柄番号１１の紫セブン１を下段に引込んで停止させ、中段に「紫セブン２」を表示させる。
【０５４９】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈが１０Ｈに変わらないが、中段に中「紫セブン１」−右「紫セブン２」が表示されているため、非作動の条件装置に対応する図柄組番号０３の「リプレイ１」と「リプレイ２」、図柄組番号２９の「黒バー」、図柄組番号４５の「紫セブン２」が表示禁止図柄となり、これらが中段に表示されないように、図柄番号１，５，６，９，１１，１６，１９は００Ｈに書き換えられる。
【０５５０】
第３番目の左リール１Ｌに対する停止操作は、図柄番号９のスイカ２が下段に停止できるタイミングでされたとする。停止制御番号４の中後右後左第３停止（２３１停止）の停止ビットデータのテーブル番号は７０番、検索対象の５コマは、図柄番号９，１０，１１，１２，１３となる。保存優先番号が３であるため、テーブルに記憶された優先番号についての優先順位の変換はない。
一般遊技中（条件装置番号４）もＭＢ内部当選中（条件装置番号７４）も、
図柄番号９では、左データ００Ｈ＋テーブル番号７０の優先番号０＝００Ｈ、
図柄番号１０では、左データ８０Ｈ＋テーブル番号７０の優先番号３＝８３Ｈ、
図柄番号１１では、左データ００Ｈ＋テーブル番号７０の優先番号１＝０１Ｈ、
図柄番号１２では、左データ８０Ｈ＋テーブル番号７０の優先番号２＝８２Ｈ、
図柄番号１３では、左データ８０Ｈ＋テーブル番号７０の優先番号０＝８０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０５５１】
こうして、一般遊技中又はＭＢ内部当選中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４６の紫７シングル揃い１、すなわち、「紫セブン１」−「紫セブン１」−「紫セブン２」が表示される。
【０５５２】
例２０；リプレイ４の２
図６０に示すように、一般遊技中又はＭＢ内部当選中、内部抽選でリプレイ４に当選した場合、例１９と同様に、引込み検索データが新規に作成される。
【０５５３】
中、左、右の順番で中押しするものとし、第１番目の中リール１Ｃに対する停止操作は、図柄番号９のスイカ２が下段に停止可能なタイミングでされたとする。停止制御番号４の中第１停止（２停止）の停止ビットデータのテーブル番号は２６番、検索対象の５コマは、図柄番号９，１０，１１，１２，１３となる。
一般遊技中の条件装置番号４のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。
【０５５４】
ＭＢ内部当選中の条件装置番号７４のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。例２０の順序及びタイミングで中リール１Ｃを停止操作した場合、一般遊技中もＭＢ内部当選中も同じ停止態様となる。
【０５５５】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン１」が表示されたため、図柄組番号４６，４７，４８，５０に対する引込データ有８０Ｈを除いて他の図柄組番号に対する引込データ有は改定対象となり、左データについて「紫セブン１」又は「紫セブン２」又は「スイカ２」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例２０の場合、第１停止後の改定後の引込み検索データは、一般遊技中とＭＢ内部当選中とで同じ内容となる。
【０５５６】
第２番目の左リール１Ｌに対する停止操作は、図柄番号９のスイカ２が下段に停止できるタイミングでされたとする。停止制御番号４の中後左第２停止（２１停止）の停止ビットデータのテーブル番号は２４番、検索対象の５コマは、図柄番号９，１０，１１，１２，１３となる。保存優先番号が３であるため、テーブルに記憶された優先番号についての優先順位の変換はない。
一般遊技中（条件装置番号４）もＭＢ内部当選中（条件装置番号７４）も、
図柄番号９では、左データ８０Ｈ＋テーブル番号２４の優先番号０＝８０Ｈ、
図柄番号１０では、左データ８０Ｈ＋テーブル番号２４の優先番号３＝８３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ８０Ｈ＋テーブル番号２４の優先番号０＝８０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０５５７】
２本のリール１Ｌ，１Ｃの停止位置が決まった後、停止済となる左データ及び中データを除き、右データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈは１０Ｈに変わらないが、中段に左「紫セブン１」−中「紫セブン１」が表示されているため、非作動の条件装置に対応する図柄組番号１６の「ベル」と図柄組番号４４の「紫セブン１」が表示禁止図柄となり、これらが中段に表示されないように、図柄番号４，７，１０，１２，１７，２０は００Ｈに書き換えられる。
【０５５８】
第３番目の右リール１Ｒに対する停止操作は、図柄番号９のリプレイ１が下段に停止できるタイミングでされたとする。停止制御番号４の中後左後右第３停止（２１３停止）の停止ビットデータのテーブル番号は７１番、検索対象の５コマは、図柄番号９，１０，１１，１２，１３となる。保存優先番号が３であるため、テーブルに記憶された優先番号についての優先順位の変換はない。
一般遊技中（条件装置番号４）もＭＢ内部当選中（条件装置番号７４）も、
図柄番号９では、右データ１０Ｈ＋テーブル番号７１の優先番号３＝１３Ｈ、
図柄番号１０では、右データ００Ｈ＋テーブル番号７１の優先番号０＝００Ｈ、
図柄番号１１では、右データ８０Ｈ＋テーブル番号７１の優先番号３＝８３Ｈ、
図柄番号１２では、右データ００Ｈ＋テーブル番号７１の優先番号０＝００Ｈ、
図柄番号１３では、右データ１０Ｈ＋テーブル番号７１の優先番号１＝１１Ｈ
で、図柄番号１１の停止候補得点が唯一の最大値となるため、２コマ滑りで図柄番号１１の紫セブン１を下段に引込んで停止させ、中段に「紫セブン２」を表示させる。
【０５５９】
こうして、一般遊技中又はＭＢ内部当選中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４６の紫７シングル揃い１、すなわち、「紫セブン１」−「紫セブン１」−「紫セブン２」が表示される。例１９と例２０のとおり、第１番目に中リール１Ｃを止めた後、第２番目は右リール１Ｒでも左リール１Ｌでもどちらを止めても紫セブン１又は紫セブン２の目押しに成功すると、紫７シングル揃い１の擬似ボーナスＢＢに対応した図柄の組合せが得られる。
【０５６０】
例２１；リプレイ４の３
図６１に示すように、一般遊技中又はＭＢ内部当選中、内部抽選でリプレイ４に当選した場合、例１９と同様に、引込み検索データが新規に作成される。
【０５６１】
右、中、左の順番で逆押しするものとし、第１番目の右リール１Ｒに対する停止操作は、図柄番号９のリプレイ１が下段に停止可能なタイミングでされたとする。停止制御番号４の右第１停止（３停止）の停止ビットデータのテーブル番号は６５番、検索対象の５コマは、図柄番号９，１０，１１，１２，１３となる。
一般遊技中の条件装置番号４のときは、
図柄番号９では、右データ８０Ｈ＋テーブル番号６５の優先番号０＝８０Ｈ、
図柄番号１０では、右データ８０Ｈ＋テーブル番号６５の優先番号０＝８０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１１の停止候補得点が唯一の最大値となるため、２コマ滑りで図柄番号１１の紫セブン１を下段に引込んで停止させ、中段に「紫セブン２」を表示させる。この停止位置を決定することとなった停止候補得点の算出に用いた優先番号３が保存される。
【０５６２】
ＭＢ内部当選中の条件装置番号７４のときは、
図柄番号９では、右データ８０Ｈ＋テーブル番号６５の優先番号０＝８０Ｈ、
図柄番号１０では、右データＡ０Ｈ＋テーブル番号６５の優先番号０＝Ａ０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号０が保存される。例２１の順序及びタイミングで右リール１Ｒを停止操作した場合、一般遊技中とＭＢ内部当選中とは異なる停止態様となる。
【０５６３】
１本のリール１Ｒの停止位置が決まった後、引込み検索データについて、停止済となる右データを除き、停止済図柄との関係で対象外となる図柄について改定がされる。一般遊技中は、右リール１Ｒの中段に「紫セブン２」が表示されたため、図柄組番号４６，４８，４９，５０，５１に対する引込データ有８０Ｈは維持されるが、図柄組番号４７，５３，５５，５６，５７に対する引込データ有８０Ｈは改定対象となり、左データについて「紫セブン１」又は「紫セブン２」又は「スイカ２」又は「ベル」を中段に表示させる８０Ｈを除いて他の８０Ｈは１０Ｈに書き換えられ、中データについて「黒バー」を中段に表示させる８０Ｈは１０Ｈに書き換えられる。
【０５６４】
一方、ＭＢ内部当選中は、右リール１Ｒの中段に「紫セブン１」が表示されたため、図柄組番号４７，４９，５０，５１，０１に対する引込データ有８０Ｈ又はＡ０Ｈ又は２０Ｈは維持されるが、図柄組番号４６，４８，５３，５５，５６，５７に対する引込データ有８０Ｈは改定対象となり、左データについて「紫セブン１」又は「ベル」を中段に表示させる８０Ｈ及び「紫セブン２」を中段に表示させるＡ０Ｈを除いて他は１０Ｈに書き換えられ、中データについて「黒バー」を中段に表示させる８０Ｈは１０Ｈに書き換えられる。例２１の場合、第１停止後の改定後の引込み検索データも、一般遊技中とＭＢ内部当選中とで異なる内容となる。
【０５６５】
第２番目の中リール１Ｃに対する停止操作は、図柄番号９のスイカ２が下段に停止できるタイミングでされたとする。停止制御番号４の右後中第２停止（３２停止）の停止ビットデータのテーブル番号は６４番、検索対象の５コマは、図柄番号９，１０，１１，１２，１３となる。
一般遊技中の条件装置番号４のときは、
保存優先番号が３であるため、テーブルに記憶された優先番号についての優先順位の変換はなく、
図柄番号９では、中データ１０Ｈ＋テーブル番号６４の優先番号０＝１０Ｈ、
図柄番号１０では、中データ８０Ｈ＋テーブル番号６４の優先番号３＝８３Ｈ、
図柄番号１１では、中データ８０Ｈ＋テーブル番号６４の優先番号２＝８２Ｈ、
図柄番号１２では、中データ８０Ｈ＋テーブル番号６４の優先番号１＝８１Ｈ、
図柄番号１３では、中データ８０Ｈ＋テーブル番号６４の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。
【０５６６】
ＭＢ内部当選中の条件装置番号７４のときは、
保存優先番号が０であるため、テーブルに記憶された優先番号についての優先順位の変換はなく、
図柄番号９では、中データ２０Ｈ＋テーブル番号６４の優先番号０＝２０Ｈ、
図柄番号１０では、中データ８０Ｈ＋テーブル番号６４の優先番号３＝８３Ｈ、
図柄番号１１では、中データ８０Ｈ＋テーブル番号６４の優先番号２＝８２Ｈ、
図柄番号１２では、中データ８０Ｈ＋テーブル番号６４の優先番号１＝８１Ｈ、
図柄番号１３では、中データ８０Ｈ＋テーブル番号６４の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。例２１の順序及びタイミングで中リール１Ｃを停止操作した場合、一般遊技中もＭＢ内部当選中も同じ停止態様となる。
【０５６７】
２本のリール１Ｃ，１Ｒの停止位置が決まった後、停止済となる中データ及び右データを除き、左データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に中「紫セブン１」−右「紫セブン２」が表示されているため、左リール１Ｌについて「紫セブン１」又は「スイカ２」又は「ベル」を中段に表示させる８０Ｈは変わらないが、非作動の条件装置に対応する図柄組番号０３の「リプレイ１」と「リプレイ２」、図柄組番号２９の「黒バー」、図柄組番号４５の「紫セブン２」が表示禁止図柄となり、これら左リール１Ｌの図柄が中段に表示されないように、図柄番号１，５，６，９，１１，１６，１９は００Ｈに書き換えられる。
【０５６８】
一方、ＭＢ内部当選中は、中段に中「紫セブン１」−右「紫セブン１」が表示されているため、左リール１Ｌについて「ベル」を中段に表示させる８０Ｈは変わらないが、「紫セブン２」を中段に表示させるＡ０Ｈは８０Ｈに書き換えられ、非作動の条件装置に対応する図柄組番号４４の「紫セブン１」が表示禁止図柄となり、紫セブン１が中段に表示されないように、図柄番号１０は００Ｈに書き換えられる。例２１の場合、第２停止後の最終改定後の引込み検索データも、一般遊技中とＭＢ内部当選中とで異なる内容となる。
【０５６９】
第３番目の左リール１Ｌに対する停止操作は、図柄番号９のスイカ２が下段に停止できるタイミングでされたとする。停止制御番号４の右後中後左第３停止（３２１停止）の停止ビットデータのテーブル番号は２３番、検索対象の５コマは、図柄番号９，１０，１１，１２，１３となる。
一般遊技中の条件装置番号４のときは、
保存優先番号が３であるため、テーブルに記憶された優先番号についての優先順位の変換はなく、
図柄番号９では、左データ００Ｈ＋テーブル番号２３の優先番号３＝０３Ｈ、
図柄番号１０では、左データ８０Ｈ＋テーブル番号２３の優先番号０＝８０Ｈ、
図柄番号１１では、左データ００Ｈ＋テーブル番号２３の優先番号１＝０１Ｈ、
図柄番号１２では、左データ８０Ｈ＋テーブル番号２３の優先番号２＝８２Ｈ、
図柄番号１３では、左データ８０Ｈ＋テーブル番号２３の優先番号０＝８０Ｈ
で、図柄番号１２の停止候補得点が唯一の最大値となるため、３コマ滑りで図柄番号１２のリプレイ２を下段に引込んで停止させ、中段に「ベル」を表示させる。
【０５７０】
ＭＢ内部当選中の条件装置番号７４のときは、
保存優先番号が０であるため、テーブルに記憶された優先番号についての優先順位の変換はなく、
図柄番号９では、左データ８０Ｈ＋テーブル番号２３の優先番号３＝８３Ｈ、
図柄番号１０では、左データ００Ｈ＋テーブル番号２３の優先番号０＝００Ｈ、
図柄番号１１では、左データ１０Ｈ＋テーブル番号２３の優先番号１＝１１Ｈ、
図柄番号１２では、左データ８０Ｈ＋テーブル番号２３の優先番号２＝８２Ｈ、
図柄番号１３では、左データ８０Ｈ＋テーブル番号２３の優先番号０＝８０Ｈ
で、図柄番号９の停止候補得点が唯一の最大値となるため、０コマ滑りで図柄番号９のスイカ２を下段に即止めさせ、中段に「紫セブン２」を表示させる。例２１の順序及びタイミングで左リール１Ｌを停止操作した場合、一般遊技中もＭＢ内部当選中も同じ停止態様となる。
【０５７１】
こうして、一般遊技中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５０の逆・中押し損じ、すなわち、「ベル」−「紫セブン１」−「紫セブン２」が表示される。
【０５７２】
一方、ＭＢ内部当選中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４７の紫７シングル揃い２、すなわち、「紫セブン２」−「紫セブン１」−「紫セブン１」が表示される。停止操作の順序及びタイミングが全く同じでも、一般遊技中とＭＢ内部当選中とは異なる停止パターンとなり、ＭＢ内部当選中は、ＢＢに対応する図柄の組合せである紫７シングル揃いが得られる。
【０５７３】
例２２；リプレイ４の４
図６２に示すように、一般遊技中又はＭＢ内部当選中、内部抽選でリプレイ４に当選した場合、例１９と同様に、引込み検索データが新規に作成される。
【０５７４】
右、左、中の順番で逆挟み押しするものとし、第１番目の右リール１Ｒに対する停止操作は、図柄番号９のリプレイ１が下段に停止可能なタイミングでされたとする。停止制御番号４の右第１停止（３停止）の停止ビットデータのテーブル番号は６５番、検索対象の５コマは、図柄番号９，１０，１１，１２，１３となる。
一般遊技中の条件装置番号４のときは、
図柄番号９では、右データ８０Ｈ＋テーブル番号６５の優先番号０＝８０Ｈ、
図柄番号１０では、右データ８０Ｈ＋テーブル番号６５の優先番号０＝８０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１１の停止候補得点が唯一の最大値となるため、２コマ滑りで図柄番号１１の紫セブン１を下段に引込んで停止させ、中段に「紫セブン２」を表示させる。この停止位置を決定することとなった停止候補得点の算出に用いた優先番号３が保存される。
【０５７５】
ＭＢ内部当選中の条件装置番号７４のときは、
図柄番号９では、右データ８０Ｈ＋テーブル番号６５の優先番号０＝８０Ｈ、
図柄番号１０では、右データＡ０Ｈ＋テーブル番号６５の優先番号０＝Ａ０Ｈ、
図柄番号１１では、右データ８０Ｈ＋テーブル番号６５の優先番号３＝８３Ｈ、
図柄番号１２では、右データ８０Ｈ＋テーブル番号６５の優先番号０＝８０Ｈ、
図柄番号１３では、右データ８０Ｈ＋テーブル番号６５の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号０が保存される。例２２の順序及びタイミングで右リール１Ｒを停止操作した場合、一般遊技中とＭＢ内部当選中とは異なる停止態様となる。
【０５７６】
１本のリール１Ｒの停止位置が決まった後、引込み検索データについて、停止済となる右データを除き、停止済図柄との関係で対象外となる図柄について改定がされる。一般遊技中は、右リール１Ｒの中段に「紫セブン２」が表示されたため、図柄組番号４６，４８，４９，５０，５１に対する引込データ有８０Ｈは維持されるが、図柄組番号４７，５３，５５，５６，５７に対する引込データ有８０Ｈは改定対象となり、左データについて「紫セブン１」又は「紫セブン２」又は「スイカ２」又は「ベル」を中段に表示させる８０Ｈを除いて他の８０Ｈは１０Ｈに書き換えられ、中データについて「黒バー」を中段に表示させる８０Ｈは１０Ｈに書き換えられる。
【０５７７】
一方、ＭＢ内部当選中は、右リール１Ｒの中段に「紫セブン１」が表示されたため、図柄組番号４７，４９，５０，５１，０１に対する引込データ有８０Ｈ又はＡ０Ｈ又は２０Ｈは維持されるが、図柄組番号４６，４８，５３，５５，５６，５７に対する引込データ有８０Ｈは改定対象となり、左データについて「紫セブン１」又は「ベル」を中段に表示させる８０Ｈ及び「紫セブン２」を中段に表示させるＡ０Ｈを除いて他は１０Ｈに書き換えられ、中データについて「黒バー」を中段に表示させる８０Ｈは１０Ｈに書き換えられる。例２２の場合、第１停止後の改定後の引込み検索データも、一般遊技中とＭＢ内部当選中とで異なる内容となる。
【０５７８】
第２番目の左リール１Ｌに対する停止操作は、図柄番号９のスイカ２が下段に停止できるタイミングでされたとする。停止制御番号４の右後左第２停止（３１停止）の停止ビットデータのテーブル番号は２３番、検索対象の５コマは、図柄番号９，１０，１１，１２，１３となる。
一般遊技中の条件装置番号４のときは、
保存優先番号が３であるため、テーブルに記憶された優先番号についての優先順位の変換はなく、
図柄番号９では、中データ８０Ｈ＋テーブル番号２３の優先番号３＝８３Ｈ、
図柄番号１０では、中データ８０Ｈ＋テーブル番号２３の優先番号０＝８０Ｈ、
図柄番号１１では、中データ１０Ｈ＋テーブル番号２３の優先番号１＝１１Ｈ、
図柄番号１２では、中データ８０Ｈ＋テーブル番号２３の優先番号２＝８２Ｈ、
図柄番号１３では、中データ８０Ｈ＋テーブル番号２３の優先番号０＝８０Ｈ
で、図柄番号９の停止候補得点が唯一の最大値となるため、０コマ滑りで図柄番号９のスイカ２を下段に即止めさせ、中段に「紫セブン２」を表示させる。
【０５７９】
ＭＢ内部当選中の条件装置番号７４のときは、
保存優先番号が０であるため、テーブルに記憶された優先番号についての優先順位の変換はなく、
図柄番号９では、左データＡ０Ｈ＋テーブル番号２３の優先番号３＝Ａ３Ｈ、
図柄番号１０では、左データ８０Ｈ＋テーブル番号２３の優先番号０＝８０Ｈ、
図柄番号１１では、左データ１０Ｈ＋テーブル番号２３の優先番号１＝１１Ｈ、
図柄番号１２では、左データ８０Ｈ＋テーブル番号２３の優先番号２＝８２Ｈ、
図柄番号１３では、左データ１０Ｈ＋テーブル番号２３の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。例２２の順序及びタイミングで左リール１Ｌを停止操作した場合、一般遊技中とＭＢ内部当選中とは異なる停止態様となる。
【０５８０】
２本のリール１Ｌ，１Ｒの停止位置が決まった後、停止済となる左データ及び右データを除き、中データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「紫セブン２」−右「紫セブン２」が表示されているため、中リール１Ｃについて「リプレイ１」又は「リプレイ２」を中段に表示させる８０Ｈは変わらないが、「ベル」を中段に表示させる８０Ｈは１０Ｈに書き換えられ、非作動の条件装置に対応する図柄組番号４５の「紫セブン１」と「紫セブン２」が表示禁止図柄となり、これら中リール１Ｃの図柄が中段に表示されないように、図柄番号１０，１３は００Ｈに書き換えられる。
【０５８１】
一方、ＭＢ内部当選中は、中段に左「紫セブン２」−右「紫セブン１」が表示されているため、中リール１Ｃについて「リプレイ１」又は「リプレイ２」を中段に表示させる８０Ｈ及び「チェリー」を中段に表示させる２０Ｈは変わらないが、「ベル」を中段に表示させる８０Ｈは１０Ｈに書き換えられ、表示禁止図柄はないことから、００Ｈへの書き換えは生じない。例２２の場合、第２停止後の最終改定後の引込み検索データも、一般遊技中とＭＢ内部当選中とで異なる内容となる。
【０５８２】
第３番目の中リール１Ｃに対する停止操作は、図柄番号９のスイカ２が下段に停止できるタイミングでされたとする。停止制御番号４の右後左後中第３停止（３１２停止）の停止ビットデータのテーブル番号は６４番、検索対象の５コマは、図柄番号９，１０，１１，１２，１３となる。
一般遊技中の条件装置番号４のときは、
保存優先番号が３であるため、テーブルに記憶された優先番号についての優先順位の変換はなく、
図柄番号９では、左データ１０Ｈ＋テーブル番号６４の優先番号０＝１０Ｈ、
図柄番号１０では、左データ００Ｈ＋テーブル番号６４の優先番号３＝０３Ｈ、
図柄番号１１では、左データ１０Ｈ＋テーブル番号６４の優先番号２＝１２Ｈ、
図柄番号１２では、左データ８０Ｈ＋テーブル番号６４の優先番号１＝８１Ｈ、
図柄番号１３では、左データ００Ｈ＋テーブル番号６４の優先番号３＝０３Ｈ
で、図柄番号１２の停止候補得点が唯一の最大値となるため、３コマ滑りで図柄番号１２のベルを下段に引込んで停止させ、中段に「リプレイ２」を表示させる。
【０５８３】
ＭＢ内部当選中の条件装置番号７４のときは、
保存優先番号が０であるため、テーブルに記憶された優先番号についての優先順位の変換はなく、
図柄番号９では、中データ２０Ｈ＋テーブル番号６４の優先番号０＝２０Ｈ、
図柄番号１０では、中データ８０Ｈ＋テーブル番号６４の優先番号３＝８３Ｈ、
図柄番号１１では、中データ１０Ｈ＋テーブル番号６４の優先番号２＝１２Ｈ、
図柄番号１２では、中データ８０Ｈ＋テーブル番号６４の優先番号１＝８１Ｈ、
図柄番号１３では、中データ８０Ｈ＋テーブル番号６４の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。例２２の順序及びタイミングで中リール１Ｃを停止操作した場合、一般遊技中とＭＢ内部当選中とは異なる停止態様となる。
【０５８４】
こうして、一般遊技中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン２」が表示される。
【０５８５】
一方、ＭＢ内部当選中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４７の紫７シングル揃い２、すなわち、「紫セブン２」−「紫セブン１」−「紫セブン１」が表示される。停止操作の順序及びタイミングが全く同じでも、一般遊技中とＭＢ内部当選中とは異なる停止パターンとなり、ＭＢ内部当選中は、ＢＢに対応する図柄の組合せである紫７シングル揃いが得られる。
【０５８６】
例２３；リプレイ４の５
図６３に示すように、一般遊技中又はＭＢ内部当選中、内部抽選でリプレイ４に当選した場合、例１９と同様に、引込み検索データが新規に作成される。
【０５８７】
左、中、右の順番で順押しするものとし、第１番目の左リール１Ｌに対する停止操作は、図柄番号９のスイカ２が下段に停止可能なタイミングでされたとする。停止制御番号４の左第１停止（１停止）の停止ビットデータのテーブル番号は２９番、検索対象の５コマは、図柄番号９，１０，１１，１２，１３となる。
一般遊技中の条件装置番号４のときは、
図柄番号９では、右データ８０Ｈ＋テーブル番号２９の優先番号０＝８０Ｈ、
図柄番号１０では、右データ８０Ｈ＋テーブル番号２９の優先番号０＝８０Ｈ、
図柄番号１１では、右データ８０Ｈ＋テーブル番号２９の優先番号３＝８３Ｈ、
図柄番号１２では、右データ８０Ｈ＋テーブル番号２９の優先番号０＝８０Ｈ、
図柄番号１３では、右データ８０Ｈ＋テーブル番号２９の優先番号０＝８０Ｈ
で、図柄番号１１の停止候補得点が唯一の最大値となるため、２コマ滑りで図柄番号１１の紫セブン１を下段に引込んで停止させ、中段に「リプレイ２」を表示させる。この停止位置を決定することとなった停止候補得点の算出に用いた優先番号３が保存される。
【０５８８】
ＭＢ内部当選中の条件装置番号７４のときは、
図柄番号９では、左データＡ０Ｈ＋テーブル番号２９の優先番号０＝Ａ０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ８０Ｈ＋テーブル番号２９の優先番号０＝８０Ｈ
で、図柄番号９の停止候補得点が唯一の最大値となるため、０コマ滑りで図柄番号９のスイカ２を下段に即止めさせ、中段に「紫セブン２」を表示させる。この停止位置を決定することとなった停止候補得点の算出に用いた優先番号０が保存される。例２３の順序及びタイミングで左リール１Ｌを停止操作した場合、一般遊技中とＭＢ内部当選中とは異なる停止態様となる。
【０５８９】
１本のリール１Ｌの停止位置が決まった後、引込み検索データについて、停止済となる左データを除き、停止済図柄との関係で対象外となる図柄について改定がされる。一般遊技中は、左リール１Ｌの中段に「リプレイ２」が表示されたため、図柄組番号５５に対する引込データ有８０Ｈのみが維持され、中データと右データについて、「リプレイ１」又は「リプレイ２」を中段に表示させる８０Ｈを除いて他の８０Ｈは１０Ｈに書き換えられる。
【０５９０】
一方、ＭＢ内部当選中は、左リール１Ｌの中段に「紫セブン２」が表示されたため、図柄組番号４７，４９，０１に対する引込データ有８０Ｈ又はＡ０Ｈ又は２０Ｈは維持されるが、図柄組番号４６，４８，５０，５１，５３，５５，５６，５７に対する引込データ有８０Ｈは改定対象となり、中データについて「紫セブン１」又は「紫セブン２」又は「リプレイ１」又は「リプレイ２」を中段に表示させる８０Ｈ及び「チェリー」を中段に表示させる２０Ｈを除いて他は１０Ｈに書き換えられ、右データについて「紫セブン１」を中段に表示させるＡ０Ｈ及び「紫セブン２」を中段に表示させる８０Ｈを除いて他は１０Ｈに書き換えられる。例２３の場合、第１停止後の改定後の引込み検索データも、一般遊技中とＭＢ内部当選中とで異なる内容となる。
【０５９１】
第２番目の中リール１Ｃに対する停止操作は、図柄番号９のスイカ２が下段に停止できるタイミングでされたとする。停止制御番号４の左後中第２停止（１２停止）の停止ビットデータのテーブル番号は３１番、検索対象の５コマは、図柄番号９，１０，１１，１２，１３となる。
一般遊技中の条件装置番号４のときは、
保存優先番号が３であるため、テーブルに記憶された優先番号についての優先順位の変換はなく、
図柄番号９では、中データ１０Ｈ＋テーブル番号３１の優先番号０＝１０Ｈ、
図柄番号１０では、中データ１０Ｈ＋テーブル番号３１の優先番号０＝１０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。
【０５９２】
ＭＢ内部当選中の条件装置番号７４のときは、
保存優先番号が０であるため、テーブルに記憶された優先番号についての優先順位の変換はなく、
図柄番号９では、中データ２０Ｈ＋テーブル番号３１の優先番号０＝２０Ｈ、
図柄番号１０では、中データ８０Ｈ＋テーブル番号３１の優先番号０＝８０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ８０Ｈ＋テーブル番号３１の優先番号０＝８０Ｈ
で、図柄番号１２の停止候補得点が唯一の最大値となるため、３コマ滑りで図柄番号１２のベルを下段に引込んで停止させ、中段に「リプレイ２」を表示させる。例２３の順序及びタイミングで中リール１Ｃを停止操作した場合、一般遊技中もＭＢ内部当選中も同じ停止態様となる。
【０５９３】
２本のリール１Ｌ，１Ｃの停止位置が決まった後、停止済となる左データ及び中データを除き、右データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「リプレイ２」−中「リプレイ２」が表示されているため、右リール１Ｒについて「リプレイ１」又は「リプレイ２」を中段に表示させる８０Ｈは変わらないが、非作動の条件装置に対応する図柄組番号３９の「黒バー」が表示禁止図柄となり、「黒バー」が中段に表示されないように、図柄番号１，１５は００Ｈに書き換えられる。
【０５９４】
一方、ＭＢ内部当選中は、中段に左「紫セブン２」−中「リプレイ２」が表示されているため、右リール１Ｒについて、「紫セブン２」を中段に表示させる８０Ｈは変わらないが、「紫セブン１」を中段に表示させるＡ０Ｈは８０Ｈに書き換えられ、表示禁止図柄はないことから、他は１０Ｈのまま変わらない。例２３の場合、第２停止後の最終改定後の引込み検索データも、一般遊技中とＭＢ内部当選中とで異なる内容となる。
【０５９５】
第３番目の右リール１Ｒに対する停止操作は、図柄番号９のリプレイ１が下段に停止できるタイミングでされたとする。停止制御番号４の左後中後右第３停止（１２３停止）の停止ビットデータのテーブル番号は１５番、検索対象の５コマは、図柄番号９，１０，１１，１２，１３となる。
一般遊技中の条件装置番号４のときは、
保存優先番号が３であるため、テーブルに記憶された優先番号についての優先順位の変換はなく、
図柄番号９では、右データ１０Ｈ＋テーブル番号１５の優先番号０＝１０Ｈ、
図柄番号１０では、右データ１０Ｈ＋テーブル番号１５の優先番号０＝１０Ｈ、
図柄番号１１では、右データ１０Ｈ＋テーブル番号１５の優先番号０＝１０Ｈ、
図柄番号１２では、右データ１０Ｈ＋テーブル番号１５の優先番号０＝１０Ｈ、
図柄番号１３では、右データ８０Ｈ＋テーブル番号１５の優先番号３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０５９６】
ＭＢ内部当選中の条件装置番号７４のときは、
保存優先番号が０であるため、テーブルに記憶された優先番号についての優先順位の変換はなく、
図柄番号９では、右データ１０Ｈ＋テーブル番号１５の優先番号０＝１０Ｈ、
図柄番号１０では、右データ８０Ｈ＋テーブル番号１５の優先番号０＝８０Ｈ、
図柄番号１１では、右データ８０Ｈ＋テーブル番号１５の優先番号０＝８０Ｈ、
図柄番号１２では、右データ１０Ｈ＋テーブル番号１５の優先番号０＝１０Ｈ、
図柄番号１３では、右データ１０Ｈ＋テーブル番号１５の優先番号３＝１３Ｈ
で、図柄番号１０と１１の停止候補得点が最大値となるが、より少ない滑りコマの１コマ滑りで図柄番号１０のスイカ２を下段に引込んで停止させ、中段に「紫セブン１」を表示させる。例２３の順序及びタイミングで右リール１Ｒを停止操作した場合、一般遊技中とＭＢ内部当選中とは異なる停止態様となる。
【０５９７】
こうして、一般遊技中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。
【０５９８】
一方、ＭＢ内部当選中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例１９等と例２３のとおり、第１停止の順番を間違えると、ＢＢに対応する図柄の組合せである紫７シングル揃いは得られない。ただし、この場合も、再遊技に係る図柄の組合せは必ず得られる。
【０５９９】
例２４；リプレイ４の６
図６４に示すように、一般遊技中又はＭＢ内部当選中、内部抽選でリプレイ４に当選した場合、例１９と同様に、引込み検索データが新規に作成される。
【０６００】
左、右、中の順番で挟み打ちするものとし、第１番目の左リール１Ｌに対する停止操作は、図柄番号９のスイカ２が下段に停止可能なタイミングでされたとする。停止制御番号４の左第１停止（１停止）の停止ビットデータのテーブル番号は２９番、検索対象の５コマは、図柄番号９，１０，１１，１２，１３となる。
一般遊技中の条件装置番号４のときは、
図柄番号９では、左データ８０Ｈ＋テーブル番号２９の優先番号０＝８０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ８０Ｈ＋テーブル番号２９の優先番号０＝８０Ｈ
で、図柄番号１１の停止候補得点が唯一の最大値となるため、２コマ滑りで図柄番号１１の紫セブン１を下段に引込んで停止させ、中段に「リプレイ２」を表示させる。この停止位置を決定することとなった停止候補得点の算出に用いた優先番号３が保存される。
【０６０１】
ＭＢ内部当選中の条件装置番号７４のときは、
図柄番号９では、左データＡ０Ｈ＋テーブル番号２９の優先番号０＝Ａ０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ８０Ｈ＋テーブル番号２９の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。この停止位置を決定することとなった停止候補得点の算出に用いた優先番号０が保存される。例２４の順序及びタイミングで左リール１Ｌを停止操作した場合、一般遊技中とＭＢ内部当選中とは異なる停止態様となる。
【０６０２】
１本のリール１Ｌの停止位置が決まった後、引込み検索データについて、停止済となる左データを除き、停止済図柄との関係で対象外となる図柄について改定がされる。一般遊技中は、左リール１Ｌの中段に「リプレイ２」が表示されたため、図柄組番号５５に対する引込データ有８０Ｈのみが維持され、中データと右データについて、「リプレイ１」又は「リプレイ２」を中段に表示させる８０Ｈを除いて他の８０Ｈは１０Ｈに書き換えられる。
【０６０３】
一方、ＭＢ内部当選中は、左リール１Ｌの中段に「紫セブン２」が表示されたため、図柄組番号４７，４９，０１に対する引込データ有８０Ｈ又はＡ０Ｈ又は２０Ｈは維持されるが、図柄組番号４６，４８，５０，５１，５３，５５，５６，５７に対する引込データ有８０Ｈは改定対象となり、中データについて「リプレイ１」又は「リプレイ２」を中段に表示させる８０Ｈ及び「チェリー」を中段に表示させる２０Ｈを除いて他は１０Ｈに書き換えられ、右データについて「紫セブン１」を中段に表示させるＡ０Ｈ及び「紫セブン２」を中段に表示させる８０Ｈを除いて他は１０Ｈに書き換えられる。例２４の場合、第１停止後の改定後の引込み検索データも、一般遊技中とＭＢ内部当選中とで異なる内容となる。
【０６０４】
第２番目の右リール１Ｒに対する停止操作は、図柄番号９のリプレイ１が下段に停止できるタイミングでされたとする。停止制御番号４の左後右第２停止（１３停止）の停止ビットデータのテーブル番号は１５番、検索対象の５コマは、図柄番号９，１０，１１，１２，１３となる。
一般遊技中の条件装置番号４のときは、
保存優先番号が３であるため、テーブルに記憶された優先番号についての優先順位の変換はなく、
図柄番号９では、右データ１０Ｈ＋テーブル番号１５の優先番号０＝１０Ｈ、
図柄番号１０では、右データ１０Ｈ＋テーブル番号１５の優先番号０＝１０Ｈ、
図柄番号１１では、右データ１０Ｈ＋テーブル番号１５の優先番号０＝１０Ｈ、
図柄番号１２では、右データ１０Ｈ＋テーブル番号１５の優先番号０＝１０Ｈ、
図柄番号１３では、右データ８０Ｈ＋テーブル番号１５の優先番号３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０６０５】
ＭＢ内部当選中の条件装置番号７４のときは、
保存優先番号が０であるため、テーブルに記憶された優先番号についての優先順位の変換はなく、
図柄番号９では、右データ１０Ｈ＋テーブル番号１５の優先番号０＝１０Ｈ、
図柄番号１０では、右データＡ０Ｈ＋テーブル番号１５の優先番号０＝Ａ０Ｈ、
図柄番号１１では、右データ８０Ｈ＋テーブル番号１５の優先番号０＝８０Ｈ、
図柄番号１２では、右データ１０Ｈ＋テーブル番号１５の優先番号０＝１０Ｈ、
図柄番号１３では、右データ１０Ｈ＋テーブル番号１５の優先番号３＝１３Ｈ
で、図柄番号１０の停止候補得点が唯一の最大値となるため、１コマ滑りで図柄番号１０のスイカ２を下段に引込んで停止させ、中段に「紫セブン１」を表示させる。例２４の順序及びタイミングで右リール１Ｒを停止操作した場合、一般遊技中とＭＢ内部当選中とは異なる停止態様となる。
【０６０６】
２本のリール１Ｌ，１Ｒの停止位置が決まった後、停止済となる左データ及び右データを除き、中データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「リプレイ２」−右「リプレイ１」が表示されているため、中リール１Ｃについて「リプレイ１」又は「リプレイ２」を中段に表示させる８０Ｈは変わらないが、非作動の条件装置に対応する図柄組番号２０の「ベル」と、図柄組番号３８の「赤セブン」が表示禁止図柄となり、これらが中段に表示されないように、図柄番号１，３，６，１１，１４，１９は００Ｈに書き換えられる。
【０６０７】
一方、ＭＢ内部当選中は、中段に左「紫セブン２」−右「紫セブン１」が表示されているため、中リール１Ｃについて「紫セブン１」又は「紫セブン２」又は「リプレイ１」又は「リプレイ２」を中段に表示させる８０Ｈ及び「チェリー」を中段に表示させる２０Ｈは変わらず、表示禁止図柄もないことから、００Ｈへの書き換えも生じない。例２４の場合、第２停止後の最終改定後の引込み検索データも、一般遊技中とＭＢ内部当選中とで異なる内容となる。
【０６０８】
第３番目の中リール１Ｃに対する停止操作は、図柄番号９のスイカ２が下段に停止できるタイミングでされたとする。停止制御番号４の左後右後中第３停止（１３２停止）の停止ビットデータのテーブル番号は３１番、検索対象の５コマは、図柄番号９，１０，１１，１２，１３となる。
一般遊技中の条件装置番号４のときは、
保存優先番号が３であるため、テーブルに記憶された優先番号についての優先順位の変換はなく、
図柄番号９では、中データ１０Ｈ＋テーブル番号３１の優先番号０＝１０Ｈ、
図柄番号１０では、中データ１０Ｈ＋テーブル番号３１の優先番号０＝１０Ｈ、
図柄番号１１では、中データ００Ｈ＋テーブル番号３１の優先番号０＝００Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。
【０６０９】
ＭＢ内部当選中の条件装置番号７４のときは、
保存優先番号が０であるため、テーブルに記憶された優先番号についての優先順位の変換はなく、
図柄番号９では、中データ２０Ｈ＋テーブル番号３１の優先番号０＝２０Ｈ、
図柄番号１０では、中データ８０Ｈ＋テーブル番号３１の優先番号０＝８０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ８０Ｈ＋テーブル番号３１の優先番号０＝８０Ｈ
で、図柄番号１２の停止候補得点が唯一の最大値となるため、３コマ滑りで図柄番号１２のベルを下段に引込んで停止させ、中段に「リプレイ２」を表示させる。例２４の順序及びタイミングで中リール１Ｃを停止操作した場合、一般遊技中もＭＢ内部当選中も同じ停止態様となる。
【０６１０】
こうして、一般遊技中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。
【０６１１】
一方、ＭＢ内部当選中に、リプレイ４に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例１９等と例２４のとおり、第１停止の順番を間違えると、ＢＢに対応する図柄の組合せである紫７シングル揃いは得られない。ただし、この場合も、再遊技に係る図柄の組合せは必ず得られる。
【０６１２】
例２５；リプレイ５の１
図６５に示すように、一般遊技中に内部抽選でリプレイ５に当選した場合、条件装置番号は５、停止制御番号は５、停止許可となる図柄の組合せは図柄組番号４６，４７，４８，４９，５０，５１，５５，５６，５７となる。引込み検索データの新規作成時、作動に係る条件装置に対応した当該遊技での８バイトの停止許可フラグ（条件装置番号５に対応する、Ｆ８Ｈ，７１Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０６１３】
ＭＢ内部当選中に内部抽選でリプレイ５に当選した場合、条件装置番号は７５、停止制御番号は５、停止許可となる図柄の組合せは図柄組番号４６，４７，４８，４９，５０，５１，５５，５６，５７，０１となる。引込み検索データの新規作成時、作動に係る条件装置に対応した当該遊技での８バイトの停止許可フラグ（条件装置番号７５に対応する、Ｆ９Ｈ，７１Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技・役物）のＡ０Ｈ又は下段基準引込データ有（再遊技）の８０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０６１４】
左データの図柄番号９、右データの図柄番号１０に対応する新規作成時の引込み検索データは、一般遊技中の条件装置番号５のときは８０Ｈであるのに対して、ＭＢ内部当選中の条件装置番号７５のときは、役物たるＭＢに係る図柄の組合せのうち左リール１Ｌについての「紫セブン２」と右リール１Ｒについての「紫セブン１」を引込対象とすることから、再遊技についての８０Ｈに役物についての２０Ｈを加算したＡ０Ｈとなる。また、中データの図柄番号９，１５，１７に対応する新規作成時の引込み検索データは、一般遊技中の条件装置番号５のときは１０Ｈであるのに対して、ＭＢ内部当選中の条件装置番号７５のときは、役物たるＭＢに係る図柄の組合せのうち中リール１Ｃについての「チェリー」を引込対象とすることから２０Ｈとなる。
【０６１５】
中、右、左の順番で中押しするものとし、第１番目の中リール１Ｃに対する停止操作は、図柄番号９のスイカ２が下段に停止可能なタイミングでされたとする。停止制御番号４の中第１停止（２停止）の停止ビットデータのテーブル番号は２６番、検索対象の５コマは、図柄番号９，１０，１１，１２，１３となる。
一般遊技中の条件装置番号５のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。
【０６１６】
ＭＢ内部当選中の条件装置番号７５のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。例２５の順序及びタイミングで中リール１Ｃを停止操作した場合、一般遊技中もＭＢ内部当選中も同じ停止態様となる。
【０６１７】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン１」が表示されたため、図柄組番号４６，４７，４８，５０に対する引込データ有８０Ｈを除いて他の図柄組番号に対する引込データ有は改定対象となり、左データについて「紫セブン１」又は「紫セブン２」又は「スイカ２」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例２５の場合、第１停止後の改定後の引込み検索データは、一般遊技中とＭＢ内部当選中とで同じ内容となる。
【０６１８】
第２番目の右リール１Ｒに対する停止操作は、図柄番号９のリプレイ１が下段に停止できるタイミングでされたとする。停止制御番号５の中後右第２停止（２３停止）の停止ビットデータのテーブル番号は２７番、検索対象の５コマは、図柄番号９，１０，１１，１２，１３となる。保存優先番号が３であるため、テーブルに記憶された優先番号についての優先順位の変換はない。
一般遊技中（条件装置番号５）もＭＢ内部当選中（条件装置番号７５）も、
図柄番号９では、右データ１０Ｈ＋テーブル番号２７の優先番号０＝１０Ｈ、
図柄番号１０では、右データ８０Ｈ＋テーブル番号２７の優先番号０＝８０Ｈ、
図柄番号１１では、右データ８０Ｈ＋テーブル番号２７の優先番号３＝８３Ｈ、
図柄番号１２では、右データ１０Ｈ＋テーブル番号２７の優先番号０＝１０Ｈ、
図柄番号１３では、右データ１０Ｈ＋テーブル番号２７の優先番号１＝１１Ｈ
で、図柄番号１１の停止候補得点が唯一の最大値となるため、２コマ滑りで図柄番号１１の紫セブン１を下段に引込んで停止させ、中段に「紫セブン２」を表示させる。
【０６１９】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈが１０Ｈに変わらないが、中段に中「紫セブン１」−右「紫セブン２」が表示されているため、非作動の条件装置に対応する図柄組番号０３の「リプレイ１」と「リプレイ２」、図柄組番号２９の「黒バー」、図柄組番号４５の「紫セブン２」が表示禁止図柄となり、これらが中段に表示されないように、図柄番号１，５，６，９，１１，１６，１９は００Ｈに書き換えられる。
【０６２０】
第３番目の左リール１Ｌに対する停止操作は、図柄番号９のスイカ２が下段に停止できるタイミングでされたとする。停止制御番号５の中後右後左第３停止（２３１停止）の停止ビットデータのテーブル番号は７０番、検索対象の５コマは、図柄番号９，１０，１１，１２，１３となる。保存優先番号が３であるため、テーブルに記憶された優先番号についての優先順位の変換はない。
一般遊技中（条件装置番号５）もＭＢ内部当選中（条件装置番号７５）も、
図柄番号９では、左データ００Ｈ＋テーブル番号７０の優先番号０＝００Ｈ、
図柄番号１０では、左データ８０Ｈ＋テーブル番号７０の優先番号３＝８３Ｈ、
図柄番号１１では、左データ００Ｈ＋テーブル番号７０の優先番号１＝０１Ｈ、
図柄番号１２では、左データ８０Ｈ＋テーブル番号７０の優先番号２＝８２Ｈ、
図柄番号１３では、左データ８０Ｈ＋テーブル番号７０の優先番号０＝８０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０６２１】
こうして、一般遊技中又はＭＢ内部当選中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４６の紫７シングル揃い１、すなわち、「紫セブン１」−「紫セブン１」−「紫セブン２」が表示される。
【０６２２】
例２６；リプレイ５の２
図６６に示すように、一般遊技中又はＭＢ内部当選中、内部抽選でリプレイ５に当選した場合、例２５と同様に、引込み検索データが新規に作成される。
【０６２３】
中、左、右の順番で中押しするものとし、第１番目の中リール１Ｃに対する停止操作は、図柄番号９のスイカ２が下段に停止可能なタイミングでされたとする。停止制御番号５の中第１停止（２停止）の停止ビットデータのテーブル番号は２６番、検索対象の５コマは、図柄番号９，１０，１１，１２，１３となる。
一般遊技中の条件装置番号５のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。
【０６２４】
ＭＢ内部当選中の条件装置番号７５のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。この停止位置を決定することとなった停止候補得点の算出に用いた優先番号３が保存される。例２６の順序及びタイミングで中リール１Ｃを停止操作した場合、一般遊技中もＭＢ内部当選中も同じ停止態様となる。
【０６２５】
１本のリール１Ｃの停止位置が決まった後、引込み検索データについて、停止済となる中データを除き、停止済図柄との関係で対象外となる図柄について、一般遊技中なら、左データと右データの引込データ有８０Ｈは引込データ無１０Ｈに改定され、また、ＭＢ内部当選中なら、左データと右データの引込データ有Ａ０Ｈは８０Ｈに、８０Ｈ又は２０Ｈは引込データ無１０Ｈに改定される。中リール１Ｃの中段に「紫セブン１」が表示されたため、図柄組番号４６，４７，４８，５０に対する引込データ有８０Ｈを除いて他の図柄組番号に対する引込データ有は改定対象となり、左データについて「紫セブン１」又は「紫セブン２」又は「スイカ２」又は「ベル」を中段に表示させる８０Ｈを除いて他は１０Ｈに書き換えられ、右データについて「紫セブン１」又は「紫セブン２」を中段に表示させる８０Ｈを除いて他は１０Ｈに書き換えられる。例２６の場合、第１停止後の改定後の引込み検索データは、一般遊技中とＭＢ内部当選中とで同じ内容となる。
【０６２６】
第２番目の左リール１Ｌに対する停止操作は、図柄番号９のスイカ２が下段に停止できるタイミングでされたとする。停止制御番号５の中後左第２停止（２１停止）の停止ビットデータのテーブル番号は２４番、検索対象の５コマは、図柄番号９，１０，１１，１２，１３となる。保存優先番号が３であるため、テーブルに記憶された優先番号についての優先順位の変換はない。
一般遊技中（条件装置番号５）もＭＢ内部当選中（条件装置番号７５）も、
図柄番号９では、左データ８０Ｈ＋テーブル番号２４の優先番号０＝８０Ｈ、
図柄番号１０では、左データ８０Ｈ＋テーブル番号２４の優先番号３＝８３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ８０Ｈ＋テーブル番号２４の優先番号０＝８０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０６２７】
２本のリール１Ｌ，１Ｃの停止位置が決まった後、停止済となる左データ及び中データを除き、右データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈは１０Ｈに変わらないが、中段に左「紫セブン１」−中「紫セブン１」が表示されているため、非作動の条件装置に対応する図柄組番号１６の「ベル」と図柄組番号４４の「紫セブン１」が表示禁止図柄となり、これらが中段に表示されないように、図柄番号４，７，１０，１２，１７，２０は００Ｈに書き換えられる。
【０６２８】
第３番目の右リール１Ｒに対する停止操作は、図柄番号９のリプレイ１が下段に停止できるタイミングでされたとする。停止制御番号５の中後左後右第３停止（２１３停止）の停止ビットデータのテーブル番号は７１番、検索対象の５コマは、図柄番号９，１０，１１，１２，１３となる。保存優先番号が３であるため、テーブルに記憶された優先番号についての優先順位の変換はない。
一般遊技中（条件装置番号５）もＭＢ内部当選中（条件装置番号７５）も、
図柄番号９では、右データ１０Ｈ＋テーブル番号７１の優先番号３＝１３Ｈ、
図柄番号１０では、右データ００Ｈ＋テーブル番号７１の優先番号０＝００Ｈ、
図柄番号１１では、右データ８０Ｈ＋テーブル番号７１の優先番号３＝８３Ｈ、
図柄番号１２では、右データ００Ｈ＋テーブル番号７１の優先番号０＝００Ｈ、
図柄番号１３では、右データ１０Ｈ＋テーブル番号７１の優先番号１＝１１Ｈ
で、図柄番号１１の停止候補得点が唯一の最大値となるため、２コマ滑りで図柄番号１１の紫セブン１を下段に引込んで停止させ、中段に「紫セブン２」を表示させる。
【０６２９】
こうして、一般遊技中又はＭＢ内部当選中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４６の紫７シングル揃い１、すなわち、「紫セブン１」−「紫セブン１」−「紫セブン２」が表示される。例２５と例２６のとおり、第１番目に中リール１Ｃを止めた後、第２番目は右リール１Ｒでも左リール１Ｌでもどちらを止めても紫セブン１又は紫セブン２の目押しに成功すると、紫７シングル揃い１の擬似ボーナスＢＢに対応した図柄の組合せが得られる。
【０６３０】
例２７；リプレイ５の３
図６７に示すように、一般遊技中又はＭＢ内部当選中、内部抽選でリプレイ５に当選した場合、例２５と同様に、引込み検索データが新規に作成される。
【０６３１】
右、中、左の順番で逆押しするものとし、第１番目の右リール１Ｒに対する停止操作は、図柄番号９のリプレイ１が下段に停止可能なタイミングでされたとする。停止制御番号５の右第１停止（３停止）の停止ビットデータのテーブル番号は６９番、検索対象の５コマは、図柄番号９，１０，１１，１２，１３となる。
一般遊技中の条件装置番号５のときは、
図柄番号９では、右データ８０Ｈ＋テーブル番号６９の優先番号０＝８０Ｈ、
図柄番号１０では、右データ８０Ｈ＋テーブル番号６９の優先番号３＝８３Ｈ、
図柄番号１１では、右データ８０Ｈ＋テーブル番号６９の優先番号２＝８２Ｈ、
図柄番号１２では、右データ８０Ｈ＋テーブル番号６９の優先番号０＝８０Ｈ、
図柄番号１３では、右データ８０Ｈ＋テーブル番号６９の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号３が保存される。
【０６３２】
ＭＢ内部当選中の条件装置番号７５のときは、
図柄番号９では、右データ８０Ｈ＋テーブル番号６９の優先番号０＝８０Ｈ、
図柄番号１０では、右データＡ０Ｈ＋テーブル番号６９の優先番号３＝Ａ３Ｈ、
図柄番号１１では、右データ８０Ｈ＋テーブル番号６９の優先番号２＝８２Ｈ、
図柄番号１２では、右データ８０Ｈ＋テーブル番号６９の優先番号０＝８０Ｈ、
図柄番号１３では、右データ８０Ｈ＋テーブル番号６９の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号３が保存される。例２７の順序及びタイミングで右リール１Ｒを停止操作した場合、一般遊技中とＭＢ内部当選中とは同じ停止態様となる。
【０６３３】
１本のリール１Ｒの停止位置が決まった後、引込み検索データについて、停止済となる右データを除き、停止済図柄との関係で対象外となる図柄について改定がされる。一般遊技中は、右リール１Ｒの中段に「紫セブン１」が表示されたため、図柄組番号４７，４９，５０，５１に対する引込データ有８０Ｈは維持されるが、図柄組番号４６，４８，５５，５６，５７に対する引込データ有８０Ｈは改定対象となり、左データについて「紫セブン１」又は「紫セブン２」又は「ベル」を中段に表示させる８０Ｈを除いて他の８０Ｈは１０Ｈに書き換えられ、中データについては書き換えは生じない。
【０６３４】
一方、ＭＢ内部当選中は、右リール１Ｒの中段に「紫セブン１」が表示されたため、図柄組番号４７，４９，５０，５１，０１に対する引込データ有８０Ｈ又はＡ０Ｈ又は２０Ｈは維持されるが、図柄組番号４６，４８，５５，５６，５７に対する引込データ有８０Ｈは改定対象となり、左データについて「紫セブン１」又は「ベル」を中段に表示させる８０Ｈ及び「紫セブン２」を中段に表示させるＡ０Ｈを除いて他は１０Ｈに書き換えられ、中データについては書き換えは生じない。例２７の場合、第１停止後の改定後の引込み検索データも、一般遊技中とＭＢ内部当選中とで異なる内容となる。
【０６３５】
第２番目の中リール１Ｃに対する停止操作は、図柄番号９のスイカ２が下段に停止できるタイミングでされたとする。停止制御番号５の右後中第２停止（３２停止）の停止ビットデータのテーブル番号は２６番、検索対象の５コマは、図柄番号９，１０，１１，１２，１３となる。保存優先番号が３であるため、テーブルに記憶された優先番号についての優先順位の変換はない。
一般遊技中の条件装置番号５のときは、
図柄番号９では、中データ１０Ｈ＋テーブル番号２６の優先番号０＝１０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。
【０６３６】
ＭＢ内部当選中の条件装置番号７５のときは、
図柄番号９では、中データ２０Ｈ＋テーブル番号２６の優先番号０＝２０Ｈ、
図柄番号１０では、中データ８０Ｈ＋テーブル番号２６の優先番号３＝８３Ｈ、
図柄番号１１では、中データ８０Ｈ＋テーブル番号２６の優先番号０＝８０Ｈ、
図柄番号１２では、中データ８０Ｈ＋テーブル番号２６の優先番号１＝８１Ｈ、
図柄番号１３では、中データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。例２７の順序及びタイミングで中リール１Ｃを停止操作した場合、一般遊技中とＭＢ内部当選中とは同じ停止態様となる。
【０６３７】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、一般遊技中もＭＢ内部当選中も、８０Ｈが１０Ｈに変わらないが、中段に中「紫セブン１」−右「紫セブン１」が表示されているため、非作動の条件装置に対応する図柄組番号４４の「紫セブン１」が表示禁止図柄となり、図柄番号１０は００Ｈに書き換えられる。なお、ＭＢ内部当選中、図柄番号９のＡ０Ｈは８０Ｈに書き換えられられる。例２７の場合、第２停止後の最終改定後の引込み検索データは、一般遊技中とＭＢ内部当選中とで同じ内容となる。
【０６３８】
第３番目の左リール１Ｌに対する停止操作は、図柄番号９のスイカ２が下段に停止できるタイミングでされたとする。停止制御番号５の右後中後左第３停止（３２１停止）の停止ビットデータのテーブル番号は２４番、検索対象の５コマは、図柄番号９，１０，１１，１２，１３となる。保存優先番号が３であるため、テーブルに記憶された優先番号についての優先順位の変換はない。
一般遊技中（条件装置番号５）もＭＢ内部当選中（条件装置番号７５）も、
図柄番号９では、左データ８０Ｈ＋テーブル番号２４の優先番号０＝８０Ｈ、
図柄番号１０では、左データ００Ｈ＋テーブル番号２４の優先番号３＝０３Ｈ、
図柄番号１１では、左データ１０Ｈ＋テーブル番号２４の優先番号１＝１１Ｈ、
図柄番号１２では、左データ８０Ｈ＋テーブル番号２４の優先番号２＝８２Ｈ、
図柄番号１３では、左データ１０Ｈ＋テーブル番号２４の優先番号０＝１０Ｈ
で、図柄番号１２の停止候補得点が唯一の最大値となるため、３コマ滑りで図柄番号１２のリプレイ２を下段に引込んで停止させ、中段に「ベル」を表示させる。
【０６３９】
こうして、一般遊技中又はＭＢ内部当選中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５０の逆・中押し損じ、すなわち、「ベル」−「紫セブン１」−「紫セブン１」が表示される。例２１と異なり、ＭＢ内部当選中も、ＢＢに対応する図柄の組合せである紫７シングル揃いは得られない。ただし、この場合も、再遊技に係る図柄の組合せは必ず得られる。
【０６４０】
例２８；リプレイ５の４
図６８に示すように、一般遊技中又はＭＢ内部当選中、内部抽選でリプレイ５に当選した場合、例２５と同様に、引込み検索データが新規に作成される。
【０６４１】
右、左、中の順番で逆挟み押しするものとし、第１番目の右リール１Ｒに対する停止操作は、図柄番号９のリプレイ１が下段に停止可能なタイミングでされたとする。停止制御番号５の右第１停止（３停止）の停止ビットデータのテーブル番号は６９番、検索対象の５コマは、図柄番号９，１０，１１，１２，１３となる。
一般遊技中の条件装置番号５のときは、
図柄番号９では、右データ８０Ｈ＋テーブル番号６９の優先番号０＝８０Ｈ、
図柄番号１０では、右データ８０Ｈ＋テーブル番号６９の優先番号３＝８３Ｈ、
図柄番号１１では、右データ８０Ｈ＋テーブル番号６９の優先番号２＝８２Ｈ、
図柄番号１２では、右データ８０Ｈ＋テーブル番号６９の優先番号０＝８０Ｈ、
図柄番号１３では、右データ８０Ｈ＋テーブル番号６９の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号３が保存される。
【０６４２】
ＭＢ内部当選中の条件装置番号７５のときは、
図柄番号９では、右データ８０Ｈ＋テーブル番号６９の優先番号０＝８０Ｈ、
図柄番号１０では、右データＡ０Ｈ＋テーブル番号６９の優先番号３＝Ａ３Ｈ、
図柄番号１１では、右データ８０Ｈ＋テーブル番号６９の優先番号２＝８２Ｈ、
図柄番号１２では、右データ８０Ｈ＋テーブル番号６９の優先番号０＝８０Ｈ、
図柄番号１３では、右データ８０Ｈ＋テーブル番号６９の優先番号１＝８１Ｈ
で、図柄番号１０の停止候補得点が唯一の最大値となるため、１コマ滑りで図柄番号１０のスイカ２を下段に引込んで停止させ、中段に「紫セブン１」を表示させる。この停止位置を決定することとなった停止候補得点の算出に用いた優先番号３が保存される。例２８の順序及びタイミングで右リール１Ｒを停止操作した場合、一般遊技中とＭＢ内部当選中とは同じ停止態様となる。
【０６４３】
１本のリール１Ｒの停止位置が決まった後、引込み検索データについて、停止済となる右データを除き、停止済図柄との関係で対象外となる図柄について改定がされる。一般遊技中は、右リール１Ｒの中段に「紫セブン１」が表示されたため、図柄組番号４７，４９，５０，５１に対する引込データ有８０Ｈは維持されるが、図柄組番号４６，４８，５５，５６，５７に対する引込データ有８０Ｈは改定対象となり、左データについて「紫セブン１」又は「紫セブン２」又は「ベル」を中段に表示させる８０Ｈを除いて他の８０Ｈは１０Ｈに書き換えられ、中データについては書き換えは生じない。
【０６４４】
一方、ＭＢ内部当選中は、右リール１Ｒの中段に「紫セブン１」が表示されたため、図柄組番号４７，４９，５０，５１，０１に対する引込データ有８０Ｈ又はＡ０Ｈ又は２０Ｈは維持されるが、図柄組番号４６，４８，５５，５６，５７に対する引込データ有８０Ｈは改定対象となり、左データについて「紫セブン１」又は「ベル」を中段に表示させる８０Ｈ及び「紫セブン２」を中段に表示させるＡ０Ｈを除いて他は１０Ｈに書き換えられ、中データについては書き換えは生じない。例２８の場合、第１停止後の改定後の引込み検索データも、一般遊技中とＭＢ内部当選中とで異なる内容となる。
【０６４５】
第２番目の左リール１Ｌに対する停止操作は、図柄番号９のスイカ２が下段に停止できるタイミングでされたとする。停止制御番号５の右後左第２停止（３１停止）の停止ビットデータのテーブル番号は２４番、検索対象の５コマは、図柄番号９，１０，１１，１２，１３となる。保存優先番号が３であるため、テーブルに記憶された優先番号についての優先順位の変換はない。
一般遊技中の条件装置番号５のときは、
図柄番号９では、中データ８０Ｈ＋テーブル番号２４の優先番号０＝８０Ｈ、
図柄番号１０では、中データ８０Ｈ＋テーブル番号２４の優先番号３＝８３Ｈ、
図柄番号１１では、中データ１０Ｈ＋テーブル番号２４の優先番号１＝１１Ｈ、
図柄番号１２では、中データ８０Ｈ＋テーブル番号２４の優先番号２＝８２Ｈ、
図柄番号１３では、中データ１０Ｈ＋テーブル番号２４の優先番号０＝１０Ｈ
で、図柄番号１０の停止候補得点が唯一の最大値となるため、１コマ滑りで図柄番号１０の紫セブン２を下段に引込んで停止させ、中段に「紫セブン１」を表示させる。
【０６４６】
ＭＢ内部当選中の条件装置番号７５のときは、
図柄番号９では、中データＡ０Ｈ＋テーブル番号２４の優先番号０＝Ａ０Ｈ、
図柄番号１０では、中データ８０Ｈ＋テーブル番号２４の優先番号３＝８３Ｈ、
図柄番号１１では、中データ１０Ｈ＋テーブル番号２４の優先番号１＝１１Ｈ、
図柄番号１２では、中データ８０Ｈ＋テーブル番号２４の優先番号２＝８２Ｈ、
図柄番号１３では、中データ１０Ｈ＋テーブル番号２４の優先番号０＝１０Ｈ
で、図柄番号９の停止候補得点が唯一の最大値となるため、０コマ滑りで図柄番号９のスイカ２を下段に即止めさせ、中段に「紫セブン２」を表示させる。例２８の順序及びタイミングで左リール１Ｌを停止操作した場合、一般遊技中とＭＢ内部当選中とは異なる停止態様となる。
【０６４７】
２本のリール１Ｌ，１Ｒの停止位置が決まった後、停止済となる左データ及び右データを除き、中データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「紫セブン１」−右「紫セブン１」が表示されているため、中リール１Ｃについて「リプレイ１」又は「リプレイ２」を中段に表示させる８０Ｈは変わらないが、「ベル」を中段に表示させる８０Ｈは１０Ｈに書き換えられ、非作動の条件装置に対応する図柄組番号４４の「紫セブン１」と「紫セブン２」が表示禁止図柄となり、これら中リール１Ｃの図柄が中段に表示されないように、図柄番号１０，１３は００Ｈに書き換えられる。
【０６４８】
一方、ＭＢ内部当選中は、中段に左「紫セブン２」−右「紫セブン１」が表示されているため、中リール１Ｃについて「リプレイ１」又は「リプレイ２」を中段に表示させる８０Ｈ及び「チェリー」を中段に表示させる２０Ｈは変わらないが、「ベル」を中段に表示させる８０Ｈは１０Ｈに書き換えられ、表示禁止図柄はないことから、００Ｈへの書き換えは生じない。例２８の場合、第２停止後の最終改定後の引込み検索データも、一般遊技中とＭＢ内部当選中とで異なる内容となる。
【０６４９】
第３番目の中リール１Ｃに対する停止操作は、図柄番号９のスイカ２が下段に停止できるタイミングでされたとする。停止制御番号５の右後左後中第３停止（３１２停止）の停止ビットデータのテーブル番号は２６番、検索対象の５コマは、図柄番号９，１０，１１，１２，１３となる。保存優先番号が３であるため、テーブルに記憶された優先番号についての優先順位の変換はない。
一般遊技中の条件装置番号５のときは、
図柄番号９では、左データ１０Ｈ＋テーブル番号２６の優先番号０＝１０Ｈ、
図柄番号１０では、左データ００Ｈ＋テーブル番号２６の優先番号３＝０３Ｈ、
図柄番号１１では、左データ１０Ｈ＋テーブル番号２６の優先番号０＝１０Ｈ、
図柄番号１２では、左データ８０Ｈ＋テーブル番号２６の優先番号１＝８１Ｈ、
図柄番号１３では、左データ００Ｈ＋テーブル番号２６の優先番号３＝０３Ｈ
で、図柄番号１２の停止候補得点が唯一の最大値となるため、３コマ滑りで図柄番号１２のベルを下段に引込んで停止させ、中段に「リプレイ２」を表示させる。
【０６５０】
ＭＢ内部当選中の条件装置番号７５のときは、
保存優先番号が０であるため、テーブルに記憶された優先番号についての優先順位の変換はなく、
図柄番号９では、左データ２０Ｈ＋テーブル番号２６の優先番号０＝２０Ｈ、
図柄番号１０では、左データ８０Ｈ＋テーブル番号２６の優先番号３＝８３Ｈ、
図柄番号１１では、左データ１０Ｈ＋テーブル番号２６の優先番号０＝１０Ｈ、
図柄番号１２では、左データ８０Ｈ＋テーブル番号２６の優先番号１＝８１Ｈ、
図柄番号１３では、左データ８０Ｈ＋テーブル番号２６の優先番号３＝８３Ｈ
で、図柄番号１０と１３の停止候補得点が最大値となるが、より少ない滑りコマの１コマ滑りで図柄番号１０のチェリーを下段に引込んで停止させ、中段に「紫セブン１」を表示させる。例２８の順序及びタイミングで中リール１Ｃを停止操作した場合、一般遊技中とＭＢ内部当選中とは異なる停止態様となる。
【０６５１】
こうして、一般遊技中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン１」−「リプレイ２」−「紫セブン１」が表示される。
【０６５２】
一方、ＭＢ内部当選中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４７の紫７シングル揃い２、すなわち、「紫セブン２」−「紫セブン１」−「紫セブン１」が表示される。停止操作の順序及びタイミングが全く同じでも、一般遊技中とＭＢ内部当選中とは異なる停止パターンとなり、ＭＢ内部当選中は、ＢＢに対応する図柄の組合せである紫７シングル揃いが得られる。
【０６５３】
例２９；リプレイ５の５
図６９に示すように、一般遊技中又はＭＢ内部当選中、内部抽選でリプレイ５に当選した場合、例２５と同様に、引込み検索データが新規に作成される。
【０６５４】
左、中、右の順番で順押しするものとし、第１番目の左リール１Ｌに対する停止操作は、図柄番号９のスイカ２が下段に停止可能なタイミングでされたとする。停止制御番号５の左第１停止（１停止）の停止ビットデータのテーブル番号は２９番、検索対象の５コマは、図柄番号９，１０，１１，１２，１３となる。
一般遊技中の条件装置番号５のときは、
図柄番号９では、右データ８０Ｈ＋テーブル番号２９の優先番号０＝８０Ｈ、
図柄番号１０では、右データ８０Ｈ＋テーブル番号２９の優先番号０＝８０Ｈ、
図柄番号１１では、右データ８０Ｈ＋テーブル番号２９の優先番号３＝８３Ｈ、
図柄番号１２では、右データ８０Ｈ＋テーブル番号２９の優先番号０＝８０Ｈ、
図柄番号１３では、右データ８０Ｈ＋テーブル番号２９の優先番号０＝８０Ｈ
で、図柄番号１１の停止候補得点が唯一の最大値となるため、２コマ滑りで図柄番号１１の紫セブン１を下段に引込んで停止させ、中段に「リプレイ２」を表示させる。この停止位置を決定することとなった停止候補得点の算出に用いた優先番号３が保存される。
【０６５５】
ＭＢ内部当選中の条件装置番号７５のときは、
図柄番号９では、左データＡ０Ｈ＋テーブル番号２９の優先番号０＝Ａ０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ８０Ｈ＋テーブル番号２９の優先番号０＝８０Ｈ
で、図柄番号９の停止候補得点が唯一の最大値となるため、０コマ滑りで図柄番号９のスイカ２を下段に即止めさせ、中段に「紫セブン２」を表示させる。この停止位置を決定することとなった停止候補得点の算出に用いた優先番号０が保存される。例２９の順序及びタイミングで左リール１Ｌを停止操作した場合、一般遊技中とＭＢ内部当選中とは異なる停止態様となる。
【０６５６】
１本のリール１Ｌの停止位置が決まった後、引込み検索データについて、停止済となる左データを除き、停止済図柄との関係で対象外となる図柄について改定がされる。一般遊技中は、左リール１Ｌの中段に「リプレイ２」が表示されたため、図柄組番号５５に対する引込データ有８０Ｈのみが維持され、中データと右データについて、「リプレイ１」又は「リプレイ２」を中段に表示させる８０Ｈを除いて他の８０Ｈは１０Ｈに書き換えられる。
【０６５７】
一方、ＭＢ内部当選中は、左リール１Ｌの中段に「紫セブン２」が表示されたため、図柄組番号４７，４９，０１に対する引込データ有８０Ｈ又はＡ０Ｈ又は２０Ｈは維持されるが、図柄組番号４６，４８，５０，５１，５５，５６，５７に対する引込データ有８０Ｈは改定対象となり、中データについて「紫セブン１」又は「紫セブン２」又は「リプレイ１」又は「リプレイ２」を中段に表示させる８０Ｈ及び「チェリー」を中段に表示させる２０Ｈを除いて他は１０Ｈに書き換えられ、右データについて「紫セブン１」を中段に表示させるＡ０Ｈ及び「紫セブン２」を中段に表示させる８０Ｈを除いて他は１０Ｈに書き換えられる。例２９の場合、第１停止後の改定後の引込み検索データも、一般遊技中とＭＢ内部当選中とで異なる内容となる。
【０６５８】
第２番目の中リール１Ｃに対する停止操作は、図柄番号９のスイカ２が下段に停止できるタイミングでされたとする。停止制御番号５の左後中第２停止（１２停止）の停止ビットデータのテーブル番号は３１番、検索対象の５コマは、図柄番号９，１０，１１，１２，１３となる。
一般遊技中の条件装置番号５のときは、
保存優先番号が３であるため、テーブルに記憶された優先番号についての優先順位の変換はなく、
図柄番号９では、中データ１０Ｈ＋テーブル番号３１の優先番号０＝１０Ｈ、
図柄番号１０では、中データ１０Ｈ＋テーブル番号３１の優先番号０＝１０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。
【０６５９】
ＭＢ内部当選中の条件装置番号７５のときは、
保存優先番号が０であるため、テーブルに記憶された優先番号についての優先順位の変換はなく、
図柄番号９では、中データ２０Ｈ＋テーブル番号３１の優先番号０＝２０Ｈ、
図柄番号１０では、中データ８０Ｈ＋テーブル番号３１の優先番号０＝８０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ８０Ｈ＋テーブル番号３１の優先番号０＝８０Ｈ
で、図柄番号１２の停止候補得点が唯一の最大値となるため、３コマ滑りで図柄番号１２のベルを下段に引込んで停止させ、中段に「リプレイ２」を表示させる。例２９の順序及びタイミングで中リール１Ｃを停止操作した場合、一般遊技中もＭＢ内部当選中も同じ停止態様となる。
【０６６０】
２本のリール１Ｌ，１Ｃの停止位置が決まった後、停止済となる左データ及び中データを除き、右データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「リプレイ２」−中「リプレイ２」が表示されているため、右リール１Ｒについて「リプレイ１」又は「リプレイ２」を中段に表示させる８０Ｈは変わらないが、非作動の条件装置に対応する図柄組番号３９の「黒バー」が表示禁止図柄となり、「黒バー」が中段に表示されないように、図柄番号１，１５は００Ｈに書き換えられる。
【０６６１】
一方、ＭＢ内部当選中は、中段に左「紫セブン２」−中「リプレイ２」が表示されているため、右リール１Ｒについて、「紫セブン２」を中段に表示させる８０Ｈは変わらないが、「紫セブン１」を中段に表示させるＡ０Ｈは８０Ｈに書き換えられ、表示禁止図柄はないことから、他は１０Ｈのまま変わらない。例２９の場合、第２停止後の最終改定後の引込み検索データも、一般遊技中とＭＢ内部当選中とで異なる内容となる。
【０６６２】
第３番目の右リール１Ｒに対する停止操作は、図柄番号９のリプレイ１が下段に停止できるタイミングでされたとする。停止制御番号５の左後中後右第３停止（１２３停止）の停止ビットデータのテーブル番号は１５番、検索対象の５コマは、図柄番号９，１０，１１，１２，１３となる。
一般遊技中の条件装置番号５のときは、
保存優先番号が３であるため、テーブルに記憶された優先番号についての優先順位の変換はなく、
図柄番号９では、右データ１０Ｈ＋テーブル番号１５の優先番号０＝１０Ｈ、
図柄番号１０では、右データ１０Ｈ＋テーブル番号１５の優先番号０＝１０Ｈ、
図柄番号１１では、右データ１０Ｈ＋テーブル番号１５の優先番号０＝１０Ｈ、
図柄番号１２では、右データ１０Ｈ＋テーブル番号１５の優先番号０＝１０Ｈ、
図柄番号１３では、右データ８０Ｈ＋テーブル番号１５の優先番号３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０６６３】
ＭＢ内部当選中の条件装置番号７５のときは、
保存優先番号が０であるため、テーブルに記憶された優先番号についての優先順位の変換はなく、
図柄番号９では、右データ１０Ｈ＋テーブル番号１５の優先番号０＝１０Ｈ、
図柄番号１０では、右データ８０Ｈ＋テーブル番号１５の優先番号０＝８０Ｈ、
図柄番号１１では、右データ８０Ｈ＋テーブル番号１５の優先番号０＝８０Ｈ、
図柄番号１２では、右データ１０Ｈ＋テーブル番号１５の優先番号０＝１０Ｈ、
図柄番号１３では、右データ１０Ｈ＋テーブル番号１５の優先番号３＝１３Ｈ
で、図柄番号１０と１１の停止候補得点が最大値となるが、より少ない滑りコマの１コマ滑りで図柄番号１０のスイカ２を下段に引込んで停止させ、中段に「紫セブン１」を表示させる。例２９の順序及びタイミングで右リール１Ｒを停止操作した場合、一般遊技中とＭＢ内部当選中とは異なる停止態様となる。
【０６６４】
こうして、一般遊技中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。
【０６６５】
一方、ＭＢ内部当選中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例２５等と例２９のとおり、第１停止の順番を間違えると、ＢＢに対応する図柄の組合せである紫７シングル揃いは得られない。ただし、この場合も、再遊技に係る図柄の組合せは必ず得られる。
【０６６６】
例３０；リプレイ５の６
図７０に示すように、一般遊技中又はＭＢ内部当選中、内部抽選でリプレイ５に当選した場合、例２５と同様に、引込み検索データが新規に作成される。
【０６６７】
左、右、中の順番で挟み打ちするものとし、第１番目の左リール１Ｌに対する停止操作は、図柄番号９のスイカ２が下段に停止可能なタイミングでされたとする。停止制御番号４の左第１停止（１停止）の停止ビットデータのテーブル番号は２９番、検索対象の５コマは、図柄番号９，１０，１１，１２，１３となる。
一般遊技中の条件装置番号５のときは、
図柄番号９では、左データ８０Ｈ＋テーブル番号２９の優先番号０＝８０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ８０Ｈ＋テーブル番号２９の優先番号０＝８０Ｈ
で、図柄番号１１の停止候補得点が唯一の最大値となるため、２コマ滑りで図柄番号１１の紫セブン１を下段に引込んで停止させ、中段に「リプレイ２」を表示させる。この停止位置を決定することとなった停止候補得点の算出に用いた優先番号３が保存される。
【０６６８】
ＭＢ内部当選中の条件装置番号７５のときは、
図柄番号９では、左データＡ０Ｈ＋テーブル番号２９の優先番号０＝Ａ０Ｈ、
図柄番号１０では、左データ８０Ｈ＋テーブル番号２９の優先番号０＝８０Ｈ、
図柄番号１１では、左データ８０Ｈ＋テーブル番号２９の優先番号３＝８３Ｈ、
図柄番号１２では、左データ８０Ｈ＋テーブル番号２９の優先番号０＝８０Ｈ、
図柄番号１３では、左データ８０Ｈ＋テーブル番号２９の優先番号０＝８０Ｈ
で、図柄番号９の停止候補得点が唯一の最大値となるため、０コマ滑りで図柄番号９のスイカ２を下段に即止めさせ、中段に「紫セブン２」を表示させる。この停止位置を決定することとなった停止候補得点の算出に用いた優先番号０が保存される。例３０の順序及びタイミングで左リール１Ｌを停止操作した場合、一般遊技中とＭＢ内部当選中とは異なる停止態様となる。
【０６６９】
１本のリール１Ｌの停止位置が決まった後、引込み検索データについて、停止済となる左データを除き、停止済図柄との関係で対象外となる図柄について改定がされる。一般遊技中は、左リール１Ｌの中段に「リプレイ２」が表示されたため、図柄組番号５５に対する引込データ有８０Ｈのみが維持され、中データと右データについて、「リプレイ１」又は「リプレイ２」を中段に表示させる８０Ｈを除いて他の８０Ｈは１０Ｈに書き換えられる。
【０６７０】
一方、ＭＢ内部当選中は、左リール１Ｌの中段に「紫セブン２」が表示されたため、図柄組番号４７，４９，０１に対する引込データ有８０Ｈ又はＡ０Ｈ又は２０Ｈは維持されるが、図柄組番号４６，４８，５０，５１，５５，５６，５７に対する引込データ有８０Ｈは改定対象となり、中データについて「リプレイ１」又は「リプレイ２」を中段に表示させる８０Ｈ及び「チェリー」を中段に表示させる２０Ｈを除いて他は１０Ｈに書き換えられ、右データについて「紫セブン１」を中段に表示させるＡ０Ｈ及び「紫セブン２」を中段に表示させる８０Ｈを除いて他は１０Ｈに書き換えられる。例３０の場合、第１停止後の改定後の引込み検索データも、一般遊技中とＭＢ内部当選中とで異なる内容となる。
【０６７１】
第２番目の右リール１Ｒに対する停止操作は、図柄番号９のリプレイ１が下段に停止できるタイミングでされたとする。停止制御番号５の左後右第２停止（１３停止）の停止ビットデータのテーブル番号は１５番、検索対象の５コマは、図柄番号９，１０，１１，１２，１３となる。
一般遊技中の条件装置番号５のときは、
保存優先番号が３であるため、テーブルに記憶された優先番号についての優先順位の変換はなく、
図柄番号９では、右データ１０Ｈ＋テーブル番号１５の優先番号０＝１０Ｈ、
図柄番号１０では、右データ１０Ｈ＋テーブル番号１５の優先番号０＝１０Ｈ、
図柄番号１１では、右データ１０Ｈ＋テーブル番号１５の優先番号０＝１０Ｈ、
図柄番号１２では、右データ１０Ｈ＋テーブル番号１５の優先番号０＝１０Ｈ、
図柄番号１３では、右データ８０Ｈ＋テーブル番号１５の優先番号３＝８３Ｈ
で、図柄番号１３の停止候補得点が唯一の最大値となるため、４コマ滑りで図柄番号１３のベルを下段に引込んで停止させ、中段に「リプレイ１」を表示させる。
【０６７２】
ＭＢ内部当選中の条件装置番号７５のときは、
保存優先番号が０であるため、テーブルに記憶された優先番号についての優先順位の変換はなく、
図柄番号９では、右データ１０Ｈ＋テーブル番号１５の優先番号０＝１０Ｈ、
図柄番号１０では、右データＡ０Ｈ＋テーブル番号１５の優先番号０＝Ａ０Ｈ、
図柄番号１１では、右データ８０Ｈ＋テーブル番号１５の優先番号０＝８０Ｈ、
図柄番号１２では、右データ１０Ｈ＋テーブル番号１５の優先番号０＝１０Ｈ、
図柄番号１３では、右データ１０Ｈ＋テーブル番号１５の優先番号３＝１３Ｈ
で、図柄番号１０の停止候補得点が唯一の最大値となるため、１コマ滑りで図柄番号１０のスイカ２を下段に引込んで停止させ、中段に「紫セブン１」を表示させる。例３０の順序及びタイミングで右リール１Ｒを停止操作した場合、一般遊技中とＭＢ内部当選中とは異なる停止態様となる。
【０６７３】
２本のリール１Ｌ，１Ｒの停止位置が決まった後、停止済となる左データ及び右データを除き、中データについて、停止済図柄との関係で新たに表示の対象外となる図柄について８０Ｈ等を１０Ｈに、非作動に係る条件装置との関係で表示禁止となる図柄について１０Ｈ等を００Ｈに書き換える改定がされる。一般遊技中は、中段に左「リプレイ２」−右「リプレイ１」が表示されているため、中リール１Ｃについて「リプレイ１」又は「リプレイ２」を中段に表示させる８０Ｈは変わらないが、非作動の条件装置に対応する図柄組番号２０の「ベル」と、図柄組番号３８の「赤セブン」が表示禁止図柄となり、これらが中段に表示されないように、図柄番号１，３，６，１１，１４，１９は００Ｈに書き換えられる。
【０６７４】
一方、ＭＢ内部当選中は、中段に左「紫セブン２」−右「紫セブン１」が表示されているため、中リール１Ｃについて「紫セブン１」又は「紫セブン２」又は「リプレイ１」又は「リプレイ２」を中段に表示させる８０Ｈ及び「チェリー」を中段に表示させる２０Ｈは変わらず、表示禁止図柄もないことから、００Ｈへの書き換えも生じない。例３０の場合、第２停止後の最終改定後の引込み検索データも、一般遊技中とＭＢ内部当選中とで異なる内容となる。
【０６７５】
第３番目の中リール１Ｃに対する停止操作は、図柄番号９のスイカ２が下段に停止できるタイミングでされたとする。停止制御番号５の左後右後中第３停止（１３２停止）の停止ビットデータのテーブル番号は３１番、検索対象の５コマは、図柄番号９，１０，１１，１２，１３となる。
一般遊技中の条件装置番号５のときは、
保存優先番号が３であるため、テーブルに記憶された優先番号についての優先順位の変換はなく、
図柄番号９では、中データ１０Ｈ＋テーブル番号３１の優先番号０＝１０Ｈ、
図柄番号１０では、中データ１０Ｈ＋テーブル番号３１の優先番号０＝１０Ｈ、
図柄番号１１では、中データ００Ｈ＋テーブル番号３１の優先番号０＝００Ｈ、
図柄番号１２では、中データ８０Ｈ＋テーブル番号３１の優先番号２＝８２Ｈ、
図柄番号１３では、中データ１０Ｈ＋テーブル番号３１の優先番号０＝１０Ｈ
で、図柄番号１２の停止候補得点が唯一の最大値となるため、３コマ滑りで図柄番号１２のベルを下段に引込んで停止させ、中段に「リプレイ２」を表示させる。
【０６７６】
ＭＢ内部当選中の条件装置番号７５のときは、
保存優先番号が０であるため、テーブルに記憶された優先番号についての優先順位の変換はなく、
図柄番号９では、中データ２０Ｈ＋テーブル番号３１の優先番号０＝２０Ｈ、
図柄番号１０では、中データ８０Ｈ＋テーブル番号３１の優先番号０＝８０Ｈ、
図柄番号１１では、中データ１０Ｈ＋テーブル番号３１の優先番号０＝１０Ｈ、
図柄番号１２では、中データ８０Ｈ＋テーブル番号３１の優先番号２＝８２Ｈ、
図柄番号１３では、中データ８０Ｈ＋テーブル番号３１の優先番号０＝８０Ｈ
で、図柄番号１２の停止候補得点が唯一の最大値となるため、３コマ滑りで図柄番号１２のベルを下段に引込んで停止させ、中段に「リプレイ２」を表示させる。例３０の順序及びタイミングで中リール１Ｃを停止操作した場合、一般遊技中もＭＢ内部当選中も同じ停止態様となる。
【０６７７】
こうして、一般遊技中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ２」−「リプレイ１」が表示される。
【０６７８】
一方、ＭＢ内部当選中に、リプレイ５に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号４９の挟み打ち損じ、すなわち、「紫セブン２」−「リプレイ２」−「紫セブン１」が表示される。停止操作の順序及びタイミングが全く同じでも、一般遊技中とＭＢ内部当選中とは異なる停止パターンとなる。また、例２５等と例３０のとおり、第１停止の順番を間違えると、ＢＢに対応する図柄の組合せである紫７シングル揃いは得られない。ただし、この場合も、再遊技に係る図柄の組合せは必ず得られる。
【０６７９】
例３１；リプレイ６の１
図７１に示すように、一般遊技中に内部抽選でリプレイ６に当選した場合、条件装置番号は６、停止制御番号は６、停止許可となる図柄の組合せは図柄組番号５３，５４，５５，５６，５７となる。引込み検索データの新規作成時、作動に係る条件装置に対応した当該遊技での８バイトの停止許可フラグ（条件装置番号６に対応する、００Ｈ，７ＣＨ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０６８０】
ＭＢ内部当選中に内部抽選でリプレイ６に当選した場合、条件装置番号は７６、停止制御番号は６、停止許可となる図柄の組合せは図柄組番号５３，５４，５５，５６，５７，０１となる。引込み検索データの新規作成時、作動に係る条件装置に対応した当該遊技での８バイトの停止許可フラグ（条件装置番号７６に対応する、０１Ｈ，７ＣＨ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０６８１】
左データの図柄番号９、中データの図柄番号９，１５，１７、右データの図柄番号１０に対応する新規作成時の引込み検索データは、一般遊技中の条件装置番号６のときは１０Ｈであるのに対して、ＭＢ内部当選中の条件装置番号７６のときは、役物たるＭＢに係る図柄の組合せ「紫セブン２」−「チェリー」−「紫セブン１」を引込対象とすることから２０Ｈとなる。
【０６８２】
中、右、左の順番で中押しするものとし、第１番目の中リール１Ｃに対する停止操作は、図柄番号１７のリプレイ２が下段（図柄番号１９の黒バーが上段）に停止可能なタイミングでされたとする。停止制御番号６の中第１停止（２停止）の停止ビットデータのテーブル番号は３１番、検索対象の５コマは、図柄番号１７，１８，１９，２０，０となる。
一般遊技中の条件装置番号６のときは、
図柄番号１７では、中データ１０Ｈ＋テーブル番号３１の優先番号０＝１０Ｈ、
図柄番号１８では、中データ８０Ｈ＋テーブル番号３１の優先番号０＝８０Ｈ、
図柄番号１９では、中データ１０Ｈ＋テーブル番号３１の優先番号０＝１０Ｈ、
図柄番号２０では、中データ８０Ｈ＋テーブル番号３１の優先番号２＝８２Ｈ、
図柄番号０では、中データ１０Ｈ＋テーブル番号３１の優先番号０＝１０Ｈ
で、図柄番号２０の停止候補得点が唯一の最大値となるため、３コマ滑りで図柄番号２０のベルを下段に引込んで停止させ、中段に「リプレイ１」を表示させる。この停止位置を決定することとなった停止候補得点の算出に用いた優先番号２が保存される。
【０６８３】
ＭＢ内部当選中の条件装置番号７６のときは、
図柄番号１７では、中データ２０Ｈ＋テーブル番号３１の優先番号０＝２０Ｈ、
図柄番号１８では、中データ８０Ｈ＋テーブル番号３１の優先番号０＝８０Ｈ、
図柄番号１９では、中データ１０Ｈ＋テーブル番号３１の優先番号０＝１０Ｈ、
図柄番号２０では、中データ８０Ｈ＋テーブル番号３１の優先番号２＝８２Ｈ、
図柄番号０では、中データ１０Ｈ＋テーブル番号３１の優先番号０＝１０Ｈ
で、図柄番号２０の停止候補得点が唯一の最大値となるため、３コマ滑りで図柄番号２０のベルを下段に引込んで停止させ、中段に「リプレイ１」を表示させる。この停止位置を決定することとなった停止候補得点の算出に用いた優先番号２が保存される。例３１の順序及びタイミングで中リール１Ｃを停止操作した場合、一般遊技中もＭＢ内部当選中も同じ停止態様となる。
【０６８４】
１本のリール１Ｃの停止位置が決まった後、引込み検索データについて、停止済となる中データを除き、停止済図柄との関係で対象外となる図柄について改定がされる。中リール１Ｃの中段に「リプレイ１」が表示されたため、図柄組番号５５，５６，５７に対する引込データ有８０Ｈを除いて他の図柄組番号に対する引込データ有は改定対象となり、左データについて「スイカ２」を中段に表示させる８０Ｈは１０Ｈに書き換えられる。ただし、右データを含め、他の８０Ｈは新規作成時のまま維持される。また、ＭＢ内部当選中の２０Ｈは１０Ｈに書き換えられる。例３１の場合、第１停止後の改定後の引込み検索データは、一般遊技中とＭＢ内部当選中とで同じ内容となる。
【０６８５】
第２番目の右リール１Ｒに対する停止操作は、図柄番号１４のリプレイ１が下段（図柄番号１６の黒バーが上段）に停止できるタイミングでされたとする。停止制御番号６の中後右第２停止（２３停止）の停止ビットデータのテーブル番号は３２番、検索対象の５コマは、図柄番号１４，１５，１６，１７，１８となる。保存優先番号が２であるため、テーブルに記憶された優先番号２は３に、同３は２に読み替える優先順位の変換がされる。
一般遊技中（条件装置番号６）もＭＢ内部当選中（条件装置番号７６）も、
図柄番号１４では、右データ８０Ｈ＋テーブル番号３２の３に変る２＝８２Ｈ、
図柄番号１５では、右データ８０Ｈ＋テーブル番号３２の優先番号０＝８０Ｈ、
図柄番号１６では、右データ８０Ｈ＋テーブル番号３２の優先番号０＝８０Ｈ、
図柄番号１７では、右データ８０Ｈ＋テーブル番号３２の優先番号０＝８０Ｈ、
図柄番号１８では、右データ８０Ｈ＋テーブル番号３２の優先番号０＝８０Ｈ
で、図柄番号１４の停止候補得点が唯一の最大値となるため、０コマ滑りで図柄番号１４のリプレイ１を下段に即止めさせ、中段に「スイカ２」を表示させる。
【０６８６】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、「紫セブン１」又は「赤セブン」又は「黒バー」又は「スイカ１」を中段に表示させる８０Ｈは維持するが、リプレイ１又はリプレイ２を中段に表示させる８０Ｈは１０Ｈに書き換えられ、中段に中「リプレイ１」−右「スイカ２」が表示されているため、非作動の条件装置に対応する図柄組番号３７の「ベル」が表示禁止図柄となり、ベルが中段に表示されないように、図柄番号２，７，１２，１７，２０は００Ｈに書き換えられる。
【０６８７】
第３番目の左リール１Ｌに対する停止操作は、図柄番号４のスイカ２が下段（図柄番号６の黒バーが上段）に停止できるタイミングでされたとする。停止制御番号６の中後右後左第３停止（２３１停止）の停止ビットデータのテーブル番号は１０番、検索対象の５コマは、図柄番号４，５，６，７，８となる。保存優先番号が２であるため、テーブルに記憶された優先番号２は３に、同３は２に読み替える優先順位の変換がされる。
一般遊技中（条件装置番号６）もＭＢ内部当選中（条件装置番号７６）も、
図柄番号４では、左データ１０Ｈ＋テーブル番号１０の優先番号０＝１０Ｈ、
図柄番号５では、左データ８０Ｈ＋テーブル番号１０の３に変る２＝８２Ｈ、
図柄番号６では、左データ１０Ｈ＋テーブル番号１０の優先番号１＝１０Ｈ、
図柄番号７では、左データ００Ｈ＋テーブル番号１０の優先番号２＝００Ｈ、
図柄番号８では、左データ１０Ｈ＋テーブル番号１０の優先番号０＝００Ｈ
で、図柄番号５の停止候補得点が唯一の最大値となるため、１コマ滑りで図柄番号５のチェリーを下段に引込んで停止させ、中段に「黒バー」を表示させる。
【０６８８】
こうして、一般遊技中又はＭＢ内部当選中に、リプレイ６に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄番号５６の右下がりリプレイ、すなわち、「黒バー」−「リプレイ１」−「スイカ２」が表示される。
【０６８９】
例３２；リプレイ６の２
図７２に示すように、一般遊技中又はＭＢ内部当選中、内部抽選でリプレイ６に当選した場合、例３１と同様に、引込み検索データが新規に作成される。
【０６９０】
中、左、右の順番で中押しするものとし、第１番目の中リール１Ｃに対する停止操作は、図柄番号１７のリプレイ２が下段（図柄番号１９の黒バーが上段）に停止可能なタイミングでされたとする。停止制御番号６の中第１停止（２停止）の停止ビットデータのテーブル番号は３１番、検索対象の５コマは、図柄番号１７，１８，１９，２０，０となる。
一般遊技中の条件装置番号６のときは、
図柄番号１７では、中データ１０Ｈ＋テーブル番号３１の優先番号０＝１０Ｈ、
図柄番号１８では、中データ８０Ｈ＋テーブル番号３１の優先番号０＝８０Ｈ、
図柄番号１９では、中データ１０Ｈ＋テーブル番号３１の優先番号０＝１０Ｈ、
図柄番号２０では、中データ８０Ｈ＋テーブル番号３１の優先番号２＝８２Ｈ、
図柄番号０では、中データ１０Ｈ＋テーブル番号３１の優先番号０＝１０Ｈ
で、図柄番号２０の停止候補得点が唯一の最大値となるため、３コマ滑りで図柄番号２０のベルを下段に引込んで停止させ、中段に「リプレイ１」を表示させる。この停止位置を決定することとなった停止候補得点の算出に用いた優先番号２が保存される。
【０６９１】
ＭＢ内部当選中の条件装置番号７６のときは、
図柄番号１７では、中データ２０Ｈ＋テーブル番号３１の優先番号０＝２０Ｈ、
図柄番号１８では、中データ８０Ｈ＋テーブル番号３１の優先番号０＝８０Ｈ、
図柄番号１９では、中データ１０Ｈ＋テーブル番号３１の優先番号０＝１０Ｈ、
図柄番号２０では、中データ８０Ｈ＋テーブル番号３１の優先番号２＝８２Ｈ、
図柄番号０では、中データ１０Ｈ＋テーブル番号３１の優先番号０＝１０Ｈ
で、図柄番号２０の停止候補得点が唯一の最大値となるため、３コマ滑りで図柄番号２０のベルを下段に引込んで停止させ、中段に「リプレイ１」を表示させる。この停止位置を決定することとなった停止候補得点の算出に用いた優先番号２が保存される。例３２の順序及びタイミングで中リール１Ｃを停止操作した場合、一般遊技中もＭＢ内部当選中も同じ停止態様となる。
【０６９２】
１本のリール１Ｃの停止位置が決まった後、引込み検索データについて、停止済となる中データを除き、停止済図柄との関係で対象外となる図柄について改定がされる。中リール１Ｃの中段に「リプレイ１」が表示されたため、図柄組番号５５，５６，５７に対する引込データ有８０Ｈを除いて他の図柄組番号に対する引込データ有は改定対象となり、左データについて「スイカ２」を中段に表示させる８０Ｈは１０Ｈに書き換えられる。ただし、右データを含め、他の８０Ｈは新規作成時のまま維持される。また、ＭＢ内部当選中の２０Ｈは１０Ｈに書き換えられる。例３２の場合、第１停止後の改定後の引込み検索データは、一般遊技中とＭＢ内部当選中とで同じ内容となる。
【０６９３】
第２番目の左リール１Ｌに対する停止操作は、図柄番号４のスイカ２が下段（図柄番号６の黒バーは上段）に停止できるタイミングでされたとする。停止制御番号６の中後左第２停止（２１停止）の停止ビットデータのテーブル番号は１０番、検索対象の５コマは、図柄番号４，５，６，７，８となる。保存優先番号が２であるため、テーブルに記憶された優先番号２は３に、同３は２に読み替える優先順位の変換がされる。
一般遊技中（条件装置番号６）もＭＢ内部当選中（条件装置番号７６）も、
図柄番号４では、左データ１０Ｈ＋テーブル番号１０の優先番号０＝１０Ｈ、
図柄番号５では、左データ８０Ｈ＋テーブル番号１０の３に変る２＝８２Ｈ、
図柄番号６では、左データ８０Ｈ＋テーブル番号１０の優先番号０＝８０Ｈ、
図柄番号７では、左データ８０Ｈ＋テーブル番号１０の優先番号０＝８０Ｈ、
図柄番号８では、左データ１０Ｈ＋テーブル番号１０の優先番号０＝１０Ｈ
で、図柄番号５の停止候補得点が唯一の最大値となるため、１コマ滑りで図柄番号５のチェリーを下段に引込んで停止させ、中段に「黒バー」を表示させる。
【０６９４】
２本のリール１Ｌ，１Ｃの停止位置が決まった後、停止済となる左データ及び中データを除き、右データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、「黒バー」又は「スイカ１」又は「スイカ２」又は「チェリー」を中段に表示させる８０Ｈは維持するが、その他は１０Ｈ以下に書き換えられ、中段に左「黒バー」−中「リプレイ１」が表示されているため、非作動の条件装置に対応する図柄組番号４１の「リプレイ１」と「リプレイ２」とが表示禁止図柄となり、これらが中段に表示されないように、図柄番号０，５，８，１３，１８は００Ｈに書き換えられる
【０６９５】
第３番目の右リール１Ｒに対する停止操作は、図柄番号１４のリプレイ１が下段（図柄番号１６の黒バーは上段）に停止できるタイミングでされたとする。停止制御番号６の中後左後右第３停止（２１３停止）の停止ビットデータのテーブル番号は３２番、検索対象の５コマは、図柄番号１４，１５，１６，１７，１８となる。保存優先番号が２であるため、テーブルに記憶された優先番号２は３に、同３は２に読み替える優先順位の変換がされる。
一般遊技中（条件装置番号６）もＭＢ内部当選中（条件装置番号７６）も、
図柄番号１４では、右データ８０Ｈ＋テーブル番号３２の３に変る２＝８２Ｈ、
図柄番号１５では、右データ８０Ｈ＋テーブル番号３２の優先番号０＝８０Ｈ、
図柄番号１６では、右データ８０Ｈ＋テーブル番号３２の優先番号０＝８０Ｈ、
図柄番号１７では、右データ１０Ｈ＋テーブル番号３２の優先番号０＝１０Ｈ、
図柄番号１８では、右データ００Ｈ＋テーブル番号３２の優先番号０＝００Ｈ
で、図柄番号１４の停止候補得点が唯一の最大値となるため、０コマ滑りで図柄番号１４のリプレイ１を下段に停止させ、中段に「スイカ２」を表示させる。
【０６９６】
こうして、一般遊技中又はＭＢ内部当選中に、リプレイ６に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄番号５６の右下がりリプレイ、すなわち、「黒バー」−「リプレイ１」−「スイカ２」が表示される。
【０６９７】
例３３；リプレイ６の３
図７３に示すように、一般遊技中又はＭＢ内部当選中、内部抽選でリプレイ６に当選した場合、例３１と同様に、引込み検索データが新規に作成される。
【０６９８】
右、中、左の順番で逆押しするものとし、第１番目の右リール１Ｒに対する停止操作は、図柄番号１４のリプレイ１が下段（図柄番号１６の黒バーが上段）に停止可能なタイミングでされたとする。停止制御番号６の右第１停止（３停止）の停止ビットデータのテーブル番号は３５番、検索対象の５コマは、図柄番号１４，１５，１６，１７，１８となる。
一般遊技中（条件装置番号６）もＭＢ内部当選中（条件装置番号７６）も、
図柄番号１４では、右データ８０Ｈ＋テーブル番号３５の優先番号０＝８０Ｈ、
図柄番号１５では、右データ８０Ｈ＋テーブル番号３５の優先番号３＝８３Ｈ、
図柄番号１６では、右データ８０Ｈ＋テーブル番号３５の優先番号０＝８０Ｈ、
図柄番号１７では、右データ８０Ｈ＋テーブル番号３５の優先番号０＝８０Ｈ、
図柄番号１８では、右データ８０Ｈ＋テーブル番号３５の優先番号１＝８１Ｈ
で、図柄番号１５の停止候補得点が唯一の最大値となるため、１コマ滑りで図柄番号１５のスイカ２を下段に引込んで停止させ、中段に「黒バー」を表示させる。この停止位置を決定することとなった停止候補得点の算出に用いた優先番号３が保存される。
【０６９９】
１本のリール１Ｒの停止位置が決まった後、引込み検索データについて、停止済となる右データを除き、停止済図柄との関係で対象外となる図柄について改定がされる。右リール１Ｒの中段に「黒バー」が表示されたため、図柄組番号５３，５４，５６に対する引込データ有８０Ｈを除いて他の図柄組番号に対する引込データ有は改定対象となり、左データについて「リプレイ１」又は「リプレイ２」又は「ベル」を中段に表示させる８０Ｈは１０Ｈに書き換えられる。ただし、中データを含め、他の８０Ｈは新規作成時のまま維持される。また、ＭＢ内部当選中の２０Ｈは１０Ｈに書き換えられる。例３３の場合、第１停止後の改定後の引込み検索データは、一般遊技中とＭＢ内部当選中とで同じ内容となる。
【０７００】
第２番目の中リール１Ｃに対する停止操作は、図柄番号１７のリプレイ２が下段（図柄番号１９の黒バーが上段）に停止できるタイミングでされたとする。停止制御番号６の右後中第２停止（３２停止）の停止ビットデータのテーブル番号は６６番、検索対象の５コマは、図柄番号１７，１８，１９，２０，０となる。保存優先番号が３であるため、テーブルに記憶された優先番号についての優先順位の変換はない。
一般遊技中（条件装置番号６）もＭＢ内部当選中（条件装置番号７６）も、
図柄番号１７では、中データ１０Ｈ＋テーブル番号６６の優先番号０＝１０Ｈ、
図柄番号１８では、中データ８０Ｈ＋テーブル番号６６の優先番号３＝８３Ｈ、
図柄番号１９では、中データ１０Ｈ＋テーブル番号６６の優先番号０＝１０Ｈ、
図柄番号２０では、中データ８０Ｈ＋テーブル番号６６の優先番号１＝８１Ｈ、
図柄番号０では、中データ１０Ｈ＋テーブル番号６６の優先番号０＝１０Ｈ
で、図柄番号１８の停止候補得点が唯一の最大値となるため、１コマ滑りで図柄番号１８のチェリーを下段に引込んで停止させ、中段に「黒バー」を表示させる。
【０７０１】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈが１０Ｈに変わらないと共に、非作動の条件装置に対応する表示禁止図柄もなく、１０Ｈも００Ｈに変わらない。
【０７０２】
第３番目の左リール１Ｌに対する停止操作は、図柄番号４のスイカ２が下段（図柄番号６の黒バーが上段）に停止できるタイミングでされたとする。停止制御番号６の右後中後左第３停止（３２１停止）の停止ビットデータのテーブル番号は３３番、検索対象の５コマは、図柄番号４，５，６，７，８となる。保存優先番号が３であるため、テーブルに記憶された優先番号についての優先順位の変換はない。
一般遊技中（条件装置番号６）もＭＢ内部当選中（条件装置番号７６）も、
図柄番号４では、左データ１０Ｈ＋テーブル番号３３の優先番号０＝１０Ｈ、
図柄番号５では、左データ８０Ｈ＋テーブル番号３３の優先番号３＝８３Ｈ、
図柄番号６では、左データ１０Ｈ＋テーブル番号３３の優先番号１＝１１Ｈ、
図柄番号７では、左データ１０Ｈ＋テーブル番号３３の優先番号０＝１０Ｈ、
図柄番号８では、左データ８０Ｈ＋テーブル番号３３の優先番号０＝８０Ｈ
で、図柄番号５の停止候補得点が唯一の最大値となるため、１コマ滑りで図柄番号５のチェリーを下段に引込んで停止させ、中段に「黒バー」を表示させる。
【０７０３】
こうして、一般遊技中又はＭＢ内部当選中に、リプレイ６に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄番号５３の黒バー一直線、すなわち、「黒バー」−「黒バー」−「黒バー」が表示される。
【０７０４】
例３４；リプレイ６の４
図７４に示すように、一般遊技中又はＭＢ内部当選中、内部抽選でリプレイ６に当選した場合、例３１と同様に、引込み検索データが新規に作成される。
【０７０５】
右、左、中の順番で逆挟み押しするものとし、第１番目の右リール１Ｒに対する停止操作は、図柄番号１４のリプレイ１が下段（図柄番号１６の黒バーが上段）に停止可能なタイミングでされたとする。停止制御番号６の右第１停止（３停止）の停止ビットデータのテーブル番号は３５番、検索対象の５コマは、図柄番号１４，１５，１６，１７，１８となる。
一般遊技中（条件装置番号６）もＭＢ内部当選中（条件装置番号７６）も、
図柄番号１４では、右データ８０Ｈ＋テーブル番号３５の優先番号０＝８０Ｈ、
図柄番号１５では、右データ８０Ｈ＋テーブル番号３５の優先番号３＝８３Ｈ、
図柄番号１６では、右データ８０Ｈ＋テーブル番号３５の優先番号０＝８０Ｈ、
図柄番号１７では、右データ８０Ｈ＋テーブル番号３５の優先番号０＝８０Ｈ、
図柄番号１８では、右データ８０Ｈ＋テーブル番号３５の優先番号１＝８１Ｈ
で、図柄番号１５の停止候補得点が唯一の最大値となるため、１コマ滑りで図柄番号１５のスイカ２を下段に引込んで停止させ、中段に「黒バー」を表示させる。この停止位置を決定することとなった停止候補得点の算出に用いた優先番号３が保存される。
【０７０６】
１本のリール１Ｒの停止位置が決まった後、引込み検索データについて、停止済となる右データを除き、停止済図柄との関係で対象外となる図柄について改定がされる。右リール１Ｒの中段に「黒バー」が表示されたため、図柄組番号５３，５４，５６に対する引込データ有８０Ｈを除いて他の図柄組番号に対する引込データ有は改定対象となり、左データについて「リプレイ１」又は「リプレイ２」又は「ベル」を中段に表示させる８０Ｈは１０Ｈに書き換えられる。ただし、中データを含め、他の８０Ｈは新規作成時のまま維持される。また、ＭＢ内部当選中の２０Ｈは１０Ｈに書き換えられる。例３４の場合、第１停止後の改定後の引込み検索データは、一般遊技中とＭＢ内部当選中とで同じ内容となる。
【０７０７】
第２番目の左リール１Ｌに対する停止操作は、図柄番号４のスイカ２が下段（図柄番号６の黒バーが上段）に停止できるタイミングでされたとする。停止制御番号６の右後左第２停止（３１停止）の停止ビットデータのテーブル番号は３３番、検索対象の５コマは、図柄番号４，５，６，７，８となる。保存優先番号が３であるため、テーブルに記憶された優先番号についての優先順位の変換はない。
一般遊技中（条件装置番号６）もＭＢ内部当選中（条件装置番号７６）も、
図柄番号４では、中データ１０Ｈ＋テーブル番号３３の優先番号０＝１０Ｈ、
図柄番号５では、中データ８０Ｈ＋テーブル番号３３の優先番号３＝８３Ｈ、
図柄番号６では、中データ１０Ｈ＋テーブル番号３３の優先番号１＝１１Ｈ、
図柄番号７では、中データ１０Ｈ＋テーブル番号３３の優先番号０＝１０Ｈ、
図柄番号８では、中データ８０Ｈ＋テーブル番号３３の優先番号０＝８０Ｈ
で、図柄番号５の停止候補得点が唯一の最大値となるため、１コマ滑りで図柄番号５のチェリーを下段に引込んで停止させ、中段に「黒バー」を表示させる。
【０７０８】
２本のリール１Ｌ，１Ｒの停止位置が決まった後、停止済となる左データ及び右データを除き、中データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈが１０Ｈに変わらないと共に、非作動の条件装置に対応する表示禁止図柄もなく、１０Ｈも００Ｈに変わらない。
【０７０９】
第３番目の中リール１Ｃに対する停止操作は、図柄番号１７のリプレイ２が下段（図柄番号１９の黒バーが上段）に停止できるタイミングでされたとする。停止制御番号６の右後左後中第３停止（３１２停止）の停止ビットデータのテーブル番号は６６番、検索対象の５コマは、図柄番号１７，１８，１９，２０，０となる。保存優先番号が３であるため、テーブルに記憶された優先番号についての優先順位の変換はない。
一般遊技中（条件装置番号６）もＭＢ内部当選中（条件装置番号７６）も、
図柄番号１７では、左データ１０Ｈ＋テーブル番号６６の優先番号０＝１０Ｈ、
図柄番号１８では、左データ８０Ｈ＋テーブル番号６６の優先番号３＝８３Ｈ、
図柄番号１９では、左データ１０Ｈ＋テーブル番号６６の優先番号０＝１０Ｈ、
図柄番号２０では、左データ８０Ｈ＋テーブル番号６６の優先番号１＝８１Ｈ、
図柄番号０では、左データ１０Ｈ＋テーブル番号６６の優先番号０＝１０Ｈ
で、図柄番号１８の停止候補得点が唯一の最大値となるため、１コマ滑りで図柄番号１８のチャリーを下段に引込んで停止させ、中段に「黒バー」を表示させる。
【０７１０】
こうして、一般遊技中又はＭＢ内部当選中に、リプレイ６に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄番号５３の黒バー一直線、すなわち、「黒バー」−「黒バー」−「黒バー」が表示される。例３３と例３４のとおり、逆押し又は逆挟み押しにより黒バーの目押しに成功すると、黒バー一直線の擬似ボーナスＲＢに対応した図柄の組合せが得られる。
【０７１１】
例３５；リプレイ７の１
図７５に示すように、一般遊技中に内部抽選でリプレイ７に当選した場合、条件装置番号は７、停止制御番号は７、停止許可となる図柄の組合せは図柄組番号５２，５３，５５，５６，５７となる。引込み検索データの新規作成時、作動に係る条件装置に対応した当該遊技での８バイトの停止許可フラグ（条件装置番号７に対応する、００Ｈ，７６Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７１２】
ＭＢ内部当選中に内部抽選でリプレイ７に当選した場合、条件装置番号は７７、停止制御番号は７、停止許可となる図柄の組合せは図柄組番号５２，５３，５５，５６，５７，０１となる。引込み検索データの新規作成時、作動に係る条件装置に対応した当該遊技での８バイトの停止許可フラグ（条件装置番号７７に対応する、０１Ｈ，７６Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７１３】
左データの図柄番号９、中データの図柄番号９，１５，１７、右データの図柄番号１０に対応する新規作成時の引込み検索データは、一般遊技中の条件装置番号７のときは１０Ｈであるのに対して、ＭＢ内部当選中の条件装置番号７７のときは、役物たるＭＢに係る図柄の組合せ「紫セブン２」−「チェリー」−「紫セブン１」を引込対象とすることから２０Ｈとなる。
【０７１４】
中、右、左の順番で中押しするものとし、第１番目の中リール１Ｃに対する停止操作は、図柄番号１７のリプレイ２が下段（図柄番号１９の黒バーが上段）に停止可能なタイミングでされたとする。停止制御番号７の中第１停止（２停止）の停止ビットデータのテーブル番号は３１番、検索対象の５コマは、図柄番号１７，１８，１９，２０，０となる。
一般遊技中の条件装置番号７のときは、
図柄番号１７では、中データ１０Ｈ＋テーブル番号３１の優先番号０＝１０Ｈ、
図柄番号１８では、中データ８０Ｈ＋テーブル番号３１の優先番号０＝８０Ｈ、
図柄番号１９では、中データ１０Ｈ＋テーブル番号３１の優先番号０＝１０Ｈ、
図柄番号２０では、中データ８０Ｈ＋テーブル番号３１の優先番号２＝８２Ｈ、
図柄番号０では、中データ１０Ｈ＋テーブル番号３１の優先番号０＝１０Ｈ
で、図柄番号２０の停止候補得点が唯一の最大値となるため、３コマ滑りで図柄番号２０のベルを下段に引込んで停止させ、中段に「リプレイ１」を表示させる。この停止位置を決定することとなった停止候補得点の算出に用いた優先番号２が保存される。
【０７１５】
ＭＢ内部当選中の条件装置番号７７のときは、
図柄番号１７では、中データ２０Ｈ＋テーブル番号３１の優先番号０＝２０Ｈ、
図柄番号１８では、中データ８０Ｈ＋テーブル番号３１の優先番号０＝８０Ｈ、
図柄番号１９では、中データ１０Ｈ＋テーブル番号３１の優先番号０＝１０Ｈ、
図柄番号２０では、中データ８０Ｈ＋テーブル番号３１の優先番号２＝８２Ｈ、
図柄番号０では、中データ１０Ｈ＋テーブル番号３１の優先番号０＝１０Ｈ
で、図柄番号２０の停止候補得点が唯一の最大値となるため、３コマ滑りで図柄番号２０のベルを下段に引込んで停止させ、中段に「リプレイ１」を表示させる。この停止位置を決定することとなった停止候補得点の算出に用いた優先番号２が保存される。例３５の順序及びタイミングで中リール１Ｃを停止操作した場合、一般遊技中もＭＢ内部当選中も同じ停止態様となる。
【０７１６】
１本のリール１Ｃの停止位置が決まった後、引込み検索データについて、停止済となる中データを除き、停止済図柄との関係で対象外となる図柄について、左データと右データとは書換対象となるが、この例では、ＭＢ内部当選中の２０Ｈが１０Ｈに書き換えられる他は書換えは生じない。例３５の場合、第１停止後の改定後の引込み検索データは、一般遊技中とＭＢ内部当選中とで同じ内容となる。
【０７１７】
第２番目の右リール１Ｒに対する停止操作は、図柄番号１４のリプレイ１が下段（図柄番号１６の黒バーが上段）に停止できるタイミングでされたとする。停止制御番号７の中後右第２停止（２３停止）の停止ビットデータのテーブル番号は１１番、検索対象の５コマは、図柄番号１４，１５，１６，１７，１８となる。保存優先番号が２であるため、テーブルに記憶された優先番号２は３に、同３は２に読み替える優先順位の変換がされる。
一般遊技中（条件装置番号７）もＭＢ内部当選中（条件装置番号７７）も、
図柄番号１４では、右データ８０Ｈ＋テーブル番号１１の優先番号０＝８０Ｈ、
図柄番号１５では、右データ８０Ｈ＋テーブル番号１１の優先番号０＝８０Ｈ、
図柄番号１６では、右データ８０Ｈ＋テーブル番号１１の優先番号０＝８０Ｈ、
図柄番号１７では、右データ８０Ｈ＋テーブル番号１１の３に変る２＝８２Ｈ、
図柄番号１８では、右データ８０Ｈ＋テーブル番号１１の優先番号０＝８０Ｈ
で、図柄番号１７の停止候補得点が唯一の最大値となるため、３コマ滑りで図柄番号１７のスイカ１を下段に引込んで停止させ、中段に「ベル」を表示させる。
【０７１８】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、「ベル」を中段に表示させる８０Ｈ以外は１０Ｈに書き換えられるが、非作動の条件装置に対応する表示禁止図柄はなく、００Ｈへの書き換えは生じない。
【０７１９】
第３番目の左リール１Ｌに対する停止操作は、図柄番号４のスイカ２が下段（図柄番号６の黒バーが上段）に停止できるタイミングでされたとする。停止制御番号７の中後右後左第３停止（２３１停止）の停止ビットデータのテーブル番号は１９番、検索対象の５コマは、図柄番号４，５，６，７，８となる。保存優先番号が２であるため、テーブルに記憶された優先番号２は３に、同３は２に読み替える優先順位の変換がされる。
一般遊技中（条件装置番号７）もＭＢ内部当選中（条件装置番号７７）も、
図柄番号４では、左データ１０Ｈ＋テーブル番号１９の優先番号０＝１０Ｈ、
図柄番号５では、左データ１０Ｈ＋テーブル番号１９の優先番号０＝１０Ｈ、
図柄番号６では、左データ１０Ｈ＋テーブル番号１９の優先番号１＝１０Ｈ、
図柄番号７では、左データ８０Ｈ＋テーブル番号１９の３に変る２＝８２Ｈ、
図柄番号８では、左データ１０Ｈ＋テーブル番号１９の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。
【０７２０】
こうして、一般遊技中又はＭＢ内部当選中に、リプレイ７に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄番号５７の右上がりリプレイ、すなわち、「ベル」−「リプレイ１」−「ベル」が表示される。
【０７２１】
例３６；リプレイ７の２
図７６に示すように、一般遊技中又はＭＢ内部当選中、内部抽選でリプレイ７に当選した場合、例３５と同様に、引込み検索データが新規に作成される。
【０７２２】
右、中、左の順番で逆押しするものとし、第１番目の右リール１Ｒに対する停止操作は、図柄番号１４のリプレイ１が下段（図柄番号１６の黒バーが上段）に停止可能なタイミングでされたとする。停止制御番号７の右第１停止（３停止）の停止ビットデータのテーブル番号は３４番、検索対象の５コマは、図柄番号１４，１５，１６，１７，１８となる。
一般遊技中（条件装置番号７）もＭＢ内部当選中（条件装置番号７７）も、
図柄番号１４では、右データ８０Ｈ＋テーブル番号３４の優先番号０＝８０Ｈ、
図柄番号１５では、右データ８０Ｈ＋テーブル番号３４の優先番号０＝８０Ｈ、
図柄番号１６では、右データ８０Ｈ＋テーブル番号３４の優先番号０＝８０Ｈ、
図柄番号１７では、右データ８０Ｈ＋テーブル番号３４の優先番号０＝８０Ｈ、
図柄番号１８では、右データ８０Ｈ＋テーブル番号３４の優先番号１＝８１Ｈ
で、図柄番号１８の停止候補得点が唯一の最大値となるため、４コマ滑りで図柄番号１８のベルを下段に引込んで停止させ、中段に「リプレイ１」を表示させる。この停止位置を決定することとなった停止候補得点の算出に用いた優先番号１が保存される。
【０７２３】
１本のリール１Ｒの停止位置が決まった後、引込み検索データについて、停止済となる右データを除き、停止済図柄との関係で対象外となる図柄について改定がされる。右リール１Ｒの中段に「リプレイ１」が表示されたため、図柄組番号５５に対する引込データ有８０Ｈを除いて他の図柄組番号に対する引込データ有は改定対象となり、「リプレイ１」と「リプレイ２」を中段に表示させる８０Ｈを除いて他の８０Ｈは１０Ｈに書き換えられる。また、ＭＢ内部当選中の２０Ｈは１０Ｈに書き換えられる。例３６の場合、第１停止後の改定後の引込み検索データは、一般遊技中とＭＢ内部当選中とで同じ内容となる。
【０７２４】
第２番目の中リール１Ｃに対する停止操作は、図柄番号１７のリプレイ２が下段（図柄番号１９の黒バーが上段）に停止できるタイミングでされたとする。停止制御番号７の右後中第２停止（３２停止）の停止ビットデータのテーブル番号は６６番、検索対象の５コマは、図柄番号１７，１８，１９，２０，０となる。保存優先番号が１であるため、テーブルに記憶された優先番号１は３に、同３は２に、同２は１に読み替える優先順位の変換がされる。
一般遊技中（条件装置番号７）もＭＢ内部当選中（条件装置番号７７）も、
図柄番号１７では、中データ１０Ｈ＋テーブル番号６６の優先番号０＝１０Ｈ、
図柄番号１８では、中データ１０Ｈ＋テーブル番号６６の３に変る２＝１２Ｈ、
図柄番号１９では、中データ１０Ｈ＋テーブル番号６６の優先番号０＝１０Ｈ、
図柄番号２０では、中データ８０Ｈ＋テーブル番号６６の１に変る３＝８３Ｈ、
図柄番号０では、中データ１０Ｈ＋テーブル番号６６の優先番号０＝１０Ｈ
で、図柄番号２０の停止候補得点が唯一の最大値となるため、３コマ滑りで図柄番号２０のベルを下段に引込んで停止させ、中段に「リプレイ１」を表示させる。
【０７２５】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈが１０Ｈに変わらないが、中段に中「リプレイ１」−右「リプレイ１」が表示されているため、非作動の条件装置に対応する図柄組番号２１の「赤セブン」と「スイカ１」と「スイカ２」、図柄組番号２３の「ベル」、図柄組番号４１の「紫セブン１」と「黒バー」が表示禁止図柄となり、これらが中段に表示されないように、図柄番号０，２，３，５，７，８，１０，１２，１３，１５，１７，１８，２０は００Ｈに書き換えられる。
【０７２６】
第３番目の左リール１Ｌに対する停止操作は、図柄番号４のスイカ２が下段（図柄番号６の黒バーが上段）に停止できるタイミングでされたとする。停止制御番号７の右後中後左第３停止（３２１停止）の停止ビットデータのテーブル番号は３３番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号７）もＭＢ内部当選中（条件装置番号７７）も、
図柄番号４では、左データ１０Ｈ＋テーブル番号３３の優先番号０＝１０Ｈ、
図柄番号５では、左データ００Ｈ＋テーブル番号３３の３に変る２＝０２Ｈ、
図柄番号６では、左データ８０Ｈ＋テーブル番号３３の１に変る３＝８３Ｈ、
図柄番号７では、左データ００Ｈ＋テーブル番号３３の優先番号０＝００Ｈ、
図柄番号８では、左データ００Ｈ＋テーブル番号３３の優先番号０＝００Ｈ
で、図柄番号６の停止候補得点が唯一の最大値となるため、２コマ滑りで図柄番号６の黒バーを下段に引込んで停止させ、中段に「リプレイ２」を表示させる。
【０７２７】
こうして、一般遊技中又はＭＢ内部当選中に、リプレイ７に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５５の中段リプレイ、すなわち、「リプレイ２」−「リプレイ１」−「リプレイ１」が表示される。
【０７２８】
例３７；リプレイ８
図７７に示すように、ＭＢ内部当選中に内部抽選でリプレイ８に当選した場合、条件装置番号は７８、停止制御番号は８、停止許可となる図柄の組合せは図柄組番号５２，５５，５６，５７，０１となる。引込み検索データの新規作成時、作動に係る条件装置に対応した当該遊技での８バイトの停止許可フラグ（条件装置番号７８に対応する、０１Ｈ，７２Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（再遊技）の８０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７２９】
リプレイ８はＭＢ内部当選中の限定役であり、左データの図柄番号９、中データの図柄番号９，１５，１７、右データの図柄番号１０に対応する新規作成時の引込み検索データは、役物たるＭＢに係る図柄の組合せ「紫セブン２」−「チェリー」−「紫セブン１」を引込対象とすることから２０Ｈとなる。
【０７３０】
右、中、左の順番で逆押しするものとし、第１番目の右リール１Ｒに対する停止操作は、図柄番号２の黒バーが下段（図柄番号４の赤セブンが上段）に停止可能なタイミングでされたとする。停止制御番号８の右第１停止（３停止）の停止ビットデータのテーブル番号は３４番、検索対象の５コマは、図柄番号２，３，４，５，６となる。
図柄番号２では、右データ８０Ｈ＋テーブル番号３４の優先番号０＝８０Ｈ、
図柄番号３では、右データ１０Ｈ＋テーブル番号３４の優先番号０＝１０Ｈ、
図柄番号４では、右データ８０Ｈ＋テーブル番号３４の優先番号３＝８３Ｈ、
図柄番号５では、右データ８０Ｈ＋テーブル番号３４の優先番号１＝８１Ｈ、
図柄番号６では、右データ８０Ｈ＋テーブル番号３４の優先番号０＝８０Ｈ
で、図柄番号４の停止候補得点が唯一の最大値となるため、２コマ滑りで図柄番号４の赤セブンを下段に引込んで停止させ、中段に「ベル」を表示させる。この停止位置を決定することとなった停止候補得点の算出に用いた優先番号３が保存される。
【０７３１】
１本のリール１Ｒの停止位置が決まった後、引込み検索データについて、停止済となる右データを除き、停止済図柄との関係で対象外となる図柄について、左データと中データの引込データ有は引込データ無１０Ｈに改定される。右リール１Ｒの中段に「ベル」が表示されたため、図柄組番号５２，５７に対する引込データ有８０Ｈは維持されるが、図柄組番号５５，５６に対する引込データ有８０Ｈは改定対象となり、左データについて「ベル」又は「赤セブン」を中段に表示させる８０Ｈを除いて他の８０Ｈは１０Ｈに書き換えられ、中データの８０Ｈは書き換えられないが、左データ及び中データの２０Ｈは１０Ｈに書き換えられる。
【０７３２】
第２番目の中リール１Ｃに対する停止操作は、図柄番号０のリプレイ１が下段（図柄番号２の赤セブンが上段）に停止できるタイミングでされたとする。停止制御番号８の右後中第２停止（３２停止）の停止ビットデータのテーブル番号は６６番、検索対象の５コマは、図柄番号０，１，２，３，４となる。保存優先番号が３であるため、テーブルに記憶された優先番号についての優先順位の変換はない。
図柄番号０では、中データ１０Ｈ＋テーブル番号６６の優先番号０＝１０Ｈ、
図柄番号１では、中データ８０Ｈ＋テーブル番号６６の優先番号３＝８３Ｈ、
図柄番号２では、中データ１０Ｈ＋テーブル番号６６の優先番号０＝１０Ｈ、
図柄番号３では、中データ１０Ｈ＋テーブル番号６６の優先番号０＝１０Ｈ、
図柄番号４では、中データ８０Ｈ＋テーブル番号６６の優先番号１＝８１Ｈ
で、図柄番号１の停止候補得点が唯一の最大値となるため、１コマ滑りで図柄番号１のスイカ２を下段に引込んで停止させ、中段に「赤セブン」を表示させる。
【０７３３】
２本のリール１Ｃ，１Ｒの停止位置が決まった後、停止済となる中データ及び右データを除き、左データについて、停止済図柄との関係で新たに表示の対象外となる図柄について８０Ｈを１０Ｈに、非作動に係る条件装置との関係で表示禁止となる図柄について１０Ｈ等を００Ｈに書き換える。この例の場合、８０Ｈが１０Ｈに変わらないが、中段に中「赤セブン」−右「ベル」が表示されているため、非作動の条件装置に対応する図柄組番号３２の「黒バー」が表示禁止図柄となり、図柄番号５は００Ｈに書き換えられる。
【０７３４】
第３番目の左リール１Ｌに対する停止操作は、図柄番号１７のリプレイ１が下段（図柄番号１９の赤セブンが上段）に停止できるタイミングでされたとする。停止制御番号８の右後中後左第３停止（３２１停止）の停止ビットデータのテーブル番号は７３番、検索対象の５コマは、図柄番号１７，１８，１９，２０，０となる。保存優先番号が３であるため、テーブルに記憶された優先番号についての優先順位の変換はない。
図柄番号１７では、左データ８０Ｈ＋テーブル番号７３の優先番号０＝８０Ｈ、
図柄番号１８では、左データ８０Ｈ＋テーブル番号７３の優先番号３＝８３Ｈ、
図柄番号１９では、左データ１０Ｈ＋テーブル番号７３の優先番号１＝１１Ｈ、
図柄番号２０では、左データ８０Ｈ＋テーブル番号７３の優先番号０＝８０Ｈ、
図柄番号０では、左データ１０Ｈ＋テーブル番号７３の優先番号０＝１０Ｈ
で、図柄番号１８の停止候補得点が唯一の最大値となるため、１コマ滑りで図柄番号１８のベルを下段に引込んで停止させ、中段に「赤セブン」を表示させる。
【０７３５】
こうして、ＭＢ内部当選中に、リプレイ８に当選した場合、この例による順序及びタイミングで停止操作をした場合は上記した滑りコマ数に従って各リール１Ｌ，１Ｃ，１Ｒが停止され、有効ラインｍＬに、再遊技に係る図柄の組合せである図柄組番号５２の赤７一直線ｏｒテンパイ、すなわち、「赤セブン」−「赤セブン」−「ベル」が表示される。
【０７３６】
例３８；レアベル
図７８に示すように、一般遊技中に内部抽選でレアベルに当選した場合、条件装置番号は９、停止制御番号は９、停止許可となる図柄の組合せは図柄組番号０２となる。引込み検索データの新規作成時、作動に係る条件装置に対応した当該遊技での８バイトの停止許可フラグ（条件装置番号９に対応する、００Ｈ，００Ｈ，０１Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７３７】
ＭＢ内部当選中に内部抽選でレアベルに当選した場合、条件装置番号は７９、停止制御番号は９、停止許可となる図柄の組合せは図柄組番号０２，０１となる。引込み検索データの新規作成時、作動に係る条件装置に対応した当該遊技での８バイトの停止許可フラグ（条件装置番号７９に対応する、０１Ｈ，００Ｈ，０１Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７３８】
左データの図柄番号９、中データの図柄番号９，１５，１７、右データの図柄番号１０に対応する新規作成時の引込み検索データは、一般遊技中の条件装置番号９のときは１０Ｈであるのに対して、ＭＢ内部当選中の条件装置番号７９のときは、役物たるＭＢに係る図柄の組合せ「紫セブン２」−「チェリー」−「紫セブン１」を引込対象とすることから２０Ｈとなる。
【０７３９】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号９の左第１停止（１停止）の停止ビットデータのテーブル番号は１９番、検索対象の５コマは、図柄番号４，５，６，７，８となる。
一般遊技中（条件装置番号９）もＭＢ内部当選中（条件装置番号７９）も、
図柄番号４では、左データ１０Ｈ＋テーブル番号１９の優先番号０＝１０Ｈ、
図柄番号５では、左データ１０Ｈ＋テーブル番号１９の優先番号０＝１０Ｈ、
図柄番号６では、左データ１０Ｈ＋テーブル番号１９の優先番号０＝１０Ｈ、
図柄番号７では、左データ４０Ｈ＋テーブル番号１９の優先番号３＝４３Ｈ、
図柄番号８では、左データ１０Ｈ＋テーブル番号１９の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。この停止位置を決定することとなった停止候補得点の算出に用いた優先番号３が保存される。
【０７４０】
１本のリール１Ｌの停止位置が決まった後、引込み検索データについて、停止済となる左データを除き、停止済図柄との関係で対象外となる図柄について、中データと右データの引込データ有４０Ｈは引込データ無１０Ｈに改定され得る。ただし、この例では、ＭＢ内部当選中の２０Ｈは１０Ｈとなる他は、書き換えは生じない。
【０７４１】
第２番目の中リール１Ｃに対する停止操作は、図柄番号４のベルが下段に停止できるタイミングでされたとする。停止制御番号９の左後中第２停止（１２停止）の停止ビットデータのテーブル番号は８番、検索対象の５コマは、図柄番号４，５，６，７，８となる。保存優先番号が３であるため、テーブルに記憶された優先番号についての優先順位の変換はない。
一般遊技中（条件装置番号９）もＭＢ内部当選中（条件装置番号７９）も、
図柄番号４では、中データ１０Ｈ＋テーブル番号８の優先番号０＝１０Ｈ、
図柄番号５では、中データ１０Ｈ＋テーブル番号８の優先番号０＝１０Ｈ、
図柄番号６では、中データ４０Ｈ＋テーブル番号８の優先番号３＝４３Ｈ、
図柄番号７では、中データ１０Ｈ＋テーブル番号８の優先番号０＝１０Ｈ、
図柄番号８では、中データ１０Ｈ＋テーブル番号８の優先番号０＝１０Ｈ
で、図柄番号６の停止候補得点が唯一の最大値となるため、２コマ滑りで図柄番号６のスイカ１を下段に引込んで停止させ、中段に「ベル」を表示させる。
【０７４２】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈが１０Ｈに変わらないが、中段に左「ベル」−中「ベル」が表示されているため、非作動の条件装置に対応する図柄組番号５１の「紫セブン１」と「紫セブン２」とが表示禁止図柄となり、図柄番号１０，１１は００Ｈに書き換えられる。
【０７４３】
第３番目の右リール１Ｒに対する停止操作は、図柄番号４の赤セブンが下段に停止できるタイミングでされたとする。停止制御番号９の左後中後右第３停止（１２３停止）の停止ビットデータのテーブル番号は１１番、検索対象の５コマは、図柄番号４，５，６，７，８となる。保存優先番号が３であるため、テーブルに記憶された優先番号についての優先順位の変換はない。
一般遊技中（条件装置番号９）もＭＢ内部当選中（条件装置番号７９）も、
図柄番号４では、右データ４０Ｈ＋テーブル番号１１の優先番号３＝４３Ｈ、
図柄番号５では、右データ１０Ｈ＋テーブル番号１１の優先番号０＝１０Ｈ、
図柄番号６では、右データ１０Ｈ＋テーブル番号１１の優先番号０＝１０Ｈ、
図柄番号７では、右データ４０Ｈ＋テーブル番号１１の優先番号３＝４３Ｈ、
図柄番号８では、右データ１０Ｈ＋テーブル番号１１の優先番号０＝１０Ｈ
で、図柄番号４と７の停止候補得点が最大値となるが、より少ない滑りコマの０コマ滑りで図柄番号４の赤セブンを下段に即止めさせ、中段に「ベル」を表示させる。
【０７４４】
こうして、一般遊技中又はＭＢ内部当選中に、レアベルに当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号０２の中段ベル、すなわち、「ベル」−「ベル」−「ベル」が表示される。
【０７４５】
例３９；２１３ベル１の１
図７９に示すように、一般遊技中に内部抽選で２１３ベル１に当選した場合、条件装置番号は１０、停止制御番号は１０、停止許可となる図柄の組合せは図柄組番号０２，０４，１４，１５となる。引込み検索データの新規作成時、作動に係る条件装置に対応した当該遊技での８バイトの停止許可フラグ（条件装置番号１０に対応する、００Ｈ，００Ｈ，０１Ｈ，０２Ｈ，１８Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７４６】
ＭＢ内部当選中に内部抽選で２１３ベル１に当選した場合、条件装置番号は８０、停止制御番号は１０、停止許可となる図柄の組合せは図柄組番号０２，０４，１４，１５，０１となる。引込み検索データの新規作成時、作動に係る条件装置に対応した当該遊技での８バイトの停止許可フラグ（条件装置番号８０に対応する、０１Ｈ，００Ｈ，０１Ｈ，０２Ｈ，１８Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７４７】
左データの図柄番号９、中データの図柄番号９，１５，１７、右データの図柄番号１０に対応する新規作成時の引込み検索データは、一般遊技中の条件装置番号１０のときは１０Ｈであるのに対して、ＭＢ内部当選中の条件装置番号８０のときは、役物たるＭＢに係る図柄の組合せ「紫セブン２」−「チェリー」−「紫セブン１」を引込対象とすることから２０Ｈとなる。
【０７４８】
左、中、右の順番、すなわち正解の押し順ではない順押しをするものとし、第１番目の左リール１Ｌに対する停止操作は、図柄番号４のスイカ２が下段（図柄番号６の黒バーは上段）に停止可能なＤＤＴポイントでされたとする。停止制御番号１０の左第１停止（１停止）の停止ビットデータのテーブル番号は５４番、検索対象の５コマは、図柄番号４，５，６，７，８となる。
一般遊技中（条件装置番号１０）もＭＢ内部当選中（条件装置番号８０）も、
図柄番号４では、左データ１０Ｈ＋テーブル番号５４の優先番号０＝１０Ｈ、
図柄番号５では、左データ１０Ｈ＋テーブル番号５４の優先番号０＝１０Ｈ、
図柄番号６では、左データ４０Ｈ＋テーブル番号５４の優先番号１＝４１Ｈ、
図柄番号７では、左データ４０Ｈ＋テーブル番号５４の優先番号０＝４０Ｈ、
図柄番号８では、左データ１０Ｈ＋テーブル番号５４の優先番号０＝１０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号１が保存される。
【０７４９】
１本のリール１Ｌの停止位置が決まった後、引込み検索データについて、停止済となる左データを除き、停止済図柄との関係で対象外となる図柄について、中データと右データの引込データ有４０Ｈは引込データ無１０Ｈに改定される。この例の場合、左リール１Ｌの中段に「リプレイ２」が表示されたため、図柄組番号０４に対する引込データ有４０Ｈは維持されるが、図柄組番号０２，１４，１５に対する引込データ有４０Ｈは改定対象となり、中データについて「紫セブン１」又は「紫セブン２」を中段に表示させる４０Ｈ以外は１０Ｈに書き換えられ、右データについて「赤セブン」又は「チェリー」を中段に表示させる４０Ｈ以外は１０Ｈに書き換えられる。また、ＭＢ内部当選中なら、図柄組番号０１に対する引込データ有２０Ｈも改定対象となり、２０Ｈは１０Ｈに書き換えられる。
【０７５０】
第２番目の中リール１Ｃに対する停止操作は、図柄番号４のベルが下段に停止できるタイミングでされたとする。停止制御番号１０の左後中第２停止（１２停止）の停止ビットデータのテーブル番号は５５番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号１０）もＭＢ内部当選中（条件装置番号８０）も、
図柄番号４では、中データ１０Ｈ＋テーブル番号５５の優先番号０＝１０Ｈ、
図柄番号５では、中データ１０Ｈ＋テーブル番号５５の３に変る２＝１２Ｈ、
図柄番号６では、中データ１０Ｈ＋テーブル番号５５の１に変る３＝１３Ｈ、
図柄番号７では、中データ１０Ｈ＋テーブル番号５５の優先番号０＝１０Ｈ、
図柄番号８では、中データ１０Ｈ＋テーブル番号５５の１に変る３＝１３Ｈ
で、図柄番号６と８の停止候補得点が最大値となるが、より少ない滑りコマの２コマ滑りで図柄番号６のスイカ１を下段に引込んで停止させ、中段に「ベル」を表示させる。
【０７５１】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈはすべて１０Ｈに書き換えられ、中段に左「リプレイ２」−中「ベル」が表示されているため、非作動の条件装置に対応する図柄組番号２０の「リプレイ１」と「リプレイ２」とが表示禁止図柄となり、図柄番号０，５，８，１３，１８は００Ｈに書き換えられる。
【０７５２】
第３番目の右リール１Ｒに対する停止操作は、図柄番号４の赤セブンが下段に停止できるタイミングでされたとする。停止制御番号１０の左後中後右第３停止（１２３停止）の停止ビットデータのテーブル番号は５６番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号１０）もＭＢ内部当選中（条件装置番号８０）も、
図柄番号４では、右データ１０Ｈ＋テーブル番号５６の１に変る３＝１３Ｈ、
図柄番号５では、右データ００Ｈ＋テーブル番号５６の３に変る２＝０２Ｈ、
図柄番号６では、右データ１０Ｈ＋テーブル番号５６の１に変る３＝１３Ｈ、
図柄番号７では、右データ１０Ｈ＋テーブル番号５６の１に変る３＝１３Ｈ、
図柄番号８では、右データ００Ｈ＋テーブル番号５６の３に変る２＝０２Ｈ
で、図柄番号４と６と７の停止候補得点が最大値となるが、より少ない滑りコマの０コマ滑りで図柄番号４の赤セブンを下段に即止めさせ、中段に「ベル」を表示させる。
【０７５３】
こうして、一般遊技中又はＭＢ内部当選中に、２１３ベル１に当選した場合、この例による順序及びタイミングで停止操作をした場合は上記した滑りコマ数に従って各リール１Ｌ，１Ｃ，１Ｒが停止され、有効ラインｍＬに、如何なる入賞にも再遊技にも役物にも該当しない、「リプレイ２」−「ベル」−「ベル」が表示され、取りこぼしとなる。なお、押し順に正解しない限り、「ベル」−「ベル」−「ベル」を有効ラインｍＬに表示させることはできない。２１３ベル２〜８についても同様である。
【０７５４】
例４０；２１３ベル１の２
図８０に示すように、一般遊技中又はＭＢ内部当選中、内部抽選で２１３ベル１に当選した場合、例３９と同様に、引込み検索データが新規に作成される。
【０７５５】
中、左、右の順番、すなわち正解の押し順である２１３停止に係る中押しをするものとし、第１番目の中リール１Ｃに対する停止操作は、図柄番号４のベルが下段に停止できるタイミングでされたとする。停止制御番号１０の中第１停止（２停止）の停止ビットデータのテーブル番号は８番、検索対象の５コマは、図柄番号４，５，６，７，８となる。
一般遊技中（条件装置番号１０）もＭＢ内部当選中（条件装置番号８０）も、
図柄番号４では、中データ１０Ｈ＋テーブル番号８の優先番号０＝１０Ｈ、
図柄番号５では、中データ１０Ｈ＋テーブル番号８の優先番号０＝１０Ｈ、
図柄番号６では、中データ４０Ｈ＋テーブル番号８の優先番号３＝４３Ｈ、
図柄番号７では、中データ１０Ｈ＋テーブル番号８の優先番号０＝１０Ｈ、
図柄番号８では、中データ１０Ｈ＋テーブル番号８の優先番号０＝１０Ｈ
で、図柄番号６の停止候補得点が唯一の最大値となるため、２コマ滑りで図柄番号６のスイカ１を下段に引込んで停止させ、中段に「ベル」を表示させる。この停止位置を決定することとなった停止候補得点の算出に用いた優先番号３が保存される。
【０７５６】
１本のリール１Ｃの停止位置が決まった後、引込み検索データについて、停止済となる中データを除き、停止済図柄との関係で対象外となる図柄について、左データと右データの引込データ有４０Ｈは引込データ無１０Ｈに改定される。この例の場合、中リール１Ｃの中段に「ベル」が表示されたため、図柄組番号０２，１４，１５に対する引込データ有４０Ｈは維持されるが、図柄組番号０４に対する引込データ有４０Ｈは改定対象となり、左データについて「リプレイ１」又は「リプレイ２」を中段に表示させる４０Ｈは１０Ｈに書き換えられる。ただし、右データについての「赤セブン」又は「チェリー」を中段に表示させる４０Ｈは図柄組番号１５により維持される。また、ＭＢ内部当選中なら、図柄組番号０１に対する引込データ有２０Ｈも改定対象となり、２０Ｈは１０Ｈに書き換えられる。
【０７５７】
第２番目の左リール１Ｌに対する停止操作は、図柄番号４のスイカ２が下段に停止できるタイミングでされたとする。停止制御番号１０の中後左第２停止（２１停止）の停止ビットデータのテーブル番号は１９番、検索対象の５コマは、図柄番号４，５，６，７，８となる。保存優先番号が３であるため、テーブルに記憶された優先番号についての優先順位の変換はない。
一般遊技中（条件装置番号１０）もＭＢ内部当選中（条件装置番号８０）も、
図柄番号４では、左データ１０Ｈ＋テーブル番号１９の優先番号０＝１０Ｈ、
図柄番号５では、左データ１０Ｈ＋テーブル番号１９の優先番号０＝１０Ｈ、
図柄番号６では、左データ１０Ｈ＋テーブル番号１９の優先番号０＝１０Ｈ、
図柄番号７では、左データ４０Ｈ＋テーブル番号１９の優先番号３＝４３Ｈ、
図柄番号８では、左データ１０Ｈ＋テーブル番号１９の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。
【０７５８】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、中段に左「ベル」−中「ベル」が表示されているため、ベルを中段に表示させる４０Ｈのみが維持される。また、非作動の条件装置に対応する図柄組番号５１の「紫セブン１」と「紫セブン２」とが表示禁止図柄となり、図柄番号１０，１１は００Ｈに書き換えられる。
【０７５９】
第３番目の右リール１Ｒに対する停止操作は、図柄番号４の赤セブンが下段に停止できるタイミングでされたとする。停止制御番号１０の中後左後右第３停止（２１３停止）の停止ビットデータのテーブル番号は１１番、検索対象の５コマは、図柄番号４，５，６，７，８となる。保存優先番号が３であるため、テーブルに記憶された優先番号についての優先順位の変換はない。
一般遊技中（条件装置番号１０）もＭＢ内部当選中（条件装置番号８０）も、
図柄番号４では、右データ４０Ｈ＋テーブル番号１１の優先番号３＝４３Ｈ、
図柄番号５では、右データ１０Ｈ＋テーブル番号１１の優先番号０＝１０Ｈ、
図柄番号６では、右データ１０Ｈ＋テーブル番号１１の優先番号０＝１０Ｈ、
図柄番号７では、右データ４０Ｈ＋テーブル番号１１の優先番号３＝４３Ｈ、
図柄番号８では、右データ１０Ｈ＋テーブル番号１１の優先番号０＝１０Ｈ
で、図柄番号４と７の停止候補得点が最大値となるが、より少ない滑りコマの０コマ滑りで図柄番号４の赤セブンを下段に即止めさせ、中段に「ベル」を表示させる。
【０７６０】
こうして、一般遊技中又はＭＢ内部当選中に、２１３ベル１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号０２の中段ベル、すなわち、「ベル」−「ベル」−「ベル」が表示される。なお、ベルについて目押しは必要なく、押し順に正解するだけで、「ベル」−「ベル」−「ベル」を有効ラインｍＬに表示できる。２１３ベル２〜８についても同様である。
【０７６１】
例４１；２３１ベル１の１
図８１に示すように、一般遊技中に内部抽選で２３１ベル１に当選した場合、条件装置番号は１８、停止制御番号は１１、停止許可となる図柄の組合せは図柄組番号０２，０４，１２，１５となる。引込み検索データの新規作成時、作動に係る条件装置に対応した当該遊技での８バイトの停止許可フラグ（条件装置番号１８に対応する、００Ｈ，００Ｈ，０１Ｈ，０２Ｈ，１２Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７６２】
ＭＢ内部当選中に内部抽選で２３１ベル１に当選した場合、条件装置番号は８８、停止制御番号は１１、停止許可となる図柄の組合せは図柄組番号０２，０４，１２，１５，０１となる。引込み検索データの新規作成時、作動に係る条件装置に対応した当該遊技での８バイトの停止許可フラグ（条件装置番号８８に対応する、０１Ｈ，００Ｈ，０１Ｈ，０２Ｈ，１２Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７６３】
左データの図柄番号９、中データの図柄番号９，１５，１７、右データの図柄番号１０に対応する新規作成時の引込み検索データは、一般遊技中の条件装置番号１８のときは１０Ｈであるのに対して、ＭＢ内部当選中の条件装置番号８８のときは、役物たるＭＢに係る図柄の組合せ「紫セブン２」−「チェリー」−「紫セブン１」を引込対象とすることから２０Ｈとなる。
【０７６４】
左、中、右の順番、すなわち正解の押し順ではない順押しをするものとし、第１番目の左リール１Ｌに対する停止操作は、図柄番号４のスイカ２が下段（図柄番号６の黒バーは上段）に停止可能なＤＤＴポイントでされたとする。停止制御番号１１の左第１停止（１停止）の停止ビットデータのテーブル番号は５４番、検索対象の５コマは、図柄番号４，５，６，７，８となる。
一般遊技中（条件装置番号１８）もＭＢ内部当選中（条件装置番号８８）も、
図柄番号４では、左データ１０Ｈ＋テーブル番号５４の優先番号０＝１０Ｈ、
図柄番号５では、左データ４０Ｈ＋テーブル番号５４の優先番号０＝４０Ｈ、
図柄番号６では、左データ４０Ｈ＋テーブル番号５４の優先番号１＝４１Ｈ、
図柄番号７では、左データ４０Ｈ＋テーブル番号５４の優先番号０＝４０Ｈ、
図柄番号８では、左データ１０Ｈ＋テーブル番号５４の優先番号０＝１０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号１が保存される。
【０７６５】
１本のリール１Ｌの停止位置が決まった後、引込み検索データについて、停止済となる左データを除き、停止済図柄との関係で対象外となる図柄について、中データと右データの引込データ有４０Ｈは引込データ無１０Ｈに改定される。この例の場合、左リール１Ｌの中段に「リプレイ２」が表示されたため、図柄組番号０４に対する引込データ有４０Ｈは維持されるが、図柄組番号０２，１２，１５に対する引込データ有４０Ｈは改定対象となり、中データについて「紫セブン１」又は「紫セブン２」を中段に表示させる４０Ｈ以外は１０Ｈに書き換えられ、右データについて「赤セブン」又は「チェリー」を中段に表示させる４０Ｈ以外は１０Ｈに書き換えられる。また、ＭＢ内部当選中なら、図柄組番号０１に対する引込データ有２０Ｈも改定対象となり、２０Ｈは１０Ｈに書き換えられる。
【０７６６】
第２番目の中リール１Ｃに対する停止操作は、図柄番号４のベルが下段に停止できるタイミングでされたとする。停止制御番号１１の左後中第２停止（１２停止）の停止ビットデータのテーブル番号は５５番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号１８）もＭＢ内部当選中（条件装置番号８８）も、
図柄番号４では、中データ１０Ｈ＋テーブル番号５５の優先番号０＝１０Ｈ、
図柄番号５では、中データ１０Ｈ＋テーブル番号５５の３に変る２＝１２Ｈ、
図柄番号６では、中データ１０Ｈ＋テーブル番号５５の１に変る３＝１３Ｈ、
図柄番号７では、中データ１０Ｈ＋テーブル番号５５の優先番号０＝１０Ｈ、
図柄番号８では、中データ１０Ｈ＋テーブル番号５５の１に変る３＝１３Ｈ
で、図柄番号６と８の停止候補得点が最大値となるが、より少ない滑りコマの２コマ滑りで図柄番号６のスイカ１を下段に引込んで停止させ、中段に「ベル」を表示させる。
【０７６７】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈはすべて１０Ｈに書き換えられ、中段に左「リプレイ２」−中「ベル」が表示されているため、非作動の条件装置に対応する図柄組番号２０の「リプレイ１」と「リプレイ２」とが表示禁止図柄となり、図柄番号０，５，８，１３，１８は００Ｈに書き換えられる。
【０７６８】
第３番目の右リール１Ｒに対する停止操作は、図柄番号４の赤セブンが下段に停止できるタイミングでされたとする。停止制御番号１１の左後中後右第３停止（１２３停止）の停止ビットデータのテーブル番号は５６番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号１８）もＭＢ内部当選中（条件装置番号８８）も、
図柄番号４では、右データ１０Ｈ＋テーブル番号５６の１に変る３＝１３Ｈ、
図柄番号５では、右データ００Ｈ＋テーブル番号５６の３に変る２＝０２Ｈ、
図柄番号６では、右データ１０Ｈ＋テーブル番号５６の１に変る３＝１３Ｈ、
図柄番号７では、右データ１０Ｈ＋テーブル番号５６の１に変る３＝１３Ｈ、
図柄番号８では、右データ００Ｈ＋テーブル番号５６の３に変る２＝０２Ｈ
で、図柄番号４と６と７の停止候補得点が最大値となるが、より少ない滑りコマの０コマ滑りで図柄番号４の赤セブンを下段に即止めさせ、中段に「ベル」を表示させる。
【０７６９】
こうして、一般遊技中又はＭＢ内部当選中に、２３１ベル１に当選した場合、この例による順序及びタイミングで停止操作をした場合は上記した滑りコマ数に従って各リール１Ｌ，１Ｃ，１Ｒが停止され、有効ラインｍＬに、如何なる入賞にも再遊技にも役物にも該当しない、「リプレイ２」−「ベル」−「ベル」が表示され、取りこぼしとなる。なお、押し順に正解しない限り、「ベル」−「ベル」−「ベル」を有効ラインｍＬに表示させることはできない。２３１ベル２〜１４についても同様である。
【０７７０】
例４２；２３１ベル１の２
図８２に示すように、一般遊技中又はＭＢ内部当選中、内部抽選で２３１ベル１に当選した場合、例４１と同様に、引込み検索データが新規に作成される。
【０７７１】
中、右、左の順番、すなわち正解の押し順である２３１停止に係る中押しをするものとし、第１番目の中リール１Ｃに対する停止操作は、図柄番号４のベルが下段に停止できるタイミングでされたとする。停止制御番号１１の中第１停止（２停止）の停止ビットデータのテーブル番号は８番、検索対象の５コマは、図柄番号４，５，６，７，８となる。
一般遊技中（条件装置番号１８）もＭＢ内部当選中（条件装置番号８８）も、
図柄番号４では、中データ１０Ｈ＋テーブル番号８の優先番号０＝１０Ｈ、
図柄番号５では、中データ１０Ｈ＋テーブル番号８の優先番号０＝１０Ｈ、
図柄番号６では、中データ４０Ｈ＋テーブル番号８の優先番号３＝４３Ｈ、
図柄番号７では、中データ１０Ｈ＋テーブル番号８の優先番号０＝１０Ｈ、
図柄番号８では、中データ１０Ｈ＋テーブル番号８の優先番号０＝１０Ｈ
で、図柄番号６の停止候補得点が唯一の最大値となるため、２コマ滑りで図柄番号６のスイカ１を下段に引込んで停止させ、中段に「ベル」を表示させる。この停止位置を決定することとなった停止候補得点の算出に用いた優先番号３が保存される。
【０７７２】
１本のリール１Ｃの停止位置が決まった後、引込み検索データについて、停止済となる中データを除き、停止済図柄との関係で対象外となる図柄について、左データと右データの引込データ有４０Ｈは引込データ無１０Ｈに改定される。この例の場合、中リール１Ｃの中段に「ベル」が表示されたため、図柄組番号０２，１２，１５に対する引込データ有４０Ｈは維持されるが、図柄組番号０４に対する引込データ有４０Ｈは改定対象となり、左データについて「リプレイ１」又は「リプレイ２」を中段に表示させる４０Ｈは１０Ｈに書き換えられる。ただし、右データについての「赤セブン」又は「チェリー」を中段に表示させる４０Ｈは図柄組番号１５により維持される。また、ＭＢ内部当選中なら、図柄組番号０１に対する引込データ有２０Ｈも改定対象となり、２０Ｈは１０Ｈに書き換えられる。
【０７７３】
第２番目の右リール１Ｒに対する停止操作は、図柄番号４の赤セブンが下段に停止できるタイミングでされたとする。停止制御番号１１の中後右第２停止（２３停止）の停止ビットデータのテーブル番号は１１番、検索対象の５コマは、図柄番号４，５，６，７，８となる。保存優先番号が３であるため、テーブルに記憶された優先番号についての優先順位の変換はない。
一般遊技中（条件装置番号１８）もＭＢ内部当選中（条件装置番号８８）も、
図柄番号４では、右データ４０Ｈ＋テーブル番号１１の優先番号３＝４３Ｈ、
図柄番号５では、右データ１０Ｈ＋テーブル番号１１の優先番号０＝１０Ｈ、
図柄番号６では、右データ４０Ｈ＋テーブル番号１１の優先番号０＝４０Ｈ、
図柄番号７では、右データ４０Ｈ＋テーブル番号１１の優先番号３＝４３Ｈ、
図柄番号８では、右データ１０Ｈ＋テーブル番号１１の優先番号０＝１０Ｈ
で、図柄番号４と７の停止候補得点が最大値となるが、より少ない滑りコマの０コマ滑りで図柄番号４の赤セブンを下段に即止めさせ、中段に「ベル」を表示させる。
【０７７４】
２本のリール１Ｃ，１Ｒの停止位置が決まった後、停止済となる中データ及び右データを除き、左データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、中段に中「ベル」−右「ベル」が表示されているため、ベルを中段に表示させる４０Ｈのみが維持される。また、非作動の条件装置に対応する図柄組番号３６の「紫セブン２」が表示禁止図柄となり、図柄番号９は００Ｈに書き換えられる。
【０７７５】
第３番目の左リール１Ｌに対する停止操作は、図柄番号４のスイカ２が下段に停止できるタイミングでされたとする。停止制御番号１１の中後右後左第３停止（２３１停止）の停止ビットデータのテーブル番号は１９番、検索対象の５コマは、図柄番号４，５，６，７，８となる。保存優先番号が３であるため、テーブルに記憶された優先番号についての優先順位の変換はない。
一般遊技中（条件装置番号１８）もＭＢ内部当選中（条件装置番号８８）も、
図柄番号４では、左データ１０Ｈ＋テーブル番号１９の優先番号０＝１０Ｈ、
図柄番号５では、左データ１０Ｈ＋テーブル番号１９の優先番号０＝１０Ｈ、
図柄番号６では、左データ１０Ｈ＋テーブル番号１９の優先番号０＝１０Ｈ、
図柄番号７では、左データ４０Ｈ＋テーブル番号１９の優先番号３＝４３Ｈ、
図柄番号８では、左データ１０Ｈ＋テーブル番号１９の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。
【０７７６】
こうして、一般遊技中又はＭＢ内部当選中に、２３１ベル１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号０２の中段ベル、すなわち、「ベル」−「ベル」−「ベル」が表示される。なお、ベルについて目押しは必要なく、押し順に正解するだけで、「ベル」−「ベル」−「ベル」を有効ラインｍＬに表示できる。２３１ベル２〜１４についても同様である。
【０７７７】
例４３；３１２ベル１の１
図８３に示すように、一般遊技中に内部抽選で３１２ベル１に当選した場合、条件装置番号は３２、停止制御番号は１２、停止許可となる図柄の組合せは図柄組番号０２，０４，１８，１９となる。引込み検索データの新規作成時、作動に係る条件装置に対応した当該遊技での８バイトの停止許可フラグ（条件装置番号３２に対応する、００Ｈ，００Ｈ，０１Ｈ，０２Ｈ，８０Ｈ，０１Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７７８】
ＭＢ内部当選中に内部抽選で３１２ベル１に当選した場合、条件装置番号は１０２、停止制御番号は１２、停止許可となる図柄の組合せは図柄組番号０２，０４，１８，１９，０１となる。引込み検索データの新規作成時、作動に係る条件装置に対応した当該遊技での８バイトの停止許可フラグ（条件装置番号１０２に対応する、０１Ｈ，００Ｈ，０１Ｈ，０２Ｈ，８０Ｈ，０１Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７７９】
左データの図柄番号９、中データの図柄番号９，１５，１７、右データの図柄番号１０に対応する新規作成時の引込み検索データは、一般遊技中の条件装置番号３２のときは１０Ｈであるのに対して、ＭＢ内部当選中の条件装置番号１０２のときは、役物たるＭＢに係る図柄の組合せ「紫セブン２」−「チェリー」−「紫セブン１」を引込対象とすることから２０Ｈとなる。
【０７８０】
左、中、右の順番、すなわち正解の押し順ではない順押しをするものとし、第１番目の左リール１Ｌに対する停止操作は、図柄番号４のスイカ２が下段（図柄番号６の黒バーは上段）に停止可能なＤＤＴポイントでされたとする。停止制御番号１２の左第１停止（１停止）の停止ビットデータのテーブル番号は５４番、検索対象の５コマは、図柄番号４，５，６，７，８となる。
一般遊技中（条件装置番号３２）もＭＢ内部当選中（条件装置番号１０２）も、
図柄番号４では、左データ１０Ｈ＋テーブル番号５４の優先番号０＝１０Ｈ、
図柄番号５では、左データ１０Ｈ＋テーブル番号５４の優先番号０＝１０Ｈ、
図柄番号６では、左データ４０Ｈ＋テーブル番号５４の優先番号１＝４１Ｈ、
図柄番号７では、左データ４０Ｈ＋テーブル番号５４の優先番号０＝４０Ｈ、
図柄番号８では、左データ１０Ｈ＋テーブル番号５４の優先番号０＝１０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号１が保存される。
【０７８１】
１本のリール１Ｌの停止位置が決まった後、引込み検索データについて、停止済となる左データを除き、停止済図柄との関係で対象外となる図柄について、中データと右データの引込データ有４０Ｈは引込データ無１０Ｈに改定される。この例の場合、左リール１Ｌの中段に「リプレイ２」が表示されたため、図柄組番号０４に対する引込データ有４０Ｈは維持されるが、図柄組番号０２，１８，１９に対する引込データ有４０Ｈは改定対象となり、中データについて「紫セブン１」又は「紫セブン２」を中段に表示させる４０Ｈ以外は１０Ｈに書き換えられ、右データについて「赤セブン」又は「チェリー」を中段に表示させる４０Ｈ以外は１０Ｈに書き換えられる。また、ＭＢ内部当選中なら、図柄組番号０１に対する引込データ有２０Ｈも改定対象となり、２０Ｈは１０Ｈに書き換えられる。
【０７８２】
第２番目の中リール１Ｃに対する停止操作は、図柄番号４のベルが下段に停止できるタイミングでされたとする。停止制御番号１２の左後中第２停止（１２停止）の停止ビットデータのテーブル番号は５５番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号３２）もＭＢ内部当選中（条件装置番号１０２）も、
図柄番号４では、中データ１０Ｈ＋テーブル番号５５の優先番号０＝１０Ｈ、
図柄番号５では、中データ１０Ｈ＋テーブル番号５５の３に変る２＝１２Ｈ、
図柄番号６では、中データ１０Ｈ＋テーブル番号５５の１に変る３＝１３Ｈ、
図柄番号７では、中データ１０Ｈ＋テーブル番号５５の優先番号０＝１０Ｈ、
図柄番号８では、中データ１０Ｈ＋テーブル番号５５の１に変る３＝１３Ｈ
で、図柄番号６と８の停止候補得点が最大値となるが、より少ない滑りコマの２コマ滑りで図柄番号６のスイカ１を下段に引込んで停止させ、中段に「ベル」を表示させる。
【０７８３】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈはすべて１０Ｈに書き換えられ、中段に左「リプレイ２」−中「ベル」が表示されているため、非作動の条件装置に対応する図柄組番号２０の「リプレイ１」と「リプレイ２」とが表示禁止図柄となり、図柄番号０，５，８，１３，１８は００Ｈに書き換えられる。
【０７８４】
第３番目の右リール１Ｒに対する停止操作は、図柄番号４の赤セブンが下段に停止できるタイミングでされたとする。停止制御番号１２の左後中後右第３停止（１２３停止）の停止ビットデータのテーブル番号は５６番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号３２）もＭＢ内部当選中（条件装置番号１０２）も、
図柄番号４では、右データ１０Ｈ＋テーブル番号５６の１に変る３＝１３Ｈ、
図柄番号５では、右データ００Ｈ＋テーブル番号５６の３に変る２＝０２Ｈ、
図柄番号６では、右データ１０Ｈ＋テーブル番号５６の１に変る３＝１３Ｈ、
図柄番号７では、右データ１０Ｈ＋テーブル番号５６の１に変る３＝１３Ｈ、
図柄番号８では、右データ００Ｈ＋テーブル番号５６の３に変る２＝０２Ｈ
で、図柄番号４と６と７の停止候補得点が最大値となるが、より少ない滑りコマの０コマ滑りで図柄番号４の赤セブンを下段に即止めさせ、中段に「ベル」を表示させる。
【０７８５】
こうして、一般遊技中又はＭＢ内部当選中に、３１２ベル１に当選した場合、この例による順序及びタイミングで停止操作をした場合は上記した滑りコマ数に従って各リール１Ｌ，１Ｃ，１Ｒが停止され、有効ラインｍＬに、如何なる入賞にも再遊技にも役物にも該当しない、「リプレイ２」−「ベル」−「ベル」が表示され、取りこぼしとなる。なお、押し順に正解しない限り、「ベル」−「ベル」−「ベル」を有効ラインｍＬに表示させることはできない。３１２ベル２〜８についても同様である。
【０７８６】
例４４；３１２ベル１の２
図８４に示すように、一般遊技中又はＭＢ内部当選中、内部抽選で３１２ベル１に当選した場合、例４３と同様に、引込み検索データが新規に作成される。
【０７８７】
右、左、中の順番、すなわち正解の押し順である３１２停止に係る逆挟み押しをするものとし、第１番目の右リール１Ｒに対する停止操作は、図柄番号４の赤セブンが下段に停止できるタイミングでされたとする。停止制御番号１２の右第１停止（３停止）の停止ビットデータのテーブル番号は１１番、検索対象の５コマは、図柄番号４，５，６，７，８となる。
一般遊技中（条件装置番号３２）もＭＢ内部当選中（条件装置番号１０２）も、
図柄番号４では、右データ４０Ｈ＋テーブル番号１１の優先番号３＝４３Ｈ、
図柄番号５では、右データ１０Ｈ＋テーブル番号１１の優先番号０＝１０Ｈ、
図柄番号６では、右データ４０Ｈ＋テーブル番号１１の優先番号０＝４０Ｈ、
図柄番号７では、右データ４０Ｈ＋テーブル番号１１の優先番号３＝４３Ｈ、
図柄番号８では、右データ１０Ｈ＋テーブル番号１１の優先番号０＝１０Ｈ
で、図柄番号４と７の停止候補得点が最大値となるが、より少ない滑りコマの０コマ滑りで図柄番号４の赤セブンを下段に即止めさせ、中段に「ベル」を表示させる。この停止位置を決定することとなった停止候補得点の算出に用いた優先番号３が保存される。
【０７８８】
１本のリール１Ｒの停止位置が決まった後、引込み検索データについて、停止済となる右データを除き、停止済図柄との関係で対象外となる図柄について、左データと中データの引込データ有４０Ｈは引込データ無１０Ｈに改定される。この例の場合、右リール１Ｒの中段に「ベル」が表示されたため、図柄組番号０２，１８，１９に対する引込データ有４０Ｈは維持されるが、図柄組番号０４に対する引込データ有４０Ｈは改定対象となり、左データについて「リプレイ１」又は「リプレイ２」を中段に表示させる４０Ｈは１０Ｈに書き換えられる。ただし、中データについての「紫セブン１」又は「紫セブン２」を中段に表示させる４０Ｈは図柄組番号１８により維持される。また、ＭＢ内部当選中なら、図柄組番号０１に対する引込データ有２０Ｈも改定対象となり、２０Ｈは１０Ｈに書き換えられる。
【０７８９】
第２番目の左リール１Ｌに対する停止操作は、図柄番号４のスイカ２が下段に停止できるタイミングでされたとする。停止制御番号１２の右後左第２停止（３１停止）の停止ビットデータのテーブル番号は１９番、検索対象の５コマは、図柄番号４，５，６，７，８となる。保存優先番号が３であるため、テーブルに記憶された優先番号についての優先順位の変換はない。
一般遊技中（条件装置番号３２）もＭＢ内部当選中（条件装置番号１０２）も、
図柄番号４では、左データ１０Ｈ＋テーブル番号１９の優先番号０＝１０Ｈ、
図柄番号５では、左データ１０Ｈ＋テーブル番号１９の優先番号０＝１０Ｈ、
図柄番号６では、左データ１０Ｈ＋テーブル番号１９の優先番号０＝１０Ｈ、
図柄番号７では、左データ４０Ｈ＋テーブル番号１９の優先番号３＝４３Ｈ、
図柄番号８では、左データ１０Ｈ＋テーブル番号１９の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。
【０７９０】
２本のリール１Ｌ，１Ｒの停止位置が決まった後、停止済となる左データ及び右データを除き、中データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、中段に左「ベル」−右「ベル」が表示されているため、ベルを中段に表示させる４０Ｈのみが維持される。また、非作動の条件装置に対応する図柄組番号２４の「スイカ１」と「スイカ２」、図柄組番号５７の「リプレイ１」と「リプレイ２」が表示禁止図柄となり、図柄番号０，２，４，５，７，８，１２，１６，２０は００Ｈに書き換えられる。
【０７９１】
第３番目の中リール１Ｃに対する停止操作は、図柄番号４のベルが下段に停止できるタイミングでされたとする。停止制御番号１２の右後左後中第３停止（３１２停止）の停止ビットデータのテーブル番号は８番、検索対象の５コマは、図柄番号４，５，６，７，８となる。保存優先番号が３であるため、テーブルに記憶された優先番号についての優先順位の変換はない。
一般遊技中（条件装置番号３２）もＭＢ内部当選中（条件装置番号１０２）も、
図柄番号４では、中データ００Ｈ＋テーブル番号８の優先番号０＝００Ｈ、
図柄番号５では、中データ００Ｈ＋テーブル番号８の優先番号０＝００Ｈ、
図柄番号６では、中データ４０Ｈ＋テーブル番号８の優先番号３＝４３Ｈ、
図柄番号７では、中データ００Ｈ＋テーブル番号８の優先番号０＝００Ｈ、
図柄番号８では、中データ００Ｈ＋テーブル番号８の優先番号０＝００Ｈ
で、図柄番号６の停止候補得点が唯一の最大値となるため、２コマ滑りで図柄番号６のスイカ１を下段に引込んで停止させ、中段に「ベル」を表示させる。
【０７９２】
こうして、一般遊技中又はＭＢ内部当選中に、３１２ベル１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号０２の中段ベル、すなわち、「ベル」−「ベル」−「ベル」が表示される。なお、ベルについて目押しは必要なく、押し順に正解するだけで、「ベル」−「ベル」−「ベル」を有効ラインｍＬに表示できる。３１２ベル２〜８についても同様である。
【０７９３】
例４５；３２１ベル１の１
図８５に示すように、一般遊技中に内部抽選で３２１ベル１に当選した場合、条件装置番号は４０、停止制御番号は１３、停止許可となる図柄の組合せは図柄組番号０２，０４，１７，１８となる。引込み検索データの新規作成時、作動に係る条件装置に対応した当該遊技での８バイトの停止許可フラグ（条件装置番号４０に対応する、００Ｈ，００Ｈ，０１Ｈ，０２Ｈ，Ｃ０Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７９４】
ＭＢ内部当選中に内部抽選で３２１ベル１に当選した場合、条件装置番号は１１０、停止制御番号は１３、停止許可となる図柄の組合せは図柄組番号０２，０４，１７，１８，０１となる。引込み検索データの新規作成時、作動に係る条件装置に対応した当該遊技での８バイトの停止許可フラグ（条件装置番号１１０に対応する、０１Ｈ，００Ｈ，０１Ｈ，０２Ｈ，Ｃ０Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０７９５】
左データの図柄番号９、中データの図柄番号９，１５，１７、右データの図柄番号１０に対応する新規作成時の引込み検索データは、一般遊技中の条件装置番号４０のときは１０Ｈであるのに対して、ＭＢ内部当選中の条件装置番号１１０のときは、役物たるＭＢに係る図柄の組合せ「紫セブン２」−「チェリー」−「紫セブン１」を引込対象とすることから２０Ｈとなる。
【０７９６】
左、中、右の順番、すなわち正解の押し順ではない順押しをするものとし、第１番目の左リール１Ｌに対する停止操作は、図柄番号４のスイカ２が下段（図柄番号６の黒バーは上段）に停止可能なＤＤＴポイントでされたとする。停止制御番号１３の左第１停止（１停止）の停止ビットデータのテーブル番号は５４番、検索対象の５コマは、図柄番号４，５，６，７，８となる。
一般遊技中（条件装置番号４０）もＭＢ内部当選中（条件装置番号１１０）も、
図柄番号４では、左データ１０Ｈ＋テーブル番号５４の優先番号０＝１０Ｈ、
図柄番号５では、左データ４０Ｈ＋テーブル番号５４の優先番号０＝４０Ｈ、
図柄番号６では、左データ４０Ｈ＋テーブル番号５４の優先番号１＝４１Ｈ、
図柄番号７では、左データ４０Ｈ＋テーブル番号５４の優先番号０＝４０Ｈ、
図柄番号８では、左データ１０Ｈ＋テーブル番号５４の優先番号０＝１０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号１が保存される。
【０７９７】
１本のリール１Ｌの停止位置が決まった後、引込み検索データについて、停止済となる左データを除き、停止済図柄との関係で対象外となる図柄について、中データと右データの引込データ有４０Ｈは引込データ無１０Ｈに改定される。この例の場合、左リール１Ｌの中段に「リプレイ２」が表示されたため、図柄組番号０４に対する引込データ有４０Ｈは維持されるが、図柄組番号０２，１７，１８に対する引込データ有４０Ｈは改定対象となり、中データについて「紫セブン１」又は「紫セブン２」を中段に表示させる４０Ｈ以外は１０Ｈに書き換えられ、右データについて「赤セブン」又は「チェリー」を中段に表示させる４０Ｈ以外は１０Ｈに書き換えられる。また、ＭＢ内部当選中なら、図柄組番号０１に対する引込データ有２０Ｈも改定対象となり、２０Ｈは１０Ｈに書き換えられる。
【０７９８】
第２番目の中リール１Ｃに対する停止操作は、図柄番号４のベルが下段に停止できるタイミングでされたとする。停止制御番号１３の左後中第２停止（１２停止）の停止ビットデータのテーブル番号は５５番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号４０）もＭＢ内部当選中（条件装置番号１１０）も、
図柄番号４では、中データ１０Ｈ＋テーブル番号５５の優先番号０＝１０Ｈ、
図柄番号５では、中データ１０Ｈ＋テーブル番号５５の３に変る２＝１２Ｈ、
図柄番号６では、中データ１０Ｈ＋テーブル番号５５の１に変る３＝１３Ｈ、
図柄番号７では、中データ１０Ｈ＋テーブル番号５５の優先番号０＝１０Ｈ、
図柄番号８では、中データ１０Ｈ＋テーブル番号５５の１に変る３＝１３Ｈ
で、図柄番号６と８の停止候補得点が最大値となるが、より少ない滑りコマの２コマ滑りで図柄番号６のスイカ１を下段に引込んで停止させ、中段に「ベル」を表示させる。
【０７９９】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈはすべて１０Ｈに書き換えられ、中段に左「リプレイ２」−中「ベル」が表示されているため、非作動の条件装置に対応する図柄組番号２０の「リプレイ１」と「リプレイ２」とが表示禁止図柄となり、図柄番号０，５，８，１３，１８は００Ｈに書き換えられる。
【０８００】
第３番目の右リール１Ｒに対する停止操作は、図柄番号４の赤セブンが下段に停止できるタイミングでされたとする。停止制御番号１３の左後中後右第３停止（１２３停止）の停止ビットデータのテーブル番号は５６番、検索対象の５コマは、図柄番号４，５，６，７，８となる。保存優先番号が１であるため、テーブルに記憶された優先番号１は３に、同３は２に、同２は１に読み替える優先順位の変換がされる。
一般遊技中（条件装置番号４０）もＭＢ内部当選中（条件装置番号１１０）も、
図柄番号４では、右データ１０Ｈ＋テーブル番号５６の１に変る３＝１３Ｈ、
図柄番号５では、右データ００Ｈ＋テーブル番号５６の３に変る２＝０２Ｈ、
図柄番号６では、右データ１０Ｈ＋テーブル番号５６の１に変る３＝１３Ｈ、
図柄番号７では、右データ１０Ｈ＋テーブル番号５６の１に変る３＝１３Ｈ、
図柄番号８では、右データ００Ｈ＋テーブル番号５６の３に変る２＝０２Ｈ
で、図柄番号４と６と７の停止候補得点が最大値となるが、より少ない滑りコマの０コマ滑りで図柄番号４の赤セブンを下段に即止めさせ、中段に「ベル」を表示させる。
【０８０１】
こうして、一般遊技中又はＭＢ内部当選中に、３２１ベル１に当選した場合、この例による順序及びタイミングで停止操作をした場合は上記した滑りコマ数に従って各リール１Ｌ，１Ｃ，１Ｒが停止され、有効ラインｍＬに、如何なる入賞にも再遊技にも役物にも該当しない、「リプレイ２」−「ベル」−「ベル」が表示され、取りこぼしとなる。なお、押し順に正解しない限り、「ベル」−「ベル」−「ベル」を有効ラインｍＬに表示させることはできない。３２１ベル２〜１４についても同様である。
【０８０２】
例４６；３２１ベル１の２
図８６に示すように、一般遊技中又はＭＢ内部当選中、内部抽選で３２１ベル１に当選した場合、例４５と同様に、引込み検索データが新規に作成される。
【０８０３】
右、中、左の順番、すなわち正解の押し順である３２１停止に係る逆押しをするものとし、第１番目の右リール１Ｒに対する停止操作は、図柄番号４の赤セブンが下段に停止できるタイミングでされたとする。停止制御番号１３の右第１停止（３停止）の停止ビットデータのテーブル番号は１１番、検索対象の５コマは、図柄番号４，５，６，７，８となる。
一般遊技中（条件装置番号４０）もＭＢ内部当選中（条件装置番号１１０）も、
図柄番号４では、右データ４０Ｈ＋テーブル番号１１の優先番号３＝４３Ｈ、
図柄番号５では、右データ１０Ｈ＋テーブル番号１１の優先番号０＝１０Ｈ、
図柄番号６では、右データ４０Ｈ＋テーブル番号１１の優先番号０＝４０Ｈ、
図柄番号７では、右データ４０Ｈ＋テーブル番号１１の優先番号３＝４３Ｈ、
図柄番号８では、右データ１０Ｈ＋テーブル番号１１の優先番号０＝１０Ｈ
で、図柄番号４と７の停止候補得点が最大値となるが、より少ない滑りコマの０コマ滑りで図柄番号４の赤セブンを下段に即止めさせ、中段に「ベル」を表示させる。この停止位置を決定することとなった停止候補得点の算出に用いた優先番号３が保存される。
【０８０４】
１本のリール１Ｒの停止位置が決まった後、引込み検索データについて、停止済となる右データを除き、停止済図柄との関係で対象外となる図柄について、左データと中データの引込データ有４０Ｈは引込データ無１０Ｈに改定される。この例の場合、右リール１Ｒの中段に「ベル」が表示されたため、図柄組番号０２，１７，１８に対する引込データ有４０Ｈは維持されるが、図柄組番号０４に対する引込データ有４０Ｈは改定対象となり、左データについて「リプレイ１」又は「リプレイ２」を中段に表示させる４０Ｈは１０Ｈに書き換えられる。ただし、中データについての「紫セブン１」又は「紫セブン２」を中段に表示させる４０Ｈは図柄組番号１８により維持される。また、ＭＢ内部当選中なら、図柄組番号０１に対する引込データ有２０Ｈも改定対象となり、２０Ｈは１０Ｈに書き換えられる。
【０８０５】
第２番目の中リール１Ｃに対する停止操作は、図柄番号４のベルが下段に停止できるタイミングでされたとする。停止制御番号１３の右後中第２停止（３２停止）の停止ビットデータのテーブル番号は８番、検索対象の５コマは、図柄番号４，５，６，７，８となる。保存優先番号が３であるため、テーブルに記憶された優先番号についての優先順位の変換はない。
一般遊技中（条件装置番号４０）もＭＢ内部当選中（条件装置番号１１０）も、
図柄番号４では、中データ１０Ｈ＋テーブル番号８の優先番号０＝１０Ｈ、
図柄番号５では、中データ４０Ｈ＋テーブル番号８の優先番号０＝４０Ｈ、
図柄番号６では、中データ４０Ｈ＋テーブル番号８の優先番号３＝４３Ｈ、
図柄番号７では、中データ１０Ｈ＋テーブル番号８の優先番号０＝１０Ｈ、
図柄番号８では、中データ１０Ｈ＋テーブル番号８の優先番号０＝１０Ｈ
で、図柄番号６の停止候補得点が唯一の最大値となるため、２コマ滑りで図柄番号６のスイカ１を下段に引込んで停止させ、中段に「ベル」を表示させる。
【０８０６】
２本のリール１Ｃ，１Ｒの停止位置が決まった後、停止済となる中データ及び右データを除き、左データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、中段に中「ベル」−右「ベル」が表示されているため、ベルを中段に表示させる４０Ｈのみが維持される。また、非作動の条件装置に対応する図柄組番号３６の「紫セブン２」が表示禁止図柄となり、図柄番号９は００Ｈに書き換えられる。
【０８０７】
第３番目の左リール１Ｌに対する停止操作は、図柄番号４のスイカ２が下段に停止できるタイミングでされたとする。停止制御番号１３の右後中後左第３停止（３２１停止）の停止ビットデータのテーブル番号は１９番、検索対象の５コマは、図柄番号４，５，６，７，８となる。保存優先番号が３であるため、テーブルに記憶された優先番号についての優先順位の変換はない。
一般遊技中（条件装置番号４０）もＭＢ内部当選中（条件装置番号１１０）も、
図柄番号４では、左データ１０Ｈ＋テーブル番号１９の優先番号０＝１０Ｈ、
図柄番号５では、左データ１０Ｈ＋テーブル番号１９の優先番号０＝１０Ｈ、
図柄番号６では、左データ１０Ｈ＋テーブル番号１９の優先番号０＝１０Ｈ、
図柄番号７では、左データ４０Ｈ＋テーブル番号１９の優先番号３＝４３Ｈ、
図柄番号８では、左データ１０Ｈ＋テーブル番号１９の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。
【０８０８】
こうして、一般遊技中又はＭＢ内部当選中に、３２１ベル１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号０２の中段ベル、すなわち、「ベル」−「ベル」−「ベル」が表示される。なお、ベルについて目押しは必要なく、押し順に正解するだけで、「ベル」−「ベル」−「ベル」を有効ラインｍＬに表示できる。３２１ベル２〜１４についても同様である。
【０８０９】
例４７；１枚ベル
図８７に示すように、一般遊技中に内部抽選で１枚ベルに当選した場合、条件装置番号は５４、停止制御番号は１４、停止許可となる図柄の組合せは図柄組番号０３，０４，０５，０６，０７，０８，０９，１０，１１，２０，２１となる。引込み検索データの新規作成時、作動に係る条件装置に対応した当該遊技での８バイトの停止許可フラグ（条件装置番号５４に対応する、００Ｈ，００Ｈ，０２Ｈ，ＦＦＨ，０１Ｈ，０２Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８１０】
ＭＢ内部当選中に内部抽選で１枚ベルに当選した場合、条件装置番号は１２４、停止制御番号は１４、停止許可となる図柄の組合せは図柄組番号０３，０４，０５，０６，０７，０８，０９，１０，１１，２０，２１，０１となる。引込み検索データの新規作成時、作動に係る条件装置に対応した当該遊技での８バイトの停止許可フラグ（条件装置番号１２４に対応する、０１Ｈ，００Ｈ，０２Ｈ，ＦＦＨ，０１Ｈ，０２Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８１１】
左データの図柄番号９、右データの図柄番号１０に対応する新規作成時の引込み検索データは、一般遊技中の条件装置番号５４のときは１０Ｈであるのに対して、ＭＢ内部当選中の条件装置番号１２４のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号５４のときは４０Ｈであるのに対して、ＭＢ内部当選中の条件装置番号１２４のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０８１２】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号１４の左第１停止（１停止）の停止ビットデータのテーブル番号は２９番、検索対象の５コマは、図柄番号４，５，６，７，８となる。
一般遊技中（条件装置番号５４）もＭＢ内部当選中（条件装置番号１２４）も、
図柄番号４では、左データ１０Ｈ＋テーブル番号２９の優先番号０＝１０Ｈ、
図柄番号５では、左データ１０Ｈ＋テーブル番号２９の優先番号０＝１０Ｈ、
図柄番号６では、左データ４０Ｈ＋テーブル番号２９の優先番号３＝４３Ｈ、
図柄番号７では、左データ１０Ｈ＋テーブル番号２９の優先番号０＝１０Ｈ、
図柄番号８では、左データ４０Ｈ＋テーブル番号２９の優先番号０＝４０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号３が保存される。
【０８１３】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「リプレイ２」が表示されたため、図柄組番号２１（ＭＢ内部当選中は図柄組番号０１も）に対する引込データ有は改定され、中データについて、「リプレイ１」又は「リプレイ２」又は「チェリー」を中段に表示させる４０Ｈ又は６０Ｈは１０Ｈに書き換えられる。右データについては、ＭＢ内部当選中の２０Ｈは１０Ｈに書き換えられるが、他の４０Ｈは１０Ｈに書き換えられない。
【０８１４】
第２番目の中リール１Ｃに対する停止操作は、図柄番号４のベルが下段に停止できるタイミングでされたとする。停止制御番号１４の左後中第２停止（１２停止）の停止ビットデータのテーブル番号は８番、検索対象の５コマは、図柄番号４，５，６，７，８となる。保存優先番号が３であるため、テーブルに記憶された優先番号についての優先順位の変換はない。
一般遊技中（条件装置番号５４）もＭＢ内部当選中（条件装置番号１２４）も、
図柄番号４では、中データ１０Ｈ＋テーブル番号８の優先番号０＝１０Ｈ、
図柄番号５では、中データ４０Ｈ＋テーブル番号８の優先番号０＝４０Ｈ、
図柄番号６では、中データ４０Ｈ＋テーブル番号８の優先番号３＝４３Ｈ、
図柄番号７では、中データ１０Ｈ＋テーブル番号８の優先番号０＝１０Ｈ、
図柄番号８では、中データ１０Ｈ＋テーブル番号８の優先番号０＝１０Ｈ
で、図柄番号６の停止候補得点が唯一の最大値となるため、２コマ滑りで図柄番号６のスイカ１を下段に引込んで停止させ、中段に「ベル」を表示させる。
【０８１５】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、中段に左「リプレイ２」−中「ベル」が表示されているため、左データについて「リプレイ１」又は「リプレイ２」を中段に表示させる４０Ｈ以外は１０Ｈに書き換えられる。ただし、非作動の条件装置に対応する表示禁止図柄はなく、００Ｈへの書き換えは生じない。
【０８１６】
第３番目の右リール１Ｒに対する停止操作は、図柄番号４の赤セブンが下段に停止できるタイミングでされたとする。停止制御番号１４の左後中後右第３停止（１２３停止）の停止ビットデータのテーブル番号は１５番、検索対象の５コマは、図柄番号４，５，６，７，８となる。保存優先番号が３であるため、テーブルに記憶された優先番号についての優先順位の変換はない。
一般遊技中（条件装置番号５４）もＭＢ内部当選中（条件装置番号１２４）も、
図柄番号４では、右データ１０Ｈ＋テーブル番号１５の優先番号０＝１０Ｈ、
図柄番号５では、右データ４０Ｈ＋テーブル番号１５の優先番号３＝４３Ｈ、
図柄番号６では、右データ１０Ｈ＋テーブル番号１５の優先番号０＝１０Ｈ、
図柄番号７では、右データ１０Ｈ＋テーブル番号１５の優先番号０＝１０Ｈ、
図柄番号８では、右データ４０Ｈ＋テーブル番号１５の優先番号３＝４３Ｈ
で、図柄番号５と８の停止候補得点が最大値となるが、より少ない滑りコマの１コマ滑りで図柄番号５のベルを下段に引込んで停止させ、中段に「リプレイ２」を表示させる。
【０８１７】
こうして、一般遊技中又はＭＢ内部当選中に、１枚ベルに当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号２０の右下がりベル、すなわち、「リプレイ２」−「ベル」−「リプレイ２」が表示される。
【０８１８】
例４８；弱スイカ
図８８に示すように、一般遊技中に内部抽選で弱スイカに当選した場合、条件装置番号は５５、停止制御番号は１５、停止許可となる図柄の組合せは図柄組番号２１，２３，２５となる。引込み検索データの新規作成時、作動に係る条件装置に対応した当該遊技での８バイトの停止許可フラグ（条件装置番号５５に対応する、００Ｈ，００Ｈ，２ＡＨ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８１９】
ＭＢ内部当選中に内部抽選で弱スイカに当選した場合、条件装置番号は１２５、停止制御番号は１５、停止許可となる図柄の組合せは図柄組番号２１，２３，２５，０１となる。引込み検索データの新規作成時、作動に係る条件装置に対応した当該遊技での８バイトの停止許可フラグ（条件装置番号１２５に対応する、０１Ｈ，００Ｈ，２ＡＨ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８２０】
左データの図柄番号９、右データの図柄番号１０に対応する新規作成時の引込み検索データは、一般遊技中の条件装置番号５５のときは１０Ｈであるのに対して、ＭＢ内部当選中の条件装置番号１２５のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号５５のときは４０Ｈであるのに対して、ＭＢ内部当選中の条件装置番号１２５のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０８２１】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号１５の左第１停止（１停止）の停止ビットデータのテーブル番号は１６番、検索対象の５コマは、図柄番号４，５，６，７，８となる。
一般遊技中（条件装置番号５５）もＭＢ内部当選中（条件装置番号１２５）も、
図柄番号４では、左データ１０Ｈ＋テーブル番号１６の優先番号０＝１０Ｈ、
図柄番号５では、左データ１０Ｈ＋テーブル番号１６の優先番号０＝１０Ｈ、
図柄番号６では、左データ１０Ｈ＋テーブル番号１６の優先番号０＝１０Ｈ、
図柄番号７では、左データ４０Ｈ＋テーブル番号１６の優先番号２＝４２Ｈ、
図柄番号８では、左データ４０Ｈ＋テーブル番号１６の優先番号０＝４０Ｈ
で、図柄番号７の停止候補得点が唯一の最大値となるため、３コマ滑りで図柄番号７のリプレイ２を下段に引込んで停止させ、中段に「ベル」を表示させる。この停止位置を決定することとなった停止候補得点の算出に用いた優先番号２が保存される。
【０８２２】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「ベル」が表示されたため、図柄組番号２３以外の引込データ有は改定され、中データについて「赤セブン」又は「リプレイ１」を中段に表示させる４０Ｈ以外は１０Ｈに書き換えられ、右データについて「黒バー」又は「リプレイ１」を中段に表示させる４０Ｈ以外は１０Ｈに書き換えられる。
【０８２３】
第２番目の中リール１Ｃに対する停止操作は、図柄番号４のベルが下段に停止できるタイミングでされたとする。停止制御番号１５の左後中第２停止（１２停止）の停止ビットデータのテーブル番号は１７番、検索対象の５コマは、図柄番号４，５，６，７，８となる。保存優先番号が２であるため、テーブルに記憶された優先番号２は３に、同３は２に読み替える優先順位の変換がされる。
一般遊技中（条件装置番号５５）もＭＢ内部当選中（条件装置番号１２５）も、
図柄番号４では、中データ４０Ｈ＋テーブル番号１７の２に変る３＝４３Ｈ、
図柄番号５では、中データ１０Ｈ＋テーブル番号１７の優先番号１＝１１Ｈ、
図柄番号６では、中データ１０Ｈ＋テーブル番号１７の優先番号０＝１０Ｈ、
図柄番号７では、中データ４０Ｈ＋テーブル番号１７の２に変る３＝４３Ｈ、
図柄番号８では、中データ１０Ｈ＋テーブル番号１７の優先番号１＝１１Ｈ
で、図柄番号４と７の停止候補得点が最大値となるが、より少ない滑りコマの０コマ滑りで図柄番号４のベルを下段に即止めさせ、中段に「リプレイ１」を表示させる。
【０８２４】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈが１０Ｈに書き換えられないが、中段に左「ベル」−中「リプレイ１」が表示されているため、非作動の条件装置に対応する図柄組番号３７の「スイカ１」と「スイカ２」、図柄組番号４２の「リプレイ２」、図柄組番号５７の「ベル」が表示禁止図柄となり、これらが中段に表示されないように、図柄番号０，２，４，５，７，９，１２，１４，１６，１７，１９，２０は００Ｈに書き換えられる。
【０８２５】
第３番目の右リール１Ｒに対する停止操作は、図柄番号４の赤セブンが下段に停止できるタイミングでされたとする。停止制御番号１５の左後中後右第３停止（１２３停止）の停止ビットデータのテーブル番号は１８番、検索対象の５コマは、図柄番号４，５，６，７，８となる。保存優先番号が２であるため、テーブルに記憶された優先番号２は３に、同３は２に読み替える優先順位の変換がされる。
一般遊技中（条件装置番号５５）もＭＢ内部当選中（条件装置番号１２５）も、
図柄番号４では、右データ００Ｈ＋テーブル番号１８の３に変る２＝０２Ｈ、
図柄番号５では、右データ００Ｈ＋テーブル番号１８の優先番号０＝００Ｈ、
図柄番号６では、右データ１０Ｈ＋テーブル番号１８の３に変る２＝１２Ｈ、
図柄番号７では、右データ００Ｈ＋テーブル番号１８の優先番号０＝００Ｈ、
図柄番号８では、右データ４０Ｈ＋テーブル番号１８の２に変る３＝４３Ｈ
で、図柄番号８の停止候補得点が唯一の最大値となるため、４コマ滑りで図柄番号の８ベルを下段に引込んで停止させ、中段に「リプレイ１」を表示させる。
【０８２６】
こうして、一般遊技中又はＭＢ内部当選中に、弱スイカに当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号２３の上段スイカ、すなわち、「ベル」−「リプレイ１」−「リプレイ１」が表示される。
【０８２７】
例４９；強スイカ１
図８９に示すように、一般遊技中に内部抽選で強スイカ１に当選した場合、条件装置番号は５６、停止制御番号は１６、停止許可となる図柄の組合せは図柄組番号２４，２５，３９となる。引込み検索データの新規作成時、作動に係る条件装置に対応した当該遊技での８バイトの停止許可フラグ（条件装置番号５６に対応する、００Ｈ，００Ｈ，３０Ｈ，００Ｈ，００Ｈ，００Ｈ，８０Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８２８】
ＭＢ内部当選中に内部抽選で強スイカ１に当選した場合、条件装置番号は１２６、停止制御番号は１６、停止許可となる図柄の組合せは図柄組番号２４，２５，３９，０１となる。引込み検索データの新規作成時、作動に係る条件装置に対応した当該遊技での８バイトの停止許可フラグ（条件装置番号１２６に対応する、０１Ｈ，００Ｈ，３０Ｈ，００Ｈ，００Ｈ，００Ｈ，８０Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８２９】
左データの図柄番号９、中データの図柄番号９，１５，１７に対応する新規作成時の引込み検索データは、一般遊技中の条件装置番号５６のときは１０Ｈであるのに対して、ＭＢ内部当選中の条件装置番号１２６のときは、役物たるＭＢに係る図柄の組合せのうち左リール１Ｌについての「紫セブン２」と中リール１Ｃについての「チェリー」を引込対象とすることから２０Ｈとなる。また、右データの図柄番号１０に対応する新規作成時の引込み検索データは、一般遊技中の条件装置番号５６のときは４０Ｈであるのに対して、ＭＢ内部当選中の条件装置番号１２６のときは、役物たるＭＢに係る図柄の組合せのうち右リール１Ｒについての「紫セブン１」を引込対象とすることから、入賞についての４０Ｈに役物についての２０Ｈを加算した６０Ｈとなる。
【０８３０】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号１６の左第１停止（１停止）の停止ビットデータのテーブル番号は１６番、検索対象の５コマは、図柄番号４，５，６，７，８となる。
一般遊技中（条件装置番号５６）もＭＢ内部当選中（条件装置番号１２６）も、
図柄番号４では、左データ１０Ｈ＋テーブル番号１６の優先番号０＝１０Ｈ、
図柄番号５では、左データ１０Ｈ＋テーブル番号１６の優先番号０＝１０Ｈ、
図柄番号６では、左データ４０Ｈ＋テーブル番号１６の優先番号０＝４０Ｈ、
図柄番号７では、左データ４０Ｈ＋テーブル番号１６の優先番号２＝４２Ｈ、
図柄番号８では、左データ１０Ｈ＋テーブル番号１６の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。この停止位置を決定することとなった停止候補得点の算出に用いた優先番号２が保存される。
【０８３１】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「ベル」が表示されたため、図柄組番号２４以外の引込データ有は改定され、中データについて「スイカ１」又は「スイカ２」を中段に表示させる４０Ｈ以外は１０Ｈに書き換えられ、右データについては、ＭＢ内部当選中の６０Ｈは４０Ｈに書きえられる他は、他の４０Ｈは維持される。
【０８３２】
第２番目の中リール１Ｃに対する停止操作は、図柄番号４のベルが下段に停止できるタイミングでされたとする。停止制御番号１６の左後中第２停止（１２停止）の停止ビットデータのテーブル番号は２０番、検索対象の５コマは、図柄番号４，５，６，７，８となる。保存優先番号が２であるため、テーブルに記憶された優先番号２は３に、同３は２に読み替える優先順位の変換がされる。
一般遊技中（条件装置番号５６）もＭＢ内部当選中（条件装置番号１２６）も、
図柄番号４では、中データ１０Ｈ＋テーブル番号２０の優先番号０＝１０Ｈ、
図柄番号５では、中データ４０Ｈ＋テーブル番号２０の２に変る３＝４３Ｈ、
図柄番号６では、中データ１０Ｈ＋テーブル番号２０の優先番号０＝１０Ｈ、
図柄番号７では、中データ１０Ｈ＋テーブル番号２０の優先番号０＝１０Ｈ、
図柄番号８では、中データ４０Ｈ＋テーブル番号２０の２に変る３＝４３Ｈ
で、図柄番号５と８の停止候補得点が最大値となるが、より少ない滑りコマの１コマ滑りで図柄番号５のリプレイ１を下段に引込んで停止させ、中段に「スイカ１」を表示させる。
【０８３３】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈが１０Ｈに書き換えられないと共に、非作動の条件装置に対応する表示禁止図柄もなく、００Ｈへの書き換えも生じない。
【０８３４】
第３番目の右リール１Ｒに対する停止操作は、図柄番号１のリプレイ２が下段に停止できるタイミングでされたとする。停止制御番号１６の左後中後右第３停止（１２３停止）の停止ビットデータのテーブル番号は２１番、検索対象の５コマは、図柄番号１，２，３，４，５となる。保存優先番号が２であるため、テーブルに記憶された優先番号２は３に、同３は２に読み替える優先順位の変換がされる。
一般遊技中（条件装置番号５６）もＭＢ内部当選中（条件装置番号１２６）も、
図柄番号１では、右データ４０Ｈ＋テーブル番号２１の優先番号１＝４１Ｈ、
図柄番号２では、右データ１０Ｈ＋テーブル番号２１の優先番号０＝１０Ｈ、
図柄番号３では、右データ４０Ｈ＋テーブル番号２１の２に変る３＝４３Ｈ、
図柄番号４では、右データ４０Ｈ＋テーブル番号２１の優先番号１＝４１Ｈ、
図柄番号５では、右データ１０Ｈ＋テーブル番号２１の優先番号０＝１０Ｈ
で、図柄番号３の停止候補得点が唯一の最大値となるため、２コマ滑りで図柄番号３のスイカ２を下段に引込んで停止させ、中段に「赤セブン」を表示させる。
【０８３５】
こうして、一般遊技中又はＭＢ内部当選中に、強スイカ１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号２４の右下がりスイカ、すなわち、「ベル」−「スイカ１」−「赤セブン」が表示される。
【０８３６】
例５０；強スイカ２
図９０に示すように、一般遊技中に内部抽選で強スイカ２に当選した場合、条件装置番号は５７、停止制御番号は１７、停止許可となる図柄の組合せは図柄組番号２２，２４，２５，３９となる。引込み検索データの新規作成時、作動に係る条件装置に対応した当該遊技での８バイトの停止許可フラグ（条件装置番号５７に対応する、００Ｈ，００Ｈ，３４Ｈ，００Ｈ，００Ｈ，００Ｈ，８０Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８３７】
ＭＢ内部当選中に内部抽選で強スイカ２に当選した場合、条件装置番号は１２７、停止制御番号は１７、停止許可となる図柄の組合せは図柄組番号２２，２４，２５，３９，０１となる。引込み検索データの新規作成時、作動に係る条件装置に対応した当該遊技での８バイトの停止許可フラグ（条件装置番号１２７に対応する、０１Ｈ，００Ｈ，３４Ｈ，００Ｈ，００Ｈ，００Ｈ，８０Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８３８】
左データの図柄番号９、中データの図柄番号９，１５，１７に対応する新規作成時の引込み検索データは、一般遊技中の条件装置番号５７のときは１０Ｈであるのに対して、ＭＢ内部当選中の条件装置番号１２７のときは、役物たるＭＢに係る図柄の組合せのうち左リール１Ｌについての「紫セブン２」と中リール１Ｃについての「チェリー」を引込対象とすることから２０Ｈとなる。また、右データの図柄番号１０に対応する新規作成時の引込み検索データは、一般遊技中の条件装置番号５７のときは４０Ｈであるのに対して、ＭＢ内部当選中の条件装置番号１２７のときは、役物たるＭＢに係る図柄の組合せのうち右リール１Ｒについての「紫セブン１」を引込対象とすることから、入賞についての４０Ｈに役物についての２０Ｈを加算した６０Ｈとなる。
【０８３９】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号１７の左第１停止（１停止）の停止ビットデータのテーブル番号は３７番、検索対象の５コマは、図柄番号４，５，６，７，８となる。
一般遊技中（条件装置番号５７）もＭＢ内部当選中（条件装置番号１２７）も、
図柄番号４では、左データ１０Ｈ＋テーブル番号３７の優先番号０＝１０Ｈ、
図柄番号５では、左データ１０Ｈ＋テーブル番号３７の優先番号０＝１０Ｈ、
図柄番号６では、左データ４０Ｈ＋テーブル番号３７の優先番号０＝４０Ｈ、
図柄番号７では、左データ４０Ｈ＋テーブル番号３７の優先番号２＝４２Ｈ、
図柄番号８では、左データ４０Ｈ＋テーブル番号３７の優先番号３＝４３Ｈ
で、図柄番号８の停止候補得点が唯一の最大値となるため、４コマ滑りで図柄番号８のベルを下段に引込んで停止させ、中段に「スイカ２」を表示させる。この停止位置を決定することとなった停止候補得点の算出に用いた優先番号３が保存される。
【０８４０】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「スイカ２」が表示されたため、図柄組番号２２以外の引込データ有は改定され、中データ及び右データについて「スイカ１」又は「スイカ２」を中段に表示させる４０Ｈ以外は１０Ｈに書き換えられる。
【０８４１】
第２番目の中リール１Ｃに対する停止操作は、図柄番号４のベルが下段に停止できるタイミングでされたとする。停止制御番号１７の左後中第２停止（１２停止）の停止ビットデータのテーブル番号は３８番、検索対象の５コマは、図柄番号４，５，６，７，８となる。保存優先番号が３であるため、テーブルに記憶された優先番号についての優先順位の変換はない。
一般遊技中（条件装置番号５７）もＭＢ内部当選中（条件装置番号１２７）も、
図柄番号４では、中データ１０Ｈ＋テーブル番号３８の優先番号０＝１０Ｈ、
図柄番号５では、中データ４０Ｈ＋テーブル番号３８の優先番号３＝４３Ｈ、
図柄番号６では、中データ１０Ｈ＋テーブル番号３８の優先番号０＝１０Ｈ、
図柄番号７では、中データ１０Ｈ＋テーブル番号３８の優先番号０＝１０Ｈ、
図柄番号８では、中データ４０Ｈ＋テーブル番号３８の優先番号３＝４３Ｈ
で、図柄番号５と８の停止候補得点が最大値となるが、より少ない滑りコマの１コマ滑りで図柄番号５のリプレイ１を下段に引込んで停止させ、中段に「スイカ１」を表示させる。
【０８４２】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈが１０Ｈに書き換えられないが、中段に左「スイカ２」−中「スイカ１」が表示されているため、非作動の条件装置に対応する図柄組番号３４の「ベル」と「リプレイ１」と「リプレイ２」が表示禁止図柄となり、これらが中段に表示されないように、図柄番号０，４，５，７，８，１２，１３，１７，１８，２０は００Ｈに書き換えられる。
【０８４３】
第３番目の右リール１Ｒに対する停止操作は、図柄番号１のリプレイ２が下段に停止できるタイミングでされたとする。停止制御番号１７の左後中後右第３停止（１２３停止）の停止ビットデータのテーブル番号は３９番、検索対象の５コマは、図柄番号１，２，３，４，５となる。保存優先番号が３であるため、テーブルに記憶された優先番号についての優先順位の変換はない。
一般遊技中（条件装置番号５７）もＭＢ内部当選中（条件装置番号１２７）も、
図柄番号１では、右データ１０Ｈ＋テーブル番号３９の優先番号１＝１１Ｈ、
図柄番号２では、右データ４０Ｈ＋テーブル番号３９の優先番号３＝４３Ｈ、
図柄番号３では、右データ１０Ｈ＋テーブル番号３９の優先番号２＝１２Ｈ、
図柄番号４では、右データ００Ｈ＋テーブル番号３９の優先番号１＝０１Ｈ、
図柄番号５では、右データ００Ｈ＋テーブル番号３９の優先番号０＝００Ｈ
で、図柄番号２の停止候補得点が唯一の最大値となるため、１コマ滑りで図柄番号２の黒バーを下段に引込んで停止させ、中段に「スイカ２」を表示させる。
【０８４４】
こうして、一般遊技中又はＭＢ内部当選中に、強スイカ２に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号２２の中段スイカ、すなわち、「スイカ２」−「スイカ１」−「スイカ２」が表示される。
【０８４５】
例５１；弱チェ
図９１に示すように、一般遊技中に内部抽選で弱チェに当選した場合、条件装置番号は５８、停止制御番号は１８、停止許可となる図柄の組合せは図柄組番号１６，１７，２７，３３，３４，３９，４０となる。引込み検索データの新規作成時、作動に係る条件装置に対応した当該遊技での８バイトの停止許可フラグ（条件装置番号５８に対応する、００Ｈ，００Ｈ，００Ｈ，００Ｈ，６０Ｈ，０８Ｈ，８６Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８４６】
ＭＢ内部当選中に内部抽選で弱チェに当選した場合、条件装置番号は１２８、停止制御番号は１８、停止許可となる図柄の組合せは図柄組番号１６，１７，２７，３３，３４，３９，４０，０１となる。引込み検索データの新規作成時、作動に係る条件装置に対応した当該遊技での８バイトの停止許可フラグ（条件装置番号１２８に対応する、０１Ｈ，００Ｈ，００Ｈ，００Ｈ，６０Ｈ，０８Ｈ，８６Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８４７】
左データの図柄番号９、右データの図柄番号１０に対応する新規作成時の引込み検索データは、一般遊技中の条件装置番号５８のときは１０Ｈであるのに対して、ＭＢ内部当選中の条件装置番号１２８のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号５８のときは４０Ｈであるのに対して、ＭＢ内部当選中の条件装置番号１２８のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０８４８】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号１８の左第１停止（１停止）の停止ビットデータのテーブル番号は４１番、検索対象の５コマは、図柄番号４，５，６，７，８となる。
一般遊技中（条件装置番号５８）もＭＢ内部当選中（条件装置番号１２８）も、
図柄番号４では、左データ１０Ｈ＋テーブル番号４１の優先番号０＝１０Ｈ、
図柄番号５では、左データ４０Ｈ＋テーブル番号４１の優先番号３＝４３Ｈ、
図柄番号６では、左データ４０Ｈ＋テーブル番号４１の優先番号１＝４１Ｈ、
図柄番号７では、左データ１０Ｈ＋テーブル番号４１の優先番号０＝１０Ｈ、
図柄番号８では、左データ４０Ｈ＋テーブル番号４１の優先番号０＝４０Ｈ
で、図柄番号５の停止候補得点が唯一の最大値となるため、１コマ滑りで図柄番号５のチェリーを下段に引込んで停止させ、中段に「黒バー」を表示させる。この停止位置を決定することとなった停止候補得点の算出に用いた優先番号３が保存される。
【０８４９】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「黒バー」が表示されたため、図柄組番号１６，１７，２７以外の引込データ有は改定され、中データについては「リプレイ２」を中段に表示させる４０Ｈは１０Ｈに書き換えられ、ＭＢ内部当選中なら図柄番号９，１５，１７の６０Ｈは４０Ｈに書き換えられ、右データについては「ベル」を中段に表示させる４０Ｈ以外は１０Ｈに書き換えられる。
【０８５０】
第２番目の中リール１Ｃに対する停止操作は、図柄番号１７のリプレイ２が下段に停止できるタイミングでされたとする。停止制御番号１８の左後中第２停止（１２停止）の停止ビットデータのテーブル番号は４２番、検索対象の５コマは、図柄番号１７，１８，１９，２０，０となる。保存優先番号が３であるため、テーブルに記憶された優先番号についての優先順位の変換はない。
一般遊技中（条件装置番号５８）もＭＢ内部当選中（条件装置番号１２８）も、
図柄番号１７では、中データ４０Ｈ＋テーブル番号４２の優先番号３＝４３Ｈ、
図柄番号１８では、中データ４０Ｈ＋テーブル番号４２の優先番号２＝４２Ｈ、
図柄番号１９では、中データ１０Ｈ＋テーブル番号４２の優先番号０＝１０Ｈ、
図柄番号２０では、中データ１０Ｈ＋テーブル番号４２の優先番号０＝１０Ｈ、
図柄番号０では、中データ４０Ｈ＋テーブル番号４２の優先番号３＝４３Ｈ
で、図柄番号１７と０の停止候補得点が最大値となるが、より少ない滑りコマの０コマ滑りで図柄番号１７のリプレイ２を下段に即止めさせ、中段に「チェリー」を表示させる。
【０８５１】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈが１０Ｈに書き換えられないが、中段に左「黒バー」−中「チェリー」が表示されているため、非作動の条件装置に対応する図柄組番号２８の「リプレイ１」と「リプレイ２」と「黒バー」、図柄組番号２９の「紫セブン２」と「スイカ１」が表示禁止図柄となり、これらが中段に表示されないように、図柄番号０，１，５，８，１１，１３，１５，１６，１８，１９は００Ｈに書き換えられる。
【０８５２】
第３番目の右リール１Ｒに対する停止操作は、図柄番号１３のベルが下段に停止できるタイミングでされたとする。停止制御番号１８の左後中後右第３停止（１２３停止）の停止ビットデータのテーブル番号は４３番、検索対象の５コマは、図柄番号１３，１４，１５，１６，１７となる。保存優先番号が３であるため、テーブルに記憶された優先番号についての優先順位の変換はない。
一般遊技中（条件装置番号５８）もＭＢ内部当選中（条件装置番号１２８）も、
図柄番号１３では、右データ００Ｈ＋テーブル番号４３の優先番号２＝０２Ｈ、
図柄番号１４では、右データ１０Ｈ＋テーブル番号４３の優先番号０＝１０Ｈ、
図柄番号１５では、右データ００Ｈ＋テーブル番号４３の優先番号０＝００Ｈ、
図柄番号１６では、右データ００Ｈ＋テーブル番号４３の優先番号０＝００Ｈ、
図柄番号１７では、右データ４０Ｈ＋テーブル番号４３の優先番号３＝４３Ｈ
で、図柄番号１７の停止候補得点が唯一の最大値となるため、４コマ滑りで図柄番号１７のスイカ１を下段に引込んで停止させ、中段に「ベル」を表示させる。
【０８５３】
こうして、一般遊技中又はＭＢ内部当選中に、弱チェに当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号２７の弱チェリー、すなわち、「黒バー」−「チェリー」−「ベル」が表示される。
【０８５４】
例５２；強チェ１の１
図９２に示すように、一般遊技中に内部抽選で強チェ１に当選した場合、条件装置番号は５９、停止制御番号は１９、停止許可となる図柄の組合せは図柄組番号１６，１７，１８，１９，２７，２８，２９，３０，３１，３２，３３，３４，３７，３９，４０となる。引込み検索データの新規作成時、作動に係る条件装置に対応した当該遊技での８バイトの停止許可フラグ（条件装置番号５９に対応する、００Ｈ，００Ｈ，００Ｈ，００Ｈ，Ｅ０Ｈ，Ｆ９Ｈ，Ａ７Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８５５】
ＭＢ内部当選中に内部抽選で強チェ１に当選した場合、条件装置番号は１２９、停止制御番号は１９、停止許可となる図柄の組合せは図柄組番号１６，１７，１８，１９，２７，２８，２９，３０，３１，３２，３３，３４，３７，３９，４０，０１となる。引込み検索データの新規作成時、作動に係る条件装置に対応した当該遊技での８バイトの停止許可フラグ（条件装置番号１２９に対応する、０１Ｈ，００Ｈ，００Ｈ，００Ｈ，Ｅ０Ｈ，Ｆ９Ｈ，Ａ７Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８５６】
左データの図柄番号９、右データの図柄番号１０に対応する新規作成時の引込み検索データは、一般遊技中の条件装置番号５９のときは１０Ｈであるのに対して、ＭＢ内部当選中の条件装置番号１２９のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号５９のときは４０Ｈであるのに対して、ＭＢ内部当選中の条件装置番号１２９のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０８５７】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号１９の左第１停止（１停止）の停止ビットデータのテーブル番号は２番、検索対象の５コマは、図柄番号４，５，６，７，８となる。
一般遊技中（条件装置番号５９）もＭＢ内部当選中（条件装置番号１２９）も、
図柄番号４では、左データ１０Ｈ＋テーブル番号２の優先番号０＝１０Ｈ、
図柄番号５では、左データ４０Ｈ＋テーブル番号２の優先番号３＝４３Ｈ、
図柄番号６では、左データ４０Ｈ＋テーブル番号２の優先番号０＝４０Ｈ、
図柄番号７では、左データ４０Ｈ＋テーブル番号２の優先番号１＝４１Ｈ、
図柄番号８では、左データ４０Ｈ＋テーブル番号２の優先番号０＝４０Ｈ
で、図柄番号５の停止候補得点が唯一の最大値となるため、１コマ滑りで図柄番号５のチェリーを下段に引込んで停止させ、中段に「黒バー」を表示させる。この停止位置を決定することとなった停止候補得点の算出に用いた優先番号３が保存される。
【０８５８】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「黒バー」が表示されたため、図柄組番号１６，１７，２７〜３２以外の引込データ有は改定され、中データについては「リプレイ１」又は「リプレイ２」を中段に表示させる４０Ｈは１０Ｈに書き換えられ、ＭＢ内部当選中なら図柄番号９，１５，１７の６０Ｈは４０Ｈに書き換えられ、右データについてはＭＢ内部当選中の２０Ｈは１０Ｈに書き換えられるが、他の４０Ｈは維持される。
【０８５９】
第２番目の中リール１Ｃに対する停止操作は、図柄番号１７のリプレイ２が下段に停止できるタイミングでされたとする。停止制御番号１９の左後中第２停止（１２停止）の停止ビットデータのテーブル番号は３番、検索対象の５コマは、図柄番号１７，１８，１９，２０，０となる。保存優先番号が３であるため、テーブルに記憶された優先番号についての優先順位の変換はない。
一般遊技中（条件装置番号５９）もＭＢ内部当選中（条件装置番号１２９）も、
図柄番号１７では、中データ４０Ｈ＋テーブル番号３の優先番号３＝４３Ｈ、
図柄番号１８では、中データ４０Ｈ＋テーブル番号３の優先番号２＝４２Ｈ、
図柄番号１９では、中データ１０Ｈ＋テーブル番号３の優先番号０＝１０Ｈ、
図柄番号２０では、中データ１０Ｈ＋テーブル番号３の優先番号１＝１１Ｈ、
図柄番号０では、中データ４０Ｈ＋テーブル番号３の優先番号３＝４３Ｈ
で、図柄番号１７と０の停止候補得点が最大値となるが、より少ない滑りコマの０コマ滑りで図柄番号１７のリプレイ２を下段に即止めさせ、中段に「チェリー」を表示させる。
【０８６０】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、「スイカ２」を中段に表示させる４０Ｈは１０Ｈに書き換えられるが、非作動の条件装置に対応する表示禁止図柄はなく、００Ｈへの書き換えは生じない。
【０８６１】
第３番目の右リール１Ｒに対する停止操作は、図柄番号１３のベルが下段に停止できるタイミングでされたとする。停止制御番号１９の左後中後右第３停止（１２３停止）の停止ビットデータのテーブル番号は３６番、検索対象の５コマは、図柄番号１３，１４，１５，１６，１７となる。保存優先番号が３であるため、テーブルに記憶された優先番号についての優先順位の変換はない。
一般遊技中（条件装置番号５９）もＭＢ内部当選中（条件装置番号１２９）も、
図柄番号１３では、右データ４０Ｈ＋テーブル番号３６の優先番号０＝４０Ｈ、
図柄番号１４では、右データ１０Ｈ＋テーブル番号３６の優先番号１＝１１Ｈ、
図柄番号１５では、右データ４０Ｈ＋テーブル番号３６の優先番号３＝４３Ｈ、
図柄番号１６では、右データ４０Ｈ＋テーブル番号３６の優先番号１＝４１Ｈ、
図柄番号１７では、右データ４０Ｈ＋テーブル番号３６の優先番号２＝４２Ｈ
で、図柄番号１５の停止候補得点が唯一の最大値となるため、２コマ滑りで図柄番号１５のスイカ２を下段に引込んで停止させ、中段に「黒バー」を表示させる。
【０８６２】
こうして、一般遊技中又はＭＢ内部当選中に、強チェ１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号２８の強チェリー１、すなわち、「黒バー」−「チェリー」−「黒バー」が表示される。
【０８６３】
例５３；強チェ１の２
図９３に示すように、一般遊技中又はＭＢ内部当選中、内部抽選で強チェ１に当選した場合、例５２と同様に、引込み検索データが新規に作成される。
【０８６４】
左、中、右の順番で順押しするものとし、第１番目の左リール１Ｌに対する停止操作は、図柄番号０のベルが下段に停止できるタイミングでされたとする。停止制御番号１９の左第１停止（１停止）の停止ビットデータのテーブル番号は２番、検索対象の５コマは、図柄番号０，１，２，３，４となる。
一般遊技中（条件装置番号５９）もＭＢ内部当選中（条件装置番号１２９）も、
図柄番号０では、左データ４０Ｈ＋テーブル番号２の優先番号０＝４０Ｈ、
図柄番号１では、左データ１０Ｈ＋テーブル番号２の優先番号０＝１０Ｈ、
図柄番号２では、左データ４０Ｈ＋テーブル番号２の優先番号０＝４０Ｈ、
図柄番号３では、左データ４０Ｈ＋テーブル番号２の優先番号２＝４２Ｈ、
図柄番号４では、左データ１０Ｈ＋テーブル番号２の優先番号０＝１０Ｈ
で、図柄番号３の停止候補得点が唯一の最大値となるため、３コマ滑りで図柄番号３のベルを下段に引込んで停止させ、中段に「スイカ２」を表示させる。この停止位置を決定することとなった停止候補得点の算出に用いた優先番号２が保存される。
【０８６５】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「スイカ２」が表示されたため、図柄組番号３４以外の引込データ有は改定され、中データについては「紫セブン１」又は「紫セブン２」又は「黒バー」又は「スイカ１」を中段に表示させる４０Ｈ以外は１０Ｈに書き換えられ、右データについては「ベル」又は「リプレイ１」又は「リプレイ２」を中段に表示させる４０Ｈ以外は１０Ｈに書き換えられる。
【０８６６】
第２番目の中リール１Ｃに対する停止操作は、図柄番号１７のリプレイ２が下段に停止できるタイミングでされたとする。停止制御番号１９の左後中第２停止（１２停止）の停止ビットデータのテーブル番号は３番、検索対象の５コマは、図柄番号１７，１８，１９，２０，０となる。保存優先番号が２であるため、テーブルに記憶された優先番号２は３に、同３は２に読み替える優先順位の変換がされる。
一般遊技中（条件装置番号５９）もＭＢ内部当選中（条件装置番号１２９）も、
図柄番号１７では、中データ１０Ｈ＋テーブル番号３の３に変る２＝１２Ｈ、
図柄番号１８では、中データ４０Ｈ＋テーブル番号３の２に変る３＝４３Ｈ、
図柄番号１９では、中データ１０Ｈ＋テーブル番号３の優先番号０＝１０Ｈ、
図柄番号２０では、中データ１０Ｈ＋テーブル番号３の優先番号１＝１１Ｈ、
図柄番号０では、中データ１０Ｈ＋テーブル番号３の３に変る２＝１２Ｈ
で、図柄番号１８の停止候補得点が唯一の最大値となるため、１コマ滑りで図柄番号１８のチェリーを下段に引込んで停止させ、中段に「黒バー」を表示させる。
【０８６７】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈが１０Ｈに書き換えられないが、中段に左「スイカ２」−中「黒バー」が表示されているため、非作動の条件装置に対応する図柄組番号５４の「黒バー」が表示禁止図柄となり、図柄番号１，１５は００Ｈに書き換えられる。
【０８６８】
第３番目の右リール１Ｒに対する停止操作は、図柄番号１３のベルが下段に停止できるタイミングでされたとする。停止制御番号１９の左後中後右第３停止（１２３停止）の停止ビットデータのテーブル番号は３６番、検索対象の５コマは、図柄番号１３，１４，１５，１６，１７となる。保存優先番号が２であるため、テーブルに記憶された優先番号２は３に、同３は２に読み替える優先順位の変換がされる。
一般遊技中（条件装置番号５９）もＭＢ内部当選中（条件装置番号１２９）も、
図柄番号１３では、右データ４０Ｈ＋テーブル番号３６の優先番号０＝４０Ｈ、
図柄番号１４では、右データ１０Ｈ＋テーブル番号３６の優先番号１＝１１Ｈ、
図柄番号１５では、右データ００Ｈ＋テーブル番号３６の３に変る２＝０２Ｈ、
図柄番号１６では、右データ１０Ｈ＋テーブル番号３６の優先番号１＝１１Ｈ、
図柄番号１７では、右データ４０Ｈ＋テーブル番号３６の２に変る３＝４３Ｈ
で、図柄番号１７の停止候補得点が唯一の最大値となるため、４コマ滑りで図柄番号１７のスイカ１を下段に引込んで停止させ、中段に「ベル」を表示させる。
【０８６９】
こうして、一般遊技中又はＭＢ内部当選中に、強チェ１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号３４の上段チェリー、すなわち、「スイカ２」−「黒バー」−「ベル」が表示される。例５２と例５３のように、第１停止に係る左リール１Ｌの停止タイミング如何で、第２停止及び第３停止のタイミングが全く同じでも、例５２は優先番号３に基づいた停止パターンにより「強チェリー１」となり、例５３は優先番号２に基づいた停止パターンにより「上段チェリー」となる。
【０８７０】
例５４；強チェ１の３
図９４に示すように、一般遊技中又はＭＢ内部当選中、内部抽選で強チェ１に当選した場合、例５２と同様に、引込み検索データが新規に作成される。
【０８７１】
左、中、右の順番で順押しするものとし、第１番目の左リール１Ｌに対する停止操作は、図柄番号６の黒バーが下段に停止できるタイミングでされたとする。停止制御番号１９の左第１停止（１停止）の停止ビットデータのテーブル番号は２番、検索対象の５コマは、図柄番号６，７，８，９，１０となる。
一般遊技中（条件装置番号５９）は、
図柄番号６では、左データ４０Ｈ＋テーブル番号２の優先番号０＝４０Ｈ、
図柄番号７では、左データ４０Ｈ＋テーブル番号２の優先番号１＝４１Ｈ、
図柄番号８では、左データ４０Ｈ＋テーブル番号２の優先番号０＝４０Ｈ、
図柄番号９では、左データ１０Ｈ＋テーブル番号２の優先番号０＝１０Ｈ、
図柄番号１０では、左データ４０Ｈ＋テーブル番号２の優先番号０＝４０Ｈ
で、図柄番号７の停止候補得点が唯一の最大値となるため、１コマ滑りで図柄番号７のリプレイ２を下段に引込んで停止させ、中段に「ベル」を表示させる。この停止位置を決定することとなった停止候補得点の算出に用いた優先番号１が保存される。
【０８７２】
ＭＢ内部当選中（条件装置番号１２９）は、
図柄番号６では、左データ４０Ｈ＋テーブル番号２の優先番号０＝４０Ｈ、
図柄番号７では、左データ４０Ｈ＋テーブル番号２の優先番号１＝４１Ｈ、
図柄番号８では、左データ４０Ｈ＋テーブル番号２の優先番号０＝４０Ｈ、
図柄番号９では、左データ２０Ｈ＋テーブル番号２の優先番号０＝２０Ｈ、
図柄番号１０では、左データ４０Ｈ＋テーブル番号２の優先番号０＝４０Ｈ
で、図柄番号７の停止候補得点が唯一の最大値となるため、１コマ滑りで図柄番号７のリプレイ２を下段に引込んで停止させ、中段に「ベル」を表示させる。この停止位置を決定することとなった停止候補得点の算出に用いた優先番号１が保存される。
【０８７３】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「ベル」が表示されたため、図柄組番号３７以外の引込データ有は改定され、中データについては「赤セブン」又は「リプレイ１」を中段に表示させる４０Ｈ以外は１０Ｈに書き換えられ、右データについては「スイカ１」又は「スイカ２」を中段に表示させる４０Ｈ以外は１０Ｈに書き換えられる。
【０８７４】
第２番目の中リール１Ｃに対する停止操作は、図柄番号１７のリプレイ２が下段に停止できるタイミングでされたとする。停止制御番号１９の左後中第２停止（１２停止）の停止ビットデータのテーブル番号は３番、検索対象の５コマは、図柄番号１７，１８，１９，２０，０となる。保存優先番号が１であるため、テーブルに記憶された優先番号１は３に、同３は２に、同２は１に読み替える優先順位の変換がされる。
一般遊技中（条件装置番号５９）もＭＢ内部当選中（条件装置番号１２９）も、
図柄番号１７では、中データ１０Ｈ＋テーブル番号３の３に変る２＝１２Ｈ、
図柄番号１８では、中データ１０Ｈ＋テーブル番号３の２に変る１＝１１Ｈ、
図柄番号１９では、中データ１０Ｈ＋テーブル番号３の優先番号０＝１０Ｈ、
図柄番号２０では、中データ４０Ｈ＋テーブル番号３の１に変る３＝４３Ｈ、
図柄番号０では、中データ１０Ｈ＋テーブル番号３の３に変る２＝１２Ｈ
で、図柄番号２０の停止候補得点が唯一の最大値となるため、３コマ滑りで図柄番号２０のベルを下段に引込んで停止させ、中段に「リプレイ１」を表示させる。
【０８７５】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈが１０Ｈに書き換えられないが、中段に左「ベル」−中「リプレイ１」が表示されているため、非作動の条件装置に対応する図柄組番号２３の「黒バー」と「リプレイ１」、図柄組番号４２の「リプレイ２」、図柄組番号５７の「ベル」が表示禁止図柄となり、図柄番号０，１，４，５，７，８，１２，１３，１５，１７，１８，２０は００Ｈに書き換えられる。
【０８７６】
第３番目の右リール１Ｒに対する停止操作は、図柄番号１３のベルが下段に停止できるタイミングでされたとする。停止制御番号１９の左後中後右第３停止（１２３停止）の停止ビットデータのテーブル番号は３６番、検索対象の５コマは、図柄番号１３，１４，１５，１６，１７となる。保存優先番号が１であるため、テーブルに記憶された優先番号１は３に、同３は２に、同２は１に読み替える優先順位の変換がされる。
一般遊技中（条件装置番号５９）もＭＢ内部当選中（条件装置番号１２９）も、
図柄番号１３では、右データ００Ｈ＋テーブル番号３６の優先番号０＝００Ｈ、
図柄番号１４では、右データ４０Ｈ＋テーブル番号３６の１に変る３＝４３Ｈ、
図柄番号１５では、右データ００Ｈ＋テーブル番号３６の３に変る２＝０２Ｈ、
図柄番号１６では、右データ４０Ｈ＋テーブル番号３６の１に変る３＝４３Ｈ、
図柄番号１７では、右データ００Ｈ＋テーブル番号３６の２に変る１＝０１Ｈ
で、図柄番号１４と１６の停止候補得点が最大値となるが、より少ない滑りコマの１コマ滑りで図柄番号１４のリプレイ１を下段に引込んで停止させ、中段に「スイカ２」を表示させる。
【０８７７】
こうして、一般遊技中又はＭＢ内部当選中に、強チェ１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号３７のチャンス目３、すなわち、「ベル」−「リプレイ１」−「スイカ２」が表示される。例５２，例５３，例５４のように、第１停止に係る左リール１Ｌの停止タイミング如何で、第２停止及び第３停止のタイミングが全く同じでも、例５２は優先番号３に基づいた停止パターンにより「強チェリー１」となり、例５３は優先番号２に基づいた停止パターンにより「上段チェリー」となり、例５４は優先番号１に基づいた停止パターンにより「チャンス目３」となる。
【０８７８】
例５５；強チェ２の１
図９５に示すように、一般遊技中に内部抽選で強チェ２に当選した場合、条件装置番号は６０、停止制御番号は２０、停止許可となる図柄の組合せは図柄組番号１６，１７，２８，２９，３０，３１，３２，３３，３４，３９，４０となる。引込み検索データの新規作成時、作動に係る条件装置に対応した当該遊技での８バイトの停止許可フラグ（条件装置番号６０に対応する、００Ｈ，００Ｈ，００Ｈ，００Ｈ，６０Ｈ，Ｆ０Ｈ，８７Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８７９】
ＭＢ内部当選中に内部抽選で強チェ１に当選した場合、条件装置番号は１３０、停止制御番号は２０、停止許可となる図柄の組合せは図柄組番号１６，１７，２８，２９，３０，３１，３２，３３，３４，３９，４０，０１となる。引込み検索データの新規作成時、作動に係る条件装置に対応した当該遊技での８バイトの停止許可フラグ（条件装置番号１３０に対応する、０１Ｈ，００Ｈ，００Ｈ，００Ｈ，６０Ｈ，Ｆ０Ｈ，８７Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０８８０】
左データの図柄番号９、右データの図柄番号１０に対応する新規作成時の引込み検索データは、一般遊技中の条件装置番号６０のときは１０Ｈであるのに対して、ＭＢ内部当選中の条件装置番号１３０のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号６０のときは４０Ｈであるのに対して、ＭＢ内部当選中の条件装置番号１３０のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０８８１】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号２０の左第１停止（１停止）の停止ビットデータのテーブル番号は２番、検索対象の５コマは、図柄番号４，５，６，７，８となる。
一般遊技中（条件装置番号６０）もＭＢ内部当選中（条件装置番号１３０）も、
図柄番号４では、左データ１０Ｈ＋テーブル番号２の優先番号０＝１０Ｈ、
図柄番号５では、左データ４０Ｈ＋テーブル番号２の優先番号３＝４３Ｈ、
図柄番号６では、左データ４０Ｈ＋テーブル番号２の優先番号０＝４０Ｈ、
図柄番号７では、左データ１０Ｈ＋テーブル番号２の優先番号１＝１１Ｈ、
図柄番号８では、左データ４０Ｈ＋テーブル番号２の優先番号０＝４０Ｈ
で、図柄番号５の停止候補得点が唯一の最大値となるため、１コマ滑りで図柄番号５のチェリーを下段に引込んで停止させ、中段に「黒バー」を表示させる。この停止位置を決定することとなった停止候補得点の算出に用いた優先番号３が保存される。
【０８８２】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「黒バー」が表示されたため、図柄組番号１６，１７，２８〜３２以外の引込データ有は改定され、中データについては「リプレイ１」又は「リプレイ２」を中段に表示させる４０Ｈは１０Ｈに書き換えられ、ＭＢ内部当選中なら図柄番号９，１５，１７の６０Ｈは４０Ｈに書き換えられ、右データについてはＭＢ内部当選中の２０Ｈは１０Ｈに書き換えられるが、他の４０Ｈは維持される。
【０８８３】
第２番目の中リール１Ｃに対する停止操作は、図柄番号１７のリプレイ２が下段に停止できるタイミングでされたとする。停止制御番号２０の左後中第２停止（１２停止）の停止ビットデータのテーブル番号は５２番、検索対象の５コマは、図柄番号１７，１８，１９，２０，０となる。保存優先番号が３であるため、テーブルに記憶された優先番号についての優先順位の変換はない。
一般遊技中（条件装置番号６０）もＭＢ内部当選中（条件装置番号１３０）も、
図柄番号１７では、中データ４０Ｈ＋テーブル番号５２の優先番号０＝４０Ｈ、
図柄番号１８では、中データ４０Ｈ＋テーブル番号５２の優先番号３＝４３Ｈ、
図柄番号１９では、中データ１０Ｈ＋テーブル番号５２の優先番号０＝１０Ｈ、
図柄番号２０では、中データ１０Ｈ＋テーブル番号５２の優先番号１＝１１Ｈ、
図柄番号０では、中データ４０Ｈ＋テーブル番号５２の優先番号０＝４０Ｈ
で、図柄番号１８の停止候補得点が唯一の最大値となるため、１コマ滑りで図柄番号１８のチェリーを下段に引込んで停止させ、中段に「黒バー」を表示させる。
【０８８４】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、「リプレイ１」又は「リプレイ２」を中段に表示させる４０Ｈは１０Ｈに書き換えられ、中段に左「黒バー」−中「黒バー」が表示されているため、非作動の条件装置に対応する図柄組番号５３の「黒バー」が表示禁止図柄となり、図柄番号１，１５は００Ｈに書き換えられる。
【０８８５】
第３番目の右リール１Ｒに対する停止操作は、図柄番号１３のベルが下段に停止できるタイミングでされたとする。停止制御番号２０の左後中後右第３停止（１２３停止）の停止ビットデータのテーブル番号は５３番、検索対象の５コマは、図柄番号１３，１４，１５，１６，１７となる。保存優先番号が３であるため、テーブルに記憶された優先番号についての優先順位の変換はない。
一般遊技中（条件装置番号６０）もＭＢ内部当選中（条件装置番号１３０）も、
図柄番号１３では、右データ１０Ｈ＋テーブル番号５３の優先番号０＝１０Ｈ、
図柄番号１４では、右データ４０Ｈ＋テーブル番号５３の優先番号１＝４１Ｈ、
図柄番号１５では、右データ００Ｈ＋テーブル番号５３の優先番号０＝００Ｈ、
図柄番号１６では、右データ４０Ｈ＋テーブル番号５３の優先番号３＝４３Ｈ、
図柄番号１７では、右データ４０Ｈ＋テーブル番号５３の優先番号２＝４２Ｈ
で、図柄番号１６の停止候補得点が唯一の最大値となるため、３コマ滑りで図柄番号１６の黒バーを下段に引込んで停止させ、中段に「スイカ１」を表示させる。
【０８８６】
こうして、一般遊技中又はＭＢ内部当選中に、強チェ２に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号２９の強チェリー２、すなわち、「黒バー」−「黒バー」−「スイカ１」が表示される。例５２と例５５のように、第１停止、第２停止及び第３停止のタイミングが全く同じでも、例５２では「強チェリー１」の図柄の組合せが表示され、例５５では「強チェリー２」の図柄の組合せが表示される。
【０８８７】
例５６；強チェ２の２
図９６に示すように、一般遊技中又はＭＢ内部当選中、内部抽選で強チェ２に当選した場合、例５５と同様に、引込み検索データが新規に作成される。
【０８８８】
左、中、右の順番で順押しするものとし、第１番目の左リール１Ｌに対する停止操作は、図柄番号０のベルが下段に停止できるタイミングでされたとする。停止制御番号２０の左第１停止（１停止）の停止ビットデータのテーブル番号は２番、検索対象の５コマは、図柄番号０，１，２，３，４となる。
一般遊技中（条件装置番号６０）もＭＢ内部当選中（条件装置番号１３０）も、
図柄番号０では、左データ４０Ｈ＋テーブル番号２の優先番号０＝４０Ｈ、
図柄番号１では、左データ１０Ｈ＋テーブル番号２の優先番号０＝１０Ｈ、
図柄番号２では、左データ１０Ｈ＋テーブル番号２の優先番号０＝１０Ｈ、
図柄番号３では、左データ４０Ｈ＋テーブル番号２の優先番号２＝４２Ｈ、
図柄番号４では、左データ１０Ｈ＋テーブル番号２の優先番号０＝１０Ｈ
で、図柄番号３の停止候補得点が唯一の最大値となるため、３コマ滑りで図柄番号３のベルを下段に引込んで停止させ、中段に「スイカ２」を表示させる。この停止位置を決定することとなった停止候補得点の算出に用いた優先番号２が保存される。
【０８８９】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「スイカ２」が表示されたため、図柄組番号３４以外の引込データ有は改定され、中データについては「紫セブン１」又は「紫セブン２」又は「黒バー」又は「スイカ１」を中段に表示させる４０Ｈ以外は１０Ｈに書き換えられ、右データについては「ベル」又は「リプレイ１」又は「リプレイ２」を中段に表示させる４０Ｈ以外は１０Ｈに書き換えられる。
【０８９０】
第２番目の中リール１Ｃに対する停止操作は、図柄番号１７のリプレイ２が下段に停止できるタイミングでされたとする。停止制御番号２０の左後中第２停止（１２停止）の停止ビットデータのテーブル番号は５２番、検索対象の５コマは、図柄番号１７，１８，１９，２０，０となる。保存優先番号が２であるため、テーブルに記憶された優先番号２は３に、同３は２に読み替える優先順位の変換がされる。
一般遊技中（条件装置番号６０）もＭＢ内部当選中（条件装置番号１３０）も、
図柄番号１７では、中データ１０Ｈ＋テーブル番号５２の優先番号０＝１０Ｈ、
図柄番号１８では、中データ４０Ｈ＋テーブル番号５２の３に変る２＝４２Ｈ、
図柄番号１９では、中データ１０Ｈ＋テーブル番号５２の優先番号０＝１０Ｈ、
図柄番号２０では、中データ１０Ｈ＋テーブル番号５２の優先番号１＝１１Ｈ、
図柄番号０では、中データ１０Ｈ＋テーブル番号５２の優先番号０＝１０Ｈ
で、図柄番号１８の停止候補得点が唯一の最大値となるため、１コマ滑りで図柄番号１８のチェリーを下段に引込んで停止させ、中段に「黒バー」を表示させる。
【０８９１】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈが１０Ｈに書き換えられないが、中段に左「スイカ２」−中「黒バー」が表示されているため、非作動の条件装置に対応する図柄組番号５４の「黒バー」が表示禁止図柄となり、図柄番号１，１５は００Ｈに書き換えられる。
【０８９２】
第３番目の右リール１Ｒに対する停止操作は、図柄番号１３のベルが下段に停止できるタイミングでされたとする。停止制御番号２０の左後中後右第３停止（１２３停止）の停止ビットデータのテーブル番号は５３番、検索対象の５コマは、図柄番号１３，１４，１５，１６，１７となる。保存優先番号が２であるため、テーブルに記憶された優先番号２は３に、同３は２に読み替える優先順位の変換がされる。
一般遊技中（条件装置番号６０）もＭＢ内部当選中（条件装置番号１３０）も、
図柄番号１３では、右データ４０Ｈ＋テーブル番号５３の優先番号０＝４０Ｈ、
図柄番号１４では、右データ１０Ｈ＋テーブル番号５３の優先番号１＝１１Ｈ、
図柄番号１５では、右データ００Ｈ＋テーブル番号５３の優先番号０＝００Ｈ、
図柄番号１６では、右データ１０Ｈ＋テーブル番号５３の３に変る２＝１２Ｈ、
図柄番号１７では、右データ４０Ｈ＋テーブル番号５３の２に変る３＝４３Ｈ
で、図柄番号１７の停止候補得点が唯一の最大値となるため、４コマ滑りで図柄番号１７のスイカ１を下段に引込んで停止させ、中段に「ベル」を表示させる。
【０８９３】
こうして、一般遊技中又はＭＢ内部当選中に、強チェ２に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号３４の上段チェリー、すなわち、「スイカ２」−「黒バー」−「ベル」が表示される。例５３と例５６のように、第１停止、第２停止及び第３停止のタイミングが全く同じの場合、強チェ１も２も「上段チェリー」に係る同一の図柄の組合せが表示されることがある。
【０８９４】
例５７；強チェ２の３
図９７に示すように、一般遊技中又はＭＢ内部当選中、内部抽選で強チェ２に当選した場合、例５５と同様に、引込み検索データが新規に作成される。
【０８９５】
左、中、右の順番で順押しするものとし、第１番目の左リール１Ｌに対する停止操作は、図柄番号６の黒バーが下段に停止できるタイミングでされたとする。停止制御番号２０の左第１停止（１停止）の停止ビットデータのテーブル番号は２番、検索対象の５コマは、図柄番号６，７，８，９，１０となる。
一般遊技中（条件装置番号６０）は、
図柄番号６では、左データ４０Ｈ＋テーブル番号２の優先番号０＝４０Ｈ、
図柄番号７では、左データ１０Ｈ＋テーブル番号２の優先番号１＝１１Ｈ、
図柄番号８では、左データ４０Ｈ＋テーブル番号２の優先番号０＝４０Ｈ、
図柄番号９では、左データ１０Ｈ＋テーブル番号２の優先番号０＝１０Ｈ、
図柄番号１０では、左データ４０Ｈ＋テーブル番号２の優先番号０＝４０Ｈ
で、図柄番号６と８と１０の停止候補得点が最大値となるが、より少ない滑りコマの０コマ滑りで図柄番号６の黒バーを下段に即止めさせ、中段に「リプレイ２」を表示させる。この停止位置を決定することとなった停止候補得点の算出に用いた優先番号０が保存される。
【０８９６】
ＭＢ内部当選中（条件装置番号１３０）は、
図柄番号６では、左データ４０Ｈ＋テーブル番号２の優先番号０＝４０Ｈ、
図柄番号７では、左データ１０Ｈ＋テーブル番号２の優先番号１＝１１Ｈ、
図柄番号８では、左データ４０Ｈ＋テーブル番号２の優先番号０＝４０Ｈ、
図柄番号９では、左データ２０Ｈ＋テーブル番号２の優先番号０＝２０Ｈ、
図柄番号１０では、左データ４０Ｈ＋テーブル番号２の優先番号０＝４０Ｈ
で、図柄番号６と８と１０の停止候補得点が最大値となるが、より少ない滑りコマの０コマ滑りで図柄番号６の黒バーを下段に即止めさせ、中段に「リプレイ２」を表示させる。この停止位置を決定することとなった停止候補得点の算出に用いた優先番号０が保存される。
【０８９７】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「リプレイ２」が表示されたため、図柄組番号３９以外の引込データ有は改定され、中データについては「リプレイ２」を中段に表示させる４０Ｈ以外は１０Ｈに書き換えられ、右データについては「黒バー」を中段に表示させる４０Ｈ以外は１０Ｈに書き換えられる。
【０８９８】
第２番目の中リール１Ｃに対する停止操作は、図柄番号１７のリプレイ２が下段に停止できるタイミングでされたとする。停止制御番号２０の左後中第２停止（１２停止）の停止ビットデータのテーブル番号は５２番、検索対象の５コマは、図柄番号１７，１８，１９，２０，０となる。保存優先番号が０であるため、テーブルに記憶された優先番号についての優先順位の変換はない。
一般遊技中（条件装置番号６０）もＭＢ内部当選中（条件装置番号１３０）も、
図柄番号１７では、中データ１０Ｈ＋テーブル番号５２の優先番号０＝１０Ｈ、
図柄番号１８では、中データ１０Ｈ＋テーブル番号５２の優先番号３＝１３Ｈ、
図柄番号１９では、中データ１０Ｈ＋テーブル番号５２の優先番号０＝１０Ｈ、
図柄番号２０では、中データ１０Ｈ＋テーブル番号５２の優先番号１＝１１Ｈ、
図柄番号０では、中データ１０Ｈ＋テーブル番号５２の優先番号０＝１０Ｈ
で、図柄番号１８の停止候補得点が唯一の最大値となるため、１コマ滑りで図柄番号１８のチェリーを下段に引込んで停止させ、中段に「黒バー」を表示させる。
【０８９９】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈは全て１０Ｈに書き換えられ、中段に左「リプレイ２」−中「黒バー」が表示されているため、非作動の条件装置に対応する図柄組番号０６の「紫セブン２」、図柄組番号０７の「赤セブン」と「チェリー」、図柄組番号０８の「スイカ１」が表示禁止図柄となり、図柄番号３，６，１１，１６，１９は００Ｈに書き換えられる。
【０９００】
第３番目の右リール１Ｒに対する停止操作は、図柄番号１３のベルが下段に停止できるタイミングでされたとする。停止制御番号２０の左後中後右第３停止（１２３停止）の停止ビットデータのテーブル番号は５３番、検索対象の５コマは、図柄番号１３，１４，１５，１６，１７となる。保存優先番号が０であるため、テーブルに記憶された優先番号についての優先順位の変換はない。
一般遊技中（条件装置番号６０）もＭＢ内部当選中（条件装置番号１３０）も、
図柄番号１３では、右データ１０Ｈ＋テーブル番号５３の優先番号０＝１０Ｈ、
図柄番号１４では、右データ１０Ｈ＋テーブル番号５３の優先番号１＝１１Ｈ、
図柄番号１５では、右データ１０Ｈ＋テーブル番号５３の優先番号０＝１０Ｈ、
図柄番号１６では、右データ００Ｈ＋テーブル番号５３の優先番号３＝０３Ｈ、
図柄番号１７では、右データ１０Ｈ＋テーブル番号５３の優先番号２＝１２Ｈ
で、図柄番号１７の停止候補得点が唯一の最大値となるため、４コマ滑りで図柄番号１７のスイカ１を下段に引込んで停止させ、中段に「ベル」を表示させる。
【０９０１】
こうして、一般遊技中又はＭＢ内部当選中に、強チェ２に当選した場合、この例による順序及びタイミングで停止操作をした場合は上記した滑りコマ数に従って各リール１Ｌ，１Ｃ，１Ｒが停止され、有効ラインｍＬに、如何なる入賞にも再遊技にも役物にも該当しない、「リプレイ２」−「黒バー」−「ベル」が表示され、取りこぼしとなる。例５４と例５７のように、第１停止、第２停止及び第３停止のタイミングが全く同じでも、例５４では「チャンス目３」の図柄の組合せが表示され、例５７では取りこぼしとなる。
【０９０２】
例５８；中段チェ
図９８に示すように、一般遊技中に内部抽選で中段チェに当選した場合、条件装置番号は６１、停止制御番号は２１、停止許可となる図柄の組合せは図柄組番号１６，１７，２６，３７，４０となる。引込み検索データの新規作成時、作動に係る条件装置に対応した当該遊技での８バイトの停止許可フラグ（条件装置番号６１に対応する、００Ｈ，００Ｈ，００Ｈ，００Ｈ，６０Ｈ，０４Ｈ，２０Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９０３】
ＭＢ内部当選中に内部抽選で中段チェに当選した場合、条件装置番号は１３１、停止制御番号は２１、停止許可となる図柄の組合せは図柄組番号１６，１７，２６，３７，４０，０１となる。引込み検索データの新規作成時、作動に係る条件装置に対応した当該遊技での８バイトの停止許可フラグ（条件装置番号１３１に対応する、０１Ｈ，００Ｈ，００Ｈ，００Ｈ，６０Ｈ，０４Ｈ，２０Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９０４】
左データの図柄番号９、右データの図柄番号１０に対応する新規作成時の引込み検索データは、一般遊技中の条件装置番号６１のときは１０Ｈであるのに対して、ＭＢ内部当選中の条件装置番号１３１のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号６１のときは４０Ｈであるのに対して、ＭＢ内部当選中の条件装置番号１３１のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０９０５】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号２１の左第１停止（１停止）の停止ビットデータのテーブル番号は４番、検索対象の５コマは、図柄番号４，５，６，７，８となる。
一般遊技中（条件装置番号６１）もＭＢ内部当選中（条件装置番号１３１）も、
図柄番号４では、左データ４０Ｈ＋テーブル番号４の優先番号３＝４３Ｈ、
図柄番号５では、左データ４０Ｈ＋テーブル番号４の優先番号０＝４０Ｈ、
図柄番号６では、左データ１０Ｈ＋テーブル番号４の優先番号０＝１０Ｈ、
図柄番号７では、左データ４０Ｈ＋テーブル番号４の優先番号２＝４２Ｈ、
図柄番号８では、左データ１０Ｈ＋テーブル番号４の優先番号０＝１０Ｈ
で、図柄番号４の停止候補得点が唯一の最大値となるため、０コマ滑りで図柄番号４のスイカ２を下段に即止めさせ、中段に「チェリー」を表示させる。この停止位置を決定することとなった停止候補得点の算出に用いた優先番号３が保存される。
【０９０６】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「チェリー」が表示されたため、図柄組番号２６以外の引込データ有４０Ｈは改定され、中データについては「赤セブン」を中段に表示させる４０Ｈ以外は１０Ｈに書き換えられ、右データについては「黒バー」を中段に表示させる４０Ｈ以外は１０Ｈに書き換えられる。
【０９０７】
第２番目の中リール１Ｃに対する停止操作は、図柄番号０のリプレイ１が下段に停止できるタイミングでされたとする。停止制御番号２１の左後中第２停止（１２停止）の停止ビットデータのテーブル番号は５番、検索対象の５コマは、図柄番号０，１，２，３，４となる。保存優先番号が３であるため、テーブルに記憶された優先番号についての優先順位の変換はない。
一般遊技中（条件装置番号６１）もＭＢ内部当選中（条件装置番号１３１）も、
図柄番号０では、中データ１０Ｈ＋テーブル番号５の優先番号０＝１０Ｈ、
図柄番号１では、中データ４０Ｈ＋テーブル番号５の優先番号３＝４３Ｈ、
図柄番号２では、中データ１０Ｈ＋テーブル番号５の優先番号０＝１０Ｈ、
図柄番号３では、中データ１０Ｈ＋テーブル番号５の優先番号０＝１０Ｈ、
図柄番号４では、中データ１０Ｈ＋テーブル番号５の優先番号２＝１２Ｈ
で、図柄番号１の停止候補得点が唯一の最大値となるため、１コマ滑りで図柄番号１のスイカ２を下段に引込んで停止させ、中段に「赤セブン」を表示させる。
【０９０８】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。ただし、この例の場合、４０Ｈが１０Ｈに書き換えられないと共に、非作動の条件装置に対応する表示禁止図柄はなく、００Ｈへの書き換えも生じない。
【０９０９】
第３番目の右リール１Ｒに対する停止操作は、図柄番号０のベルが下段に停止できるタイミングでされたとする。停止制御番号２１の左後中後右第３停止（１２３停止）の停止ビットデータのテーブル番号は６番、検索対象の５コマは、図柄番号０，１，２，３，４となる。保存優先番号が３であるため、テーブルに記憶された優先番号についての優先順位の変換はない。
一般遊技中（条件装置番号６１）もＭＢ内部当選中（条件装置番号１３１）も、
図柄番号０では、右データ１０Ｈ＋テーブル番号６の優先番号０＝１０Ｈ、
図柄番号１では、右データ４０Ｈ＋テーブル番号６の優先番号０＝４０Ｈ、
図柄番号２では、右データ１０Ｈ＋テーブル番号６の優先番号２＝１２Ｈ、
図柄番号３では、右データ１０Ｈ＋テーブル番号６の優先番号０＝１０Ｈ、
図柄番号４では、右データ１０Ｈ＋テーブル番号６の優先番号０＝１０Ｈ
で、図柄番号１の停止候補得点が唯一の最大値となるため、１コマ滑りで図柄番号１のリプレイ２を下段に引込んで停止させ、中段に「黒バー」を表示させる。
【０９１０】
こうして、一般遊技中又はＭＢ内部当選中に、強チェ２に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号２６の中段チェリー、すなわち、「チェリー」−「赤セブン」−「黒バー」が表示される。
【０９１１】
例５９；チャンス１
図９９に示すように、一般遊技中に内部抽選でチャンス１に当選した場合、条件装置番号は６２、停止制御番号は２２、停止許可となる図柄の組合せは図柄組番号１６，１７，３７，３８，４０となる。引込み検索データの新規作成時、作動に係る条件装置に対応した当該遊技での８バイトの停止許可フラグ（条件装置番号６２に対応する、００Ｈ，００Ｈ，００Ｈ，００Ｈ，６０Ｈ，００Ｈ，６０Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９１２】
ＭＢ内部当選中に内部抽選でチャンス１に当選した場合、条件装置番号は１３２、停止制御番号は２２、停止許可となる図柄の組合せは図柄組番号１６，１７，３７，３８，４０，０１となる。引込み検索データの新規作成時、作動に係る条件装置に対応した当該遊技での８バイトの停止許可フラグ（条件装置番号１３２に対応する、０１Ｈ，００Ｈ，００Ｈ，００Ｈ，６０Ｈ，００Ｈ，６０Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９１３】
左データの図柄番号９、右データの図柄番号１０に対応する新規作成時の引込み検索データは、一般遊技中の条件装置番号６２のときは１０Ｈであるのに対して、ＭＢ内部当選中の条件装置番号１３２のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号６２のときは４０Ｈであるのに対して、ＭＢ内部当選中の条件装置番号１３２のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０９１４】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号２２の左第１停止（１停止）の停止ビットデータのテーブル番号は４５番、検索対象の５コマは、図柄番号４，５，６，７，８となる。
一般遊技中（条件装置番号６２）もＭＢ内部当選中（条件装置番号１３２）も、
図柄番号４では、左データ１０Ｈ＋テーブル番号４５の優先番号０＝１０Ｈ、
図柄番号５では、左データ４０Ｈ＋テーブル番号４５の優先番号０＝４０Ｈ、
図柄番号６では、左データ４０Ｈ＋テーブル番号４５の優先番号２＝４２Ｈ、
図柄番号７では、左データ４０Ｈ＋テーブル番号４５の優先番号０＝４０Ｈ、
図柄番号８では、左データ１０Ｈ＋テーブル番号４５の優先番号０＝１０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号２が保存される。
【０９１５】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「リプレイ２」が表示されたため、図柄組番号３８以外の引込データ有は改定され、中データについては「赤セブン」を中段に表示させる４０Ｈ以外は１０Ｈに書き換えられ、右データについては「リプレイ１」又は「リプレイ２むを中段に表示させる４０Ｈ以外は１０Ｈに書き換えられる。
【０９１６】
第２番目の中リール１Ｃに対する停止操作は、図柄番号０のリプレイ１が下段に停止できるタイミングでされたとする。停止制御番号２２の左後中第２停止（１２停止）の停止ビットデータのテーブル番号は４６番、検索対象の５コマは、図柄番号０，１，２，３，４となる。保存優先番号が２であるため、テーブルに記憶された優先番号２は３に、同３は２に読み替える優先順位の変換がされる。
一般遊技中（条件装置番号６２）もＭＢ内部当選中（条件装置番号１３２）も、
図柄番号０では、中データ１０Ｈ＋テーブル番号４６の優先番号０＝１０Ｈ、
図柄番号１では、中データ４０Ｈ＋テーブル番号４６の３に変る２＝４２Ｈ、
図柄番号２では、中データ１０Ｈ＋テーブル番号４６の優先番号０＝１０Ｈ、
図柄番号３では、中データ１０Ｈ＋テーブル番号４６の優先番号０＝１０Ｈ、
図柄番号４では、中データ１０Ｈ＋テーブル番号４６の優先番号１＝１１Ｈ
で、図柄番号１の停止候補得点が唯一の最大値となるため、１コマ滑りで図柄番号１のスイカ２を下段に引込んで停止させ、中段に「赤セブン」を表示させる。
【０９１７】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。ただし、この例の場合、４０Ｈが１０Ｈに書き換えられないと共に、非作動の条件装置に対応する表示禁止図柄もなく、００Ｈへの書き換えも生じない。
【０９１８】
第３番目の右リール１Ｒに対する停止操作は、図柄番号０のベルが下段に停止できるタイミングでされたとする。停止制御番号２２の左後中後右第３停止（１２３停止）の停止ビットデータのテーブル番号は７番、検索対象の５コマは、図柄番号０，１，２，３，４となる。保存優先番号が３であるため、テーブルに記憶された優先番号についての優先順位の変換はない。
一般遊技中（条件装置番号６２）もＭＢ内部当選中（条件装置番号１３２）も、
図柄番号０では、右データ４０Ｈ＋テーブル番号７の３に変る２＝４２Ｈ、
図柄番号１では、右データ１０Ｈ＋テーブル番号７の優先番号０＝１０Ｈ、
図柄番号２では、右データ１０Ｈ＋テーブル番号７の優先番号１＝１１Ｈ、
図柄番号３では、右データ１０Ｈ＋テーブル番号７の優先番号０＝１０Ｈ、
図柄番号４では、右データ１０Ｈ＋テーブル番号７の優先番号０＝１０Ｈ
で、図柄番号０の停止候補得点が唯一の最大値となるため、０コマ滑りで図柄番号０のベルを下段に即止めさせ、中段に「リプレイ２」を表示させる。
【０９１９】
こうして、一般遊技中又はＭＢ内部当選中に、チャンス１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号３８のチャンス目４、すなわち、「リプレイ２」−「赤セブン」−「リプレイ２」が表示される。
【０９２０】
例６０；チャンス２
図１００に示すように、一般遊技中に内部抽選でチャンス２に当選した場合、条件装置番号は６３、停止制御番号は２３、停止許可となる図柄の組合せは図柄組番号１６，１７，３７，３９，４０となる。引込み検索データの新規作成時、作動に係る条件装置に対応した当該遊技での８バイトの停止許可フラグ（条件装置番号６３に対応する、００Ｈ，００Ｈ，００Ｈ，００Ｈ，６０Ｈ，００Ｈ，Ａ０Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９２１】
ＭＢ内部当選中に内部抽選でチャンス２に当選した場合、条件装置番号は１３３、停止制御番号は２３、停止許可となる図柄の組合せは図柄組番号１６，１７，３７，３９，４０，０１となる。引込み検索データの新規作成時、作動に係る条件装置に対応した当該遊技での８バイトの停止許可フラグ（条件装置番号１３３に対応する、０１Ｈ，００Ｈ，００Ｈ，００Ｈ，６０Ｈ，００Ｈ，Ａ０Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９２２】
左データの図柄番号９、右データの図柄番号１０に対応する新規作成時の引込み検索データは、一般遊技中の条件装置番号６３のときは１０Ｈであるのに対して、ＭＢ内部当選中の条件装置番号１３３のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号６３のときは４０Ｈであるのに対して、ＭＢ内部当選中の条件装置番号１３３のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０９２３】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号２３の左第１停止（１停止）の停止ビットデータのテーブル番号は４５番、検索対象の５コマは、図柄番号４，５，６，７，８となる。
一般遊技中（条件装置番号６３）もＭＢ内部当選中（条件装置番号１３３）も、
図柄番号４では、左データ１０Ｈ＋テーブル番号４５の優先番号０＝１０Ｈ、
図柄番号５では、左データ４０Ｈ＋テーブル番号４５の優先番号０＝４０Ｈ、
図柄番号６では、左データ４０Ｈ＋テーブル番号４５の優先番号２＝４２Ｈ、
図柄番号７では、左データ４０Ｈ＋テーブル番号４５の優先番号０＝４０Ｈ、
図柄番号８では、左データ１０Ｈ＋テーブル番号４５の優先番号０＝１０Ｈ
で、図柄番号６の停止候補得点が唯一の最大値となるため、２コマ滑りで図柄番号６の黒バーを下段に引込んで停止させ、中段に「リプレイ２」を表示させる。この停止位置を決定することとなった停止候補得点の算出に用いた優先番号２が保存される。
【０９２４】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「リプレイ２」が表示されたため、図柄組番号３９以外の引込データ有は改定され、中データについては「リプレイ２」を中段に表示させる４０Ｈ以外は１０Ｈに書き換えられ、右データについては「黒バー」を中段に表示させる４０Ｈ以外は１０Ｈに書き換えられる。
【０９２５】
第２番目の中リール１Ｃに対する停止操作は、図柄番号０のリプレイ１が下段に停止できるタイミングでされたとする。停止制御番号２３の左後中第２停止（１２停止）の停止ビットデータのテーブル番号は１４番、検索対象の５コマは、図柄番号０，１，２，３，４となる。保存優先番号が２であるため、テーブルに記憶された優先番号２は３に、同３は２に読み替える優先順位の変換がされる。
一般遊技中（条件装置番号６３）もＭＢ内部当選中（条件装置番号１３３）も、
図柄番号０では、中データ１０Ｈ＋テーブル番号１４の優先番号０＝１０Ｈ、
図柄番号１では、中データ１０Ｈ＋テーブル番号１４の２に変る３＝１３Ｈ、
図柄番号２では、中データ１０Ｈ＋テーブル番号１４の優先番号０＝１０Ｈ、
図柄番号３では、中データ１０Ｈ＋テーブル番号１４の優先番号０＝１０Ｈ、
図柄番号４では、中データ１０Ｈ＋テーブル番号１４の３に変る２＝１２Ｈ
で、図柄番号１の停止候補得点が唯一の最大値となるため、１コマ滑りで図柄番号１のスイカ２を下段に引込んで停止させ、中段に「赤セブン」を表示させる。
【０９２６】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈは全て１０Ｈに書き換えられると共に、中段に左「リプレイ２」−中「赤セブン」が表示されているため、非作動の条件装置に対応する図柄組番号３８の「リプレイ１」と「リプレイ２」とが表示禁止図柄となり、図柄番号０，５，８，１３，１８は００Ｈに書き換えられる。
【０９２７】
第３番目の右リール１Ｒに対する停止操作は、図柄番号０のベルが下段に停止できるタイミングでされたとする。停止制御番号２３の左後中後右第３停止（１２３停止）の停止ビットデータのテーブル番号は４７番、検索対象の５コマは、図柄番号０，１，２，３，４となる。保存優先番号が２であるため、テーブルに記憶された優先番号２は３に、同３は２に読み替える優先順位の変換がされる。
一般遊技中（条件装置番号６３）もＭＢ内部当選中（条件装置番号１３３）も、
図柄番号０では、右データ００Ｈ＋テーブル番号４７の優先番号０＝００Ｈ、
図柄番号１では、右データ１０Ｈ＋テーブル番号４７の優先番号０＝１０Ｈ、
図柄番号２では、右データ１０Ｈ＋テーブル番号４７の３に変る２＝１２Ｈ、
図柄番号３では、右データ１０Ｈ＋テーブル番号４７の優先番号０＝１０Ｈ、
図柄番号４では、右データ１０Ｈ＋テーブル番号４７の優先番号０＝１０Ｈ
で、図柄番号２の停止候補得点が唯一の最大値となるため、２コマ滑りで図柄番号２の黒バーを下段に引込んで停止させ、中段に「スイカ２」を表示させる。
【０９２８】
こうして、一般遊技中又はＭＢ内部当選中に、チャンス２に当選した場合、この例による順序及びタイミングで停止操作をした場合は上記した滑りコマ数に従って各リール１Ｌ，１Ｃ，１Ｒが停止され、有効ラインｍＬに、如何なる入賞にも再遊技にも役物にも該当しない、「リプレイ２」−「赤セブン」−「スイカ２」が表示され、取りこぼしとなる。例５９と例６０のように、第１停止、第２停止及び第３停止のタイミングが全く同じでも、例５９では「チャンス目４」の図柄の組合せが表示され、例６０では取りこぼしとなる。
【０９２９】
例６１；チャンス３
図１０１に示すように、一般遊技中に内部抽選でチャンス３に当選した場合、条件装置番号は６４、停止制御番号は２４、停止許可となる図柄の組合せは図柄組番号１６，１７，３７，４０となる。引込み検索データの新規作成時、作動に係る条件装置に対応した当該遊技での８バイトの停止許可フラグ（条件装置番号６４に対応する、００Ｈ，００Ｈ，００Ｈ，００Ｈ，６０Ｈ，００Ｈ，２０Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９３０】
ＭＢ内部当選中に内部抽選でチャンス３に当選した場合、条件装置番号は１３４、停止制御番号は２４、停止許可となる図柄の組合せは図柄組番号１６，１７，３７，４０，０１となる。引込み検索データの新規作成時、作動に係る条件装置に対応した当該遊技での８バイトの停止許可フラグ（条件装置番号１３４に対応する、０１Ｈ，００Ｈ，００Ｈ，００Ｈ，６０Ｈ，００Ｈ，２０Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９３１】
左データの図柄番号９、右データの図柄番号１０に対応する新規作成時の引込み検索データは、一般遊技中の条件装置番号６４のときは１０Ｈであるのに対して、ＭＢ内部当選中の条件装置番号１３４のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号６４のときは４０Ｈであるのに対して、ＭＢ内部当選中の条件装置番号１３４のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０９３２】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号２４の左第１停止（１停止）の停止ビットデータのテーブル番号は１３番、検索対象の５コマは、図柄番号４，５，６，７，８となる。
一般遊技中（条件装置番号６４）もＭＢ内部当選中（条件装置番号１３４）も、
図柄番号４では、左データ１０Ｈ＋テーブル番号１３の優先番号０＝１０Ｈ、
図柄番号５では、左データ４０Ｈ＋テーブル番号１３の優先番号０＝４０Ｈ、
図柄番号６では、左データ１０Ｈ＋テーブル番号１３の優先番号０＝１０Ｈ、
図柄番号７では、左データ４０Ｈ＋テーブル番号１３の優先番号３＝４３Ｈ、
図柄番号８では、左データ１０Ｈ＋テーブル番号１３の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。この停止位置を決定することとなった停止候補得点の算出に用いた優先番号３が保存される。
【０９３３】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「ベル」が表示されたため、図柄組番号３７以外の引込データ有は改定され、中データについては「赤セブン」又は「リプレイ１」を中段に表示させる４０Ｈ以外は１０Ｈに書き換えられ、右データについては「スイカ１」又は「スイカ２」を中段に表示させる４０Ｈ以外は１０Ｈに書き換えられる。
【０９３４】
第２番目の中リール１Ｃに対する停止操作は、図柄番号０のリプレイ１が下段に停止できるタイミングでされたとする。停止制御番号２４の左後中第２停止（１２停止）の停止ビットデータのテーブル番号は５１番、検索対象の５コマは、図柄番号０，１，２，３，４となる。保存優先番号が３であるため、テーブルに記憶された優先番号についての優先順位の変換はない。
一般遊技中（条件装置番号６４）もＭＢ内部当選中（条件装置番号１３４）も、
図柄番号０では、中データ１０Ｈ＋テーブル番号５１の優先番号０＝１０Ｈ、
図柄番号１では、中データ４０Ｈ＋テーブル番号５１の優先番号３＝４３Ｈ、
図柄番号２では、中データ１０Ｈ＋テーブル番号５１の優先番号０＝１０Ｈ、
図柄番号３では、中データ１０Ｈ＋テーブル番号５１の優先番号０＝１０Ｈ、
図柄番号４では、中データ４０Ｈ＋テーブル番号５１の優先番号３＝４３Ｈ
で、図柄番号１と４の停止候補得点が最大値となるが、より少ない滑りコマの１コマ滑りで図柄番号１のスイカ２を下段に引込んで停止させ、中段に「赤セブン」を表示させる。
【０９３５】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈは１０Ｈに書き換えられないが、中段に左「ベル」−中「赤セブン」が表示されているため、非作動の条件装置に対応する図柄組番号２３の「黒バー」と「リプレイ１」、図柄組番号５２の「ベル」が表示禁止図柄となり、図柄番号１，４，７，８，１２，１３，１７，１８，２０は００Ｈに書き換えられる。
【０９３６】
第３番目の右リール１Ｒに対する停止操作は、図柄番号０のベルが下段に停止できるタイミングでされたとする。停止制御番号２４の左後中後右第３停止（１２３停止）の停止ビットデータのテーブル番号は４８番、検索対象の５コマは、図柄番号０，１，２，３，４となる。保存優先番号が３であるため、テーブルに記憶された優先番号についての優先順位の変換はない。
一般遊技中（条件装置番号６４）もＭＢ内部当選中（条件装置番号１３４）も、
図柄番号０では、右データ１０Ｈ＋テーブル番号４８の優先番号０＝１０Ｈ、
図柄番号１では、右データ００Ｈ＋テーブル番号４８の優先番号０＝００Ｈ、
図柄番号２では、右データ４０Ｈ＋テーブル番号４８の優先番号３＝４３Ｈ、
図柄番号３では、右データ１０Ｈ＋テーブル番号４８の優先番号２＝１２Ｈ、
図柄番号４では、右データ００Ｈ＋テーブル番号４８の優先番号０＝００Ｈ
で、図柄番号２の停止候補得点が唯一の最大値となるため、２コマ滑りで図柄番号２の黒バーを下段に引込んで停止させ、中段に「スイカ２」を表示させる。
【０９３７】
こうして、一般遊技中又はＭＢ内部当選中に、チャンス３に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号３７のチャンス目３、すなわち、「ベル」−「赤セブン」−「スイカ２」が表示される。
【０９３８】
例６２；チャンス４
図１０２に示すように、一般遊技中に内部抽選でチャンス４に当選した場合、条件装置番号は６５、停止制御番号は２５、停止許可となる図柄の組合せは図柄組番号１６，１７，３５，４０となる。引込み検索データの新規作成時、作動に係る条件装置に対応した当該遊技での８バイトの停止許可フラグ（条件装置番号６５に対応する、００Ｈ，００Ｈ，００Ｈ，００Ｈ，６０Ｈ，００Ｈ，０８Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９３９】
ＭＢ内部当選中に内部抽選でチャンス４に当選した場合、条件装置番号は１３５、停止制御番号は２５、停止許可となる図柄の組合せは図柄組番号１６，１７，３５，４０，０１となる。引込み検索データの新規作成時、作動に係る条件装置に対応した当該遊技での８バイトの停止許可フラグ（条件装置番号１３５に対応する、０１Ｈ，００Ｈ，００Ｈ，００Ｈ，６０Ｈ，００Ｈ，０８Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９４０】
左データの図柄番号９、右データの図柄番号１０に対応する新規作成時の引込み検索データは、一般遊技中の条件装置番号６５のときは１０Ｈであるのに対して、ＭＢ内部当選中の条件装置番号１３５のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号６５のときは４０Ｈであるのに対して、ＭＢ内部当選中の条件装置番号１３５のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０９４１】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号２５の左第１停止（１停止）の停止ビットデータのテーブル番号は１９番、検索対象の５コマは、図柄番号４，５，６，７，８となる。
一般遊技中（条件装置番号６５）もＭＢ内部当選中（条件装置番号１３５）も、
図柄番号４では、左データ１０Ｈ＋テーブル番号１９の優先番号０＝１０Ｈ、
図柄番号５では、左データ４０Ｈ＋テーブル番号１９の優先番号０＝４０Ｈ、
図柄番号６では、左データ１０Ｈ＋テーブル番号１９の優先番号０＝１０Ｈ、
図柄番号７では、左データ４０Ｈ＋テーブル番号１９の優先番号３＝４３Ｈ、
図柄番号８では、左データ１０Ｈ＋テーブル番号１９の優先番号０＝１０Ｈ
で、図柄番号７の停止候補得点が唯一の最大値となるため、３コマ滑りで図柄番号７のリプレイ２を下段に引込んで停止させ、中段に「ベル」を表示させる。この停止位置を決定することとなった停止候補得点の算出に用いた優先番号３が保存される。
【０９４２】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「ベル」が表示されたため、図柄組番号３５以外の引込データ有は改定され、中データについては「紫セブン１」を中段に表示させる４０Ｈ以外は１０Ｈに書き換えられ、右データについては「黒バー」を中段に表示させる４０Ｈ以外は１０Ｈに書き換えられる。
【０９４３】
第２番目の中リール１Ｃに対する停止操作は、図柄番号０のリプレイ１が下段に停止できるタイミングでされたとする。停止制御番号２５の左後中第２停止（１２停止）の停止ビットデータのテーブル番号は４９番、検索対象の５コマは、図柄番号０，１，２，３，４となる。保存優先番号が３であるため、テーブルに記憶された優先番号についての優先順位の変換はない。
一般遊技中（条件装置番号６５）もＭＢ内部当選中（条件装置番号１３５）も、
図柄番号０では、中データ１０Ｈ＋テーブル番号４９の優先番号０＝１０Ｈ、
図柄番号１では、中データ１０Ｈ＋テーブル番号４９の優先番号０＝１０Ｈ、
図柄番号２では、中データ１０Ｈ＋テーブル番号４９の優先番号０＝１０Ｈ、
図柄番号３では、中データ１０Ｈ＋テーブル番号４９の優先番号３＝１３Ｈ、
図柄番号４では、中データ１０Ｈ＋テーブル番号４９の優先番号０＝１０Ｈ
で、図柄番号３の停止候補得点が唯一の最大値となるため、３コマ滑りで図柄番号３のスイカ１を下段に引込んで停止させ、中段に「ベル」を表示させる。
【０９４４】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈは全て１０Ｈに書き換えられると共に、中段に左「ベル」−中「ベル」が表示されているため、非作動の条件装置に対応する図柄組番号０２の「ベル」、図柄組番号５１の「紫セブン１」と「紫セブン２」とが表示禁止図柄となり、図柄番号４，７，１０，１１，１２，１７，２０は００Ｈに書き換えられる。
【０９４５】
第３番目の右リール１Ｒに対する停止操作は、図柄番号０のベルが下段に停止できるタイミングでされたとする。停止制御番号２５の左後中後右第３停止（１２３停止）の停止ビットデータのテーブル番号は５０番、検索対象の５コマは、図柄番号０，１，２，３，４となる。保存優先番号が３であるため、テーブルに記憶された優先番号についての優先順位の変換はない。
一般遊技中（条件装置番号６５）もＭＢ内部当選中（条件装置番号１３５）も、
図柄番号０では、右データ１０Ｈ＋テーブル番号５０の優先番号０＝１０Ｈ、
図柄番号１では、右データ１０Ｈ＋テーブル番号５０の優先番号３＝１３Ｈ、
図柄番号２では、右データ１０Ｈ＋テーブル番号５０の優先番号０＝１０Ｈ、
図柄番号３では、右データ１０Ｈ＋テーブル番号５０の優先番号３＝１３Ｈ、
図柄番号４では、右データ００Ｈ＋テーブル番号５０の優先番号０＝００Ｈ
で、図柄番号１と３の停止候補得点が最大値となるが、より少ない滑りコマの１コマ滑りで図柄番号１のリプレイ２を下段に引込んで停止させ、中段に「黒バー」を表示させる。
【０９４６】
こうして、一般遊技中又はＭＢ内部当選中に、チャンス４に当選した場合、この例による順序及びタイミングで停止操作をした場合は上記した滑りコマ数に従って各リール１Ｌ，１Ｃ，１Ｒが停止され、有効ラインｍＬに、如何なる入賞にも再遊技にも役物にも該当しない、「ベル」−「ベル」−「黒バー」が表示され、取りこぼしとなる。例６１と例６２のように、第１停止、第２停止及び第３停止のタイミングが全く同じでも、例６１では「チャンス目３」の図柄の組合せが表示され、例６２では取りこぼしとなる。
【０９４７】
例６３；チャンス５
図１０３に示すように、一般遊技中に内部抽選でチャンス５に当選した場合、条件装置番号は６６、停止制御番号は２６、停止許可となる図柄の組合せは図柄組番号１６，１７，３３，３４，３７，４０となる。引込み検索データの新規作成時、作動に係る条件装置に対応した当該遊技での８バイトの停止許可フラグ（条件装置番号６６に対応する、００Ｈ，００Ｈ，００Ｈ，００Ｈ，６０Ｈ，００Ｈ，２６Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９４８】
ＭＢ内部当選中に内部抽選でチャンス５に当選した場合、条件装置番号は１３６、停止制御番号は２６、停止許可となる図柄の組合せは図柄組番号１６，１７，３３，３４，３７，４０，０１となる。引込み検索データの新規作成時、作動に係る条件装置に対応した当該遊技での８バイトの停止許可フラグ（条件装置番号１３６に対応する、０１Ｈ，００Ｈ，００Ｈ，００Ｈ，６０Ｈ，００Ｈ，２６Ｈ，０１Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９４９】
左データの図柄番号９、右データの図柄番号１０に対応する新規作成時の引込み検索データは、一般遊技中の条件装置番号６６のときは１０Ｈであるのに対して、ＭＢ内部当選中の条件装置番号１３６のときは、役物たるＭＢに係る図柄の組合せのうち左リール１Ｌについての「紫セブン２」と右リール１Ｒについての「紫セブン１」を引込対象とすることから２０Ｈとなる。また、中データの図柄番号９，１５，１７に対応する新規作成時の引込み検索データは、一般遊技中の条件装置番号６６のときは４０Ｈであるのに対して、ＭＢ内部当選中の条件装置番号１３６のときは、役物たるＭＢに係る図柄の組合せのうち中リール１Ｃについての「チェリー」を引込対象とすることから、入賞についての４０Ｈに役物についての２０Ｈを加算した６０Ｈとなる。
【０９５０】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号２６の左第１停止（１停止）の停止ビットデータのテーブル番号は６１番、検索対象の５コマは、図柄番号４，５，６，７，８となる。
一般遊技中（条件装置番号６６）もＭＢ内部当選中（条件装置番号１３６）も、
図柄番号４では、左データ１０Ｈ＋テーブル番号６１の優先番号０＝１０Ｈ、
図柄番号５では、左データ４０Ｈ＋テーブル番号６１の優先番号０＝４０Ｈ、
図柄番号６では、左データ１０Ｈ＋テーブル番号６１の優先番号０＝１０Ｈ、
図柄番号７では、左データ４０Ｈ＋テーブル番号６１の優先番号２＝４２Ｈ、
図柄番号８では、左データ４０Ｈ＋テーブル番号６１の優先番号３＝４３Ｈ
で、図柄番号８の停止候補得点が唯一の最大値となるため、４コマ滑りで図柄番号８のベルを下段に引込んで停止させ、中段に「スイカ２」を表示させる。この停止位置を決定することとなった停止候補得点の算出に用いた優先番号３が保存される。
【０９５１】
１本のリール１Ｌの停止位置が決まった後、引込み検索データについて、停止済となる左データを除き、停止済図柄との関係で対象外となる図柄について、中データと右データの引込データ有は改定される。この例の場合、左リール１Ｌの中段に「スイカ２」が表示されたため、図柄組番号３４以外の引込データ有は改定され、中データについては「紫セブン１」又は「紫セブン２」又は「黒バー」又は「スイカ１」を中段に表示させる４０Ｈ以外は１０Ｈに書き換えられ、右データについては「ベル」又は「リプレイ１」又は「リプレイ２」を中段に表示させる４０Ｈ以外は１０Ｈに書き換えられる。
【０９５２】
第２番目の中リール１Ｃに対する停止操作は、図柄番号０のリプレイ１が下段に停止できるタイミングでされたとする。停止制御番号２６の左後中第２停止（１２停止）の停止ビットデータのテーブル番号は６２番、検索対象の５コマは、図柄番号０，１，２，３，４となる。保存優先番号が３であるため、テーブルに記憶された優先番号についての優先順位の変換はない。
一般遊技中（条件装置番号６６）もＭＢ内部当選中（条件装置番号１３６）も、
図柄番号０では、中データ１０Ｈ＋テーブル番号６２の優先番号３＝１３Ｈ、
図柄番号１では、中データ１０Ｈ＋テーブル番号６２の優先番号０＝１０Ｈ、
図柄番号２では、中データ４０Ｈ＋テーブル番号６２の優先番号３＝４３Ｈ、
図柄番号３では、中データ１０Ｈ＋テーブル番号６２の優先番号２＝１２Ｈ、
図柄番号４では、中データ１０Ｈ＋テーブル番号６２の優先番号０＝１０Ｈ
で、図柄番号２の停止候補得点が唯一の最大値となるため、２コマ滑りで図柄番号２の赤セブンを下段に引込んで停止させ、中段に「スイカ１」を表示させる。
【０９５３】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈは１０Ｈに書き換えられないが、中段に左「スイカ２」−中「スイカ１」が表示されているため、非作動の条件装置に対応する図柄組番号２２の「スイカ１」と「スイカ２」とが表示禁止図柄となり、図柄番号２，９，１４，１６，１９は００Ｈに書き換えられる。
【０９５４】
第３番目の右リール１Ｒに対する停止操作は、図柄番号０のベルが下段に停止できるタイミングでされたとする。停止制御番号２６の左後中後右第３停止（１２３停止）の停止ビットデータのテーブル番号は６３番、検索対象の５コマは、図柄番号０，１，２，３，４となる。保存優先番号が３であるため、テーブルに記憶された優先番号についての優先順位の変換はない。
一般遊技中（条件装置番号６６）もＭＢ内部当選中（条件装置番号１３６）も、
図柄番号０では、右データ４０Ｈ＋テーブル番号６３の優先番号３＝４３Ｈ、
図柄番号１では、右データ１０Ｈ＋テーブル番号６３の優先番号２＝１２Ｈ、
図柄番号２では、右データ００Ｈ＋テーブル番号６３の優先番号０＝００Ｈ、
図柄番号３では、右データ１０Ｈ＋テーブル番号６３の優先番号２＝１２Ｈ、
図柄番号４では、右データ４０Ｈ＋テーブル番号６３の優先番号０＝４０Ｈ
で、図柄番号０の停止候補得点が唯一の最大値となるため、０コマ滑りで図柄番号０のベルを下段に即止めさせ、中段に「リプレイ２」を表示させる。
【０９５５】
こうして、一般遊技中又はＭＢ内部当選中に、チャンス５に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号３４の上段チェリー、すなわち、「スイカ２」−「スイカ１」−「リプレイ２」が表示される。
【０９５６】
例６４；確定１
図１０４に示すように、一般遊技中に内部抽選で確定１に当選した場合、条件装置番号は６７、停止制御番号は２７、停止許可となる図柄の組合せは図柄組番号３６となる。引込み検索データの新規作成時、作動に係る条件装置に対応した当該遊技での８バイトの停止許可フラグ（条件装置番号６７に対応する、００Ｈ，００Ｈ，００Ｈ，００Ｈ，００Ｈ，００Ｈ，１０Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９５７】
ＭＢ内部当選中に内部抽選で確定１に当選した場合、条件装置番号は１３７、停止制御番号は２７、停止許可となる図柄の組合せは図柄組番号３６，０１となる。引込み検索データの新規作成時、作動に係る条件装置に対応した当該遊技での８バイトの停止許可フラグ（条件装置番号１３７に対応する、０１Ｈ，００Ｈ，００Ｈ，００Ｈ，００Ｈ，００Ｈ，１０Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９５８】
中データの図柄番号９，１５，１７、右データの図柄番号１０に対応する新規作成時の引込み検索データは、一般遊技中の条件装置番号６７のときは１０Ｈであるのに対して、ＭＢ内部当選中の条件装置番号１３７のときは、役物たるＭＢに係る図柄の組合せのうち中リール１Ｃについての「チェリー」と右リール１Ｒについての「紫セブン１」を引込対象とすることから２０Ｈとなる。また、左データの図柄番号９に対応する新規作成時の引込み検索データは、一般遊技中の条件装置番号６７のときは４０Ｈであるのに対して、ＭＢ内部当選中の条件装置番号１３７のときは、役物たるＭＢに係る図柄の組合せのうち左リール１Ｒについての「紫セブン２」を引込対象とすることから、入賞についての４０Ｈに役物についての２０Ｈを加算した６０Ｈとなる。
【０９５９】
左、中、右の順番で順押しするものとし、第１番目の左リール１Ｌに対する停止操作は、ＤＤＴポイントでの目押しが１コマ分遅れ、図柄番号５のチェリーが下段に停止できるタイミングでされたとする。停止制御番号２７の左第１停止（１停止）の停止ビットデータのテーブル番号は１番、検索対象の５コマは、図柄番号５，６，７，８，９となる。
一般遊技中（条件装置番号６７）は、
図柄番号５では、左データ１０Ｈ＋テーブル番号１の優先番号０＝１０Ｈ、
図柄番号６では、左データ１０Ｈ＋テーブル番号１の優先番号０＝１０Ｈ、
図柄番号７では、左データ１０Ｈ＋テーブル番号１の優先番号０＝１０Ｈ、
図柄番号８では、左データ１０Ｈ＋テーブル番号１の優先番号０＝１０Ｈ、
図柄番号９では、左データ４０Ｈ＋テーブル番号１の優先番号３＝４３Ｈ
で、図柄番号９の停止候補得点が唯一の最大値となるため、４コマ滑りで図柄番号９のスイカ２を下段に引込んで停止させ、中段に「紫セブン２」を表示させる。この停止位置を決定することとなった停止候補得点の算出に用いた優先番号３が保存される。
【０９６０】
ＭＢ内部当選中（条件装置番号１３７）は、
図柄番号５では、左データ１０Ｈ＋テーブル番号１の優先番号０＝１０Ｈ、
図柄番号６では、左データ１０Ｈ＋テーブル番号１の優先番号０＝１０Ｈ、
図柄番号７では、左データ１０Ｈ＋テーブル番号１の優先番号０＝１０Ｈ、
図柄番号８では、左データ１０Ｈ＋テーブル番号１の優先番号０＝１０Ｈ、
図柄番号９では、左データ６０Ｈ＋テーブル番号１の優先番号３＝６３Ｈ
で、図柄番号９の停止候補得点が唯一の最大値となるため、４コマ滑りで図柄番号９のスイカ２を下段に引込んで停止させ、中段に「紫セブン２」を表示させる。この停止位置を決定することとなった停止候補得点の算出に用いた優先番号３が保存される。
【０９６１】
１本のリール１Ｌの停止位置が決まった後、引込み検索データについて、停止済となる左データを除き、停止済図柄との関係で対象外となる図柄について、中データと右データの引込データ有は改定対象となるが、この例の場合、左リール１Ｌの中段に「紫セブン２」が表示されたため、新規作成時と同じ内容が維持される。
【０９６２】
第２番目の中リール１Ｃに対する停止操作は、図柄番号４のベルが下段に停止できるタイミングでされたとする。停止制御番号２７の左後中第２停止（１２停止）の停止ビットデータのテーブル番号は８番、検索対象の５コマは、図柄番号４，５，６，７，８となる。保存優先番号が３であるため、テーブルに記憶された優先番号についての優先順位の変換はない。
一般遊技中（条件装置番号６７）もＭＢ内部当選中（条件装置番号１３７）も、
図柄番号４では、中データ１０Ｈ＋テーブル番号８の優先番号０＝１０Ｈ、
図柄番号５では、中データ１０Ｈ＋テーブル番号８の優先番号０＝１０Ｈ、
図柄番号６では、中データ４０Ｈ＋テーブル番号８の優先番号３＝４３Ｈ、
図柄番号７では、中データ１０Ｈ＋テーブル番号８の優先番号０＝１０Ｈ、
図柄番号８では、中データ１０Ｈ＋テーブル番号８の優先番号０＝１０Ｈ
で、図柄番号６の停止候補得点が唯一の最大値となるため、２コマ滑りで図柄番号６のスイカ１を下段に引込んで停止させ、中段に「ベル」を表示させる。
【０９６３】
２本のリール１Ｌ，１Ｃの停止位置が決まった後、停止済となる左データ及び中データを除き、右データについて、停止済図柄との関係で新たに表示の対象外となる図柄について４０Ｈ等を１０Ｈに、非作動に係る条件装置との関係で表示禁止となる図柄について１０Ｈ等を００Ｈに書き換える。この例の場合、ＭＢ内部当選中の図柄番号１０の２０Ｈは１０Ｈに書き換えられる他は、４０Ｈから１０Ｈへの書き換えも、１０Ｈから００Ｈへの書き換えもない。
【０９６４】
第３番目の右リール１Ｒに対する停止操作は、図柄番号４の赤セブンが下段に停止できるタイミングでされたとする。停止制御番号２７の左後中後右第３停止（１２３停止）の停止ビットデータのテーブル番号は１１番、検索対象の５コマは、図柄番号４，５，６，７，８となる。保存優先番号が３であるため、テーブルに記憶された優先番号についての優先順位の変換はない。
一般遊技中（条件装置番号６７）もＭＢ内部当選中（条件装置番号１３７）も、
図柄番号４では、右データ４０Ｈ＋テーブル番号１１の優先番号３＝４３Ｈ、
図柄番号５では、右データ１０Ｈ＋テーブル番号１１の優先番号０＝１０Ｈ、
図柄番号６では、右データ１０Ｈ＋テーブル番号１１の優先番号０＝１０Ｈ、
図柄番号７では、右データ４０Ｈ＋テーブル番号１１の優先番号３＝４３Ｈ、
図柄番号８では、右データ１０Ｈ＋テーブル番号１１の優先番号０＝１０Ｈ
で、図柄番号４と７の停止候補得点が最大値となるが、より少ない滑りコマの０コマ滑りで図柄番号４の赤セブンを下段に即止めさせ、中段に「ベル」を表示させる。
【０９６５】
こうして、一般遊技中又はＭＢ内部当選中に、確定１に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号３６のチャンス目２、すなわち、「紫セブン２」−「ベル」−「ベル」が表示される。
【０９６６】
例６５；確定２
図１０５に示すように、一般遊技中に内部抽選で確定２に当選した場合、条件装置番号は６８、停止制御番号は２８、停止許可となる図柄の組合せは図柄組番号４１，４２，４３となる。引込み検索データの新規作成時、作動に係る条件装置に対応した当該遊技での８バイトの停止許可フラグ（条件装置番号６８に対応する、００Ｈ，００Ｈ，００Ｈ，００Ｈ，００Ｈ，００Ｈ，００Ｈ，０ＥＨ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９６７】
ＭＢ内部当選中に内部抽選で確定２に当選した場合、条件装置番号は１３８、停止制御番号は２８、停止許可となる図柄の組合せは図柄組番号４１，４２，４３，０１となる。引込み検索データの新規作成時、作動に係る条件装置に対応した当該遊技での８バイトの停止許可フラグ（条件装置番号１３８に対応する、０１Ｈ，００Ｈ，００Ｈ，００Ｈ，００Ｈ，００Ｈ，００Ｈ，０ＥＨ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（入賞・役物）の６０Ｈ又は下段基準引込データ有（入賞）の４０Ｈ又は下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可能）の１０Ｈが記憶される。
【０９６８】
左データの図柄番号９、中データの図柄番号９，１５，１７、右データの図柄番号１０に対応する新規作成時の引込み検索データは、一般遊技中の条件装置番号６８のときは１０Ｈであるのに対して、ＭＢ内部当選中の条件装置番号１３８のときは、役物たるＭＢに係る図柄の組合せ「紫セブン２」−「チェリー」−「紫セブン１」を引込対象とすることから２０Ｈとなる。
【０９６９】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号２８の左第１停止（１停止）の停止ビットデータのテーブル番号は４０番、検索対象の５コマは、図柄番号４，５，６，７，８となる。
一般遊技中（条件装置番号６８）もＭＢ内部当選中（条件装置番号１３８）も、
図柄番号４では、左データ１０Ｈ＋テーブル番号４０の優先番号０＝１０Ｈ、
図柄番号５では、左データ４０Ｈ＋テーブル番号４０の優先番号３＝４３Ｈ、
図柄番号６では、左データ１０Ｈ＋テーブル番号４０の優先番号０＝１０Ｈ、
図柄番号７では、左データ４０Ｈ＋テーブル番号４０の優先番号３＝４３Ｈ、
図柄番号８では、左データ１０Ｈ＋テーブル番号４０の優先番号０＝１０Ｈ
で、図柄番号５と７の停止候補得点が最大値となるが、より少ない滑りコマの１コマ滑りで図柄番号５のチェリーを下段に引込んで停止させ、中段に「黒バーむを表示させる。この停止位置を決定することとなった停止候補得点の算出に用いた優先番号３が保存される。
【０９７０】
１本のリール１Ｌの停止位置が決まった後、引込み検索データについて、停止済となる左データを除き、停止済図柄との関係で対象外となる図柄について、中データと右データの引込データ有は改定される。この例の場合、ＭＢ内部当選中の２０Ｈは１０Ｈに書き換えられる他は、４０Ｈから１０Ｈへの書き換えはない。
【０９７１】
第２番目の中リール１Ｃに対する停止操作は、図柄番号４のベルが下段に停止できるタイミングでされたとする。停止制御番号２８の左後中第２停止（１２停止）の停止ビットデータのテーブル番号は３１番、検索対象の５コマは、図柄番号４，５，６，７，８となる。保存優先番号が３であるため、テーブルに記憶された優先番号についての優先順位の変換はない。
一般遊技中（条件装置番号６８）もＭＢ内部当選中（条件装置番号１３８）も、
図柄番号４では、中データ４０Ｈ＋テーブル番号３１の優先番号２＝４２Ｈ、
図柄番号５では、中データ１０Ｈ＋テーブル番号３１の優先番号０＝１０Ｈ、
図柄番号６では、中データ１０Ｈ＋テーブル番号３１の優先番号０＝１０Ｈ、
図柄番号７では、中データ４０Ｈ＋テーブル番号３１の優先番号２＝４２Ｈ、
図柄番号８では、中データ１０Ｈ＋テーブル番号３１の優先番号０＝１０Ｈ
で、図柄番号４と７の停止候補得点が最大値となるが、より少ない滑りコマの０コマ滑りで図柄番号４のベルを下段に即止めさせ、中段に「リプレイ１」を表示させる。
【０９７２】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、４０Ｈは１０Ｈに書き換えられないが、中段に左「黒バー」−中「リプレイ１」が表示されているため、非作動の条件装置に対応する図柄組番号５６の「黒バー」と「スイカ１」と「スイカ２」と「チェリー」が表示禁止図柄となり、図柄番号２，６，９，１４，１５，１６，１９は００Ｈに書き換えられる。
【０９７３】
第３番目の右リール１Ｒに対する停止操作は、図柄番号４の赤セブンが下段に停止できるタイミングでされたとする。停止制御番号２８の左後中後右第３停止（１２３停止）の停止ビットデータのテーブル番号は１５番、検索対象の５コマは、図柄番号４，５，６，７，８となる。保存優先番号が３であるため、テーブルに記憶された優先番号についての優先順位の変換はない。
一般遊技中（条件装置番号６８）もＭＢ内部当選中（条件装置番号１３８）も、
図柄番号４では、右データ１０Ｈ＋テーブル番号１５の優先番号０＝１０Ｈ、
図柄番号５では、右データ４０Ｈ＋テーブル番号１５の優先番号３＝４３Ｈ、
図柄番号６では、右データ００Ｈ＋テーブル番号１５の優先番号０＝００Ｈ、
図柄番号７では、右データ１０Ｈ＋テーブル番号１５の優先番号０＝１０Ｈ、
図柄番号８では、右データ４０Ｈ＋テーブル番号１５の優先番号３＝４３Ｈ
で、図柄番号５と８の停止候補得点が最大値となるが、より少ない滑りコマの１コマ滑りで図柄番号５のベルを下段に引込んで停止させ、中段に「リプレイ２」を表示させる。
【０９７４】
こうして、一般遊技中又はＭＢ内部当選中に、確定２に当選した場合、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号４１の熱目１、すなわち、「黒バー」−「リプレイ１」−「リプレイ２」が表示される。
【０９７５】
例６６；隠れボーナスＭＢの１
図１０６に示すように、一般遊技中に内部抽選で隠れボーナスＭＢに当選した場合、又は、ＭＢ内部当選中にハズレを引いた場合、条件装置番号は７０、停止制御番号は３０、停止許可となる図柄の組合せは図柄組番号０１となる。引込み検索データの新規作成時、作動に係る条件装置に対応した当該遊技での８バイトの停止許可フラグ（条件装置ＭＢに対応する、０１Ｈ，００Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可）の１０Ｈが記憶される。
【０９７６】
左、中、右の順番で順押しするものとし、第１番目の左リール１Ｌに対する停止操作は、図柄番号４のスイカ２が下段（図柄番号６の黒バーは上段）に停止可能なＤＤＴポイントでされたとする。停止制御番号３０の左第１停止（１停止）の停止ビットデータのテーブル番号は３６番、検索対象の５コマは、図柄番号４，５，６，７，８となる。
図柄番号４では、左データ１０Ｈ＋テーブル番号３６の優先番号２＝１２Ｈ、
図柄番号５では、左データ１０Ｈ＋テーブル番号３６の優先番号３＝１３Ｈ、
図柄番号６では、左データ１０Ｈ＋テーブル番号３６の優先番号１＝１１Ｈ、
図柄番号７では、左データ１０Ｈ＋テーブル番号３６の優先番号２＝１２Ｈ、
図柄番号８では、左データ１０Ｈ＋テーブル番号３６の優先番号２＝１２Ｈ
で、図柄番号５の停止候補得点が唯一の最大値となるため、１コマ滑りで図柄番号５のチェリーを下段に引込んで停止させ、中段に「黒バー」を表示させる。この停止位置を決定することとなった停止候補得点の算出に用いた優先番号３が保存される。
【０９７７】
１本のリール１Ｌの停止位置が決まった後、引込み検索データについて、停止済となる左データを除き、停止済図柄との関係で対象外となる図柄について、中データと右データの引込データ有２０Ｈは引込データ無１０Ｈに改定される。この例の場合、左リール１Ｌの中段に「紫セブン２」ではなく、「黒バー」が表示されたため、全て１０Ｈに書き換えられる。
【０９７８】
第２番目の中リール１Ｃに対する停止操作は、図柄番号７のベルが下段に停止できるタイミングでされたとする。停止制御番号３０の左後中第２停止（１２停止）の停止ビットデータのテーブル番号は６７番、検索対象の５コマは、図柄番号７，８，９，１０，１１となる。保存優先番号が３であるため、テーブルに記憶された優先番号についての優先順位の変換はない。
図柄番号７では、中データ１０Ｈ＋テーブル番号６７の優先番号０＝１０Ｈ、
図柄番号８では、中データ１０Ｈ＋テーブル番号６７の優先番号３＝１３Ｈ、
図柄番号９では、中データ１０Ｈ＋テーブル番号６７の優先番号２＝１２Ｈ、
図柄番号１０では、中データ１０Ｈ＋テーブル番号６７の優先番号１＝１１Ｈ、
図柄番号１１では、中データ１０Ｈ＋テーブル番号６７の優先番号０＝１０Ｈ
で、図柄番号８の停止候補得点が唯一の最大値となるため、１コマ滑りで図柄番号８のリプレイ１を下段に引込んで停止させ、中段に「スイカ２」を表示させる。
【０９７９】
２本のリール１Ｌ，１Ｃの停止位置が決まった後、停止済となる左データ及び中データを除き、右データについて、停止済図柄との関係で新たに表示の対象外となる図柄について２０Ｈを１０Ｈに、非作動に係る条件装置との関係で表示禁止となる図柄について１０Ｈ等を００Ｈに書き換える。この例の場合、２０Ｈは既にないが、中段に左「黒バー」−中「スイカ２」が表示されているため、非作動の条件装置に対応する図柄組番号２７の「ベル」、図柄組番号２９の「紫セブン２」と「スイカ１」、図柄組番号３１の「スイカ２」が表示禁止図柄となり、図柄番号２，４，７，９，１１，１２，１４，１６，１７，２０は００Ｈに書き換えられる。
【０９８０】
第３番目の右リール１Ｒに対する停止操作は、図柄番号８のベルが下段に停止できるタイミングでされたとする。停止制御番号３０の左後中後右第３停止（１２３停止）の停止ビットデータのテーブル番号は６８番、検索対象の５コマは、図柄番号８，９，１０，１１，１２となる。保存優先番号が３であるため、テーブルに記憶された優先番号についての優先順位の変換はない。
図柄番号８では、右データ１０Ｈ＋テーブル番号６８の優先番号１＝１１Ｈ、
図柄番号９では、右データ００Ｈ＋テーブル番号６８の優先番号０＝００Ｈ、
図柄番号１０では、右データ１０Ｈ＋テーブル番号６８の優先番号３＝１３Ｈ、
図柄番号１１では、右データ００Ｈ＋テーブル番号６８の優先番号０＝００Ｈ、
図柄番号１２では、右データ００Ｈ＋テーブル番号６８の優先番号０＝００Ｈ
で、図柄番号１０の停止候補得点が唯一の最大値となるため、２コマ滑りで図柄番号１０のスイカ２を下段に引込んで停止させ、中段に「紫セブン１」を表示させる。
【０９８１】
こうして、一般遊技中に内部抽選で隠れボーナスＭＢに当選した場合、又は、ＭＢ内部当選中にハズレを引いた場合、この例による順序及びタイミングで停止操作をした場合は上記した滑りコマ数に従って各リール１Ｌ，１Ｃ，１Ｒが停止され、有効ラインｍＬに、如何なる入賞にも再遊技にも役物にも該当しない、「黒バー」−「スイカ２」−「紫セブン２」が表示され、隠れボーナスＭＢの作動が回避される。
【０９８２】
例６７；隠れボーナスＭＢの２
図１０７に示すように、一般遊技中に内部抽選で隠れボーナスＭＢに当選した場合、又は、ＭＢ内部当選中にハズレを引いた場合、条件装置番号は７０、停止制御番号は３０、停止許可となる図柄の組合せは図柄組番号０１となる。引込み検索データの新規作成時、作動に係る条件装置に対応した当該遊技での８バイトの停止許可フラグ（条件装置ＭＢに対応する、０１Ｈ，００Ｈ，００Ｈ，００Ｈ，００Ｈ，００Ｈ，００Ｈ，００Ｈ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０に、基準位置とする表示窓８０の下段にその図柄が停止したなら中段の有効ラインｍＬに作動に係る条件装置に対応した図柄組番号の図柄が表示されることを示す下段基準引込データ有（役物）の２０Ｈ、若しくは、基準位置とする表示窓８０の下段にその図柄が停止しても中段の有効ラインｍＬに作動に係る条件装置に対応した図柄組番号の図柄が表示されないことを示す下段基準引込データ無（停止可）の１０Ｈが記憶される。
【０９８３】
左、中、右の順番で順押しするものとし、第１番目の左リール１Ｌに対する停止操作は、ＤＤＴポイントでの目押しが１コマ分遅れ、図柄番号５のチェリーが下段に停止できるタイミングでされたとする。停止制御番号３０の左第１停止（１停止）の停止ビットデータのテーブル番号は３６番、検索対象の５コマは、図柄番号５，６，７，８，９となる。
図柄番号５では、左データ１０Ｈ＋テーブル番号３６の優先番号３＝１３Ｈ、
図柄番号６では、左データ１０Ｈ＋テーブル番号３６の優先番号１＝１１Ｈ、
図柄番号７では、左データ１０Ｈ＋テーブル番号３６の優先番号２＝１２Ｈ、
図柄番号８では、左データ１０Ｈ＋テーブル番号３６の優先番号２＝１２Ｈ、
図柄番号９では、左データ２０Ｈ＋テーブル番号３６の優先番号１＝２１Ｈ
で、図柄番号９の停止候補得点が唯一の最大値となるため、４コマ滑りで図柄番号９のスイカ２を下段に引込んで停止させ、中段に「紫セブン２」を表示させる。この停止位置を決定することとなった停止候補得点の算出に用いた優先番号１が保存される。
【０９８４】
１本のリール１Ｌの停止位置が決まった後、引込み検索データについて、停止済となる左データを除き、停止済図柄との関係で対象外となる図柄について、中データと右データの引込データ有２０Ｈは引込データ無１０Ｈに改定される。この例の場合、左リール１Ｌの中段に「紫セブン２」が表示されたため、改定はない。
【０９８５】
第２番目の中リール１Ｃに対する停止操作は、図柄番号７のベルが下段に停止できるタイミングでされたとする。停止制御番号３０の左後中第２停止（１２停止）の停止ビットデータのテーブル番号は６７番、検索対象の５コマは、図柄番号７，８，９，１０，１１となる。保存優先番号が１であるため、テーブルに記憶された優先番号１は３に、同３は２に、同２は１に読み替える優先順位の変換がされる。
図柄番号７では、中データ１０Ｈ＋テーブル番号６７の優先番号０＝１０Ｈ、
図柄番号８では、中データ１０Ｈ＋テーブル番号６７の３に変る２＝１２Ｈ、
図柄番号９では、中データ２０Ｈ＋テーブル番号６７の２に変る１＝２１Ｈ、
図柄番号１０では、中データ１０Ｈ＋テーブル番号６７の１に変る３＝１３Ｈ、
図柄番号１１では、中データ１０Ｈ＋テーブル番号６７の優先番号０＝１０Ｈ
で、図柄番号９の停止候補得点が唯一の最大値となるため、２コマ滑りで図柄番号９のスイカ２を下段に引込んで停止させ、中段に「チェリー」を表示させる。
【０９８６】
２本のリール１Ｌ，１Ｃの停止位置が決まった後、停止済となる左データ及び中データを除き、右データについて、停止済図柄との関係で新たに表示の対象外となる図柄について２０Ｈを１０Ｈに、非作動に係る条件装置との関係で表示禁止となる図柄について１０Ｈ等を００Ｈに書き換える。ただし、この例の場合、２０Ｈから１０Ｈへの書き換えも、１０Ｈから００Ｈへの書き換えもない。
【０９８７】
第３番目の右リール１Ｒに対する停止操作は、図柄番号８のベルが下段に停止できるタイミングでされたとする。停止制御番号３０の左後中後右第３停止（１２３停止）の停止ビットデータのテーブル番号は６８番、検索対象の５コマは、図柄番号８，９，１０，１１，１２となる。保存優先番号が１であるため、テーブルに記憶された優先番号１は３に、同３は２に、同２は１に読み替える優先順位の変換がされる。
図柄番号８では、右データ１０Ｈ＋テーブル番号６８の１に変る３＝１３Ｈ、
図柄番号９では、右データ１０Ｈ＋テーブル番号６８の優先番号０＝１０Ｈ、
図柄番号１０では、右データ２０Ｈ＋テーブル番号６８の３に変る２＝２２Ｈ、
図柄番号１１では、右データ１０Ｈ＋テーブル番号６８の優先番号０＝１０Ｈ、
図柄番号１２では、右データ１０Ｈ＋テーブル番号６８の優先番号０＝１０Ｈ
で、図柄番号１０の停止候補得点が唯一の最大値となるため、２コマ滑りで図柄番号１０のスイカ２を下段に引込んで停止させ、中段に紫セブン１を表示させる。
【０９８８】
こうして、一般遊技中に内部抽選で隠れボーナスＭＢに当選した場合、又は、ＭＢ内部当選中にハズレを引いた場合、この例による順序及びタイミングで停止操作をした場合は上記した滑りコマ数に従って各リール１Ｌ，１Ｃ，１Ｒが停止され、有効ラインｍＬに、役物に係る図柄の組合せである図柄組番号０１の、「紫セブン２」−「チェリー」−「紫セブン１」が表示され、隠れボーナスＭＢが作動することとなる。
【０９８９】
例６８；ＭＢ作動中ＡＬＬ
図１０８に示すように、隠れボーナスＭＢ作動中は、リプレイ確率＝０％、入賞確率＝１００％となる。条件装置番号は６９、停止制御番号は２９、停止許可となる図柄の組合せは図柄組番号０２〜４３の全入賞役となる。引込み検索データの新規作成時、作動に係る条件装置に対応した当該遊技での８バイトの停止許可フラグ（条件装置ＭＢ作動中ＡＬＬに対応する、００Ｈ，００Ｈ，３ＦＨ，ＦＦＨ，ＦＦＨ，ＦＦＨ，ＦＦＨ，０ＦＨ）と、リール１Ｌ〜１Ｒ毎の上記Ｌ−１〜Ｒ−１０の図柄の種類別の論理式の対応関係とから、左リール１Ｌについての左データ、中リール１Ｃについての中データ、右リール１Ｒについての右データの各図柄番号０〜２０のすべてに、基準位置とする表示窓８０の下段にその図柄が停止したなら中段の有効ラインｍＬに作動に係る条件装置に対応した図柄組番号の図柄が表示されることを示す下段基準引込データ有（入賞）の４０Ｈが記憶される。
【０９９０】
左、中、右の順番で順押しするものとし、第１番目の左リール１Ｌに対する停止操作は、図柄番号４のスイカ２が下段に停止できるタイミングでされたとする。停止制御番号２９の左第１停止（１停止）の停止ビットデータのテーブル番号は３０番、第１番目に停止操作される左リール１Ｌに対する最大滑りコマ数は１コマであり、検索対象の２コマは、図柄番号４，５となる。
図柄番号４では、左データ４０Ｈ＋テーブル番号３０の優先番号０＝４０Ｈ、
図柄番号５では、左データ４０Ｈ＋テーブル番号３０の優先番号３＝４３Ｈ
で、図柄番号５の停止候補得点が唯一の最大値となるため、１コマ滑りで図柄号５のチェリーを下段に引込んで停止させ、中段に「黒バー」を表示させる。この停止位置を決定することとなった停止候補得点の算出に用いた優先番号３が保存される。
【０９９１】
１本のリール１Ｌの停止位置が決まった後、引込み検索データについて、停止済となる左データを除き、停止済図柄との関係で対象外となる図柄について、中データと右データの引込データ有４０Ｈは引込データ無１０Ｈに改定される。この例の場合、左リール１Ｌの中段に「黒バー」が表示されたため、図柄組番号０２〜４３のうち、左「黒バー」との組合せで入賞に係る図柄の組合せとならない、右リール１Ｒの中段に「黒バー」又は「紫セブン１」を表示させる右データの図柄番号１，１０，１５の４０Ｈのみが１０Ｈに書き換えられる。
【０９９２】
第２番目の中リール１Ｃに対する停止操作は、図柄番号４のベルが下段に停止できるタイミングでされたとする。停止制御番号２９の左後中第２停止（１２停止）の停止ビットデータのテーブル番号は３１番、検索対象の５コマは、図柄番号４，５，６，７，８となる。保存優先番号が３であるため、テーブルに記憶された優先番号についての優先順位の変換はない。
図柄番号４では、中データ４０Ｈ＋テーブル番号３１の優先番号２＝４２Ｈ、
図柄番号５では、中データ４０Ｈ＋テーブル番号３１の優先番号０＝４０Ｈ、
図柄番号６では、中データ４０Ｈ＋テーブル番号３１の優先番号０＝４０Ｈ、
図柄番号７では、中データ４０Ｈ＋テーブル番号３１の優先番号２＝４２Ｈ、
図柄番号８では、中データ４０Ｈ＋テーブル番号３１の優先番号０＝４０Ｈ
で、図柄番号４と７の停止候補得点が最大値となるが、より少ない滑りコマの０コマ滑りで図柄番号４のベルを下段に即止めさせ、中段に「リプレイ１」を表示させる。
【０９９３】
２本のリール１Ｌ，１Ｃの停止位置が決まった後、停止済となる左データ及び中データを除き、右データについて、停止済図柄との関係で新たに表示の対象外となる図柄について４０Ｈを１０Ｈに、非作動に係る条件装置との関係で表示禁止となる図柄について１０Ｈ等を００Ｈに書き換える。この例の場合、左「黒バー」−中「リプレイ１」との組合せで入賞に係る図柄の組合せとなる、右リール１Ｒの中段にリプレイ１又はリプレイ２を表示させる右データの図柄番号０，５，８，１３，１８の４０Ｈのみが維持され、役物又は再遊技に関する非作動の条件装置に対応する図柄組番号５６の「黒バー」と「スイカ１」と「スイカ２」と「チェリー」とが表示禁止図柄となり、図柄番号１，２，６，９，１４，１５，１６，１９は００Ｈに書き換えられ、その他は１０Ｈに書き換えられる。
【０９９４】
第３番目の右リール１Ｒに対する停止操作は、図柄番号４の赤セブンが下段に停止できるタイミングでされたとする。停止制御番号２９の左後中後右第３停止（１２３停止）の停止ビットデータのテーブル番号は１５番、検索対象の５コマは、図柄番号４，５，６，７，８となる。保存優先番号が３であるため、テーブルに記憶された優先番号についての優先順位の変換はない。
図柄番号４では、右データ１０Ｈ＋テーブル番号１５の優先番号０＝１０Ｈ、
図柄番号５では、右データ４０Ｈ＋テーブル番号１５の優先番号３＝４３Ｈ、
図柄番号６では、右データ００Ｈ＋テーブル番号１５の優先番号０＝００Ｈ、
図柄番号７では、右データ１０Ｈ＋テーブル番号１５の優先番号０＝１０Ｈ、
図柄番号８では、右データ４０Ｈ＋テーブル番号１５の優先番号３＝４３Ｈ
で、図柄番号５と８の停止候補得点が最大値となるが、より少ない滑りコマの１コマ滑りで図柄番号５のベルを下段に引込んで停止させ、中段に「リプレイ２」を表示させる。
【０９９５】
こうして、ＭＢ作動中、この例による順序及びタイミングで停止操作をした場合は上記した滑りコマ数に従って各リール１Ｌ，１Ｃ，１Ｒが停止され、有効ラインｍＬに、入賞に係る図柄の組合せである図柄組番号４１の熱目１、すなわち、「黒バー」−「リプレイ１」−「リプレイ２」が表示される。なお、ＭＢ作動中は、如何なるタイミング如何なる順序で停止操作しても、何れかの入賞に係る図柄の組合せが表示される。
【０９９６】
以上のように、内部抽選毎に図柄番号に対応させて各停止操作前にその都度作成するＡ０Ｈ，８０Ｈ，６０Ｈ，４０Ｈ，２０Ｈ，１０Ｈ，００Ｈを区別した引込み検索データと、３，２，１，０の２ビット情報から成る優先番号を予め記憶させた停止ビットデータとが相互に補完し合いながら、適切な滑りコマ数を演算により決定するから、作動に係る条件装置が再遊技か入賞か役物かの別に拘わらず、かつ、再遊技の中での種類や入賞の中での種類にも拘わらず、しかも、ストップボタン６Ｌ，６Ｃ，６Ｒの操作順序如何に拘わらず、常に均一且つ簡潔な制御方式により、多様な停止パターンを表現することができる。恰も、条件装置番号或いは停止制御番号の数に６通りの停止操作順序を乗じた膨大な数の０〜４の滑りコマ数テーブルを用意したかのような多様な停止出目を実現することができる。
【０９９７】
以上のもので、例えば、下段基準引込データ有（再遊技）の８０Ｈを０８Ｈに、下段基準引込データ有（入賞）の４０Ｈを２０Ｈに、下段基準引込データ有（役物）の２０Ｈを４０Ｈに、下段基準引込データ有（入賞・役物）を１０Ｈに、下段基準引込データ有（再遊技・役物）を０４Ｈに、下段基準引込データ無（停止可能）の１０Ｈを８０Ｈに、下段基準停止不可の００ＨをＦＦＨに各変更し、優先番号の加算に変えて減算により停止候補得点を演算し、停止候補得点が特定傾向である最小値となる図柄に基づいて滑りコマ数を決定してもよい。
【産業上の利用可能性】
【０９９８】
主に、風俗営業等の規制及び業務の適正化等に関する法律第２条第１項第７号のぱちんこ屋や同８号の店舗等の営業に供される遊技機の産業分野において有用である。
【符号の説明】
【０９９９】
１Ｌ；左リール（可変表示要素）
１Ｃ；中リール（可変表示要素）
１Ｒ；右リール（可変表示要素）
２；メダル投入口
３；マックスベットボタン
４；精算ボタン
５；スタートレバー（スタートスイッチ）
６Ｌ；左ストップボタン（ストップスイッチ）
６Ｃ；中ストップボタン（ストップスイッチ）
６Ｒ；右ストップボタン（ストップスイッチ）
７；演出表示装置
７０；液晶表示装置
８；リールパネル
８０；表示窓
ＣＮ；制御装置
ＭＣ；主制御装置
ＳＣ；周辺制御装置
Ａ；停止ビットデータ郡記憶手段
Ｂ；停止ビットデータ選択手段
Ｃ；引込み検索データ作成手段
Ｃ１；新規作成手段
Ｃ２；第１改定手段
Ｃ３；最終改定手段
Ｄ；停止候補得点算出手段
Ｅ；可変表示停止手段
Ｆ；優先順位変換手段
Ｇ；アシスト表示手段
Ｈ；アシスト作動判定手段
Ｊ；ペナルティ手段
【図１】
2015029741.tif 000003
【図２】
2015029741.tif 000004
【図３】
2015029741.tif 000005
【図４】
2015029741.tif 000006
【図５】
2015029741.tif 000007
【図６】
2015029741.tif 000008
【図７】
2015029741.tif 000009
【図８】
2015029741.tif 000010
【図９】
2015029741.tif 000011
【図１０】
2015029741.tif 000012
【図１１】
2015029741.tif 000013
【図１２】
2015029741.tif 000014
【図１３】
2015029741.tif 000015
【図１４】
2015029741.tif 000016
【図１５】
2015029741.tif 000017
【図１６】
2015029741.tif 000018
【図１７】
2015029741.tif 000019
【図１８】
2015029741.tif 000020
【図１９】
2015029741.tif 000021
【図２０】
2015029741.tif 000022
【図２１】
2015029741.tif 000023
【図２２】
2015029741.tif 000024
【図２３】
2015029741.tif 000025
【図２４】
2015029741.tif 000026
【図２５】
2015029741.tif 000027
【図２６】
2015029741.tif 000028
【図２７】
2015029741.tif 000029
【図２８】
2015029741.tif 000030
【図２９】
2015029741.tif 000031
【図３０】
2015029741.tif 000032
【図３１】
2015029741.tif 000033
【図３２】
2015029741.tif 000034
【図３３】
2015029741.tif 000035
【図３４】
2015029741.tif 000036
【図３５】
2015029741.tif 000037
【図３６】
2015029741.tif 000038
【図３７】
2015029741.tif 000039
【図３８】
2015029741.tif 000040
【図３９】
2015029741.tif 000041
【図４０】
2015029741.tif 000042
【図４１】
2015029741.tif 000043
【図４２】
2015029741.tif 000044
【図４３】
2015029741.tif 000045
【図４４】
2015029741.tif 000046
【図４５】
2015029741.tif 000047
【図４６】
2015029741.tif 000048
【図４７】
2015029741.tif 000049
【図４８】
2015029741.tif 000050
【図４９】
2015029741.tif 000051
【図５０】
2015029741.tif 000052
【図５１】
2015029741.tif 000053
【図５２】
2015029741.tif 000054
【図５３】
2015029741.tif 000055
【図５４】
2015029741.tif 000056
【図５５】
2015029741.tif 000057
【図５６】
2015029741.tif 000058
【図５７】
2015029741.tif 000059
【図５８】
2015029741.tif 000060
【図５９】
2015029741.tif 000061
【図６０】
2015029741.tif 000062
【図６１】
2015029741.tif 000063
【図６２】
2015029741.tif 000064
【図６３】
2015029741.tif 000065
【図６４】
2015029741.tif 000066
【図６５】
2015029741.tif 000067
【図６６】
2015029741.tif 000068
【図６７】
2015029741.tif 000069
【図６８】
2015029741.tif 000070
【図６９】
2015029741.tif 000071
【図７０】
2015029741.tif 000072
【図７１】
2015029741.tif 000073
【図７２】
2015029741.tif 000074
【図７３】
2015029741.tif 000075
【図７４】
2015029741.tif 000076
【図７５】
2015029741.tif 000077
【図７６】
2015029741.tif 000078
【図７７】
2015029741.tif 000079
【図７８】
2015029741.tif 000080
【図７９】
2015029741.tif 000081
【図８０】
2015029741.tif 000082
【図８１】
2015029741.tif 000083
【図８２】
2015029741.tif 000084
【図８３】
2015029741.tif 000085
【図８４】
2015029741.tif 000086
【図８５】
2015029741.tif 000087
【図８６】
2015029741.tif 000088
【図８７】
2015029741.tif 000089
【図８８】
2015029741.tif 000090
【図８９】
2015029741.tif 000091
【図９０】
2015029741.tif 000092
【図９１】
2015029741.tif 000093
【図９２】
2015029741.tif 000094
【図９３】
2015029741.tif 000095
【図９４】
2015029741.tif 000096
【図９５】
2015029741.tif 000097
【図９６】
2015029741.tif 000098
【図９７】
2015029741.tif 000099
【図９８】
2015029741.tif 000100
【図９９】
2015029741.tif 000101
【図１００】
2015029741.tif 000102
【図１０１】
2015029741.tif 000103
【図１０２】
2015029741.tif 000104
【図１０３】
2015029741.tif 000105
【図１０４】
2015029741.tif 000106
【図１０５】
2015029741.tif 000107
【図１０６】
2015029741.tif 000108
【図１０７】
2015029741.tif 000109
【図１０８】
2015029741.tif 000110
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
複数コマの図柄を可変表示させる複数の可変表示要素を有し、遊技媒体の投入下におけるスタートスイッチの操作に基づいて、予め定めた図柄の組合せを前記可変表示要素において表示させるために必要な複数種類の条件装置の作動の可否を決定する内部抽選を実行すると共に前記可変表示要素の可変表示を開始させ、前記可変表示要素に対応するストップスイッチの操作に基づいて、所定の許容滑りコマ数の範囲内で対応する可変表示要素の可変表示を各停止させ、所定の有効ラインに前記内部抽選で決定した作動に係る条件装置に対応した図柄の組合せの表示を許容して一回の遊技の結果を導出させる主制御装置を備える遊技機において、
前記主制御装置に、
一つの可変表示要素に含まれる図柄のコマ数に相当する区分数について所定ビット以下で特定する優先番号を予め記憶した停止ビットデータを複数とおり定義した停止ビットデータ群記憶手段と、
前記内部抽選で決定した作動に係る条件装置に対応する停止制御番号と、前記ストップスイッチの操作順序とに応じて、前記停止ビットデータ群記憶手段から特定の停止ビットデータを選択する停止ビットデータ選択手段と、
可変表示中にある前記可変表示要素の各図柄に対応させて、前記内部抽選で決定した作動に係る条件装置に対応した図柄が前記有効ラインに表示可能か否かを区別するための引込み検索データを作成する引込み検索データ作成手段と、
前記ストップスイッチの操作を契機に、該ストップスイッチの操作時点から前記許容滑りコマ数の範囲内にある検索対象の図柄について、前記引込み検索データと前記優先番号との所定の演算により停止候補得点を算出する停止候補得点算出手段と、
前記停止候補得点が検索対象中予め定めた特定傾向の値となる図柄に基づいて、前記ストップスイッチの操作時点からの滑りコマ数を決定して前記可変表示要素の可変表示を停止させる可変表示停止手段とを設けたことを特徴とする遊技機。
【請求項２】
前記優先番号は、前記停止候補得点が前記特定傾向の値となる可能性が最も高くなる最上位番号と、前記停止候補得点が前記特定傾向の値となる可能性が最も低くなる最下位番号と、前記停止候補得点が前記特定傾向の値となる可能性が最高でも最低でもない中間となる少なくとも一つの中間番号とを含み、
前記主制御装置に、第１番目に停止操作された可変表示要素の滑りコマ数を決定することとなった停止候補得点の算出に用いた優先番号が中間番号であったとき、第２番目以後の停止についてはその中間番号を新たな最上位番号として機能させる優先順位変換手段を設けたことを特徴とする請求項１記載の遊技機。
【請求項３】
前記優先番号は、２ビットで特定する２ビット情報から成り、前記最上位番号は２進数表記で１１、前記最下位番号は２進数表記で００、前記中間番号は２進数表記で１０及び又は０１であることを特徴とする請求項２記載の遊技機。
【請求項４】
前記停止ビットデータ群記憶手段は、前記主制御装置の記憶領域中、１バイトを４分割した２ビット毎の分割領域に相互に異なる停止ビットデータの各優先番号を記憶していると共に、前記主制御装置のプログラムカウンタの進行方向に、前記可変表示要素の図柄の並びを上下反転させた反転図柄に対応させた各停止ビットデータの各優先番号を記憶していることを特徴とする請求項３記載の遊技機。
【請求項５】
前記可変表示要素は、左リール、中リール、右リールから成り、
前記停止ビットデータ選択手段は、
第１番目の停止操作が、左リール、中リール、右リールの、何れかとなる３とおり、
第２番目の停止操作が、左リール停止操作後の中リール、左リール停止操作後の右リール、中リール停止操作後の左リール、中リール停止操作後の右リール、右リール停止操作後の左リール、右リール停止操作後の中リールの、何れかとなる６とおり、
第３番目の操作停止が、左リール停止操作後の中リール停止操作後の右リール、左リール停止操作後の右リール停止操作後の中リール、中リール停止操作後の左リール停止操作後の右リール、中リール停止操作後の右リール停止操作後の左リール、右リール停止操作後の左リール停止操作後の中リール、右リール停止操作後の中リール停止操作後の左リールの、何れかとなる６とおり、
以上合計１５とおりについて、停止制御番号毎に、参照すべき停止ビットデータのテーブル番号を記憶した停止ビットデータテーブル番号参照テーブルに基づいて特定の停止ビットデータを選択する仕様を有することを特徴とする請求項１〜４何れか一項に記載の遊技機。
【請求項６】
前記引込み検索データ作成手段は、
前記内部抽選の後、第１番目のストップスイッチの操作受付前に、作動に係る条件装置に基づいて新規に作成する新規作成手段と、
第１番目の可変表示要素の可変表示の停止位置決定後に、作動に係る条件装置と停止済となる図柄とに基づいて第１の改定をする第１改定手段と、
最後から一つ前の可変表示要素の可変表示の停止位置決定後に、作動に係る条件装置と停止済となる図柄と非作動に係る条件装置とに基づいて最終の改定をする最終改定手段と
を含むことを特徴とする請求項１〜５何れか一項に記載の遊技機。
【手続補正２】
【補正対象書類名】明細書
【補正対象項目名】００４０
【補正方法】削除
【補正の内容】
【手続補正３】
【補正対象書類名】明細書
【補正対象項目名】００４１
【補正方法】削除
【補正の内容】